(57)【要約】【課題】ホール管理者によって操作部が操作される場合の作業を容易なものとしつつ、同操作部の不意の切り替わりを抑制することができる遊技機を提供する。【解決手段】パチンコ機１０の裏パックユニット１５は、同裏パックユニット１５の上部に配された遊技球貯留用のタンク２２１と同タンク２２１の下方に配された保護カバー部２１２とを有している。保護カバー２１２により覆われていない下方領域には電源・発射制御装置２４３が配されており、この電源・発射制御装置２４３に電源オン／オフ切替用の電源スイッチ２４７が設けられている。電源スイッチ２４７の操作片は、前後に回動可能に保持されているとともに基板ボックスに形成された開口部を通じて後方に突出している。基板ボックスには操作片の回動中心部に対して後方から対峙する突出部が形成され、同突出部によって操作片の下部に対する上方からの遊技球の衝突が規制されている。【選択図】      図１１
2014076306.tif 000002
【特許請求の範囲】
【請求項１】
各種遊技機器が搭載されてなる遊技機本体と、
前記遊技機本体をその背面側から覆うカバー体及び当該カバー体に併設された球通路を有してなる背面ユニットと、
前記球通路よりも下側であって前記カバー体によって覆われていない領域に遊技機背面側へ露出するようにして設けられた操作手段を有し、前記操作手段の変位に基づいて遊技機を稼動させるオン状態又は遊技機を停止させるオフ状態に切り替える切替手段と
を備えた遊技機において、
前記操作手段は、指掛け操作部を有し、
前記指掛け操作部を遊技機背面側に開放する開放部を通じて遊技機背面側へ露出するようにして前記操作手段を収容する収容部を備え、
前記切替手段は、前記オフ状態となっている状況下での前記指掛け操作部の遊技機正面側への変位に基づいて前記オン状態への切り替えを行い、前記オン状態となっている状況下での前記指掛け操作部の遊技機背面側への変位に基づいて前記オフ状態への切り替えを行うものであり、
前記指掛け操作部は、前記操作手段に対して前記収容部の外側から遊技球が衝突した場合に、変位しない又は遊技機正面側へ変位するようになっていることを特徴とする遊技機。
【発明の詳細な説明】
【技術分野】
【０００１】
本発明は、遊技機に関するものである。
【背景技術】
【０００２】
パチンコ機等の遊技機には、島設備から供給された遊技球を貯留するタンクと、そのタンクに貯留されている遊技球を払い出す払出装置とを備えているものがある。例えば遊技領域に設けられた入賞口や入賞装置等への入球が発生した場合には予め設定された個数の遊技球が球受け皿等に払い出される。
【０００３】
タンクは、遊技機の背面側の上部等に配設されており、島設備からの遊技球の供給を許容すべく上方に開放されている。例えば、タンクの下方には、絵柄表示装置や制御装置等の各種遊技機器が配されており、これら遊技機器を背面側から覆うようにしてカバーが設けられている。これにより、島設備における遊技球供給部やタンク等の球通路から遊技球が零れ落ちた場合等にそれら遊技球が上記遊技機器に衝突することを回避し、同遊技機器の保護を図っている（例えば特許文献１参照）。
【０００４】
また、上述したタイプの遊技機においては、遊技に関する各種設定を行うための操作部や、電源投入用の操作部等が同遊技機の背面側に設けられているのが一般的である。このように、遊技機の背面側に操作部を配することにより、同操作部に対する不正なアクセスを抑制することができる。特に、操作部を上記カバーによって覆われていない領域に遊技機後方へ露出するうようにして配することにより、ホール管理者等によって上記操作部の操作が行われる場合に作業が煩雑になることを回避することができる。
【先行技術文献】
【特許文献】
【０００５】
【特許文献１】特開２００１−１０４６０３号公報
【発明の概要】
【発明が解決しようとする課題】
【０００６】
しかしながら、上述の如く操作部を遊技機後方に露出させた場合には、作業性の向上に貢献できる反面、上記球通路等から溢れた遊技球が落下した際に、上記操作部に対して衝突する可能性が生じる。このような衝突に起因して操作部が切り替ることは、遊技進行を妨げる要因となったり、遊技者や遊技ホールに不測の不利益を与える要因となったりするため好ましくない。
【０００７】
本発明は、上記例示した事情等に鑑みてなされたものであり、ホール管理者によって操作部が操作される場合の作業を容易なものとしつつ、同操作部の不意の切り替わりを抑制することができる遊技機を提供することを目的とするものである。
【課題を解決するための手段】
【０００８】
本発明は、
各種遊技機器が搭載されてなる遊技機本体と、
前記遊技機本体をその背面側から覆うカバー体及び当該カバー体に併設された球通路を有してなる背面ユニットと、
前記球通路よりも下側であって前記カバー体によって覆われていない領域に遊技機背面側へ露出するようにして設けられた操作手段を有し、前記操作手段の変位に基づいて遊技機を稼動させるオン状態又は遊技機を停止させるオフ状態に切り替える切替手段と
を備えた遊技機において、
前記操作手段は、指掛け操作部を有し、
前記指掛け操作部を遊技機背面側に開放する開放部を通じて遊技機背面側へ露出するようにして前記操作手段を収容する収容部を備え、
前記切替手段は、前記オフ状態となっている状況下での前記指掛け操作部の遊技機正面側への変位に基づいて前記オン状態への切り替えを行い、前記オン状態となっている状況下での前記指掛け操作部の遊技機背面側への変位に基づいて前記オフ状態への切り替えを行うものであり、
前記指掛け操作部は、前記操作手段に対して前記収容部の外側から遊技球が衝突した場合に、変位しない又は遊技機正面側へ変位するようになっていることを特徴とする。
【発明の効果】
【０００９】
ホール管理者によって操作部が操作される場合の作業を容易なものとしつつ、同操作部の不意の切り替わりを抑制することができる。
【図面の簡単な説明】
【００１０】
【図１】第１の実施の形態におけるパチンコ機を示す正面図である。
【図２】パチンコ機を斜め前方から見た斜視図である。
【図３】パチンコ機の主要な構成を展開して示す斜視図である。
【図４】パチンコ機の主要な構成を展開して示す斜視図である。
【図５】前扉枠を背面側から見た分解斜視図である。
【図６】図１のＡ−Ａ線部分断面図である。
【図７】内枠の構成を示す正面図である。
【図８】遊技盤の構成を示す正面図である。
【図９】内枠の構成を示す背面図である。
【図１０】遊技盤の背面構成を示す斜視図である。
【図１１】パチンコ機の構成を示す背面図である。
【図１２】裏パックユニットの構成を示す正面図である。
【図１３】（ａ）外枠を後方から見た斜視図、（ｂ）図１１のＢ−Ｂ線部分断面図である。
【図１４】内枠から遊技盤を取り外した状態を示す正面斜視図である。
【図１５】図７のＣ−Ｃ線部分断面図である。
【図１６】開放された前扉枠と遊技盤及び挿入部との位置関係を示す概略図である。
【図１７】図８の部分拡大図である。
【図１８】レールカバーの正面斜視図である。
【図１９】レールカバーとガラスユニットとの位置関係を示す概略図である。
【図２０】図１のＤ−Ｄ線部分断面図である。
【図２１】遊技盤とガラスユニットとの位置関係を示す概略図である。
【図２２】遊技盤の取外作業を説明するための概略図である。
【図２３】遊技盤の装着作業を説明するための概略図である。
【図２４】遊技盤の装着作業を説明するための概略図である。
【図２５】レールカバーと外レールとの関係を示す概略図である。
【図２６】図１４の部分拡大図である。
【図２７】内枠から主要な構成を取り外した状態を示す分解斜視図である。
【図２８】図７のＥ−Ｅ線部分断面図である。
【図２９】（ａ）ロック装置の斜視図、（ｂ）ロック装置の分解斜視図である。
【図３０】図７のＦ−Ｆ線部分断面図である。
【図３１】ロック装置の動作説明図である。
【図３２】図８の部分拡大図である。
【図３３】遊技領域区画部材及びそれに付随する構成を示す分解斜視図である。
【図３４】図１のＧ−Ｇ線部分断面図である。
【図３５】タンクと電源・発射制御装置との位置関係を示す概略図である。
【図３６】電源・発射制御装置の正面図である。
【図３７】図３６のＨ−Ｈ線部分断面図である。
【図３８】衝突回避の様子を示す概略図である。
【図３９】第１の実施の形態におけるパチンコ機の電気的構成を示すブロック図である。
【図４０】第２の実施の形態における電源スイッチ及びそれに付随する構成を示す概略図である。
【図４１】第３の実施の形態における電源スイッチ及びそれに付随する構成を示す概略図である。
【図４２】位置決め手段の変形例を示す概略図である。
【図４３】（ａ）ガラスユニットの取付構造の変形例を示す概略図、（ｂ）ガラスパネルの保持構造の変形例を示す概略図である。
【発明を実施するための形態】
【００１１】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２はパチンコ機１０を斜め前方から見た斜視図、図３及び図４はパチンコ機１０の主要な構成を展開して示す斜視図である。なお、図３では便宜上パチンコ機１０の遊技領域内の構成を省略している。
【００１２】
図１に示すように、パチンコ機１０は、当該パチンコ機１０の外殻を形成する外枠１１と、この外枠１１に取り付けられた遊技機主部１２とを有している。
【００１３】
外枠１１は木製の板材を四辺に連結し構成されるものであって矩形枠状をなしている。パチンコ機１０は、外枠１１を島設備に取り付け固定することにより、遊技場の島設備に設置される。なお、パチンコ機１０において外枠１１は必須の構成ではなく、遊技場の島設備に外枠１１が備え付けられた構成としてもよい。
【００１４】
この外枠１１によって遊技機主部１２が開閉可能な状態で支持されている。具体的には、図２に示すように、外枠１１における上枠部と左枠部との連結部分に上側支持用金具１７が固定されており、さらに外枠１１における下枠部と左枠部との連結部分に下側支持用金具１８が固定されている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている。
【００１５】
図３に示すように、遊技機主部１２は、ベース体としての内枠１３と、その内枠１３の前方に配置される前扉枠１４と、内枠１３の後方に配置される裏パックユニット１５（図４参照）とを備えている。なお、遊技機主部１２のうち内枠１３が外枠１１に対して回動可能に支持されている。
【００１６】
内枠１３における回動基端側の端部には、前扉枠１４が回動可能に取り付けられており、同前扉枠１４は正面視で左側を回動基端側とし右側を回動先端側として前方へ回動可能とされている。また、内枠１３における回動基端側の端部には、図４に示すように、裏パックユニット１５が回動可能に取り付けられており、同裏パックユニット１５が正面視で左側を回動基端側とし右側を回動先端側として後方へ回動可能とされている。
【００１７】
次に、前扉枠１４について説明する。なお、以下の説明では、図１及び図２を参照するとともに、前扉枠１４の背面の構成については図３及び図５を参照する。図５は前扉枠１４を背面側から見た分解斜視図である。
【００１８】
図３に示すように、前扉枠１４は、外形が外枠１１とほぼ同一形状をなす合成樹脂製の枠体２０を主体に構成されており、内枠１３における前面側のほぼ全域を覆っている。枠体２０の中央部分には後述する遊技領域ＰＥのほぼ全域を遊技機前方から視認することができるようにした略楕円状の窓部２１（図１参照）が形成されており、その窓部２１はガラスユニット３０によって同前扉枠１４の背面側から覆われている。
【００１９】
図５に示すように、枠体２０には窓部２１を囲むようにしてガラスユニット設置部２２が形成されている。詳しくは、ガラスユニット設置部２２は、枠体２０の背面側に配されているとともにパチンコ機１０の前方に向けて凹んでおり、その底部に上記窓部２１が配設されている。ガラスユニット３０は、ガラスユニット設置部２２に嵌まることで上下方向及び左右方向への変位が規制されている。
【００２０】
ガラスユニット３０は、透明性を有するガラスパネル３１，３２と、それらガラスパネル３１，３２を保持するガラスホルダ３３とを備えている。ガラスホルダ３３は、窓部２１に沿って形成された環状の枠部３４を有しており、同枠部３４によって囲まれた領域にガラスパネル３１，３２が収容されている。
【００２１】
より具体的には、枠部３４には、上記囲まれた領域を前後に仕切る仕切り部が形成されている。仕切り部は枠部３４の中央側へ起立するとともに当該枠部３４の周方向に延びる突条をなしており、この仕切り部によってガラスパネル３１，３２を個別に収容する収容部が区画形成されている。
【００２２】
各ガラスパネル３１，３２は、仕切り部を挟んで相対向した状態で、同仕切り部に対して接着されている。これにより、ガラスパネル３１，３２の間に所定の隙間が確保され、両ガラスパネル３１，３２同士の干渉を回避しつつ、それらガラスパネル３１，３２によって遊技領域ＰＥがパチンコ機１０の正面側から２重に覆われた状態となっている。
【００２３】
また、枠部３４には、ガラスパネル３１，３２を収容している側とは反対側に突出するようにして枠体２０に対する取付部３５が複数形成されている。取付部３５は枠体２０の背面に対向する板状をなしており、枠体２０には、これら取付部３５を同枠体２０との間に挟んで挟持するレバー部材２３が配設されている。
【００２４】
レバー部材２３は、取付部３５を挟持する挟持位置と挟持しない解除位置とに回動可能な状態で取り付けられている。レバー部材２３において取付部３５と対向している部分には同取付部３５側に突出する凸部が形成されており、同凸部が取付部３５に形成された凹部に嵌まることにより、上記挟持位置から解除位置への移動が規制された状態、すなわち挟持位置にて保持された状態となる。
【００２５】
本実施の形態においては、ガラスユニット３０を枠体２０に対して装着する際に同ガラスユニット３０をガラスユニット設置部２２から脱落しないようにして簡易的に保持するための手段が上記レバー部材２３と併設されている。
【００２６】
具体的には、枠体２０の背面には当該背面から後方へ突出するとともに先端部分に上方への返しが形成された突起４０が設けられており、ガラスホルダ３３の取付部３５には突起４０（詳しくは上記返し）が引っ掛かる受け部３６が形成されている。この受け部３６に突起４０が引っ掛かることで装着完了位置からのガラスユニット３０の脱落が簡易的に回避された状態となる。なお、突起４０の返しをかわすようにしてガラスユニット３０を上方に持ち上げることで、上記引っ掛かりが解除され、枠体２０からのガラスユニット３０が取り外し可能となる。
【００２７】
上記ガラスユニット３０については重量が嵩みやすい。このため、仮にレバー部材２３による固定操作が完了するまで同ガラスユニット３０を手で支え続ける必要が生じると、ガラスユニット３０の装着作業にかかる作業負荷が大きくなると想定される。この点、上述したようにガラスユニット３０を装着完了位置にて簡易的に保持すれば、レバー部材２３による固定作業を行う際に手でガラスユニット３０を支え続ける必要がなくなり、作業の容易化を実現することができる。故に、ガラスユニット３０の装着作業にかかる作業負荷が大きくなることを抑制できる。
【００２８】
再び図１を参照して説明すれば、窓部２１の周囲には各種ランプ等の発光手段が設けられている。例えば、窓部２１の周縁に沿ってＬＥＤ等の発光手段を内蔵した環状電飾部２４が設けられている。環状電飾部２４では、大当たり時や所定のリーチ時等における遊技状態の変化に応じて点灯や点滅が行われる。より詳しくは、環状電飾部２４の中央であってパチンコ機１０の最上部には所定のエラー時に点灯する機能が付与されたトップランプ部２５が設けられ、窓部２１の左右両側には賞球払出中に点灯する機能が付与されたサイドランプ部２６が設けられている。また、トップランプ部２５の左右両側には、遊技状態に応じた効果音などが出力されるスピーカ部２７が設けられている。
【００２９】
以下、図１及び図６を参照して、サイドランプ部２６及びそれに付随する構成について説明する。図６は図１のＡ−Ａ線部分断面図である。
【００３０】
図１に示すようにサイドランプ部２６は枠体２０における左右両端部に沿うようにして上下に延びている。サイドランプ部２６の中央部分については上記窓部２１の内側へ張り出しており、当該中央部分が前側のガラスパネル３１（窓部２１によって区画された領域）に遊技機前方から隙間を隔てて対峙している（図６参照）。より詳しくは、サイドランプ部２６の中央部分が遊技領域ＰＥに対して前方からガラスパネル３１を挟んで対峙している。
【００３１】
図６に示すように、サイドランプ部２６は、発光体（詳しくはＬＥＤ）が実装されてなる発光基板２６ａと、発光基板２６ａの前方に配置され発光体からの光を拡散する光拡散部２６ｂと、それら発光基板２６ａ及び光拡散部２６ｂを遊技機前方から覆うカバー部２６ｃとを有している。光拡散部２６ｂによって拡散された光は、カバー部２６ｃを通じて遊技機前方に照射されることとなる。
【００３２】
遊技領域ＰＥにおいてサイドランプ部２６の後方に位置している部分（以下、便宜上「後方領域ＢＥ」と称する）をサイドランプ部２６の前方から視認しようとした場合、当該視認はサイドランプ部２６によって妨げられることとなる。故に、一見するとサイドランプ部２６を遊技領域ＰＥ側へ張り出して設けサイドランプ部２６の占有領域を拡げることが遊技領域ＰＥの視認性の低下を招来する要因になると懸念される。
【００３３】
しかしながら、上述の如くサイドランプ部２６を前側のガラスパネル３１に対して遊技機前方に離間させて配設し、遊技盤８０からサイドランプ部２６までの距離を大きくすることにより、後方領域ＢＥの視認性を実質的に担保することができる。具体的には、遊技を行っている際には遊技者の目が遊技領域ＰＥの中央部位の前方に位置しやすい。このため、遊技者はサイドランプ部２６側に目線を移すことにより、サイドランプ部２６をかわして後方領域ＢＥを視認することができる。これにより、サイドランプ部２６に付与された報知機能及び演出機能を向上しつつ、それに起因した遊技領域ＰＥの視認性の低下を抑えることが可能となる。
【００３４】
以上詳述したように、サイドランプ部２６の左右幅を拡げることで、演出用の発光体と報知用の発光体とを左右に並べて配置することが容易となっている。つまり、報知用の発光体をパチンコ機１０の外側寄りに配置して、ホール管理者等の他者による確認を容易化するとともに、演出用の発光体をパチンコ機１０の内側寄り（遊技者寄り）に配置して演出機能を好適に発揮させることが可能となっている。これにより、上記報知機能と演出機能とを好適に共存させている。
【００３５】
図２又は図６に示すように、サイドランプ部２６とガラスパネル３１との間には透明パネル４１が配設されており、この透明パネル４１によって上記隙間が塞がれている。上述の如くサイドランプ部２６を遊技機前方へオフセットして配設する構成においては、メンテナンス作業等を行う場合に、同サイドランプ部２６に対してガラスパネル３１側から指を引っ掛ける等して前扉枠１４が遊技機前方へ引っ張られる可能性がある。仮にこのような行為が行われた場合には、サイドランプ部２６に破損や変形等の不都合が生じ得る。
【００３６】
この点、透明パネル４１によって上記隙間への指等の挿入を妨げる構成を採用することにより、サイドランプ部２６が引っ張られるといった不都合を生じにくくすることができる。故に、上記後方領域ＢＥの視認性を担保しつつサイドランプ部２６を好適に保護することができる。
【００３７】
再び図２を参照して説明すれば、前扉枠１４における窓部２１の下方には、手前側へ膨出した上側膨出部２８と下側膨出部２９とが上下に並設されている。上側膨出部２８には上方に開口した上皿２８ａが設けられており、下側膨出部２９には同じく上方に開口した下皿２９ａが設けられている。上皿２８ａは、後述する払出装置より払い出された遊技球を一旦貯留し、一列に整列させながら後述する遊技球発射機構側へ導く機能を有している。また、下皿２９ａは、上皿２８ａ内にて余剰となった遊技球を貯留する機能を有している。
【００３８】
下側膨出部２９と横並びとなる位置には、手前側へ突出するようにして遊技球発射ハンドル４５が設けられている。遊技球発射ハンドル４５が操作されることにより、後述する遊技球発射機構から遊技球が発射される。
【００３９】
前扉枠１４の背面には、図５に示すように、通路形成ユニット５０が取り付けられている。通路形成ユニット５０は、合成樹脂により成形されており、上皿２８ａに通じる前扉側上皿通路５１と、下皿２９ａ（図２等参照）に通じる前扉側下皿通路５２とが形成されてなる。通路形成ユニット５０の上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿２８ａに導かれ、前扉側下皿通路５２に入った遊技球は下皿２９ａに導かれる。
【００４０】
次に、図７に基づき内枠１３について詳細に説明する。図７は内枠１３の正面図である。なお、図７においては、図３と同様にパチンコ機１０の遊技領域内の構成を省略している。
【００４１】
内枠１３は、外形が外枠１１とほぼ同一形状をなす樹脂ベース６０を主体に構成されている。樹脂ベース６０の前面における回動基端側（図７の左側）には、その上端部及び下端部に支持金具７１，７２が取り付けられている。また、前扉枠１４の背面における回動基端側（図５の右側）には、それら支持金具７１，７２に対応させて軸受け金具５７，５８が設けられている。支持金具７１，７２には軸部が形成されており、それら軸部が前扉枠１４の軸受け金具５７，５８の軸受け孔に挿入されることで内枠１３に対して前扉枠１４が回動可能に支持されている。つまり、これら支持金具７１，７２及び軸受け金具５７，５８は内枠１３に対する組付機構を構成している。
【００４２】
内枠１３の前面には施錠装置７５が設けられている。施錠装置７５は、前扉枠１４に向けて延びる複数の前扉用鉤部材７６を有している。これら前扉用鉤部材７６に対応させて、前扉枠１４の背面には内枠１３側に延びる鉤受け部材５９が複数設けられている（図３参照）。前扉用鉤部材７６が鉤受け部材５９に引っ掛かることにより前扉枠１４が閉じた状態で施錠される。また、図４に示すように、施錠装置７５は、内枠１３の後方へ延びる内枠用鉤部材７７を有している。これら内枠用鉤部材７７が外枠１１の鉤受け部材１９に引っ掛かることにより遊技機主部１２が外枠１１に対して閉じた状態で施錠される。
【００４３】
再び図７を参照して説明すれば、樹脂ベース６０の右下隅部には、施錠装置７５の解錠操作を行うためのシリンダ錠７８が設置されている。シリンダ錠７８は施錠装置７５に一体化されており、その先端部分（鍵穴部分）が上記前扉枠１４に設けられた孔部を通じてパチンコ機１０の前方に露出している。シリンダ錠７８の鍵穴に差し込んだキーを右に回すことで内枠１３に対する前扉枠１４の施錠が解除され、同キーを左に回すことで外枠１１に対する内枠１３の施錠が解除される。
【００４４】
樹脂ベース６０の前面における略中央部分には、遊技盤８０を収容する遊技盤収容部６１が形成されている。遊技盤収容部６１は、パチンコ機１０の後方に凹み、遊技盤８０を収容する収容空間を区画形成しており、樹脂ベース６０に取り付けられた遊技盤８０がその収容空間に嵌まった状態となっている。
【００４５】
遊技盤収容部６１は、遊技盤８０の背面に対向する平板状の対向板部６２と、同対向板部６２から遊技機前方へ起立し遊技盤８０の周縁に沿って延びる周壁部６３とによって構成されている。対向板部６２は、その略中央に中央開口６４が形成されており、内枠１３の正面視において略矩形枠状をなしている。周壁部６３は、遊技盤８０における上下左右の各端面に対して個々に対向する上側壁部６５，下側壁部６６，左側壁部６７，右側壁部６８が連なってなり、全体として遊技盤８０を囲む環状をなしている。なお、周壁部６３は中央開口６４を囲むようにして形成されているとも言える。
【００４６】
遊技盤８０は、木製の合板と同合板における前側の板面を覆うシート材とを有してなり、その前面が遊技盤収容部６１の開放部分を通じて樹脂ベース６０の正面側に露出している。この露出している部位、すなわち遊技盤８０の前面には、遊技球が流下する遊技領域ＰＥが形成されている。既に説明したように遊技領域ＰＥはガラスパネル３１，３２によって覆われている。後側のガラスパネル３２は、遊技盤８０の前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０は木製に限定されるものではなく、合成樹脂製とすることも可能である。
【００４７】
以下、図８に基づき遊技盤８０（特に遊技領域ＰＥに配された各種構成）について説明する。図８は遊技盤８０の正面図である。
【００４８】
遊技盤８０には、ルータ加工が施されることによって自身の厚さ方向（前後方向）に貫通する大小複数の開口が形成されている。各開口には、一般入賞口８１、可変入賞装置８２、作動口８３ａ，８３ｂ、スルーゲート８４及び可変表示ユニット８５等がそれぞれ設けられている。一般入賞口８１、可変入賞装置８２及び作動口８３ａ，８３ｂに遊技球が入ると、それら遊技球が後述する検知スイッチにより検知され、その検知結果に基づいて所定数の賞球の払い出しが実行される。その他に、遊技盤８０の最下部にはアウト口８６が設けられており、各種入賞口等に入らなかった遊技球はアウト口８６を通って遊技領域ＰＥから排出される。
【００４９】
また、遊技盤８０には、遊技球の流下経路を適宜分散，調整等するために多数の釘８７が植設されているとともに、風車等の各種部材（役物）が配設されている。これら釘８７や風車等の各種構成によって、遊技球の流下経路が分化され、上述した一般入賞口８１等への入賞が適度な確率で発生するように調整されている。
【００５０】
可変入賞装置８２は、通常は遊技球が入賞できない又は入賞し難い閉状態になっており、大当たりの際に遊技球が入賞しやすい所定の開放状態に切り換えられるようになっている。可変入賞装置８２の開放態様としては、所定時間（例えば３０秒間）の経過又は所定個数（例えば１０個）の入賞を１ラウンドとして、同可変入賞装置８２の開放が複数ラウンド（例えば１５ラウンド）を上限として繰り返されるように設定されている。
【００５１】
可変表示ユニット８５は遊技盤８０の中央上寄りに配置されており、その下方に作動口８３ａ，８３ｂが配置されている。より詳しくは、作動口８３ａ，８３ｂは、作動口８３ａを上側、作動口８３ｂを下側として上下に並設されている。下側の作動口８３ｂには、左右一対の可動片よりなるガイド片（サポート片）としての電動役物が設けられている。電動役物は、作動口８３ｂへの入球が不可又は困難となる閉鎖状態（非サポート状態又は非ガイド状態）と、当該閉鎖状態よりも遊技球の入球が容易となる開放状態（サポート状態又はガイド状態）とに切り替え可能となっており、上記スルーゲート８４への入賞に基づく抽選に当選した場合に主制御装置によって開放状態となるように制御される。電動役物の開閉態様としては、上側の作動口８３ａよりも下側の作動口８３ｂへの入賞頻度が低くなるように設定された低頻度サポートモードと、上側の作動口８３ａよりも下側の作動口８３ｂへの入賞頻度が高くなるように設定された高頻度サポートモードとが設定されており、各作動口８３ａ，８３ｂへの入球に基づく抽選によって所定の当たり結果となった場合に低頻度サポートモードから高頻度サポートモードへ移行される構成となっている。
【００５２】
可変表示ユニット８５及び作動口８３ａ，８３ｂは、遊技性を司る部位であり遊技者の注意が集まりやすい。それら可変表示ユニット８５及び作動口８３ａ，８３ｂを遊技機中央において上下に並べて配置することで両者間での視線の移動量を抑え、遊技者の目に生じる負担の低減に貢献している。
【００５３】
可変表示ユニット８５は、作動口８３ａ，８３ｂへの入賞をトリガとして図柄を可変表示する図柄表示装置９４を備えている。図柄表示装置９４は、液晶ディスプレイ（表示画面９４ａ）を備えた液晶表示装置として構成されており、後述する表示制御装置によりその表示内容が制御されている。具体的には、表示画面９４ａにおいては、上段，中段及び下段に並べて図柄が表示され、これらの図柄が左右方向にスクロールされるようにして変動表示される。そして、大当たり発生時には、予め設定されている有効ライン上に所定の組合せの図柄が停止表示され、特別遊技状態へと移行される。なお、表示画面９４ａにおける表示態様を以下のように変更してもよい。すなわち、左，中及び右に並べて図柄を表示し、それら図柄を上下スクロールさせるようにして変動表示させてもよい。
【００５４】
また、可変表示ユニット８５は、図柄表示装置９４を囲むようにして形成されたセンターフレーム９５を備えている。センターフレーム９５の上部には、第１特定ランプ部９６及び第２特定ランプ部９７が設けられている。また、センターフレーム９５の上部及び下部にはそれぞれ保留ランプ部９８，９９が設けられている。下側の保留ランプ部９８は、図柄表示装置９４及び第１特定ランプ部９６に対応しており、遊技球が作動口８３を通過した回数は最大４回まで保留され保留ランプ部９８の点灯によってその保留個数が表示されるようになっている。上側の保留ランプ部９９は、第２特定ランプ部９７に対応しており、遊技球がスルーゲート８４を通過した回数は最大４回まで保留され保留ランプ部９９の点灯によってその保留個数が表示されるようになっている。
【００５５】
再び図７を用いて説明すれば、樹脂ベース６０における遊技盤収容部６１（遊技盤８０）の下方には、遊技球発射ハンドル４５の操作に基づいて遊技領域ＰＥへ遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が後述する補強プレートを介して樹脂ベース６０に取り付けられている。
【００５６】
発射レール１１２は、遊技盤８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００５７】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤８０側、詳しくは遊技盤８０に装着された誘導レール１００に向けて打ち出される。
【００５８】
誘導レール１００は、後述する遊技領域区画部材と共に遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技盤８０において出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００５９】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００６０】
誘導レール１００は、遊技球発射ハンドル４５が遊技球を遊技領域ＰＥに到達させることができる程度に操作された場合に、すなわち遊技球発射ハンドル４５の操作量が第１の規定量を超えた場合に、発射レール１１２から打ち出された遊技球が当該誘導レール１００の入口部分１０４、詳しくは外レール１０２において発射レール１１２の延長上に位置する特定部位ＳＰに着地するように形成されている。
【００６１】
外レール１０２は、その特定部位ＳＰにおける接線ＴＬの向きが発射レール１１２のレール方向と略同一となるように形成されている。発射された遊技球の移動方向と、特定部位ＳＰにおける接線ＴＬの方向とを揃えることにより、遊技球の着地によって生じる衝撃を低減するとともに同遊技球の跳ね返りを抑え、誘導レール１００によるそれら遊技球の円滑な誘導を可能としている。
【００６２】
なお、図８に示すように、外レール１０２は、当該外レール１０２を遊技盤８０に対して固定する固定手段として複数の固定ピン１０２ａを備えている。固定ピン１０２ａは外レール１０２に沿って配設されており、それら固定ピン１０２ａの間に上記特定部位ＳＰが設定されている。これにより、特定部位ＳＰでの外レール１０２の若干の撓み変形（弾性変形）を許容し、同特定部位ＳＰに遊技球が着地した際の衝撃を低減することが可能となっている。
【００６３】
図７に示すように、誘導レール１００及び発射レール１１２は、同誘導レール１００の入口部分１０４と発射レール１１２の先端部分とが遊技盤８０の下端縁を挟んで斜めに対峙するように配置されている。つまり、それら両レール１００，１１２は、同誘導レール１００の入口部分１０４と発射レール１１２の先端部分とが遊技盤８０の下端縁近傍にて左右にずれるようにして配置されている。これにより両レール１００，１１２を遊技盤８０の下端縁に近づけつつ、誘導レール１００の入口部分１０４と発射レール１１２との間には所定間隔の隙間を形成している。
【００６４】
このようにして形成された隙間よりも下側にはファール球通路５５（図３参照）が配設されている。ファール球通路５５は前扉枠１４の通路形成ユニット５０に一体成形されている。仮に遊技球発射機構１１０から発射された遊技球が遊技領域ＰＥまで至らずファール球として誘導通路１０３内を逆戻りする場合には、それらファール球が上記隙間を介してファール球通路５５内に入ることとなる。ファール球通路５５は前扉側下皿通路５２に通じており、ファール球通路５５に入った遊技球は図１等に示した下皿２９ａに排出される。これにより、ファール球と次に発射される遊技球との干渉が抑制される。
【００６５】
また、樹脂ベース６０には、遊技盤収容部６１からの遊技盤８０の取り外しを不可とするロック状態と、同遊技盤８０の取り外しを許容するアンロック状態とに切替可能なロック装置が複数設けられている。ロック装置はロック状態にて遊技盤８０の前面に当接する当接部を有しており、同当接部が遊技盤８０の前面に当接することによって遊技盤８０の前扉枠１４側への変位が抑えられることとなる。なお、ロック装置による遊技盤の保持強度は、ガラスユニット３０を枠体２０に固定するレバー部材２３の保持強度よりも高くなるように設定されている。
【００６６】
樹脂ベース６０において発射レール１１２の左方（詳しくは前扉枠１４を支持している側）には樹脂ベース６０を前後方向に貫通する貫通孔が形成されており、この貫通孔を覆うようにして通路形成部材１２１が配設されている。通路形成部材１２１は、樹脂ベース６０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前扉枠１４に取り付けられた通路形成ユニット５０の受口部５３（図３参照）が入り込んでおり、本体側上皿通路１２２の下方には前扉側上皿通路５１が配置され、本体側下皿通路１２３の下方には前扉側上皿通路５１が配置されている（図７参照）。
【００６７】
樹脂ベース６０において通路形成部材１２１の下方には、本体側上皿通路１２２及び本体側下皿通路１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能な状態で樹脂ベース６０によって支持されている。また、樹脂ベース６０にはシャッタ１２４を阻止位置に向けて付勢する付勢部材が取り付けられており、前扉枠１４を内枠１３に対して開いた状態では付勢部材の付勢力によってシャッタ１２４が阻止位置に留まる構成となっている。これにより、本体側上皿通路１２２又は本体側下皿通路１２３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた受口部５３により上記付勢力に抗してシャッタ１２４が許容位置に押し戻される。この状態では、本体側上皿通路１２２及び前扉側上皿通路５１と、本体側下皿通路１２３及び前扉側下皿通路５２とがそれぞれ連通し、遊技球の移動が許容されることとなる。
【００６８】
次に、図９に基づき内枠１３（樹脂ベース６０及び遊技盤８０）の背面構成について説明する。図９は内枠１３の背面図である。
【００６９】
樹脂ベース６０の背面における回動基端側（図９の右側）には、軸受け金具１３２が取り付けられている。軸受け金具１３２には、上下に離間させて軸受け部１３３が形成されており、これら軸受け部１３３により内枠１３に対して裏パックユニット１５が回動可能に取り付けられている。また、樹脂ベース６０の背面には、裏パックユニット１５を内枠１３に固定するための固定レバー１３４が複数設けられている。
【００７０】
既に説明したように樹脂ベース６０における遊技盤収容部６１の底部分（すなわち上記対向板部６２）には樹脂ベース６０の厚さ方向に貫通し同樹脂ベース６０の背面側に開放された中央開口６４が形成されており、その中央開口６４が遊技盤収容部６１に収容された遊技盤８０によって内枠１３の正面側から覆われている。遊技盤８０の背面には制御装置等の各種構成が搭載されており、それら各種構成は中央開口６４を通じて内枠１３の背側に露出した状態となっている。ここで、図１０に基づき遊技盤８０の背面の構成について詳細に説明する。図１０は遊技盤８０を後方から見た斜視図である。
【００７１】
遊技盤８０の背面には、可変表示ユニット８５（図８参照）を遊技盤８０に対して搭載する合成樹脂製の台座部材１４１が固定されている。台座部材１４１は、遊技盤８０側に開放された略箱状をなしており遊技盤８０の背面のほぼ全域を覆っている。台座部材１４１の一部は樹脂ベース６０の中央開口６４を通じて同樹脂ベース６０の背面側に突出しており、その突出した部分に対して上述した図柄表示装置９４（図８参照）と、その図柄表示装置９４を駆動するための表示制御装置とが取り付けられている。これら図柄表示装置９４及び表示制御装置は前後方向（樹脂ベース６０の厚さ方向）に図柄表示装置が前側且つ表示制御装置が後側となるように重ねて配置されている。さらに、遊技盤８０には、表示制御装置の後方に位置するようにして音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００７２】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００７３】
音声ランプ制御装置ユニット１４２の下方には、台座部材１４１を後方から覆うようにして主制御装置ユニット１６０が設けられている。主制御装置ユニット１６０は、遊技盤８０の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００７４】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【００７５】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００７６】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００７７】
台座部材１４１において遊技盤８０の背面と対向している部分には、前記一般入賞口８１，可変入賞装置８２，上作動口８３ａ，下作動口８３ｂの遊技盤開口部に対応し且つ下流側で１カ所に集合する回収通路が形成されている。これにより、一般入賞口８１等に入賞した遊技球は何れも回収通路を介して遊技盤８０の下方に集合する構成となっている。つまり、台座部材１４１には各種入賞口に入賞した遊技球を回収する機能が付与されている。
【００７８】
遊技盤８０の下方には後述する排出通路が配されており、回収通路によって遊技盤８０の下方に集合した遊技球は排出通路内に導出される。なお、アウト口８６についても同様に排出通路に通じており、何れの入賞口にも入賞しなかった遊技球はアウト口８６を介して排出通路内に導出される。
【００７９】
また、上記回収通路には、遊技盤８０表側の一般入賞口８１に入賞した遊技球を検知する入賞口スイッチと、可変入賞装置８２に入賞した遊技球を検知するカウントスイッチと、作動口８３ａ，８３ｂに入った遊技球を検知する作動口スイッチとが装着されており、それら各種スイッチによって入賞検知機構が構成されている。更に、台座部材１４１において可変表示ユニット８５の左右両側には、スルーゲート８４を通過する遊技球を検知するゲートスイッチが設けられている。これら各種スイッチは主制御装置１６２に対して電気的に接続されており、各スイッチによる検知情報が同主制御装置１６２に出力される構成となっている。
【００８０】
次に、図１１及び図１２に基づき裏パックユニット１５について説明する。図１１はパチンコ機１０の背面図、図１２は裏パックユニット１５の正面図である。
【００８１】
図１１に示すように、内枠１３は裏パックユニット１５によって後方から覆われている。裏パックユニット１５は、裏パック２０１を備えており、当該裏パック２０１に対して、払出機構部２０２、排出通路盤及び制御装置集合ユニット２０４が取り付けられている。
【００８２】
裏パック２０１は透明性を有する合成樹脂により成形されており、図１２に示すように払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８５を囲むのに十分な大きさを有する（図１１参照）。
【００８３】
ベース部２１１には、その右上部に外部端子板（図示略）が設けられている。外部端子板には各種の出力端子が設けられており、これらの出力端子を通じて遊技ホール側の管理制御装置に対して各種信号が出力される。また、図１２に示すように、ベース部２１１にはパチンコ機１０後方からみて右端部に上下一対の掛止ピン２１４が設けられており、掛止ピン２１４を内枠１３に設けられた前記軸受け部１３３に挿通させることで、裏パックユニット１５が内枠１３に対して回動可能に支持されている。ベース部２１１には、内枠１３に設けられた固定レバー１３４が挿通される複数の挿通部２１５が形成されており、固定レバー１３４が挿通部２１５に挿通された状態にてベース部２１１に後方から当接することにより内枠１３に対して裏パックユニット１５が固定されている。
【００８４】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００８５】
遊技球分配部２２５は、払出装置２２４より払い出された遊技球を上皿２８ａ、下皿２９ａ又は後述する排出通路の何れかに振り分けるための機能を有し、内側の開口部が上述した本体側上皿通路１２２及び前扉側上皿通路５１を介して上皿２８ａに通じ、外側の開口部が本体側下皿通路１２３及び前扉側下皿通路５２を介して下皿２９ａに通じるように形成されている。
【００８６】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００８７】
図１２に示すように、制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００８８】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００８９】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４５の操作に伴う遊技球の打ち出しの制御が行われる。また、電源・発射制御装置２４３には電源スイッチ２４７が設けられている。電源スイッチ２４７を操作することにより、パチンコ機１０の電源を投入状態（オン状態）又は遮断状態（オフ状態）に切り替え可能となっている。
【００９０】
ここで、本パチンコ機１０は各種データの記憶保持機能を有しており、万一停電が発生した際でも停電時の状態を保持し、停電からの復帰の際には停電時の状態に復帰できるようになっている。例えば遊技ホールの営業終了の場合のように通常手順で電源を遮断すると遮断前の状態が記憶保持される。上記主制御装置１６２には、ＲＡＭ消去スイッチ１６６が設けられている。当該ＲＡＭ消去スイッチ１６６を押しながら電源を投入すると、ＲＡＭデータが初期化されるようになっている。
【００９１】
これら各種スイッチについては、遊技機主部１２（内枠１３）を開放して内枠１３の背面部を露出させることで遊技機正面側から操作可能となる。一方で、上記施錠装置７５によって遊技機主部１２の開放が規制されている状態では、遊技機正面側からそれら各種スイッチを操作することができない。つまり、上記各種スイッチについては遊技機主部１２を閉じた状態では操作されにくくなっており、施錠装置７５用のキーを所有していないもの（例えば不正行為者）による遊技機正面側からの操作を困難なものとしている。
【００９２】
（遊技機主部１２の開放）
本実施の形態においては、施錠装置７５による遊技機主部１２の開放規制を強制的に解除することで、上記キーを紛失した場合であっても遊技機主部１２を開放させることが可能となっている。以下、図１３に基づき当該機能を実現するための構成について説明する。図１３（ａ）は外枠１１を遊技機後方から見た斜視図、図１３（ｂ）は図１１のＢ−Ｂ線部分断面図である。
【００９３】
既に説明したように、外枠１１には、施錠装置７５の内枠用鉤部材７７に１対１で対応させて鉤受け部材１９が配設されている。鉤受け部材１９は、外枠１１において遊技機主部１２（詳しくは内枠１３）を軸支している側とは反対側の枠部（すなわち右枠部３８０）に取り付けられている。鉤受け部材１９は、右枠部３８０側に開放された略箱状の鉤受け部３５１と、右枠部３８０に対する取付部としてのベース板部３６１とを有してなり、同ベース板部３６１が右枠部３８０に対してネジ止めされることで外枠１１に対して一体化されている。
【００９４】
ベース板部３６１は、前側板部３５２における外枠１１の右枠部３８０側の端部から前方に延びており、同右枠部３８０の内面に面接触した状態で固定されている。ベース板部３６１を固定しているネジは右枠部３８０の内面側から螺着されており、その頭部が切断されることで取り外し操作が規制されている。これにより、外枠１１からの鉤受け部材１９の取り外しが規制されている。
【００９５】
固定手段を構成している複数のネジのうち少なくとも１つは鉤受け部３５１の前方に位置しており、内枠１３が外枠１１に対して閉じられることで、同ネジの取り外し経路上に内枠１３の樹脂ベース６０が位置することとなる（図１３（ｂ）参照）。これにより、鉤受け部材１９を外枠１１から取り外して外枠１１と内枠１３との施錠状態を解除しようとする不正行為を困難なものとしている。
【００９６】
鉤受け部３５１においてパチンコ機１０の正面側を向いている板部（以下、「前側板部３５２」と称する）には、内枠用鉤部材７７の先端部の進入を許容する開口３５３が形成されている。内枠用鉤部材７７の鉤部７７ａが開口３５３の縁部に対して下側から引っ掛かることにより上述した施錠状態が実現される。
【００９７】
このように鉤部７７ａが鉤受け部３５１に対して引っ掛かった状態では、鉤部７７ａの先端部分は鉤受け部３５１内に収容され、それ以外の部分は内枠１３の施錠装置７５用の収容領域内に位置することとなる。これにより、内枠用鉤部材７７の露出が回避され、鉤部７７ａにアクセスして同鉤部７７ａを変位させるといった行為が困難となっている。
【００９８】
図１３に示すように、鉤受け部３５１の後側板部３５４には、当該後側板部３５４において内枠用鉤部材７７と対峙している部分と、それ以外の部分とを区画するようにしてスリット３５５が形成されている。スリット３５５は略コ字状をなしており（図１３（ａ）参照）、当該スリット３５５によって囲まれている部分（以下、区画部３５４ａと称する）は、その一端部が後側板部３５４の本体部３５４ｂに対して繋がっており、当該端部を基端として撓み変形可能なっている。
【００９９】
区画部３５４ａにおける上記基端部とは反対側の端部には、本体部３５４ｂに対して繋がる繋ぎ部３５６が形成されている。繋ぎ部３５６は後側板部３５４における他の部位を破壊するよりも破壊容易となっている。
【０１００】
ドライバ等の工具を用いて区画部３５４ａを鉤受け部３５１の内側へ押し込むことで、繋ぎ部３５６が破壊され、区画部３５４ａが内枠用鉤部材７７側へ折れ曲ることとなる。これにより、鉤受け部材１９に遊技機後方へ開放された開放部が形成され、当該開放部を通じた内枠用鉤部材７７（詳しくは鉤部７７ａ）へのアクセスが許容される。
【０１０１】
上記開放部を通じて、内枠用鉤部材７７を操作することで施錠状態が解除される。このような強制解除作業（開放作業）が実施された場合には、上記繋ぎ部３５６が破壊され、その痕跡が残存することとなる。このように強制解除作業を行った場合にその痕跡が残存する構成を採用することにより、当該開放作業が行われた事実を事後的に確認可能となっている。
【０１０２】
遊技機主部１２を開放した後は、開口３５３を通じて挿入したドライバ等の工具により、区画部３５４ａを変形前の位置へ復帰させる。これにより、上述したような緊急開放を行った後であっても上記開放部を通じた内枠用鉤部材７７への不正なアクセスを抑制することができる。
【０１０３】
（遊技盤８０の取付構造）
次に、図７，図１４及び図１５に基づき遊技盤８０の取付構造について説明する。図１４は内枠１３から遊技盤８０を取り外した状態を示す斜視図、図１５は図７のＣ−Ｃ線部分断面図である。
【０１０４】
既に説明したように、内枠１３の樹脂ベース６０には、遊技盤８０の背面に対向する平板状の上記対向板部６２と同対向板部６２から起立し遊技盤８０の周縁に沿って延びる周壁部６３とからなる遊技盤収容部６１が形成されており、当該遊技盤収容部６１に対して同内枠１３の正面側（遊技機前方）から嵌まっている。
【０１０５】
図１４に示すように、内枠１３の左側壁部６７、すなわち前扉枠１４を支持している側の壁部６７には、遊技盤８０の前方への変位を抑える複数のストッパ部２７１が設けられている。各ストッパ部２７１は、左側壁部６７の内壁面から遊技盤収容部６１側へ張り出しており、遊技盤８０（詳しくは後述するレールカバー４００）に対してパチンコ機１０の前方から当接している。また、各ストッパ部２７１は、遊技盤収容部６１内に収められており、前扉枠１４側への突出が抑えられている。
【０１０６】
それらストッパ部２７１は、遊技盤８０の上端寄り及び下端寄りとなる位置に配置されており、遊技盤８０の変位をバランスよく抑えることが可能となっている。ストッパ部２７１の配置に関して補足すれば、上端寄りのストッパ部２７１Ｕは、上記誘導レール１００において遊技盤８０の回動基端側に凸となっている部分よりも上側に配置されており、下端寄りのストッパ部２７１Ｌは同凸となっている部分よりも下側に配置されている。これにより、ストッパ部２７１及び誘導レール１００を遊技盤８０の前面側にて好適に共存させ、ストッパ部２７１の採用に起因した遊技領域ＰＥの圧迫を抑制している。
【０１０７】
内枠１３には、左側壁部６７の先端縁に沿うようにして金属製のプレート部材２８１が配設されている。プレート部材２８１は、内枠１３の上側枠部１３ａ及び下側枠部１３ｂの両枠部に跨って延びる長尺状をなしており、同プレート部材２８１の両端部分が内枠１３の左側枠部１３ｃに対して固定（ネジ止め）されているとともに、同プレート部材２８１の中間部分が上述したストッパ部２７１に対して固定（ネジ止め）されている。これにより、内枠１３において外枠１１や前扉枠１４に連結されている部分を補強し、更にはストッパ部２７１の変形を抑制している。
【０１０８】
以上詳述したストッパ部２７１と対向板部６２とによって、遊技盤８０の一側部を挿入可能な挿入部２９０が構成されている（図１５参照）。挿入部２９０は、前扉枠１４の回動基端側に位置し、内枠１３において同前扉枠１４を支持している側とは反対側からの遊技盤８０の挿入を許容すべく同内枠１３の回動先端側（右側壁部６８側）に開放されている。特にストッパ部２７１と対向板部６２（詳しくは後述するリブを除いた部分）との隙間寸法は、遊技盤８０の厚さ寸法よりも大きく設定されている。これにより、遊技盤８０を挿入部２９０に対して斜め前方から挿入可能とするとともに、同挿入部２９０に挿入された遊技盤８０を当該挿入部２９０を中心として回動可能としている。また、挿入部２９０の挿入口を斜め前方に向けることにより、遊技盤挿入時に遊技盤８０が前扉枠１４の後方への張出部分や内枠１３の右側枠部１３ｄ等に干渉することを抑制している。
【０１０９】
なお、図１５に示すように、ストッパ部２７１の先端部において遊技盤８０と対向している部位には面取りが施されており、挿入部２９０の入口部分が拡張されている。これにより、上記隙間寸法を大きくし、遊技盤８０を斜めに挿入する際のストッパ部２７１と遊技盤８０との引っ掛かりを抑制している。
【０１１０】
図１４に示すように、挿入部２９０（ストッパ部２７１群）の下方、詳しくは内枠１３において左側壁部６７と下側壁部６６とが交わる位置には、挿入部２９０に挿入された遊技盤８０を仮置き可能な仮置き部１２５が設けられている。仮置き部１２５は、上記通路形成部材１２１に形成され、挿入部２９０側（上方）を向く面状をなしている。なお、仮置き部１２５は、必ずしも通路形成部材１２１に形成する必要はなく、樹脂ベース６０に形成することも可能である。
【０１１１】
仮置き部１２５は、遊技盤収容部６１の下側壁部６６よりも上側に位置しているとともに、遊技盤８０の下端部に対して対向している（図７参照）。一方、遊技盤８０における回動基端側の下隅部にはこの仮置き部１２５に対応した切欠き部８８が形成されている（図８参照）。遊技盤８０を挿入部２９０に挿入し回動させる場合には、この仮置き部１２５に対して遊技盤８０の切欠き部８８が仮置き（一時的に載置）されることで同遊技盤８０の重量の少なくとも一部が内枠１３の樹脂ベース６０によって支えられることとなる。これにより、遊技盤８０を装着する際の作業負担を減らし、遊技盤８０の回動操作の容易化を図っている。
【０１１２】
また、仮置き部１２５は、挿入部２９０よりも同挿入部２９０の開放先側に延びている。これにより、挿入部２９０に挿入する前に遊技盤８０を仮置き可能となっており、更なる作業の容易化に貢献している。
【０１１３】
遊技盤８０を着脱する際には、内枠１３の正面側から作業が行われる。この際、言うまでも無く前扉枠１４が開放された状態で作業が行われる。ここで、開放された前扉枠１４と遊技盤８０及び挿入部２９０との位置関係について図１６に基づき説明を補足する。図１６は、開放された前扉枠１４と遊技盤８０及び挿入部２９０との位置関係を示す概略図である。
【０１１４】
既に説明したように前扉枠１４は内枠１３に設けられた上記支持金具７１，７２によって回動可能に軸支されており、この軸支された部分（回動中心軸線ＣＬ）を中心として開閉される構成となっている。図１６に示すように、下側の支持金具７２には前扉枠１４の最大開放位置を規定する規定部７２ａが形成されている。前扉枠１４が開放され、規定部７２ａに対して当たった場合には、それ以上の開放が不可となる。本実施の形態においては、前扉枠１４の最大開放量が凡そ１００°に設定されている。これは、パチンコ機１０がホール等の島設備に設置された状態にて前扉枠１４が開放された場合に、隣接して設けられた他の遊技機等に対して同前扉枠１４が干渉しないように、また隣接する遊技機での遊技を妨げないようにするための工夫である。なお、前扉枠１４の最大開放量は１００°に限定されるものではない。少なくとも遊技盤８０の着脱が許容される範囲であれば任意に設定してよい。
【０１１５】
前扉枠１４の回動中心軸線ＣＬは同前扉枠１４の前面寄りに位置しており、前扉枠１４を閉じた状態にて内枠１３の内側に当該前扉枠１４の回動基端部分が嵌まり込む構成となっている。これにより、前扉枠１４と内枠１３との境界部位（特に前扉枠１４の回動基端側の境界部位）を介して不正具が挿入されるといった不都合を生じにくくし、防犯機能の強化を図っている。
【０１１６】
この回動中心軸線ＣＬの後方に上記挿入部２９０が配置されている。前扉枠１４は所定の厚さを有しているため、上述の如く最大開放位置まで開放された場合であってもその背面の一部が挿入部２９０よりも右側（前扉枠１４を支持している側とは反対側）に張り出した状態となる。挿入部２９０は、その張出部分よりも奥まった位置に存在しているものの、遊技盤８０を出し入れする際に当該遊技盤８０の通過する軌道ＰＬと前扉枠１４との干渉が回避されるようにしてその挿入口の向きが定められている。これにより、遊技盤８０を装着する際の前扉枠１４の張り出し部分と遊技盤８０との干渉が抑えられている。
【０１１７】
（誘導レール１００の保護に関する構成）
しかしながら、上述の如く挿入部２９０の挿入口の向きを工夫したとしても、上記干渉の発生機会を減らすことは可能ではあるが、遊技盤８０の挿入方向のばらつきや前扉枠１４の開放不足等に起因した同干渉の発生を完全に払拭することは難しいと想定される。つまり、作業ばらつきに起因した干渉の発生を挿入口等の工夫のみで抑えることは難しいと考えられる。更には、遊技盤８０を着脱可能な構成を採用しているため、遊技盤８０の輸送時等に遊技盤８０をぶつける可能性もあり、遊技盤８０の保護機能には改善の余地がある。
【０１１８】
特に、遊技領域ＰＥを区画している誘導レール１００については、遊技盤８０の前面から突出しているだけでなく同遊技盤８０において挿入部２９０側に位置しているため、同誘導レール１００等によって囲まれている釘８７等の各種構成と比較して、上記干渉の対象になりやすいと想定される。また、誘導レール１００は挿入部２９０とは反対側、すなわち遊技盤８０の回動先端側に開放された弧状をなしており、遊技盤８０の前面にはその開放部位を塞ぎ誘導レール１００と共に遊技領域ＰＥを区画するブロック状の遊技領域区画部材が設けられている。言い換えれば、誘導レール１００と遊技領域区画部材とは、前者が遊技盤８０の回動基端側、後者が遊技盤８０の回動先端側に配置されることで両者併せて環状をなしている。このように誘導レール１００が回動基端側に配置されているため、誘導レール１００は遊技領域区画部材と比較しても上記干渉が発生しやすいと想定される。
【０１１９】
既に説明したように誘導レール１００には遊技球発射機構１１０から発射された遊技球を遊技領域ＰＥに導く機能が付与されている。このため、誘導レール１００に上記干渉に起因した変形等が発生した場合には、遊技領域区画部材に同様の変形が生じた場合と比較して、遊技球の動きに対する影響が大きくなると想定される。そこで、本実施の形態においては、レールカバー４００によって誘導レール１００を遊技領域ＰＥの外側から覆う構成とすることにより、誘導レール１００を上記干渉等から保護している。
【０１２０】
レールカバー４００は、透明性を有する合成樹脂材料を用いて遊技盤８０とは別体で形成されており、図８に示すように同遊技盤８０の前面から前方へ突出した状態で当該遊技盤８０に固定されている。より詳しくは、レールカバー４００は、遊技盤８０の前面において遊技領域ＰＥの外側となる領域、詳しくは遊技盤８０における挿入部２９０側の端部と誘導レール１００（詳しくは外レール１０２）との間に配置されている。このレールカバー４００によって誘導通路１０３のほぼ全域が遊技盤８０の挿入方向先側から覆われている。
【０１２１】
以下、図１７及び図１８に基づきレールカバー４００について詳しく説明する。図１７は図８の部分拡大図、図１８はレールカバー４００の構成を示す斜視図である。なお便宜上、図１７においては２点鎖線を用いて内枠１３を示し、図１８においては２点鎖線を用いて遊技盤８０を示している。
【０１２２】
図１７に示すように、レールカバー４００は、遊技盤８０の前面において遊技領域ＰＥの外側となる領域、詳しくは遊技盤８０における挿入部２９０側の端部と誘導レール１００（詳しくは外レール１０２）との間に配されており、同端部に沿って延びる縦長状をなしている。
【０１２３】
レールカバー４００は、遊技盤８０の前面と対向する（詳しくは面当たりする）平板状のベース部４１０を有している。ベース部４１０は、遊技盤８０の左側縁部に沿って上下に延びており、同ベース部４１０の上端が外レール１０２において挿入部側（左側）に凸となっている部分の頂部１０２ｂよりも上方、且つ同ベース部４１０の下端が頂部１０２ｂよりも下方に位置するように形成されている。ベース部４１０における外レール１０２側の縁部は、その中央部分が同外レール１０２に沿って湾曲しており、外レール１０２とは反対側の縁部は遊技盤８０の縁部に沿って直線状に延びている。つまり、ベース部４１０は自身の長手方向における中央部分にて幅が狭くなるように括れている（図１８参照）。
【０１２４】
ベース部４１０には、当該ベース部４１０から外レール１０２と同一側（すなわちパチンコ機１０の前方）に起立する起立部４２０が一体成形されている。起立部４２０は、外レール１０２に対して遊技領域ＰＥとは反対側から対向する壁状をなし、当該起立部４２０の前端縁が外レール１０２の前端縁よりも前方に突出するように形成されている。この起立部４２０によって、外レール１０２において挿入部２９０側に凸となっている部分、すなわち上記誘導通路１０３を構成している部分が同挿入部２９０側から覆われた状態となっている。
【０１２５】
起立部４２０は、ベース部４１０における湾曲部分に沿って形成された湾曲部４２１を有している。湾曲部４２１は、外レール１０２に対して平行、且つ同外レール１０２との間に僅かな隙間が確保されるように構成されている。また、起立部４２０は、湾曲部４２１の上端から上方に延びているとともに、同湾曲部４２１の下端から下方に延びている。以下便宜上、起立部４２０において湾曲部４２１よりも上側となる部分を「上側起立部４２２」と称し、同湾曲部４２１よりも下側となる部分を「下側起立部４２３」と称する。
【０１２６】
上側起立部４２２及び下側起立部４２３は、上下に延びる平板状をなしており、上記頂部１０２ｂから離れるにつれて外レール１０２との隙間が大きくなるように形成されている。この隙間の拡がりに合わせて、ベース部４１０が起立部４２０よりも外レール１０２側に延出している。つまり、湾曲部４２１がベース部４１０における外レール１０２側の縁部に沿って形成されているのに対して、上側起立部４２２及び下側起立部４２３はベース部４１０の幅方向における略中央に位置するように形成されている。以下便宜上、ベース部４１０において起立部４２０よりも外レール１０２側となる部分を「内側ベース部４１１」、同ベース部４１０において起立部４２０よりも挿入部２９０側となる部分を「外側ベース部４１２」と称する。
【０１２７】
図１８に示すように、内側ベース部４１１及び外側ベース部４１２にはレールカバー４００の固定手段を構成するネジ孔４１３，４１４が形成されている。これらネジ孔４１３，４１４に挿通されたネジ４１６，４１７が遊技盤８０に対して螺着されることにより、レールカバー４００と遊技盤８０とが一体化されている。
【０１２８】
外側ベース部４１２に設けられているネジ孔４１４及びネジ４１７は、内側ベース部４１１に設けられているネジ孔４１３及びネジ４１６よりも湾曲部４２１寄りとなるようにレールカバー４００の長手方向（上下方向）にずらして配されている。これは限られたスペースにてレールカバー４００の固定強度を向上させるための工夫である。
【０１２９】
上側起立部４２２における湾曲部４２１とは反対側の端部（上端部）には、挿入部２９０側に突出するアーム部４３０が形成されている。アーム部４３０は上記ストッパ部２７１の上面２７２と若干の隙間を挟んで対向しており、その対向している部分にはストッパ部２７１側に凸となる突起４３１が形成されている。この突起４３１に対応させてストッパ部２７１の上面２７２には下方に凹んだ受け部２７５が形成されており、その受け部２７５に突起４３１が引っ掛かった状態となっている。
【０１３０】
突起４３１において挿入部２９０側を向いている部分にはアーム部４３０の先端部分から根元部分に向けて下り傾斜する傾斜面４３２が形成されており、遊技盤８０を挿入部２９０に挿入する際には傾斜面４３２がストッパ部２７１の上面２７２及び側面２７３の境界部位に当たる。これにより、アーム部４３０が根元部分（上側起立部４２２と繋がっている部分）を基端として撓み変形し、突起４３１がストッパ部２７１の上面２７２へと導かれる。この後、アーム部４３０が弾性力によって変形前の状態に復帰することにより、突起４３１が受け部２７５に引っ掛かることとなる。このようにして突起４３１が受け部２７５に対して引っ掛かることにより、挿入部２９０からの遊技盤８０の脱落が阻止される。
【０１３１】
既に説明したように、突起４３１が受け部２７５に対して引っ掛かっている状態では、遊技盤８０がそれら突起４３１及び受け部２７５の引っ掛かり位置よりも回動先端側にて仮置き部１２５に載っている。つまり、遊技盤８０が仮置き部１２５によって支えられた状態にて、遊技盤８０の脱落が阻止されている。これにより、遊技盤８０の重さ等による負荷が突起４３１や受け部２７５に集中することを好適に回避している。
【０１３２】
ここで、図１５及び図１７に基づきレールカバー４００と挿入部２９０との関係について補足説明する。図１５に示すように遊技盤８０が内枠１３に対して装着された状態では、挿入部２９０（詳しくはストッパ部２７１）がレールカバー４００の上側起立部４２２及び下側起立部４２３の側方に位置し、レールカバー４００の外側ベース部４１２が挿入部２９０に嵌まっている。
【０１３３】
外側ベース部４１２は、ストッパ部２７１の背面２７４に対してパチンコ機１０の後方から当接している。外側ベース部４１２においてストッパ部２７１に当接している部分には、起立部４２０とは反対側（遊技盤８０側）に突出する突出部４４０が一体成形されている。突出部４４０は遊技盤８０の厚さ方向に延びる筒状をなしており、遊技盤８０にはこれら突出部４４０が嵌合する嵌合孔８９が形成されている。嵌合孔８９は遊技盤８０の前面側及び背面側に開放されており、突出部４４０の先端部分が同嵌合孔８９を通じて遊技盤８０の背面側に突出している。
【０１３４】
突出部４４０にはレールカバー４００（詳しくは起立部４２０等）に加わった負荷を当該突出部４４０を通じて遊技盤８０へ分散させる分散機能が付与されており、レールカバー４００の特定箇所に負荷が集中することを抑制している。特に突出部４４０は、レールカバー４００の長手方向に拡がる縦長状をなしていることで、起立部４２０に対して同起立部４２０の根元部分を基端とした傾きが生じるような負荷が加わった場合に、そのような負荷を好適に分散させることが可能となっている。
【０１３５】
図１５に示すように、内枠１３の対向板部６２においてストッパ部２７１よりも遊技盤８０の回動先端寄りとなる部分、詳しくは中央開口６４側の縁部には、同縁部から前方に起立するリブが形成されており、このリブに対して突出部４４０が当接している。このように、突出部４４０の先端部分が対向板部６２のリブに当接することで、遊技盤収容部６１の奥側への遊技盤８０の変位が規制されている。
【０１３６】
本実施の形態においては特に、挿入部２９０の前後幅寸法が遊技盤８０の厚さ寸法、詳しくはベース部４１０の前面から突出部４４０の先端までの前後寸法よりも僅かに小さく設定されており、遊技盤８０を装着完了位置に配置した状態では、遊技盤８０が挿入部２９０に対して強干渉した状態となる。このように、挿入部２９０に対して遊技盤８０を強干渉させることにより、遊技盤８０の前後位置のばらつきを抑えることが可能となっている。
【０１３７】
しかしながら、このような構成を採用する場合、挿入部２９０への遊技盤８０の挿入が難しくなることは好ましくない。そこで、上述の如くレールカバー４００のベース部４１０とストッパ部２７１との当接箇所よりも、同レールカバー４００の突出部４４０と対向板部６２のリブとの当接箇所のほうが、遊技盤８０の回動先端側に位置する構成とすることにより、遊技盤８０の挿入を容易化しつつ、装着完了位置に配置した状態での位置ばらつきを好適に抑制することが可能となっている。
【０１３８】
（隙間の拡がり規制に関する構成）
本実施の形態においては特に、遊技盤８０が装着された状態、すなわち同遊技盤８０の前後位置がストッパ部２７１や上記ロック装置によって規定されている状態にて前扉枠１４が閉じている場合に、当該遊技盤８０とガラスユニット３０（詳しくはガラスパネル３２）との隙間の拡がりを規制する規制機構を備えていることを特徴の１つとしている。以下、図１５，図１６，図１９及び図２０に基づき規制機構について詳しく説明する。図１９はレールカバー４００とガラスユニット３０との位置関係を示す概略図、図２０は図１のＤ−Ｄ線部分断面図である。なお、図１９においては、便宜上ガラスユニット３０の一部を２点鎖線及びドットハッチングを用いて表している。
【０１３９】
図１９に示すように、起立部４２０の湾曲部４２１には、その前端縁から外レール１０２側に突出し、遊技盤８０に対して同外レール１０２を挟んで対向する対向部４５０が形成されている。対向部４５０は、上側起立部４２２と下側起立部４２３とに跨るように形成さており、湾曲部４２１の補強機能が付与されている。
【０１４０】
対向部４５０は、湾曲部４２１の中央寄りに配された第１対向部４５１と、両起立部４２２，４２３寄りに配された第２対向部４５２，４５３とを有している。より詳しくは、対向部４５０は、図１８に示すように、第１対向部４５１が遊技盤８０側且つ第２対向部４５２，４５３が前扉枠１４側となる段差状に形成されている。
【０１４１】
図２０に示すように、第１対向部４５１は外レール１０２の前端縁に対して僅かな隙間を隔てて対向しており、第２対向部４５２，４５３は同外レール１０２の前端縁に対して第１対向部４５１よりも大きな隙間を隔てて対向している。この外レール１０２と第２対向部４５２，４５３との隙間に前扉枠１４の一部が嵌まっている。
【０１４２】
より具体的には、既に説明したように前扉枠１４のガラスホルダ３３は遊技盤８０の外周縁に沿って形成された環状をなしており、遊技盤８０の前方に配されている。ガラスホルダ３３の枠部３４は、同枠部３４における遊技盤８０側の縁部がレールカバー４００の対向部４５０よりも遊技盤８０の前面寄りとなるように、ガラスユニット設置部２２から遊技盤８０側に張り出している。枠部３４においてレールカバー４００に遊技領域ＰＥ側から対向している部分には、同レールカバー４００へ向けて延出する延出部３７が形成されている。
【０１４３】
延出部３７は、枠部３４の外壁面からレールカバー４００の湾曲部４２１へ向けて延びる平板状をなしており、少なくともその先端部分が第２対向部４５２，４５３と外レール１０２との隙間に嵌まっている。延出部３７の板面は、遊技盤８０及びガラスユニット３０の並設方向（前後方向）と直交しているとともに、第２対向部４５２，４５３に対して僅かな隙間を隔ててパチンコ機１０の後方から対向している。また、同延出部３７の板面は後側のガラスパネル３２の後側の板面と略同一の仮想平面上に位置している。つまり、延出部３７と後側のガラスパネル３２とが略面一となるように形成されている。なお、延出部３７が第２対向部４５２に対してパチンコ機１０の後方から当接する構成とすることも可能である。
【０１４４】
ガラスユニット３０及び遊技盤８０のうち少なくとも一方が他方から遠ざかる側に変位した場合には、延出部３７が第２対向部４５２，４５３に当接し、ガラスユニット３０（詳しくは後側のガラスパネル３２）と遊技盤８０との隙間の拡がりが規制される。特に延出部３７の先端部分は、湾曲部４２１（図１９参照）に沿うように湾曲しており、第２対向部４５２，４５３に対する掛かり代ができるだけ大きくなるように工夫されている。
【０１４５】
例えば、図２１（遊技盤とガラスユニットとの位置関係を示す概略図）（ａ）→（ｂ）に示すように、内枠１３と前扉枠１４との境界部位にバール等の不正具Ｔが挿入され、同境界部位が前後方向へ押し拡げられた場合であっても、それに追従してガラスユニット３０（詳しくは後側のガラスパネル３２）と遊技盤８０との隙間が拡がることを抑制できる。特に、上記境界部位の拡がりが大きくなった場合には、ガラスユニット３０を枠体２０に固定しているレバー部材２３（図５等参照）が撓むことにより、遊技盤８０の前面とガラスパネル３２との間隔の拡がりが規制されることとなる。
【０１４６】
ここで、対向部４５０の配置について補足説明する。既に説明したように前扉枠１４を同前扉枠１４の上端部寄り及び下端部寄りに配置された支持金具７１，７２によって支持している構成において、前扉枠１４の回動安定性の向上が期待できる反面、それら両支持金具７１，７２の間となる部位にて、同前扉枠１４と内枠１３との境界部位が拡がりやすくなると想定される。この点、本実施の形態における第２対向部４５２は、支持金具７１，７２の間に配置されており、上記規制機能が好適に発揮される。
【０１４７】
また、両第２対向部４５２のうち少なくとも下側の一方は、内枠１３において前扉枠１４を支持している側の端部と上記作動口８３との間に配置されている。これにより、作動口８３付近における上記隙間の拡がりを好適に抑制可能となっている。
【０１４８】
（遊技盤８０の交換作業の流れ）
以下、図２２〜図２４に基づき遊技盤の交換作業の流れについて説明する。図２２〜図２４は遊技盤８０の交換作業時の様子を概略的に示す斜視図である。なお、便宜上、図２２（ａ）及び図２３（ａ）においては前扉枠１４を２点鎖線で示し、他の図においては前扉枠１４を省略している。
【０１４９】
遊技盤８０をパチンコ機１０から取り外す際には、図２２（ａ）に示すように前扉枠１４を開放した後、ロック装置６００をロック解除状態に切り替える。これにより、遊技盤８０の回動が許容された状態となる。
【０１５０】
遊技盤８０が回動可能となった後は、図２２（ａ）→図２２（ｂ）に示すように、同遊技盤８０を挿入部２９０を中心として手前側に回動させる。この際、遊技盤８０を仮置き部１２５に載せたまま回動させることができるため遊技盤８０を手で支える必要がない。また、遊技盤８０の突起４３１が樹脂ベース６０の受け部２７５に引っ掛かった状態のまま維持され、挿入部２９０からの遊技盤８０の脱落が回避される。つまり、遊技盤８０を所定位置まで回動させたとしても、引っ掛かり維持される。
【０１５１】
次に、図２２（ｂ）→図２２（ｃ）に示すように、遊技盤８０を手で抱える等して上方に持ち上げる。これにより遊技盤８０は仮置き部１２５から離間し、遊技盤８０が作業者によって支えられることとなる。そして、この操作に基づいき突起４３１が受け部２７５から離脱し、上記引っ掛かりが解除される。これにより、挿入部２９０からの遊技盤８０の引き抜き操作が許容される。
【０１５２】
その後、図２２（ｃ）→図２２（ｄ）に示すように、遊技盤８０を挿入部２９０の開放先側へ移動させることで、同遊技盤８０の取り外しが完了する。
【０１５３】
遊技盤８０を装着する際には、図２３（ａ）→図２３（ｂ）→図２３（ｃ）→図２３（ｄ）→図２４（ｅ）→図２４（ｆ）の順に作業が行われる。
【０１５４】
先ず図２３（ａ）に示すように、前扉枠１４を最大開放位置へ回動させる。その後、図２２（ｂ）に示すように、遊技盤８０を抱えて、同遊技盤８０（詳しくは切欠き部８８）を仮置き部１２５に載せる。これにより、遊技盤８０が樹脂ベース６０によって支えられ、同遊技盤８０の重量の少なくとも一部を樹脂ベース６０側に預けることができ、以後の作業の容易なものとすることができる。
【０１５５】
図２３（ｂ）→図２３（ｃ）に示すように遊技盤８０を仮置き部１２５に載せたまま挿入部２９０に向けて押し込むと、具体的には切欠き部８８を支点として、同遊技盤８０の上端を挿入部２９０側に傾倒させると、遊技盤８０の一部が挿入部２９０に嵌まり、その後レールカバー４００の突起４３１（詳しくは傾斜面４３２）がストッパ部２７１の上面２７２及び側面２７３の境界に当たる。
【０１５６】
このように傾斜面４３２がストッパ部２７１に当接した状態から遊技盤８０が挿入部２９０の奥側へ向けて更に押し込まれると、アーム部４３０が撓み変形し、上記突起４３１がストッパ部２７１の受け部２７５に誘導される。そして、突起４３１が受け部２７５に引っ掛かることにより、挿入部２９０からの遊技盤８０の脱落が阻止される。このように、遊技盤８０の脱落が阻止された状態では、遊技盤８０の自重が樹脂ベース６０によって支えられることとなり、作業者が遊技盤８０を支える必要がなくなる。
【０１５７】
その後、図２３（ｃ）→図２３（ｄ）に示すように、挿入部２９０を基端として遊技盤８０を回動させることにより同遊技盤８０が遊技盤収容部６１に収容される。遊技盤８０を遊技盤収容部６１に収容した後、ロック装置６００をロック状態に切り替えることで、遊技盤８０の樹脂ベース６０に対する装着作業が完了する。
【０１５８】
遊技盤８０の装着が完了した後は、図２４（ｅ）→図２４（ｆ）に示すように前扉枠１４を閉じることで、ガラスユニット３０の延出部３７が、レールカバー４００と外レール１０２との間に挿入され、同延出部３７が第２対向部４５２に対して後方から対向した状態となる。これにより、遊技盤８０とガラスユニット３０（詳しくは後側のガラスパネル３２）との隙間の拡がりが規制される。
【０１５９】
以上詳述した遊技盤８０の装着に際しては、内枠１３側と前扉枠１４側とを電気的に接続するためのハーネスの装着作業がなされる。ここで、この電気的接続にかかる構成について補足説明する。
【０１６０】
レールカバー４００（ベース部４１０）の上端部は、遊技盤８０の上隅部に形成された切欠き部から上方に突出している。つまり、レールカバー４００の上端部は遊技盤８０の切欠き部を通じて同遊技盤８０の背面側に露出している。
【０１６１】
この露出している部分には、遊技盤８０の背面側からの中継基板４６０が取り付けられている。より具体的には、ベース部４１０の上端部には中継基板４６０を設置する設置部４１５が形成されている（図１８参照）。設置部４１５は、ベース部４１０から後方に起立する周壁部と、当該周壁部によって囲まれた領域を前後に仕切る仕切り板部とを有している。仕切り板部によって仕切られた領域のうち後側の領域が、遊技盤８０の背面側に開放された中継基板４６０用の収容領域となっている。
【０１６２】
中継基板４６０は設置部４１５に対して遊技盤８０の背面側から取り付けられており、その両板面にはコネクタ等の各種構成が配設されている。詳しくは、表側の板面には前扉枠１４に設けられた遊技機器（例えばランプ部２４〜２６やスピーカ部２７等）用のハーネスを接続するための表側コネクタが設けられており、裏側の板面には音声ランプ制御装置１４３用のハーネスを接続するための裏側コネクタが設けられている。
【０１６３】
仕切り板部には前後に貫通する開口が形成されており同開口を通じて表側コネクタが遊技盤８０の正面側に露出している。これにより、裏側コネクタについては遊技盤８０の背面側に露出し、表側コネクタについては遊技盤８０の表側に露出した状態となっている。
【０１６４】
図２４（ａ）→図２４（ｂ）に示す遊技盤８０の挿入作業に先だって、中継基板４６０と音声ランプ制御装置１４３とを電気的に接続するためのハーネスを遊技盤８０の背面側から当該中継基板４６０（詳しくは上記表側コネクタ）に対して取り付ける。その後、図２４（ｄ）に示したように遊技盤８０を装着完了位置へと配置し、中継基板４６０と前扉枠１４に設けられた遊技機器（例えばランプ部２４〜２６やスピーカ部２７等）とを接続するためのハーネスを当該中継基板４６０に対して取り付ける。これにより、音声ランプ制御装置１４３と上記遊技機器とが電気的に接続され、同音声ランプ制御装置１４３によって遊技機器が制御可能な状態となる。
【０１６５】
以上詳述したように、レールカバー４００には、遊技盤８０を着脱する際の簡易的な支持機能、誘導レール１００（詳しくは外レール１０２）を保護する機能、前後方向におけるガラスユニット３０と遊技盤８０との相対位置の変化を規制する機能等が付与されている。本実施の形態においては更に、同レールカバー４００が遊技領域ＰＥへの不正なアクセスを妨げる防壁として活用されていることを特徴の１つとしている。以下、図８及び図２５を参照して、レールカバー４００における防犯にかかる構成について説明する。図２５は、レールカバー４００と誘導レール１００との関係を示す概略図である。
【０１６６】
（レールカバー４００に付与された防犯機能）
図８に示すように、レールカバー４００には、ベース部４１０の下端部から延出する延出部４７０が形成されている。延出部４７０は、外レール１０２に沿うようにして誘導通路１０３の入口部分１０４側へ延びており、起立部４２０と同様に外レール１０２に対して遊技領域ＰＥとは反対側から隙間を隔てて対向する壁部４７１を有している。遊技盤８０に対してレールカバー４００が取り付けられた状態では、外レール１０２において上記特定部位ＳＰを含んだ所定の範囲が壁部４７１によって遊技領域ＰＥの外側から覆われている。
【０１６７】
図２５に示すように、壁部４７１における後側の端部は遊技盤８０の前面に対して当接しており、同壁部４７１の遊技盤８０からの起立量については外レール１０２の起立量よりも大きく設定されている。つまり、壁部４７１は外レール１０２よりも遊技機前方へ突出している。
【０１６８】
壁部４７１における前側の端部には、外レール１０２を挟んで遊技盤８０の前面と対向する対向部４７２が形成されている。すなわち、延出部４７０の先端部分（対向部４７２）については、外レール１０２とガラスユニット３０との間に入り込んでいる。
【０１６９】
仮に内枠１３と前扉枠１４との境界部位において前扉枠１４の回動基端側となる箇所からワイヤ等の不正具が挿入された場合には、同不正具がレールカバー４００（詳しくは起立部４２０や延出部４７０）に当たることで当該不正具の遊技領域ＰＥへの到達を妨げることができる。これにより、遊技領域ＰＥへの不正なアクセスを抑制することができる。
【０１７０】
遊技盤８０の取付対象を前扉枠１４の枠体２０ではなく内枠１３の樹脂ベース６０とした場合には、遊技盤８０（詳しくは誘導レール１００）と前扉枠１４（詳しくは枠体２０やガラスユニット３０）との間の隙間を完全に払拭することは難しい。上述した不正行為を行う場合には当該隙間が大きくなる箇所を狙うことで、不正行為が容易になると想定される。
【０１７１】
上述の如く遊技球発射機構１１０から発射された遊技球が特定部位ＳＰに着地する構成においては、着地時に発生する衝撃を低減したり着地後の遊技球の挙動（球飛び）を安定させたりすることを目的として、外レール１０２の調整が行われることがある。より詳しくは、製造ばらつき等に起因して遊技球の着地位置や角度が設計上の狙いとはことなるものになり得るため、パチンコ機１０の出荷前の検査時、遊技ホールでの動作確認時やメンテナンス作業時等にて上記調整が行われることがある。
【０１７２】
上記調整においては、外レール１０２において特定部位ＳＰ及びその周辺部位を撓ませて、外レール１０２の曲率を加減したり遊技盤８０に対する外レール１０２の傾きを加減したりする。仮に遊技盤８０に対する傾きの調整がなされた場合には、図２５の２点鎖線に示すように、外レール１０２とガラスユニット３０との間の隙間が大きくなりやすい。故に、特定部位ＳＰ周辺については遊技領域ＰＥへ不正なアクセスをする際の足掛かりとして狙われやすくなると想定される。
【０１７３】
この点、本実施の形態におけるレールカバー４００（詳しくは延出部４７０）については、外レール１０２において調整の対象となり得る範囲（特定部位ＳＰ及びその周辺部位）を覆うようにして配設されている。レールカバー４００は上記調整の対象ではないため、上記調整が行われたとしても前後方向における当該レールカバー４００（例えば延出部４７０）と前扉枠１４（例えばガラスユニット３０）との位置関係が変化することはない。つまり、遊技盤８０（詳しくは誘導レール１００）と前扉枠１４（詳しくは枠体２０やガラスユニット３０）と隙間の拡がりが回避される。故に、外レール１０２の調整を許容したとしても、それに起因して不正行為が容易になるといった不都合を生じにくくすることができる。
【０１７４】
特に、延出部４７０の対向部４７２については、外レール１０２が実質的に調整され得る範囲（変位し得る範囲）にて、前後方向における同外レール１０２との重なりが担保されるように構成されている。上述の如く外レール１０２の撓み変形を許容する構成においては、遊技盤８０の装着作業時等に外レール１０２が前扉枠１４等と干渉することで、意図しない変形が生じる可能性が高くなる。そこで、外レール１０２が調整された場合であっても、対向部４７２によって同延出部４７０を保護することにより、上記不都合の発生を抑えることができる。
【０１７５】
延出部４７０によって外レール１０２の調整対象箇所（特定部位ＳＰを含む領域）を覆う構成を採用した場合には、上記各種効果を享受することができる。しかしながら、その反面、以下の懸念が生じる。すなわち、延出部４７０によって上記調整作業が妨げられやすくなると懸念される。
【０１７６】
そこで、本特徴においては、このような不都合を解消すべく以下の工夫が施されている。すなわち、レールカバー４００においてはベース部４１０における延出部４７０寄りとなる端部に遊技盤８０に対する固定箇所が設けられており、延出部４７０については遊技盤８０に対する固定箇所が設けられていない。このため、延出部４７０は、ベース部４１０側の端部が固定端、入口部分１０４側の端部が自由端となっており、当該固定端を中心とした撓み変形が許容されている。
【０１７７】
上述した調整作業を行う際には、延出部４７０の自由端を指等で摘んで同延出部４７０を遊技領域ＰＥから遠ざかる側へ遊技盤８０の前面に沿うようにして撓ませる（弾性変形させる）ことで、図２５の１点鎖線に示すように外レール１０２との隙間を拡げることができる。この際、前後方向における延出部４７０の対向部４７２と外レール１０２との重なりが回避されるまで延出部４７０を変形させることで、当該延出部４７０が上記調整作業の妨げとなることを回避できる。
【０１７８】
調整作業を終えた後は、延出部４７０を放すことにより、同延出部４７０が自身に蓄えられた弾性力によって変形前の状態に復帰する。これにより、外レール１０２が延出部４７０によって再び覆われた状態となる。
【０１７９】
延出部４７０が固定端を中心として撓み変形している場合であっても、変形前と同様に遊技盤８０の前面に対して当接した状態が維持される。上述した外レール１０２の調整作業によって外レール１０２が遊技領域ＰＥから遠ざかる側へ傾けられた場合に、延出部４７０が同外レール１０２によって外側へ押圧されたとしても、延出部４７０と遊技盤８０との前後方向での位置関係が変化しない。故に、延出部４７０と遊技盤８０との隙間を通じて不正具が挿入されるといった不都合を生じにくくし、延出部４７０の撓み変形によって防犯機能が低下することを回避している。
【０１８０】
また、図２５に示すように、前扉枠１４の枠体２０には、同前扉枠１４を閉じた状態にて延出部４７０を挟んで外レール１０２とは反対側に位置するようにしてストッパ部２０ａが形成されている。ストッパ部２０ａは、延出部４７０に対して隙間を隔てて対峙している。仮に、延出部４７０に対して不正具を引っ掛ける等して、延出部４７０を外レール１０２から遠ざかる側へと無理矢理変形させるといった行為が行われた場合であっても、当該延出部４７０の変形がストッパ部２０ａによって妨げられることとなる。
【０１８１】
延出部４７０とストッパ部２０ａとの隙間については、ストッパ部２０ａに当接する位置まで延出部４７０が変位した場合であっても対向部４７２と外レール１０２との重なりが担保されるように設定されている。これにより延出部４７０と外レール１０２とを引き離す等して防犯機能を低下させるといった行為を難しくしている。
【０１８２】
ストッパ部２０ａと同様の構成を内枠１３側（例えば遊技盤８０や樹脂ベース６０）に配設することも可能である。しかしながら、上記調整作業については、遊技盤８０を樹脂ベース６０に搭載した状態で行われることを考慮すれば、調整作業の都度、ストッパ部２０ａに相当する構成を着脱する必要が生じる。この点、本実施の形態に示すように前扉枠１４に対してストッパ部２０ａを配設することにより、調整作業の際にストッパ部２０ａが邪魔になることを好適に抑制することができる。
【０１８３】
また、延出部４７０に相当する構成とストッパ部２０ａを統合した変位不能な防壁を、遊技盤８０（詳しくはレールカバー４００）ではなく、前扉枠１４側に設けることも可能である。しかしながら、このような構成においては、前扉枠１４が回動式であることを考慮すれば、同前扉枠１４の回動時の防壁と外レール１０２との干渉を回避しようとすることで、外レール１０２と延出部に相当する構成との隙間を小さくすることや延出部に相当する構成と外レール１０２との重なりを大きくすることが困難になる。このため、防犯機能の向上が難しくなる。
【０１８４】
この点、本実施の形態に示したように遊技盤８０側に設けられた延出部４７０と前扉枠１４側に設けられたストッパ部２０ａとを併用する構成を採用すれば、上記各種不都合の発生を抑えつつ防犯機能を向上することができる。
【０１８５】
（遊技盤８０の配置に関する構成）
既に説明したように、本実施の形態における遊技盤８０は樹脂ベース６０に対して着脱可能な構成となっており、装着完了位置への配置作業の容易化や装着完了位置での位置精度の向上等の各種工夫がなされている。ここで、先ず内枠の補強に関する構成について説明する。内枠１３の樹脂ベース６０には、当該樹脂ベース６０を補強する補強プレート５５０が設けられ、この補強プレート５５０によって樹脂ベース６０の撓みや捩れ等を抑制することで遊技盤８０の位置精度の向上等が図られている。以下、図２６、図２７及び図２８に基づき補強プレート５５０について説明する。図２６は図１４の部分拡大図、図２７は内枠１３から主要な構成を取り外した状態を示す分解斜視図、図２８は図７のＥ−Ｅ線部分断面図である。
【０１８６】
図２６及び図２７に示すように、補強プレート５５０は、金属製の板材を折り曲げて形成され、樹脂ベース６０の左右両端部、すなわち内枠１３の左右の枠部に跨って延びる横長状をなしている。図２７に示すように、樹脂ベース６０において遊技盤収容部６１の下側には、下側壁部６６（言い換えれば遊技盤８０の下端縁）に沿うようにして補強プレート５５０を設置可能なプレート設置部６９が形成されており、当該プレート設置部６９に対して補強プレート５５０がパチンコ機１０の前方から取り付けられている。
【０１８７】
プレート設置部６９は、遊技盤収容部６１を形成している下側壁部６６に連なるとともに、パチンコ機１０の前方を向いた平面状をなしている。補強プレート５５０は、このプレート設置部６９に対応するベース部５６１を有しており、当該ベース部５６１がプレート設置部６９に対して面接触することにより、その樹脂ベース６０に対する前後位置が規定されている。
【０１８８】
ベース部５６１は補強プレート５５０の長手方向に延びる長尺状をなしており、その中央部分には前後に貫通する丸孔５６２が複数形成されており、それら丸孔５６２に対してプレート設置部６９に形成された突起７０がそれぞれ挿通されることにより、樹脂ベース６０に対する補強プレート５５０の左右位置及び上下位置が規定されている。
【０１８９】
また、ベース部５６１には、上記長手方向に並ぶようにして複数の貫通孔５６３が形成されており、これら貫通孔５６３に挿通されたネジ５９１がプレート設置部６９に螺着されることで、樹脂ベース６０に対して一体化されている。特に、同ベース部５６１において、支持金具７１，７２が設けられている側の端部には、上記プレート部材２８１側に延びるアーム部５６４が形成されており、このアーム部５６４がプレート部材２８１と樹脂ベース６０との間に挟み込まれた状態で同プレート部材２８１と共に樹脂ベース６０に対して共締めされている。
【０１９０】
図２８に示すように、ベース部５６１は、遊技盤８０の下方に位置しており、同遊技盤８０の下端面に対して下側から対峙している。ベース部５６１の上端縁は、プレート設置部６９と下側壁部６６との境界部位よりも僅かに上方に突出しており、当該上端縁には下側壁部６６に沿って後方へ延びる延出部５７１が形成されている。延出部５７１は、下側壁部６６と平行な平板状をなしており、同下側壁部６６と遊技盤８０の下端部との間に挟まれている。延出部５７１の後端縁は遊技盤８０よりも後方に位置しており、その後端縁には樹脂ベース６０の対向板部６２に沿って上方へ起立し、遊技盤８０の背面と対向する対向部５８１が形成されている。つまり、これらベース部５６１，延出部５７１，対向部５８１によって補強プレート５５０がクランク状をなす構成となっており、同補強プレート５５０の強度向上に貢献している。
【０１９１】
樹脂ベース６０の対向板部６２の縁部には、下側壁部６６に対して上記対向部５８１を挟んで対向するようにして前方へ起立する起立部７３が形成されており、これら起立部７３及び下側壁部６６によって挟まれた領域に対向部５８１が嵌まった状態となっている。
【０１９２】
図２７に示すように、対向板部６２において下側壁部６６の上方、詳しくは補強プレート５５０の対向部５８１と対向している部位には、遊技盤８０の左右位置を規定する位置決め突起７９が設けられている。以下、図８、図２６、図２７及び図２８に基づき位置決め突起７９及びそれに付随する構成について説明する。
【０１９３】
図２７に示すように、位置決め突起７９は、下側壁部６６の付け根部分の近傍に配され、対向板部６２の前面から遊技盤８０側に起立している。補強プレート５５０の対向部５８１にはこの位置決め突起７９との干渉を回避すべく逃げ孔５８２が形成されており、同逃げ孔５８２を通じて位置決め突起７９の先端部分が遊技盤８０側に突出している。このように突出している部分が、遊技盤８０に形成された貫通孔９１（図２８参照）に挿通されることで、遊技盤８０の左右方向への移動が規制される。
【０１９４】
位置決め突起７９は対向板部６２に一体成形されている。対向板部６２は、複数の平板部が連なってなり、それら平板部のうち誘導レール１００の入口部分１０４に最も近いものは周壁部６３のコーナ部に連なっている。この平板部に位置決め突起７９が配置されている。すなわち、周壁部６３を構成する下側壁部６６及び左側壁部６７に連なる平板部に位置決め突起７９が配置されている。このように、隣り合う複数の壁部に対して連なっている平板部においては、同平板部に対して負荷が加わった場合の変形を抑え、１の壁部に連なっている場合と比較して当該平板部の変位量を小さくすることができる。特に、誘導レール１００の入口部分１０４に対して最寄となるコーナ部に連なる平板部に位置決め突起７９を配置することで、上述した変位量を好適に低減し、位置決め突起７９の位置精度の向上に貢献できる。
【０１９５】
図８に示すように遊技盤８０に形成された貫通孔９１は、位置決め突起７９の左右位置のばらつきを抑えつつ上下位置のばらつきを許容可能となるように形成されている。具体的には、位置決め突起７９が円柱状をなしているのに対して、貫通孔９１は上下方向に拡がる長孔状をなしている。これにより、位置決め突起７９に遊技盤８０の自重が加わることを回避しやすくし、同位置決め突起７９による左右位置の位置精度の低下を抑制している。
【０１９６】
図７及び図８に示すように、これら位置決め突起７９及び貫通孔９１は、誘導レール１００の入口部分１０４後方となる位置、具体的には遊技盤８０の正面視にて外レール１０２の背後に重なる位置に配されている。より詳しくは、位置決め突起７９及び貫通孔９１は、遊技盤８０の正面視にて外レール１０２における上記特定部位ＳＰに隣接する位置に配されている。このように、特定部位ＳＰに近い位置にて遊技盤８０の左右位置を規定することにより、外レール１０２の位置ばらつき、ひいては遊技球の着地位置のばらつきを抑えやすくしている。
【０１９７】
再び図２８を参照して説明すれば、位置決め突起７９の起立量は、貫通孔９１の深さ寸法よりも小さく設定されており、貫通孔９１の中間位置に位置決め突起７９の先端が位置している。これは、内枠１３により遊技盤８０を回動可能に支持する構成において、貫通孔９１と位置決め突起７９との合わせを好適なものとするための工夫である。
【０１９８】
貫通孔９１において位置決め突起７９が届いていない部分には、外レール１０２の外側への撓み変形を規制するを撓み規制部材１０７が取り付けられている。つまり、貫通孔９１における凡そ前側半分は遊技盤８０の位置決め用の領域、同貫通孔９１における凡そ後側半分は撓み規制部材１０７の取付用の領域として活用されている。
【０１９９】
撓み規制部材１０７は、貫通孔９１に嵌合する嵌合部１０８と、外レール１０２の外面に対して当接する当接部１０９とを有し、それら嵌合部１０８及び当接部１０９が合成樹脂材料によって一体成形されてなる。遊技球発射機構１１０から発射された遊技球が外レール１０２（詳しくは特定部位ＳＰ）に着地した際には、遊技球の着地によって生じる衝撃の一部を撓み規制部材１０７及び遊技盤８０に分散することができ、外レール１０２を保護することが可能となっている。
【０２００】
また、撓み規制部材１０７は、上記固定ピン１０２ａの間に配置されている。同撓み規制部材１０７を外レール１０２に対して撓み規制部材１０７を当接させておくことにより、遊技球の着地に伴う外レール１０２の振動を抑制することができる。なお、上述の如く貫通孔９１は長孔状をなしており、嵌合部１０８はその外形が同貫通孔９１の内形に合わせて形成されている。これにより、撓み規制部材１０７が上述した遊技球衝突時の衝撃等により回動（位置ずれ）することを回避しつつ、遊技盤８０に対して上記衝撃を分散させやすくしている。また、そのように撓み規制部材１０７の位置ずれを生じにくくすることで、上記保護機能の低下が抑えられている。
【０２０１】
以上詳述したように貫通孔９１を遊技盤８０の位置決めと、撓み規制部材１０７の取り付けに活用することで、遊技盤８０の位置精度のみならず、撓み規制部材１０７の位置精度及び外レール１０２の位置精度の向上を図っている。これにより、外レール１０２における特定部位ＳＰへの遊技球の着地精度を向上させることを可能としている。
【０２０２】
ここで、上述した外レール１０２の調整について補足説明する。外レール１０２によって遊技球が誘導される際に同遊技球が遊技機正面側へ移動することは同遊技球とガラスユニット３０との衝突を招く要因となり得るため好ましくない。そこで、遊技盤８０に対する外レール１０２の傾きを調整する場合には、専ら同外レール１０２を遊技領域ＰＥ側へ傾けるようにして当該調整が行われる。本実施の形態においては、図２８に示したように、撓み規制部材１０７によって外側への撓み変形を規制することで、特定部位ＳＰ及びその周辺部位における外側への傾きを抑えている。これにより、上述したガラスユニット３０に対する遊技球の衝突を抑制している。
【０２０３】
なお、撓み規制部材１０７については必須の構成ではなく、これを省略して外レール１０２の外側への撓み変形を規制しない構成としてもよい。また、撓み規制部材１０７によって外レール１０２を保持する構成とし、外レール１０２の外側及び内側への撓み変形を規制する構成とすることも可能である。このように内外への撓み変形を規制する構成としたとしても、撓み規制部材１０７が特定部位ＳＰから外れた位置に配置されているため、同特定部位ＳＰにおいてはある程度の撓み変形（調整）が許容される。
【０２０４】
（遊技盤８０の固定構造）
以上詳述した、位置決め突起７９と横並びとなる位置等には、上述したロック装置６００が設けられている。図７に示すように、ロック装置６００は、内枠１３において前記挿入部２９０とは反対側、すなわち右側壁部６８寄りに配置されているものと、挿入部２９０側、詳しくは上記位置決め突起７９の近傍に配置されているものと、遊技盤８０の下端寄り（遊技球発射機構１１０寄り）に配置されているものと、遊技盤８０の上端寄りに配置されているものとに大別される。
【０２０５】
これら各ロック装置６００については、内枠１３における上記遊技盤収容部６１からの遊技盤８０の取り外しを不可とするロック状態と、同遊技盤収容部６１からの遊技盤８０の取り外しを許容するアンロック状態とに切替可能となっており、基本構成が共通となっている。言い換えれば、ロック装置６００の取り付けに関する構成及び同ロック装置６００に付随する構成のみが若干異なっている。そこで、先ず図２７、図２９及び図３０に基づき位置決め突起７９に対して横並びとなる位置に配設されたロック装置６００の基本構成について説明し、後に個々のロック装置６００に付随する構成の差異について説明する。図２９（ａ）はロック装置６００を正面側から見た斜視図、図２９（ｂ）はロック装置６００の分解斜視図、図３０は図７のＦ―Ｆ線部分断面図である。なお、図３０では便宜上、ロック装置６００の一部の構成（後述する操作レバー６４０及び軸ピン６２０）についてはパチンコ機１０の側方から見た状態で表示している。
【０２０６】
図２７に示すように、遊技盤８０の下端寄りに配置されているロック装置６００は上記補強プレート５５０（詳しくは対向部５８１）を介して樹脂ベース６０の対向板部６２に取り付けられている。より詳しくは、図２９（ｂ）に示すように、ロック装置６００は、金属板を折り曲げて形成されたベースプレート６１０を有しており、このベースプレート６１０が補強プレート５５０の対向部５８１にパチンコ機１０の前方から設置された状態で樹脂ベース６０の対向板部６２に取り付けられている。
【０２０７】
より具体的には、ベースプレート６１０は補強プレート５５０の対向部５８１に平行な平板部６１１を有しており、この平板部６１１が対向部５８１に対して面接触している。平板部６１１は、補強プレート５５０の長手方向と同一方向（左右方向）に延びる長板状をなしており、その長手方向に並べて２つの貫通孔６１２が形成されている。図２７及び図２９（ｂ）に示すように、これら貫通孔６１２には補強プレート５５０とは反対側（パチンコ機１０の前方）からネジ６１８が挿通されており、それら挿通されたネジ６１８が樹脂ベース６０の対向板部６２に螺着されることでベースプレート６１０が固定されている。なお、貫通孔６１２及びネジ６１８の個数は２つに限定されるものではなく任意に設定してもよい。
【０２０８】
本実施の形態においては、上述の如く補強プレート５５０が自身のベース部５６１及び樹脂ベース６０のプレート設置部６９を基準として固定されており、樹脂ベース６０の対向板部６２に成形ばらつき等が生じた場合には、そのばらつきによって補強プレート５５０の対向部５８１と対向板部６２との間に所定の隙間が生じる構成となっている。このような隙間が生じている場合には、上記ネジ６１８を螺着することにより、対向板部６２が対向部５８１側に引き付けられることとなる。言い換えれば、対向板部６２の強度は、対向部５８１と比較して高く設定されており、ネジ６１８をねじ込んだ場合に、対向部５８１が対向板部６２側に傾倒することが抑制されている。これにより、補強プレート５５０のベース部５６１に対する対向部５８１の位置精度（すなわちベースプレート６１０の位置精度）が好適に担保されている。
【０２０９】
平板部６１１における両貫通孔６１２の間には前後方向に延びる筒状部６１３が形成されている。筒状部６１３は、ベースプレート６１０の前面から補強プレート５５０とは反対側に起立しており、平板部６１１には同筒状部６１３に連通するように開口部位が形成されている。
【０２１０】
この筒状部６１３に対して、対向板部６２側（後方）から軸ピン６２０が回動可能な状態で挿通されている。軸ピン６２０は、その頭部６２１がベースプレート６１０の背面に対して当接することにより、前方への変位が規制されている。なお、上述した補強プレート５５０の対向部５８１及び樹脂ベース６０の対向板部６２には軸ピン６２０の頭部６２１との干渉を回避するべく貫通孔５８３，６２ａが形成されている（図２７参照）。
【０２１１】
軸ピン６２０には、遊技盤８０を背面側から押すプッシャ６３０が組み付けらている。プッシャ６３０はベースプレート６１０を遊技盤８０側から覆う略平板状の本体部６３１を有し、本体部６３１には本体部６３１には軸ピン６２０が挿通される挿通部６３２が形成されている。挿通部６３２に軸ピン６２０が挿通されることにより、プッシャ６３０が軸ピン６２０の中心軸線方向にスライド移動可能となっている。
【０２１２】
本体部６３１は正面視にて略矩形状をなしており、その左右両側部には平板部６１１の左右両端から前方に起立したフランジ部６１４に対応させてキー溝６３３が形成されている。これらキー溝６３３に対してフランジ部６１４が嵌合することにより、軸ピン６２０の中心軸線を中心としたプッシャ６３０の回動が阻止されている。すなわち、プッシャ６３０については、上述の如く軸ピン６２０の中心軸線方向（前後方向）へのスライド移動が許容されつつ、同中心軸線を中心とした回動が不可とされている。
【０２１３】
また、ベースプレート６１０の両長辺には、プッシャ６３０を遊技盤８０側に付勢する付勢部６１５が形成されている。付勢部６１５は、前後方向へ撓み変形可能となるようにベースプレート６１０の一部を折り曲げて形成されており、その先端部分がプッシャ６３０（詳しくは本体部６３１）に対して背面側から当接している（図３０参照）。より具体的には、それら付勢部６１５は、先端側にて両者の間隔が拡がるように、平板部６１１に対して斜めに傾けて（本実施の形態においては凡そ４５°に傾けて）形成されている。なお、ベースプレート６１０に板バネとしての機能が付与されている点に着目すれば、「ベースプレート６１０」を「板バネ６１０」と称することも可能である。
【０２１４】
因みに、本体部６３１には、自身の厚み方向（前後方向）に貫通する貫通孔６３４が上述したネジ６１８に対応させて形成されており、当該貫通孔６３４を通じたネジ６１８の着脱作業が許容されている。
【０２１５】
図３０に示すように、本体部６３１の厚さ寸法（軸線方向の長さ寸法）は、対向板部６２，起立部７３，下側壁部６６によって形成された凹部７４の深さ寸法よりも小さくなるように設定されており、同凹部７４からの突出が抑えられ当該本体部６３１の前面が対向板部６２の前面に対して略面一になる待機位置と、凹部７４から突出して遊技盤８０を前方へ変位させる作用位置とに切替可能となっている。以下、プッシャ６３０の位置の切り替えを実現する構成について説明する。
【０２１６】
軸ピン６２０の先端部はプッシャ６３０の挿通部６３２を通じてその前方に突出しており、その突出している先端部には特定の操作に基づいてプッシャ６３０の位置を切り替える操作レバー６４０が固定されている。詳しくは、ネジ６４９（図２９（ｂ）参照）によって操作レバー６４０と軸ピン６２０とが固定されることによりベースプレート６１０及びプッシャ６３０の脱落が阻止され、それら各種構成がユニット化された状態となっている。
【０２１７】
操作レバー６４０は、軸ピン６２０の中心軸線を中心とした回動が許容されており、軸ピン６２０と一体となって回動する。操作レバー６４０は、軸ピン６２０が嵌め込まれている円筒状の基部６４１と、同基部６４１におけるプッシャ６３０とは反対側の端部から当該基部６４１の放射方向両側に突出している操作部６４６とを有し、全体として略Ｔ字状をなしている。
【０２１８】
図２９（ｂ）に示すように、プッシャ６３０において基部６４１の端面と対向している部分には同基部６４１側に起立する突起６３５が設けられている。より詳しくは複数の突起６３５が、挿通部６３２を囲むようにして配置されている。一方、基部６４１の端面には、回動中心軸線と直交する方向（すなわち回動中心軸線の放射方向）に広がる平面状をなすとともに、プッシャ６３０の突起６３５が当接した状態で停留可能な一対の停留部６４２，６４３が形成されている。それら各停留部６４２，６４３は、プッシャ６３０の前端面からの距離が相違しており、軸ピン６２０の周方向に離して配置されている。以下、便宜上プッシャ６３０の前端面からの距離が大きい一方を「第１停留部６４２」、同第１停留部６４２よりも前記距離が小さい他方を「第２停留部６４３」と称する。
【０２１９】
また、基部６４１の端面にはそれら第１停留部６４２及び第２停留部６４３を繋ぐ連結部６４４が形成されている。連結部６４４は、第１停留部６４２及び第２停留部６４３を滑らかに繋ぐ曲面状をなしている。プッシャ６３０の突起６３５が連結部６４４を辿ることで、各停留部６４２，６４３での停留状態の切り替えが許容される。なお、連結部６４４が第２停留部６４３から第１停留部６４２向けて傾斜する平面状をなす構成とすることも可能である。
【０２２０】
突起６３５、停留部６４２，６４３及び連結部６４４は、プッシャ６３０の位置を切り替える切替手段を構成しており、ロック装置６００にはこれら各種構成を１組とする切替手段が複数（本実施の形態においては３つ）設けられている。それら切替手段は、軸ピン６２０の周方向において等間隔となるよう並べて配置されている。これにより、付勢部６１５の付勢力によって操作レバー６４０を歪ませるような応力が生じることを抑制している。なお、突起６３５，停留部６４２，６４３及び連結部６４４の配設対象を入れ替えることも可能である。すなわち、プッシャ６３０に停留部６４２，６４３及び連結部６４４に相当する構成を配設し、基部６４１に突起６３５に相当する構成を配設してもよい。
【０２２１】
ロック装置６００がアンロック状態である場合には、プッシャ６３０の各突起６３５が各第２停留部６４３に当接することにより、凹部７４からのプッシャ６３０の突出が抑えられる。この場合、第２停留部６４３が付勢部６１５による付勢方向と直交しているため、操作レバー６４０はアンロック位置で保持された状態となる。操作レバー６４０がアンロック位置に保持された状態では、操作部６４６が水平方向（横方向）を向いている。
【０２２２】
ここで、図３１に基づきロック装置６００の切替操作について説明する。図３１は、ロック装置６００の切替操作を示す概略図である。
【０２２３】
ロック装置６００をロック状態に切り替える場合には、図３１（ａ）→図３１（ｂ）に示すように操作レバー６４０を時計回りに回動させ、操作部６４６を縦向きにすることで、各突起６３５が第２停留部６４３から連結部６４４を経由して第１停留部６４２に移る。これにより、プッシャ６３０が凹部７４から突出し、遊技盤８０を背面側から押す状態となる。この場合、第１停留部６４２が付勢部６１５による付勢方向と直交しているため、操作レバー６４０はロック位置で保持された状態となる。操作レバー６４０がロック位置で保持された状態では操作部６４６が水平方向と鉛直方向との中間を向くように傾いている。
【０２２４】
遊技盤８０には操作部６４６に対応する挿通部９２が形成されており、操作部６４６が同挿通部９２を通じて遊技盤８０の前面よりも前方に張り出している。より具体的には、挿通部９２は、遊技盤８０の厚さ方向に貫通しているとともに、遊技盤８０の回動基端側から回動先端側、詳しくは水平方向に延びており、ロック装置６００がアンロック状態にある場合には操作部６４６の通過を許容し、ロック装置６００がロック状態である場合には操作部６４６の通過を阻止するように形成されている。このため、ロック装置６００がロック状態に切替えられた場合には、操作部６４６において遊技盤８０の前面と対向する部分が同遊技盤８０に対して当接し、上述した付勢部６１５の付勢力による遊技盤８０の移動が阻止される。つまり、操作部６４６は遊技盤８０の移動を阻止するストッパ部としての機能を併せ有している。
【０２２５】
なお、操作部６４６において遊技盤８０側（遊技機後方）を向いている部分は、当該遊技盤８０側に凸となる滑らかな曲面状をなしている。かかる構成を採用することにより、操作レバー６４０を回動させた場合に操作部６４６の端部が遊技盤８０のシート材の端部と干渉することを回避している。故に、操作レバー６４０の操作に起因したシート材の捲れが生じにくくなっている。
【０２２６】
ロック装置６００をアンロック状態に切り替える場合には、図３１（ｂ）→図３１（ａ）に示すように、操作レバー６４０を反時計回りに回動させ、操作部６４６が水平となるように操作する。これにより、プッシャ６３０が凹部７４側に引っ込み、遊技盤８０の付勢が解除されるとともに、操作レバー６４０（操作部６４６）の上記挿通部９２の通過が許容される。これにより、遊技盤８０を遊技盤収容部６１から取り出すことが可能となる。
【０２２７】
遊技盤８０の下端よりに配置されたロック装置６００Ｌと遊技盤８０の上端寄りに配置されたロック装置６００Ｕとの共通点及び相違点について説明する。ロック装置６００Ｕは、上記ロック装置６００Ｌと同様に、ベースプレート６１０，軸ピン６２０，プッシャ６３０及び操作レバー６４０を有しており、これら各種構成がユニット化されてなる。上記ロック装置６００Ｌが補強プレート５５０に設置されていたのに対して、ロック装置６００は対向板部６２に設置されている点で相違している。
【０２２８】
以上詳述したように、ロック装置６００によって遊技盤８０の前後位置が規定される点に着目すれば、同ロック装置６００に位置決め機能が付与されているといえる。
【０２２９】
次に、図２６に基づきロック装置６００及び上記位置決め突起７９の関係について説明する。
【０２３０】
ロック装置６００は、操作部６４６の前端部が位置決め突起７９の先端よりも前方に位置するように配置されている。このため、遊技盤８０を装着完了位置に向けて回動させる場合には、先ずロック装置６００の操作部６４６が遊技盤８０の挿通部９２に入り、その後、位置決め突起７９が遊技盤８０の貫通孔９１に入ることとなる。より詳しくは、操作部６４６の少なくとも一部が挿通部９２に嵌まっている状態にて、位置決め突起７９が貫通孔９１に入ることとなる。挿通部９２の内形は操作部６４６の外形よりも僅かに大きく形成されており、挿通部９２内での操作部６４６の移動ばらつきが制限される。つまり、操作部６４６が挿通部９２内に入ることで、遊技盤８０の組み付けばらつき（例えば左右方向での位置ばらつき）が抑えられることとなる。このように、遊技盤８０の位置ばらつきが抑えられた状態にて、位置決め突起７９が貫通孔９１に入る構成とすることで、位置決め突起７９が貫通孔９１に上手く嵌まらないといった不都合を生じにくくしている。
【０２３１】
特に、本実施の形態においては、位置決め突起７９の左右両側にロック装置６００が配置されている。つまり、位置決め突起７９が２つのロック装置６００の間に配されている。各ロック装置６００に対応する挿通部９２は、左側の挿通部９２が遊技盤８０の回動基端側に開放され、右側の挿通部９２が遊技盤８０の回動先端側に開放されており（図８参照）、その開放されている方向以外の方向へのロック装置６００の位置ずれを抑える構成となっている。このように各ロック装置６００に位置ずれ抑制機能を分与することにより、一方のロック装置６００に負担が集中することを抑制している。
【０２３２】
特に、左側のロック装置６００に対応する挿通部９２については、遊技盤８０の切欠き部８８に連なるとともに、遊技盤８０の回動基端側に開放されている。
【０２３３】
ロック装置６００が誘導レール１００の入口部分１０４を挟んだ左右両側に配置されている構成においては、両ロック装置６００のうち入口部分１０４よりも遊技盤８０の回動基端側に位置する一方によって挿入部２９０への遊技盤８０の挿入が妨げられやすくなることが懸念される。入口部分１０４を遊技盤８０の幅方向における略中央に配置していることで、そのような不都合が顕著になると想定される。
【０２３４】
また、図７を参照しめすように、本体側上皿通路１２２及び本体側下皿通路１２３が各皿２８ａ，２９ａよりも上位に位置することにより遊技球を同皿２８ａ，２９ａへ誘導する際にそれら遊技球の自重を利用して同遊技球の移動を実現している。しかしながら、遊技領域ＰＥが拡張されている本実施の形態においては、このような遊技領域ＰＥの拡張によって本体側上皿通路１２２及び本体側下皿通路１２３の配置が制限されやすくなっている。これは、各皿２８ａ，２９ａへの遊技球の誘導を難しくする要因となり得る。
【０２３５】
この点、本実施の形態においては、遊技盤８０に切欠き部８８を形成することで、上記本体側上皿通路１２２及び本体側下皿通路１２３と遊技盤８０との共存が可能となっている。つまり、遊技領域ＰＥを拡張しつつ本体側上皿通路１２２及び本体側下皿通路１２３の位置を各皿２８ａ，２９ａよりも上位に配置することが可能となっている。更に、上述の如くこの切欠き部８８に連なるようにして左側の挿通部９２を形成し（図８参照）、その挿通部９２を遊技盤８０の回動基端側に開放させることで、挿入部２９０に遊技盤８０を挿入する際の左側のロック装置６００と挿通部９２との干渉を回避することができる。これにより、本体側上皿通路１２２及び本体側下皿通路１２３の配置と遊技領域ＰＥの拡張とを好適に実現し、更には位置決め精度の向上と遊技盤８０の挿入作業の容易化とを好適に両立している。
【０２３６】
（遊技球発射機構１１０の位置決めに関する構成）
以上詳述したように、遊技盤８０の配置に関しては様々な工夫が施されており、その位置精度が好適に確保されている。本実施の形態においては、この遊技盤８０と遊技球発射機構１１０（詳しくは発射レール１１２）との相対位置の精度を向上するための工夫がなされている。以下、再び図２７及び図２８を用いて補強プレート５５０と遊技球発射機構１１０との関係について補足説明する。
【０２３７】
図２７に示すように、遊技球発射機構１１０のベースプレート１１４は補強プレート５５０の長手方向と同じ方向に延びる横長状をなしており、同方向に並ぶようにして、上記発射レール１１２，球送装置１１３及びソレノイド１１１等が配置されている。発射レール１１２の先端部分、すなわち誘導レール１００の入口部分１０４側の端部はベースプレート１１４の上端に位置しており、遊技球発射機構１１０が同ベースプレート１１４の上端部が補強プレート５５０のベース部５６１に対して面接触した状態で設置されている。つまり、ベースプレート１１４がベース部５６１に対して面接触することで、遊技球発射機構１１０の前後位置が規定されている。特に、ベース部５６１は上下方向に所定の幅を有しており、ベースプレート１１４は、発射レール１１２の上記先端部分がベース部５６１の前方に位置するようにして配置されており、ベース部５６１とベースプレート１１４との重なり（接触面積）を稼いでいる。
【０２３８】
ベース部５６１及びベースプレート１１４は上述の如く同一方向に延びており、それら両者の接触範囲についても同様に、同方向へ拡がっている。詳しくは、ベースプレート１１４は左右両端に亘ってベース部５６１に接触した状態となっている。特に、発射レール１１２やソレノイド１１１等をベースプレート１１４に対して搭載することで、それら両者の位置関係を好適なものとすることができるとともに、個々の構成を個別に補強プレート５５０に設置する構成と比較して、上記接触範囲を拡げやすくなっている。
【０２３９】
ベースプレート１１４において発射レール１１２の先端（誘導レール１００側の端部）寄りとなる部位と、それとは反対側となる部位（詳しくはソレノイド１１１の上方）とには、樹脂ベース６０側に突出する突起１１７，１１８がそれぞれ形成さている。補強プレート５５０のベース部５６１には、それら突起１１７，１１８に対応させて挿通孔３６５が形成されており、それら挿通孔３６５に対して突起１１７，１１８が嵌まることにより、遊技球発射機構１１０の左右位置及び上下位置が規定されている。特に、発射レール１１２の先端寄りの挿通孔３６５は丸孔状をなしているとともに、他方の挿通孔３６６は左右に延びる長孔状をなしており、発射レール１１２の左右位置が発射レール１１２の先端寄りとなる部分を基準として規定されている。
【０２４０】
また、ベースプレート１１４において上記突起１１７，１１８の間には、前後に貫通する貫通孔１１９が形成されている。貫通孔１１９に対して挿通されたネジ１２０が補強プレート５５０のベース部５６１に形成された貫通孔３６７を通じてプレート設置部６９に螺着されることにより、遊技球発射機構１１０（ベースプレート１１４）が樹脂ベース６０に対して一体化されている。
【０２４１】
図２８に示すように、ベースプレート１１４の前面は遊技盤８０の前面と面一となるように構成されており、同ベースプレート１１４の前面に搭載された発射レール１１２は遊技盤８０の前面よりも前側に位置している。これにより、発射レール１１２から飛び出した遊技球が遊技盤８０と補強プレート５５０のベース部５６１との境界を横切る際の、遊技盤８０の下端縁に対する遊技球の引っ掛かりが回避されている。
【０２４２】
（遊技領域区画部材６５０）
本実施の形態における遊技盤８０には本パチンコ機１０に対応する固有の識別情報が付与されており、かかる識別情報を前扉枠１４の窓部２１（ガラスパネル３１，３２）を通じて遊技機正面側から視認可能となっている。遊技ホール等においては、この識別情報を確認することにより、当該パチンコ機１０が正式な認可を得て納入されたものであるか否か等の識別を行うことが可能となっている。以下、再び図８及び図３２を参照して識別情報の表示にかかる構成について説明する。図３２は遊技盤８０の右部を示す図８の部分拡大図である。
【０２４３】
既に説明したように、遊技盤８０に装着された誘導レール１００は、同遊技盤８０の回動先端側に開放された弧状をなしている。遊技盤８０の前面には、その開放部位を塞ぎ誘導レール１００とともに遊技領域ＰＥを区画するブロック状の遊技領域区画部材６５０が設けられている。言い換えれば、誘導レール１００及び遊技領域区画部材６５０は、前者を遊技盤８０の回動基端側、後者を遊技盤８０の回動先端側として両者併せて環状をなすように配置されており、それら誘導レール１００及び遊技領域区画部材６５０によって区画された領域が上記遊技領域ＰＥとなっている。
【０２４４】
遊技領域区画部材６５０は遊技盤８０の前面から張り出しており、その前面部がガラスパネル３２に対して僅かな隙間（詳しくは遊技球の直径寸法以下の隙間）を隔てて対峙している。これにより、遊技球が遊技領域区画部材６５０を乗り越えて遊技領域ＰＥ外に流出することを回避している。なお、本実施の形態においては遊技盤８０の前面からの遊技領域区画部材６５０の張り出し量を、遊技盤８０の前面からの誘導レール１００の起立量と同等となるように設定しているが、これは、遊技盤８０全体の厚さの増加を抑えるための工夫である。
【０２４５】
図３２に示すように、遊技領域区画部材６５０は、遊技盤８０の回動先端側の端部（左端部）に沿って配置されており、遊技盤８０の上端部から下端部に跨って上下に延びている。遊技領域区画部材６５０において外レール１０２の先端に隣接する部位、詳しくは遊技領域区画部材６５０の上端部において遊技領域ＰＥの内側を向く壁面には、外レール１０２に沿って移動（飛翔）する遊技球が衝突することにより同遊技球を遊技領域ＰＥの中央側へ跳ね返す返しゴムが装着されている。遊技領域区画部材６５０は遊技盤８０に対して複数箇所でネジ止めされており、それらネジの少なくとも１つは返しゴムの近傍、具体的には遊技球の衝突方向において返しゴムよりも先側となる位置に配されている。これにより、上記衝突荷重を遊技盤８０に対して分散させやすくし、遊技球の繰り返しの衝突に対する耐久性の向上が図られている。
【０２４６】
また、遊技領域区画部材６５０は、上述した右側のロック装置６００Ｌ（図７参照）を遊技盤８０の回動基端側から迂回するようにして遊技盤８０の下端縁に至っており、同遊技領域区画部材６５０の下部、詳しくは誘導レール１００の右側開放部分よりも下側となる部位には、誘導レール１００の内レール１０１に外側から対向する対向部６５１が形成されている。対向部６５１は、内レール１０１において遊技盤８０のアウト口８６と内レール１０１の下側の開放端との間となる部位に対して下側から若干の隙間を隔てて対向している。すなわち、内レール１０１と遊技領域区画部材６５０とが遊技領域ＰＥの内外に重なっている。
【０２４７】
既に説明したように、遊技領域ＰＥに達した遊技球の一部は、同遊技領域ＰＥを流下する過程で一般入賞口８１等の入球口に入るが、それら入球口に入らなかった遊技球については内レール１０１によって排出口としてのアウト口８６に導かれる。より具体的には、内レール１０１は、下方に凸となる円弧状をなしており、その最下部にアウト口８６が配置されている。このため、入球口に入らなかった遊技球は、内レール１０１に衝突した後、内レール１０１に沿ってアウト口８６に誘導される。
【０２４８】
内レール１０１については、遊技盤８０側の開放端及びその周辺での固定強度が同内レール１０１における他の部位と比べて低くなりやすい。このため、遊技球の衝突による衝撃の影響が同内レール１０１の開放端及びその周辺では大きくなりやすいと想定される。仮に、内レール１０１が変形等した場合には、アウト口８６へ向けての遊技球の円滑な誘導が妨げられると懸念される。この点、本実施の形態では、内レール１０１が下方に押される等した場合に遊技領域区画部材６５０の対向部６５１に当たることで、同内レール１０１の変形や位置ずれ等が抑制されることとなる。故に、遊技領域区画部材６５０によって内レール１０１を保護することができ、上記不都合を好適に払拭できる。言い換えれば、遊技領域区画部材６５０には、内レール１０１のバックアップ機能が付与されている。
【０２４９】
内レール１０１は、複数の固定手段を併用して遊技盤８０に固定されている。具体的には、アウト口８６よりも左側となる部位では、固定手段として固定ピンが採用されており、アウト口８６よりも右側となる部位では固定ピンに代えて遊技領域区画部材６５０が固定手段として採用されている。
【０２５０】
詳しくは、遊技領域区画部材６５０の対向部６５１には内レール１０１の端部が挿入される挿入孔６５２が形成されており、同端部が挿入孔６５２に挿入されることで内レール１０１が遊技盤８０に対して固定されている。内レール１０１については、遊技機の仕様等に応じてその長さや配置が多様になり得る。そこで、内レール１０１の先端部を差し込むことで同内レール１０１を固定する構成を採用することにより、内レール１０１の配置等の多様化に対応可能となっている。これにより、各機種間での共通化に貢献している。
【０２５１】
遊技領域区画部材６５０において対向部６５１を挟んで内レール１０１とは反対側となる部位には、識別ユニット６６０が配設されている。ここで、図３３を参照して、識別ユニット６６０について詳しく説明する。図３３は遊技領域区画部材６５０から識別ユニット６６０を取り外した状態を示す分解斜視図である。
【０２５２】
（識別ユニット６６０）
図３３に示すように、識別ユニット６６０は、各パチンコ機毎に固有となる識別情報（識別番号等）が付与された証紙６６１と、同証紙６６１が貼り付けられた証紙ホルダ６７１とによって構成されている。証紙ホルダ６７１は有色不透明な合成樹脂材料を用いて略平板状に形成されており、その一方の板面が証紙６６１の貼付面６７１ａとなっている。証紙ホルダ６７１に貼り付けられた証紙６６１は、当該証紙６６１を破壊することなく、同証紙ホルダ６７１から取り外すことが困難又は不可となっている。
【０２５３】
遊技領域区画部材６５０には、識別ユニット６６０を収容するユニット収容部６５３が設けられている。ユニット収容部６５３は遊技機前方に開放された凹状をなしており、この開放部位を通じて識別ユニット６６０がユニット収容部６５３内に収容されている。
【０２５４】
識別ユニット６６０がユニット収容部６５３に収容された状態では証紙６６１の印字面６６１ａが遊技機正面側を向いており、ユニット収容部６５３の上記開放部位を通じて証紙６６１に付与された識別情報を視認可能となっている。つまり、識別ユニット６６０を遊技領域区画部材６５０から取り外すことなく証紙６６１の識別情報を確認可能となっている。
【０２５５】
遊技領域区画部材６５０が対向部６５１を有する構成を採用した場合には、遊技領域区画部材６５０における対向部６５１周りでの強度を向上させることで上述した誘導レール１００のバックアップ機能を向上することができる。このような強度の向上を実現するには、遊技領域区画部材６５０を大型化することが１つの手法として考えられる。この点、識別ユニット６６０を収容するユニット収容部６５３を遊技領域区画部材６５０に設け、それらユニット収容部６５３と対向部６５１とを併存させることで、遊技領域区画部材６５０の占有スペースを有効利用している。つまり、遊技領域区画部材６５０の強度向上と識別手段の設置領域の確保（すなわちスペースの有効利用）とを可能とし、実用上好ましい構成を実現している。
【０２５６】
ユニット収容部６５３の底部６５４には前後に貫通する中央開口６５６が形成されており、同底部６５４にはこの中央開口６５６を遊技機前方から塞ぐようにして台座部材６８０が配設されている。台座部材６８０は、遊技機前方からネジ等の固定具６８５を用いて遊技領域区画部材６５０に固定されているとともに、他の固定具６８６によって遊技盤８０に対して固定されている。これら底部６５４及び台座部材６８０によって、識別ユニット６６０を設置する設置面ＡＳが構成されている。
【０２５７】
台座部材６８０は、貼付面６７１ａとは反対側の板面に設けられ遊技領域区画部材６５０に対して引っ掛かる爪部６７２及び台座部材６８０に対して引っ掛かる爪部６７３を有している。識別ユニット６６０を装着した場合には、これら爪部６７３及び上記固定具６８５，６８６が証紙６６１等によって覆われた状態となり、遊技領域区画部材６５０の正面側から爪部６７３や固定具６８５，６８６に対するアクセスが妨げられている。これにより、少なくとも遊技領域区画部材６５０や台座部材６８０を破壊することなく、遊技盤８０から識別ユニット６６０を取り外すことが困難となっている。
【０２５８】
なお、パチンコ機１０を遊技ホールに納入した際の確認作業等にて同パチンコ機１０に修復困難又は修復不能な破損等の不具合が見つかった場合には、台座部材６８０を破壊することで、識別ユニット６６０を無傷のまま取り外すことができる。その後、取り外した識別ユニット６６０を別途用意したパチンコ機１０に取り付けることで、異常が見つかったパチンコ機１０を正常なものと入れ替えることができる。
【０２５９】
近年では、遊技の多様化や独自性の向上等を目的として遊技領域ＰＥが拡張される傾向にある。故に、識別ユニット６６０等の占有領域の確保のために遊技領域ＰＥの拡張が妨げられることは好ましくない。そこで、本実施の形態においては、遊技盤８０の前面にて遊技領域ＰＥと識別ユニット６６０とを好適に共存させるための工夫が施されている。以下、図３２〜図３４を参照して、識別ユニット６６０の配置について補足説明する。図３４は図１のＧ−Ｇ線部分断面図である。
【０２６０】
図３４に示すように、識別ユニット６６０は、前扉枠１４の枠体２０に対して後方から対向する位置、すなわち上皿２８ａの後方に配置されている。このため、識別ユニット６６０をその前方から視認しようとした場合には、当該視認が枠体２０（詳しくは上皿２８ａ）によって妨げられることとなる。
【０２６１】
ここで、識別ユニット６６０については、窓部２１よりも下側となる位置に配されているものの、識別ユニット６６０と枠体２０の背面との間には所定の隙間が確保されており、ガラスパネル３１，３２を通じて上方から覗き込むことで、当該識別ユニット６６０を視認可能となっている。
【０２６２】
識別ユニット６６０用の設置面ＡＳは、当該識別ユニット６６０の上方に配された遊技領域ＰＥ側を向く成分（上方を向く成分）と、遊技機前方を向く成分とを有し、全体として斜め上方を向くようにして傾いている。識別ユニット６６０は、台座部材６８０に対して固定された状態では証紙ホルダ６７１の裏面が設置面ＡＳに対して面接触しており、証紙６６１の印字面６６１ａが斜め上方を向いている。
【０２６３】
識別ユニット６６０の上下位置は窓部２１に対して僅かに下側となるように設定されており、印字面６６１ａの向く先にはガラスパネル３１，３２が位置している。識別情報の確認の際に上述の如くガラスパネル３１，３２を通じて上方から覗き込んだ場合には、印字面６６１ａが確認者側を向くこととなる。これにより、印字面６６１ａが見づらくなることを抑制している。
【０２６４】
このように識別ユニット６６０を斜めに傾けて配置することにより、識別情報の視認性を担保しつつ上下方向における識別ユニット６６０の占有領域の拡がりを抑え、遊技盤８０に識別ユニット６６０を設けたことに起因する遊技領域ＰＥの圧迫を抑えている。
【０２６５】
遊技領域区画部材６５０の厚さ寸法は、遊技盤８０の前面からの内レール１０１の起立寸法と同等となるように設定されており、上記識別ユニット６６０については、ユニット収容部６５３からの突出が回避されるようにして収容されている。つまり、識別ユニット６６０の傾きは、内レール１０１の起立量よりも小さく抑えられている。このため、識別ユニット６６０を上述の如く傾けて配置したとしても、それに起因して遊技盤８０の厚さが嵩むことはない。すなわち、遊技盤８０が本来有する誘導レール１００の前後幅を利用し、同誘導レール１００よりも遊技機前方へ突出することを回避できるようにして識別ユニット６６０の傾きを抑えることで、遊技盤８０と前扉枠１４（例えばガラスユニット３０）との前後関係を好適に担保することができる。
【０２６６】
上述の如く、識別ユニット６６０を枠体２０の後方に配置した場合には、ガラスユニット３０の後方に配置する場合と比較して、識別ユニット６６０に届く光が少なくなりやすい。これは、上記識別情報（印字面６６１ａ）の確認を難しくする要因となり得るため好ましくない。そこで、本実施の形態においては、このような見づらさを抑えるための工夫が施されている。以下、図３２〜図３４を参照して、見づらさを抑えるための工夫について説明する。
【０２６７】
（識別ユニット６６０と主表示部６９０との関係）
図３２に示すように、識別ユニット６６０用のユニット収容部６５３の上方（詳しくはユニット収容部６５３と対向部６５１との間）であって、ガラスパネル３１，３２の後方となる部位には、所定の絵柄等が変動表示及び停止表示される主表示部６９０が設けられている。主表示部６９０は、上作動口８３ａへの入賞に基づいて行われた抽選結果を表示する上作動口用表示部ＤＵと、下作動口８３ｂへの入賞に基づいた抽選結果を表示する下作動口用表示部ＤＬとを有してなる。
【０２６８】
上作動口用表示部ＤＵでは、上作動口８３ａへの入賞をトリガとして絵柄の変動表示が行われ、その変動表示の停止結果として、上作動口８３ａへの入賞に基づいて行われた内部抽選の結果が明示される。上作動口８３ａへの入賞に基づく内部抽選の結果が大当たり又は特別当たりに対応した当選結果であった場合には、上作動口用表示部ＤＵにて変動表示が停止され、停止結果として所定の絵柄が表示された後に、その結果に応じて特別遊技状態に移行される。
【０２６９】
下作動口用表示部ＤＬでは、下作動口８３ｂへの入賞をトリガとして絵柄の変動表示が行われ、その変動表示の停止結果として、下作動口８３ｂへの入賞に基づいて行われた内部抽選の結果が明示される。下作動口８３ｂへの入賞に基づく内部抽選の結果が開閉実行モードへの移行に対応した当選結果であった場合には、下作動口用表示部ＤＬにて変動表示が停止され、停止結果として所定の絵柄が表示された後に、上記開閉実行モードへ移行される。
【０２７０】
ここで、いずれかの作動口８３ａ，８３ｂへの入賞に基づいて、対応する表示部ＤＵ，ＤＬにて変動表示が開始され、所定の停止結果を表示し上記変動表示が停止されるまでが遊技回の１回に相当する。但し、遊技回の１回は、上記の内容に限定されることはなく、例えば、単一の表示領域が設けられ、いずれの作動口８３ａ，８３ｂへの入賞が発生したとしてもその単一の表示領域にて変動表示が行われる構成においては、当該単一の表示領域にて変動表示が開始され、所定の停止結果を表示した状態で上記変動表示が停止されるまでを遊技回の１回とする。
【０２７１】
表示部ＤＵ，ＤＬに表示された停止結果は、次の遊技回に移行されるまでそのままの状態で保持される。つまり、所定の絵柄が点灯表示されている場合には、作動口８３ａ，８３ｂへの入球に基づく遊技回が開始されるまでは点灯状態のままとなる。なお、パチンコ機１０の電源投入時には、上記ＲＡＭクリアが行われた場合には初期絵柄（予め設定された外れ絵柄）が表示され、ＲＡＭクリアが行われなかった場合には前回の抽選結果に対応する絵柄の表示が継続されることとなる。言い換えれば、パチンコ機１０の電源がオンとなっている状況下（より詳しくは遊技が行われていない状況下）においては、表示部ＤＵ，ＤＬを構成する発光体６９１のうち少なくと何れかが点灯した状態となる。
【０２７２】
また、主表示部６９０には両表示部ＤＵ，ＤＬ以外に、スルーゲート８４への入賞に基づいた抽選結果を表示するスルーゲート用表示部ＤＳが併設されている。スルーゲート用表示部ＤＳでは、スルーゲート８４への入賞をトリガとして絵柄の変動表示が行われ、その変動表示の停止結果として、スルーゲート８４への入賞に基づいて行われた内部抽選の結果が明示される。スルーゲート８４への入賞に基づく内部抽選の結果が電役開放状態への移行に対応した当選結果であった場合には、スルーゲート用表示部ＤＳにて所定の停止結果が表示されて変動表示が停止された後に、電役開放状態へ移行する。電役開放状態では、下作動口８３ｂに設けられた上記電動役物が所定の態様で開放される。
【０２７３】
更に、本実施の形態においては遊技球がスルーゲート８４を通過した回数は最大４回まで保留される構成が採用されており、主表示部６９０にはその保留個数を表示する保留数用表示部ＤＨが設けられている。
【０２７４】
これら各表示部ＤＵ，ＤＬ，ＤＳ，ＤＨについては、前扉枠１４のガラスユニット３０を通じてパチンコ機１０前方から視認可能となっているとともに、これら各種表示部ＤＵ，ＤＬ，ＤＳ，ＤＨの前方を遊技球が移動することを回避することで当該視認性が担保されている。
【０２７５】
以下、主表示部６９０の具体的な構成について説明し、その後、識別ユニット６６０との関係について説明する。
【０２７６】
主表示部６９０は、複数の発光体６９１が実装された発光基板６９２と、遊技領域区画部材６５０に設けられ同発光基板６９２を収容する基板収容部６５７とを有してなる。発光基板６９２は、主制御装置１６２に対してハーネス等を介して電気的に接続されており、発光体６９１の発光態様については主制御装置１６２によって制御される構成となっている。
【０２７７】
基板収容部６５７は、ユニット収容部６５３の上方に配されており、遊技盤８０側に開放された凹状をなしている。この基板収容部６５７に対して識別ユニット６６０とは反対側から（遊技機後方から）発光基板６９２が取り付けられている。発光基板６９２には、基板収容部６５７の底部６５８に対して素子搭載面６９２ａが対向するようにして遊技領域区画部材６５０に固定されている。
【０２７８】
基板収容部６５７の底部６５８、すなわち遊技領域区画部材６５０の前面部には、各発光体６９１に１対１で対応する貫通孔６５８ａが形成されている。各貫通孔６５８ａは対応する発光体６９１の前方に位置しており、当該発光体６９１からの光は同貫通孔６５８ａを通じて遊技機前方へ照射される。つまり、貫通孔６５８ａには、光の照射方向を規制する機能が付与されている。
【０２７９】
本実施の形態においては特に、素子搭載面６９２ａ（発光体６９１）と底部６５８との間に所定の隙間が確保されており、基板収容部６５７内での光の拡がりが許容されている。かかる構成を採用した場合であっても、貫通孔６５８ａによって光の照射方向を規制しておくことで、どの発光体６９１が発光しているかを容易に識別可能となっている。
【０２８０】
基板収容部６５７における基板収容領域Ｅ１と、ユニット収容部６５３におけるユニット収容領域Ｅ２とは、同ユニット収容部６５３の周壁部６５５を隔てて並設されている。周壁部６５５には、両収容領域Ｅ１，Ｅ２側に開放された開放部６５９が形成されており、同開放部６５９を通じてそれら収容領域Ｅ１，Ｅ２の一部が連なっている。
【０２８１】
また、発光基板６９２については上記識別ユニット６６０の上方に位置しており、発光体６９１からの光の一部がこの開放部６５９を通じて証紙６６１の印字面６６１ａに到達することとなる。これにより、印字面６６１ａに照射される光量が確保されている。
【０２８２】
なお、基板収容部６５７に反射部を内蔵し、発光体６９１からの光のうち上記貫通孔６５８ａへ向わない光を印字面６６１ａ側へ案内する構成とすれば、発光体６９１からの光の無駄な拡がりを抑え、印字面６６１ａの視認性を好適に向上させることができる。
【０２８３】
複数の発光体６９１のうち、上記表示部ＤＵ，ＤＬを構成しているものについては、識別ユニット６６０（証紙６６１）の上端に沿うようにして並べて配置されている。発光体６９１において発光対象となるものは、都度のタイミングや上記抽選の結果等に応じて異なることとなる。そこで、各表示部ＤＵ，ＤＬを構成している発光体６９１を並べて配置することで、証紙６６１に対して近い位置にて発光させることが可能となり、光量の担保を図っている。
【０２８４】
ここで、各表示部ＤＵ，ＤＬの発光態様について補足説明する。作動口８３への入球に基づいて遊技回が開始されると、それまで点灯又は消灯されていた各発光体６９１が所定の順序で点滅を繰り返す。そして、遊技回が終了するタイミングで一部の発光体６９１が点灯し他の発光体６９１が消灯したままとなるように発光態様が変化する。そして、次の遊技回が開始されるまでは、点灯しているものは点灯したまま、消灯しているものも消灯したままの状態で維持される。つまり、遊技の進行状況に応じて可変表示と停止表示とが繰り返される構成となっている。
【０２８５】
停止表示の態様に関しては当たり結果に対応するものと外れ結果に対応するものとがそれぞれ複数ずつ設定されており、表示態様の多様化が図られている。ここで、外れ結果に対応する表示態様については特に、複数の発光体６９１のうち識別ユニット６６０寄りに配置されているものの少なくとも1つが常時点灯状態となるように設定されている。
【０２８６】
上述した識別情報の確認作業は、主として営業時間外（例えば開店前、閉店後、定休日等）に行われることとなる。上述の如く上記抽選の結果が外れ結果となった場合に、識別ユニット６６０の最寄の発光体６９１から光が供給される構成を採用することで、識別情報の視認性を好適に向上することが可能である。
【０２８７】
特に、下作動口用表示部ＤＬは上作動口用表示部ＤＵよりも識別ユニット６６０の中央寄りに配置されているとともに、外れ結果となった場合に点灯表示となる発光体６９１の数（例えば識別ユニット６６０の上端に沿って配置されている発光体６９１のうち点灯表示となるものの数）が下作動口用表示部ＤＬよりも多く設定されている。これは、消費電力の増大を抑えつつ、証紙６６１に照射される光の量を効果的に増大させるための工夫である。
【０２８８】
以上詳述したように、主表示部６９０（詳しくは発光体６９１）からの光を利用して識別情報（印字面６６１ａ）の視認性を向上させる構成においては、主表示部６９０が遊技者に対する報知機能を主として有しているため、その発光レベルが高く設定されていることに起因した以下の不都合が生じ得る。すなわち、識別情報を見ようとして証紙６６１を覗き込んだ際に、発光体６９１からの光が直接目に入ることで眩しくなり、同識別情報の視認性を低下させる恐れがある。つまり、主表示部６９０からの光が識別情報の確認の妨げになり得る。
【０２８９】
ここで、本実施の形態においては、基板収容部６５７の底部６５８（詳しくは貫通孔６５８ａ）によって印字面６６１ａの向きと同じ向きへの光の照射を規制している（図３４参照）。詳しくは、貫通孔６５８ａによって当該貫通孔６５８ａの中心軸線と交差する方向への光の照射を抑えることにより（詳しくは印字面６６１ａの向きと同じ向きとならない程度に抑えることにより）光の照射方向を規制している。このため、証紙６６１を印字面６６１ａの向いている先から覗き込んだ際（印字面６６１ａ）、つまり最も見やすくなる角度から覗き込んだ際には、発光体６９１からの光のうち貫通孔６５８ａを通じて射出されたものが直接作業者の目に入ることが回避される。これにより、発光レベルを高く設定して報知機能を高めたとしても、それに起因して識別情報が見づらくなるといった不都合が生じにくくなっている。
【０２９０】
＜電源スイッチの切り替えを規制する構成＞
遊技球を使用して遊技を行うタイプの遊技機においては、その特性上、遊技球の自重を利用して同遊技球を移動させる構成が採用されることが一般的である。このため、島設備から供給された遊技球を一時的に貯留しておくタンク２２１については、遊技球の移動経路の最上流に位置する構成であるため、図３５（遊技機を側方から見た概略図）に示すようになるべくパチンコ機１０の上部に配置することが望ましい。
【０２９１】
しかしながら、このようにタンク２２１をパチンコ機１０の上部に配置した場合には、同タンク２２１から遊技球が零れ落ちた場合に、同遊技球が遊技機背面側に設けられた各種制御装置等の電気機器に当たることで、それら電気機器が誤作動したり故障したりするといった不都合が生じやすくなると懸念される。そこで、既に説明したように、それら電気機器を裏パック２０１の保護カバー部２１２によってパチンコ機１０の背面側から覆うことで同電気機器に対する遊技球の衝突を回避し、上記不都合の発生を抑えている。
【０２９２】
保護カバー部２１２よりも更に下側に配された電源・発射制御装置２４３はホール管理者等によって操作される操作部として電源スイッチ２４７を有し、同電源スイッチ２４７については保護カバー部２１２によって覆われている範囲外に位置している。つまり、電源スイッチ２４７については、パチンコ機１０の背面側に露出した状態となっている。これは、遊技機主部１２を開放した際に裏パック２０１を閉じたまま電源スイッチ２４７を操作可能とし、同電源スイッチ２４７の操作の準備作業が複雑になることを抑制するための工夫である。
【０２９３】
しかしながら、このように、電源スイッチ２４７を背面側に露出させた場合には、作業性の向上を実現できる反面、以下の不都合が生じ得る。すなわち、タンク２２１から零れた遊技球が電源スイッチ２４７に対して直接又は何かに跳ね返って衝突することで、突如として電源がオフになるといった不都合が生じ得る。このような事象が遊技中に発生するこは、遊技者に対して不快感を与える要因となり得る。
【０２９４】
ここで、本実施の形態における電源・発射制御装置２４３については、そのような不慮の切り替え（遊技球の衝突に起因した切り替え）を規制するための切替規制手段が採用されている。以下、図１２、図３６及び図３７を参照して、この切替規制手段について説明する。図３６は電源・発射制御装置２４３の正面図、図３７は図３６のＨ−Ｈ線部分断面図である。
【０２９５】
図１２に示すように、電源・発射制御装置２４３については、電源・発射制御基板２４９の素子搭載面２４９ａが遊技機後方を向くようにして取付台２４１に搭載されている。素子搭載面２４９ａには、遊技機後方に突出するようにして上記電源スイッチ２４７が取り付けられており、基板ボックス２４６において電源スイッチ２４７に対応する部位（素子搭載面２４９ａに対向する表側対向部２４８）には当該基板ボックス２４６の内外に貫通するスイッチ用開口部２５１が形成されている。このスイッチ用開口部２５１を通じて電源スイッチ２４７のほぼ全体が基板ボックス２４６外に突出している。
【０２９６】
電源スイッチ２４７は上下に延びる操作片７０１を有している。操作片７０１は、その中間位置にて回動可能に支持されており（シーソー式となっており）、回動中心部よりも上側が第１操作部７０２、下側が第２操作部７０３となっている。
【０２９７】
第１操作部７０２が遊技機前方又は後方へ変位することで第２操作部７０３がそれとは反対側へ変位し、オン／オフの切り替えがなされる。より具体的には、第１操作部７０２が最前位置且つ第２操作部７０３が最後位置となることでオン状態となり、第１操作部７０２が最後位置且つ第２操作部７０３が最前位置となることでオフ状態となるように構成されている。
【０２９８】
なお、操作片７０１の後面は略平面状をなすようにして形成され、この後面の上側半分が第１操作部７０２における操作面、下側半分が第２操作部７０３における操作面となっており、それら各操作面の向きが同一方向となるように構成しているが、これに限定されるものではない。例えば、各操作面の向きが異なる方向となるように構成することも可能である。
【０２９９】
ここで、上記切替規制手段にかかる構成について説明する。
【０３００】
図３６に示すように、基板ボックス２４６において電源・発射制御基板２４９の素子搭載面２４９ａに対向している部分には、上記スイッチ用開口部２５１を跨ぐようにしてアーチ状の突出部２５２が形成されている。突出部２５２は、スイッチ用開口部２５１の右側縁部から後方へ起立する右側起立部２５３と、左側縁部から後方へ起立する左側起立部２５４と、それら両起立部２５３，２５４を連結する連結部２５５とによって構成されている。起立部２５３，２５４は操作片７０１の回動中心部を左右両側から挟むようにして配置されており、連結部２５５が操作片７０１の回動中心部に対して後方から対峙している。
【０３０１】
連結部２５５と操作片７０１との隙間寸法は遊技球の直径寸法よりも小さくなるように（詳しくは半径寸法よりも小さくなるように）設定されており、連結部２５５と操作片７０１との間を遊技球が通過できない構成となっている。また、起立部２５３，２５４の起立量については、電源スイッチ２４７がオン状態及びオフ状態の何れであっても連結部２５５が操作片７０１（詳しくは第２操作部７０３）よりも後方に位置するようにして設定されている。
【０３０２】
タンク２２１から零れた遊技球が電源スイッチ２４７に向けて落下した場合には、後方に張り出した突出部２５２によって少なくとも第２操作部７０３に対する上方からの衝突が抑制される。これにより、オン状態となっている場合に、当該衝突に起因してオフ状態に切り替るといった不都合が生じにくくなっている（図３８の概略図参照）。
【０３０３】
また、連結部２５５は、左右に延びる棒状をなしており、当該連結部２５５の中心軸線と直交する断面が後方に凸となる三角形状となるように形成されている（図３７参照）。このため、連結部２５５に対して上方又は下方から遊技球が衝突した場合に、同遊技球の操作片７０１に向けた跳ね返りが生じにくくなっている（図３８の概略図参照）。
【０３０４】
以上詳述した切替規制手段を採用して電源スイッチ２４７に対する遊技球の衝突を抑えることにより、オン状態又はオフ状態に突如として切り替るといった不都合を生じにくくすることができる。特に、タンク２２１から遊技球が零れるといった事象は、非稼動中と比較して稼動中（詳しくは遊技に伴って遊技球が流動している場合）に発生する可能性が高い。つまり、オフ状態の場合と比較してオン状態の場合に発生しやすい。そこで、オン状態での第２操作部７０３に対する遊技球の衝突を抑制することにより、突如として遊技が中断されるといった不都合を生じにくくすることができる。
【０３０５】
電源スイッチ２４７に対する遊技球の衝突を抑えるには、防壁となるものをなるべく電源スイッチ２４７に近づけて配置することが好ましい。しかしながら、単に電源スイッチ２４７に近づけて配置しただけでは、衝突抑制効果を発揮することができる反面、電源スイッチ２４７（操作片７０１）に対するアクセスが妨げられやすくなったり、切替操作が難しくなったりすると想定される。この点、切替規制手段を構成する突出部２５２を操作片７０１の回動中心部の後方に配することにより、上述したようなシーソータイプの電源スイッチ２４７における上記操作上の不都合を生じにくくすることができる。つまり、電源スイッチ２４７を操作する際には各操作部７０２，７０３における回動中心部から遠い側の端部を指で押すことで当該操作を容易に行うことができる。そこで、端部ではなく回動中心部寄りに突出部２５２を配することで、オン操作及びオフ操作の両操作を妨げにくくすることができる。
【０３０６】
次に、パチンコ機１０の電気的構成について、図３９のブロック図に基づき説明する。図３９では、電力の供給ラインを二重線矢印で示し、信号ラインを実線矢印で示す。
【０３０７】
主制御装置１６２に設けられた主制御基板８０１には、主制御回路８０２と停電監視回路８０３とが内蔵されている。主制御回路８０２には、ＭＰＵ８１１が搭載されている。ＭＰＵ８１１には、当該ＭＰＵ８１１により実行される各種の制御プログラムや固定値データを記憶したＲＯＭ８１２と、そのＲＯＭ８１２内に記憶される制御プログラムの実行に際して各種のデータ等を一時的に記憶するためのメモリであるＲＡＭ８１３と、割込回路やタイマ回路、データ入出力回路などの各種回路が内蔵されている。
【０３０８】
ＲＡＭ８１３は、パチンコ機１０の電源の遮断後においても電源・発射制御装置２４３に設けられた電源・発射制御基板２４９からデータ記憶保持用電力が供給されてデータが保持される構成となっている。
【０３０９】
ＭＰＵ８１１には、アドレスバス及びデータバスで構成されるバスラインを介して入出力ポートが接続されている。主制御回路８０２の入力側には、主制御基板８０１に設けられた停電監視回路８０３、払出制御装置２４２に設けられた払出制御基板８２２及びその他図示しないスイッチ群などが接続されている。この場合に、停電監視回路８０３には電源・発射制御基板２４９が接続されており、主制御回路８０２には停電監視回路８０３を介して電力が供給される。
【０３１０】
一方、主制御回路８０２の出力側には、主表示部６９０の発光基板６９２、停電監視回路８０３、払出制御基板８２２及び中継端子板８２３が接続されている。主表示部６９０における発光態様については主制御装置１６２によって制御される。また、払出制御基板８２２には賞球コマンドなどといった各種コマンドが出力され、中継端子板８２３を介して主制御回路８０２から音声ランプ制御装置１４３に設けられた音声ランプ制御基板８２４に対して各種コマンドなどが出力される。
【０３１１】
停電監視回路８０３は、主制御回路８０２と電源・発射制御基板２４９とを中継し、また電源・発射制御基板２４９から出力される最大電源である直流安定２４ボルトの電源を監視する。
【０３１２】
払出制御基板８２２は、払出装置２２４により賞球や貸し球の払出制御を行うものである。演算装置であるＭＰＵ８３１は、そのＭＰＵ８３１により実行される制御プログラムや固定値データ等を記憶したＲＯＭ８３２と、ワークメモリ等として使用されるＲＡＭ８３３とを備えている。
【０３１３】
払出制御基板８２２のＲＡＭ８３３は、主制御回路８０２のＲＡＭ８１３と同様に、パチンコ機１０の電源の遮断後においても電源・発射制御基板２４９からデータ記憶保持用電力が供給されてデータが保持される構成となっている。
【０３１４】
払出制御基板８２２のＭＰＵ８３１には、アドレスバス及びデータバスで構成されるバスラインを介して入出力ポートが接続されている。払出制御基板８２２の入力側には、主制御回路８０２、電源・発射制御基板２４９、及び裏パック基板８２９が接続されている。また、払出制御基板８２２の出力側には、主制御回路８０２及び裏パック基板８２９が接続されている。
【０３１５】
電源・発射制御基板２４９は、電源部と発射制御部とを備えている。電源部は、二重線矢印で示す経路を通じて、主制御回路８０２や払出制御基板８２２等に対して各々に必要な動作電力を供給する。発射制御部は、遊技者による遊技球発射ハンドル４５の操作にしたがって遊技球発射機構１１０の発射制御を担うものであり、遊技球発射機構１１０は所定の発射条件が整っている場合に駆動される。
【０３１６】
音声ランプ制御基板８２４は、各種ランプ部２４〜２６やスピーカ部２７、及び表示制御装置８２５を制御するものである。演算装置であるＭＰＵ８４１は、そのＭＰＵ８４１により実行される制御プログラムや固定値データ等を記憶したＲＯＭ８４２と、ワークメモリ等として使用されるＲＡＭ８４３とを備えている。
【０３１７】
音声ランプ制御基板８２４のＭＰＵ８４１にはアドレスバス及びデータバスで構成されるバスラインを介して入出力ポートが接続されている。音声ランプ制御基板８２４の入力側には中継端子板８２３に中継されて主制御回路８０２が接続されており、主制御回路８０２から出力される各種コマンドに基づいて、各種ランプ部２４〜２５、スピーカ部２７、及び表示制御装置８２５を制御する。表示制御装置８２５は、音声ランプ制御基板８２４から入力する表示コマンドに基づいて図柄表示装置９４を制御する。
【０３１８】
以上詳述した第１の実施の形態によれば、以下の優れた効果を奏する。
【０３１９】
遊技盤８０を内枠１３の正面側から着脱可能とすることにより、内枠の背面側から遊技盤を着脱する構成と比較して作業の容易化を促進できる。遊技盤を内枠の背側から着脱する構成を想定した場合、内枠を開放した状態で遊技盤の着脱を行う必要が生じる。この場合、例えば内枠が移動しないように同内枠の移動を手で押さえることで、遊技盤の装着作業を円滑に行うことができる。しかしながら、遊技盤の着脱作業の円滑化のために、内枠を手で押える等した場合には、作業が煩雑化し得る。この点、上記実施の形態に示したように内枠１３を外枠１１に対して閉じた状態で遊技盤８０の着脱作業が可能であれば、押し込み操作等によって内枠１３が移動することを回避できる。これにより、遊技盤８０の着脱作業時に内枠１３を手で押さえるといった予備的作業を不要とし、作業の容易化に貢献できる。なお、裏パックユニット１５の開閉操作を省略することが可能となるため、作業手順の簡略化を図ることもできる。
【０３２０】
遊技盤８０を装着する際には、同遊技盤８０を内枠１３の仮置き部１２５に載せた状態で回動させることが可能となっている。つまり、遊技盤８０の重量の少なくとも一部を内枠１３側に預けることができるため、同遊技盤８０を支えたまま回動させる必要がない。これにより、作業負担の軽減を図っている。
【０３２１】
遊技盤８０を挿入部２９０に挿入することにより同遊技盤８０の突起４３１と樹脂ベース６０の受け部２７５とが引っ掛かり、当該遊技盤８０の挿入部２９０からの脱落が阻止される。このため、例えば上記回動操作中に遊技盤８０から手を離したとしても、それに起因して遊技盤８０の装着作業のやり直しが発生するといった不都合が生じにくくなっている。これにより、作業の容易化に貢献できる。
【０３２２】
また、遊技盤８０の挿入部２９０からの外れを抑制することにより、遊技盤８０の装着軌道のばらつきを抑えることも可能となる。これにより、遊技盤８０を回動させる際に同遊技盤８０が他の構成と干渉することを好適に抑制できる。
【０３２３】
遊技盤８０の装着作業時には、遊技盤８０を挿入部２９０に挿入することによって阻止状態に移行されるため、阻止状態への移行のための別途操作を必要としない。故に、脱落阻止構造を採用することによる遊技盤装着作業の煩雑化を回避することができる。
【０３２４】
上記突起４３１及び受け部２７５は遊技盤８０の前面側に配されている。これにより、遊技盤８０の脱落が阻止されている状態に切り替っているか否かを目視にて確認しやすくなっている。特に、突起４３１をレールカバー４００に一体形成することにより、つまり強度を確保する必要がある構成をまとめることにより、遊技盤８０の前面側での占有領域の拡がりを抑えている。この場合、レールカバー４００の起立部４２０等によって上記視認性が低下することが懸念されるが、本実施の形態においてはレールカバー４００を透明とすることにより、起立部４２０を通して突起４３１を視認可能となっている。これにより、占有領域の拡がりを抑えつつ、それに起因した突起４３１等の視認性の低下を抑えている。
【０３２５】
遊技盤８０を回動可能とする場合、例えば同遊技盤８０を回動可能に支持する軸ピンを樹脂ベース６０に設けることも可能である。しかしながら、そのように軸ピンを有する構成を採用した場合、遊技盤８０を軸ピンに挿通するための作業スペースを確保する必要が生じる。具体的には、少なくとも軸ピンの中心軸線の延長上にて上記作業スペースを確保する必要が生じる。例えば、軸ピンを樹脂ベースの前方又は後方へオフセットして配置することにより同樹脂ベースと上記作業スペースとの重なりを回避することも可能であるが、このように軸ピンをオフセットして配置することはパチンコ機１０の薄型化を難しくする要因となり得るため好ましくない。この点、突起４３１及び受け部２７５によって遊技盤８０を回動可能とすれば、上記不都合を回避し、パチンコ機１０の薄型化を促進することができる。
【０３２６】
上述の如く遊技盤８０を樹脂ベース６０に対して着脱可能な構成とすることにより、例えばメンテナンス作業の容易化や遊技盤８０の交換（機種変更等）の容易化に貢献できる。しかしながら、遊技盤８０を着脱可能とすることにより、以下の不都合が生じやすくなると想定される。つまり、遊技盤８０の輸送時に同遊技盤８０がぶつけられたり、遊技盤８０の着脱作業時に同遊技盤８０が前扉枠１４や内枠１３等に干渉したりする可能性がある。
【０３２７】
遊技盤８０の前面には釘８７や誘導レール１００等の遊技球の動きに影響を与える部品が配設されており、これらの部品が上記干渉の対象となり変形等が生じた場合には、遊技球の動きが想定外のものとなり得るため好ましくない。特に、誘導レール１００については釘８７等の遊技領域ＰＥに配設された各種構成を囲っているため、それら釘８７等と比べて干渉の対象になりやすいと想定される。また、同誘導レール１００は遊技球発射機構１１０から発射された遊技球を遊技領域ＰＥに誘導する機能を有しており、仮に上記干渉により変形等が生じると、誘導機能が低下すると懸念される。本実施の形態によれば、誘導レール１００をレールカバー４００によって覆うことにより、誘導レール１００を保護し、上記不都合の発生を抑えることが可能となっている。
【０３２８】
レールカバー４００は、誘導レール１００を遊技領域ＰＥの外側且つ遊技盤８０の正面側から覆っている。これにより、誘導レール１００の保護機能の向上が図られている。
【０３２９】
特に、上述の如く前扉枠１４と内枠１３（樹脂ベース６０）との間から挿入部２９０へ遊技盤８０を挿入する構成においては、遊技盤８０の正面側に前扉枠１４が位置するため、同前扉枠１４と誘導レール１００とが干渉しやすくなると想定される。そこで、レールカバー４００によって同前扉枠１４側から誘導レール１００を覆うことにより、同誘導レール１００と前扉枠１４との干渉を好適に抑制できる。
【０３３０】
遊技盤８０を挿入部２９０に挿入する際には、誘導レール１００において挿入先側となる部分が干渉する可能性が他の部位と比べて干渉しやすくなると想定される。この点、本実施の形態によれば、レールカバー４００によって誘導レール１００における遊技盤８０の挿入方向先側となる部位を覆う構成とすることにより、上記保護機能を好適に発揮させることができる。
【０３３１】
また、遊技球発射機構１１０から発射された遊技球は、誘導レール１００において上記レールカバー４００によって覆われている部分を経由して遊技領域ＰＥに到達する。つまり、レールカバー４００により誘導レール１００において誘導通路１０３を構成している部分を覆うことにより、遊技球の誘導機能の担保することが可能となっている。
【０３３２】
本実施の形態においては特に、レールカバー４００のベース部４１０に括れを形成するとともに起立部４２０が湾曲部４２１を有することにより、誘導レール１００とレールカバー４００と遊技盤８０の前面において好適に共存させている。つまり、誘導レール１００によって区画されている遊技領域ＰＥの圧迫を抑えつつレールカバー４００を配置している。うまり、レールカバー４００の保護機能を享受しつつ同レールカバー４００の占有領域の拡がりを抑えることにより、実用上好ましい構成が実現されている。
【０３３３】
特に誘導レール１００（詳しくは外レール１０２）において挿入部２９０側に凸となっている部分と遊技盤８０の端部との間となる部位では、レールカバー４００の設置が許容される領域が狭くなっている。この点、起立部４２０に外レール１０２に沿って湾曲する湾曲部４２１を形成することにより、占有領域の拡がりを抑えつつ、起立部４２０の強度（詳しくは遊技領域ＰＥの外側から加わる外力に対する耐性）を向上させている。
【０３３４】
また、起立部４２０の湾曲部４２１には対向部４５０が形成されており、同対向部４５０が上側起立部４２２と下側起立部４２３とに繋がる構成とすることにより、湾曲部４２１の更なる強度向上が期待できる。特に、対向部４５０は第１対向部４５１及び第２対向部４５２，４５３が前後に段差状となるように形成されている。これにより、更なる強度向上が可能となっている。
【０３３５】
上側起立部４２２及び下側起立部４２３は、外レール１０２の頂部１０２ｂから遠ざかるにつれて同外レール１０２との間の隙間が拡がっており、その隙間を埋めるようにして内側ベース部４１１が形成されている。つまり、湾曲部４２１を挟んだ上下両側においては、内側ベース部４１１及び外側ベース部４１２が形成されている。これら内外のベース部４１１，４１２を有する構成とすることにより、湾曲部４２１の変形を好適に抑えることが可能となっている。
【０３３６】
このように強度が要求されるレールカバー４００に上記突起４３１を配設することにより、突起４３１に相当する構成を別途設ける場合と比較して遊技盤８０前面側での設置領域の減縮が可能となっている。
【０３３７】
内枠を前扉枠で覆うタイプの遊技機においては内枠と前扉枠との位置関係に配慮した構成が採用されているものがある。このような構成では、内枠の樹脂ベースと前扉枠との位置関係を好適に維持することはできるものの、樹脂ベースとは別体で設けられた遊技盤と前扉枠に設けられたガラスパネルとの位置関係を好適に維持することは困難であると想定される。つまり、遊技盤及びガラスパネルの相対位置（前後位置）の変化やばらつきを抑えることは難しいと想定される。
【０３３８】
遊技盤とガラスパネルとの間に遊技領域が設けられ、その遊技領域を遊技球が流下する構成においては、上述した遊技盤及びガラスパネルの相対位置の変化は遊技領域における遊技球の挙動に影響を及ぼす要因となり得る。遊技盤を有する遊技機においては遊技領域における遊技球の挙動によって有利不利が決定されるため、上述したような遊技盤とガラスパネルとの相対位置の変化は好ましくない。
【０３３９】
この点、本実施の形態においては、前扉枠１４の延出部３７が遊技盤８０のレールカバー４００と外レール１０２との間に挿通される構成とすることにより上記不都合の発生を好適に抑え、遊技領域を流下する遊技球の挙動を好適なものとすることができる。
【０３４０】
特に、本実施の形態においては、遊技盤８０を樹脂ベース６０に対して着脱可能とする構成を採用することにより、メンテナンス作業の容易化や機種変更の促進等に貢献している。しかしながら、このように遊技盤８０を着脱可能とすることで、上記効果が期待できる反面、樹脂ベース６０に対する遊技盤８０の位置ばらつきが生じやすくなると想定される。このため、仮に前扉枠１４と樹脂ベース６０との位置関係を好適に維持することができたとしても、上述した遊技盤８０と樹脂ベース６０との位置ばらつきは、遊技盤８０とガラスパネル３２との位置関係に影響を及ぼすと想定される。この点、前扉枠１４の延出部３７と遊技盤８０のレールカバー４００とを設けることによって、上記不都合を抑制し、メンテンナンス作業の容易化等と遊技盤及びパネル部材の位置関係の維持とを好適に両立させることができる。
【０３４１】
誘導通路１０３と対向部４５０との間に前扉枠１４の延出部３７を介在させるとともに、その延出部３７における後側の板面とガラスパネル３２における後側の板面とを面一とすることで誘導通路１０３を通過する遊技球の挙動の安定化に貢献できる。
【０３４２】
例えば、誘導通路１０３をガラスパネル３２とレールカバー４００の対向部４５０とによって前方から覆う構成とすることも可能ではあるが、ガラスパネル３２が前扉枠１４側に設けられているとともに対向部４５０が遊技盤８０側に設けられているため、それらガラスパネル３２と対向部４５０との間には隙間や段差が生じやすくなると想定される。このため、誘導通路１０３により誘導されている遊技球の挙動がこれら隙間や段差等を通過する際に乱れて、安定した遊技球の誘導が困難となり得る。この点、上述の如く、面一となるように設けられた延出部３７とガラスパネル３２とによって誘導通路１０３を覆う構成とすれば、そのような不都合を払拭し、実用上好ましい構成を実現できる。
【０３４３】
また、遊技盤８０において前扉枠１４の回動基端部寄りとなる位置に対向部４５０を配するとともに前扉枠１４の回動基端部に延出部３７を配することにより、上記隙間に延出部３７が挿入される際の同延出部３７の移動方向を遊技盤８０の前面と略平行とすることが可能となる。故に、例えば対向部４５０と延出部３７との隙間を小さくしたり、それら対向部４５０及び延出部３７の掛かり代（すなわち前後方向における重なり代）を大きくしたりすることができ、上述した隙間の拡がりを規制する機能を一層好適なものとすることができる。
【０３４４】
前扉枠１４の上端及び下端寄りに配置された支持金具７１，７２によって支持しているため、それら支持金具７１，７２の中間部位では、前扉枠１４と内枠１３と隙間が拡がりやすくなると想定される。そこで、上記延出部３７等を前扉枠１４の回動基端側に配することにより、そのような不都合の発生を好適に抑制することが可能となっている。
【０３４５】
また、前扉枠１４の回動先端側においては施錠装置７５により前扉枠１４の浮き上がりが好適に抑制されているもの、回動基端側では上記支持金具７１，７２の中間位置での浮き上がりが容易になり得る。仮に前扉枠１４の回動基端側における内枠１３との境界部位からバール等の不正具が挿入され、無理に上記境界部位が押し拡げられると、遊技領域ＰＥにて意図的に球詰まりを発生させることが可能となる。仮に、このような球詰まりが作動口８３等の入球口の傍で発生すると、後続する遊技球がそれら球詰まりしている遊技球群によって作動口８３等に誘導され、作動口８３等への入賞確率が変わってしまうと想定される。つまり、意図的に球詰まりを発生させることにより、不正に特典を享受しようとする試みがなされると懸念される。この点、本実施の形態においては、上記延出部３７及び対向部４５０（詳しくは第２対向部４５３）を作動口８３と上記回動基端側の境界部位との間に配置することにより、上述した不正行為を好適に抑制することが可能となっている。
【０３４６】
延出部３７と対向部４５０とが当接している場合には、レールカバー４００に対して遊技盤８０から浮き上がるような応力が加わることとなる。レールカバー４００は起立部４２０を有しており、前後方向への変形に対する強度が高められている。これにより、延出部３７によって前方へ引っ張られたとしても、同レールカバー４００の変形を抑えることができる。故に、上記隙間の拡がりを好適に抑制できる。
【０３４７】
遊技盤８０を樹脂ベース６０の正面側から取り付けるタイプの遊技機においては、樹脂ベースの背面側から遊技盤の取り付けるタイプの遊技機と比較して、遊技盤の前面の位置精度（例えば前後方向の位置精度）を向上させることが難しくなると想定される。この点、本実施の形態においては、ロック装置６００の付勢部６１５によって遊技盤８０を正面側に押すとともに、操作部６４６を遊技盤８０の前面に当接させることによって遊技盤８０の前方への移動を抑えることで、遊技盤８０の前面を対象とした位置決めを可能としている。これにより、遊技盤８０の背面を基準としての前後の位置決めを行う構成と比較して、遊技盤８０の前面における位置精度を高やすくなっている。
【０３４８】
このように遊技盤８０の前面の位置精度を高めることにより、遊技球発射機構１１０から発射された遊技球の誘導レール１００に対する着地位置がばらつくことを抑えている。これにより、誘導レール１００を通過する際の遊技球の暴れを抑制し、遊技領域ＰＥへの誘導の円滑化に貢献している。特に、誘導レール１００が遊技盤８０の前面から起立している構成においては、同誘導レール１００の先端側に遊技球が着地すると、衝突時の負荷が大きくなり、誘導レール１００の根元部分（詳しくは固定ピン１０２ａ等）に変形等が生じやすくなると想定される。これは、遊技球の円滑な誘導を妨げる要因となり得るため好ましくない。この点、遊技盤８０の前面の前後位置精度を向上することで、遊技球の着地位置が前後にばらつくことを抑制し、上述した不都合の発生を好適に回避できる。
【０３４９】
また、本実施の形態においては、内枠１３が外枠１１によって回動可能に軸支され、その開放作業の容易化が図られている。しかしながら、このような構成においては、作業性の向上に貢献できる反面、内枠１３（詳しくは樹脂ベース６０）が撓んだり捩れたりすることにより、上述した位置精度の向上が妨げられることが懸念される。この点、樹脂ベース６０の回動基端部から回動先端部に跨るようにして、補強プレート５５０を配設することにより、上記変形を抑制している。特に、補強プレート５５０を遊技盤収容部６１の前方開放部位（詳しくは下端縁）に沿うようにして配置しており、開放部位周辺で低下しがちな強度を補い、上記補強効果を好適に享受することが可能となっている。
【０３５０】
この補強プレート５５０に対して、遊技球発射機構１１０及びロック装置６００を配設（詳しくは設置）することにより、遊技球発射機構１１０（詳しくは発射レール１１２）及び遊技盤８０（詳しくは誘導レール１００）の相対位置の精度を高めることができ、発射レール１１２から発射された遊技球の誘導レール１００に対する着地位置の精度向上に貢献できる。故に、誘導手段による遊技球の誘導の円滑化が期待できる。
【０３５１】
遊技盤８０を前方から装着する構成において、後方へ凹む遊技盤収容部６１を設けるとともに、プレート設置部６９，下側壁部６６，対向板部６２に沿うようにして補強プレート５５０をクランク状に形成することにより、同補強プレート５５０の強度向上を図りつつ、遊技盤８０の前面（詳しくは誘導レール１００）と発射レール１１２との前後位置を好適に揃えることができ、上記精度向上効果を一層顕著なものとすることができる。
【０３５２】
特に、遊技球発射機構１１０は、発射レール１１２において誘導レール１００寄りとなる端部付近にて補強プレート５５０（詳しくはベース部５６１）の前面に当接している。これにより、上述した位置精度向上効果を一層顕著なものとすることができる。
【０３５３】
遊技球発射機構１１０のベースプレート１１４と補強プレート５５０とを面接触させることで、遊技球発射機構１１０の安定性向上に貢献している。特に、補強プレート５５０のベース部５６１は左右に延びる長尺状をなしており、この長手方向に並ぶようにして発射レール１１２及びソレノイド１１１を並設することにより遊技球発射機構１１０（詳しくはベースプレート１１４）も横長状に構成されている。これにより、占有領域の無駄な拡がりを抑えつつ、ベース部５６１とベースプレート１１４との接触面積を拡張しており、上述した安定効果を一層好適なものとしている。
【０３５４】
誘導レール１００の入口部分１０４は、遊技盤８０の下端寄りとなる位置に配されており、その下端寄りとなる位置に上記ロック装置６００，補強プレート５５０及び遊技球発射機構１１０が集約されている。これにより、入口部分１０４詳しくは特定部位ＳＰと、遊技球発射機構１１０との相対位置の精度を好適なものとすることができる。
【０３５５】
＜第２の実施の形態＞
上記第１の実施の形態においては、遊技球の衝突に起因した電源スイッチ２４７の切り替りを抑える切替規制手段が採用されていたが、本実施の形態においては同切替規制手段に関する構成が第１の実施の形態と相違している。
【０３５６】
そこで以下、図４０に基づき当該相違する構成について説明する。図４０（ａ）は電源スイッチ２４７及びそれに関連する構成を拡大して示す電源・発射制御装置２４３Ｘの概略図、図４０（ｂ）は図４０（ａ）のＩ−Ｉ線断面図である。なお、以下の説明では上記第１の実施の形態と同一符号に係る構成についてはその説明を援用して同構成に関する説明を簡略化又は省略し、主として第１の実施の形態との違いを説明する。
【０３５７】
図４０に示すように、電源・発射制御装置２４３Ｘの基板ボックス２４６Ｘには、電源スイッチ２４７を収容するスイッチ収容部２５０Ｘが形成されている。スイッチ収容部２５０Ｘは、基板ボックス２４６Ｘの表側対向部２４８Ｘを音声ランプ制御基板８２４側へ凹ませてなり、遊技機後方に開放されている。以下便宜上、スイッチ収容部２５０Ｘにおける後方への開放部分を開放部２５０ａＸと称する。
【０３５８】
スイッチ収容部２５０Ｘの底部２５０ｂＸには、基板ボックス２４６Ｘの内外に貫通するスイッチ用開口部２５１Ｘが形成されており、このスイッチ用開口部２５１Ｘを通じて電源スイッチ２４７（詳しくは操作片７０１）が遊技機後方へ露出している。なお、第１操作部７０２及び第２操作部７０３は互いに異なる方向を向く略平面状をなしており、全体として上記回動中心部を境界として折れ曲る略く字状となるように形成されている。オン状態となっている場合には第１操作部７０２が後方を向くとともに第２操作部７０３が斜め上方を向き、オフ状態となっている場合には第１操作部７０２が斜め下方を向くとともに第２操作部７０３が後方を向く。
【０３５９】
スイッチ収容部２５０Ｘはスイッチ用開口部２５１を囲む周壁部２５０ｃＸを有しており、同周壁部２５０ｃＸには、上記開放部２５０ａＸを仕切る仕切り部２５７Ｘが形成されている。つまり、仕切り部２５７Ｘによって開放部２５０ａＸが上下に２分されている（細分化されている）。
【０３６０】
図４０（ｂ）に示すように、仕切り部２５７Ｘは、操作片７０１の回動中心部の後方に配されており、開放部２５０ａＸを、第１操作部７０２へのアクセスを許容する上側開放領域ＵＥと第２操作部７０３へのアクセスを許容する下側開放領域ＬＥとに仕切っている。上側開放領域ＵＥ及び下側開放領域ＬＥについては、遊技球の通過を不可とする大きさとなるように、その大きさが制限されている。これにより、遊技球が開放部２５０ａＸを通じてスイッチ収容部２５０内に侵入することを回避している。故に、遊技球の衝突に起因した電源スイッチ２４７の切り替わりを抑制している。
【０３６１】
かかる構成を採用した場合には、両開放領域ＵＥ，ＬＥが遊技球の通過を不可とする大きさに制限されていることで切替規制機能を好適に享受できる反面、以下の不都合が生じ得る。すなわち、各操作部７０２，７０３へのアクセスが困難になって、切替操作が難しくなると想定される。ここで、上側開放領域ＵＥについては、オン状態となっている場合に第１操作部７０２の最後部となる端部に対して対峙する位置に配されており、下側開放領域ＬＥについてはオフ状態となっている場合に第２操作部７０３の最後部となる端部に対して対峙する位置に配されている。これにより、各操作部７０２，７０３が開放領域ＵＥ，ＬＥに対して近い位置に存在することとなり、操作部７０２，７０３へのアクセスが難しくなることを抑制可能となっている。
【０３６２】
更には、操作片７０１については、オン状態となる側及びオフ状態となる側にそれぞれ付勢されており、オン状態でもなくオフ状態でもない中間状態においてはそれら各付勢力が均衡するように設定されている。このため、各操作部７０２，７０３の押し込み操作を行う場合には、上記中間状態を経由して一方へ偏った状態になるまで押し込むことで、その後は上記付勢力によって所望とする状態へ移行されることとなる。
【０３６３】
このように、各操作部７０２，７０３を押し込む場合には、それら各操作部７０２，７０３を最奥位置に達するまで押し込む必要がない。これにより、切替操作を行う際の押し込み量（ストローク量）を低減し、開放領域ＵＥ，ＬＥを通じた操作の容易化を実現している。
【０３６４】
以上詳述した、第２の実施の形態によれば、操作片７０１に対して遊技球が衝突する機会を好適に低減することができ、第１の実施の形態に示した構成と比較して、遊技球の衝突に起因した電源スイッチ２４７の切り替わりを一層好適に抑えることができる。オン状態からオフ状態への切り替わりだけでなく、オフ状態からオン状態への切り替わりについても好適に抑制することができる。
【０３６５】
＜第３の実施の形態＞
上記各実施の形態においては、電源スイッチ２４７（詳しくは操作片７０１）に対する遊技球の衝突を抑えることにより、電源スイッチ２４７の切り替わりを抑制する構成を採用したが、本実施の形態においては電源スイッチ２４７Ｙへの遊技球の衝突を許容し、仮に遊技球が衝突した場合であってもそれに起因した切り替わりを抑制する構成が採用されている。
【０３６６】
以下、図４１に基づいて本実施の形態における電源スイッチ２４７Ｙ及びそれに付随する構成について説明する。図４１（ａ）は電源スイッチ２４７Ｙ及びそれに関連する構成を拡大して示す電源・発射制御装置２４３Ｙの概略図、図４１（ｂ）は図４１（ａ）のＪ−Ｊ線断面図である。なお、以下の説明では上記第１の実施の形態と同一符号に係る構成についてはその説明を援用して同構成に関する説明を簡略化又は省略し、主として第１の実施の形態との違いを説明する。
【０３６７】
図４１に示すように、電源・発射制御装置２４３Ｘの基板ボックス２４６Ｘには、電源スイッチ２４７を収容するスイッチ収容部２５０Ｙが形成されている。スイッチ収容部２５０Ｙは、基板ボックス２４６Ｙの表側対向部２４８Ｙの一部を音声ランプ制御基板８２４側へ凹ませてなり、遊技機後方に開放されている。以下、便宜上後方への開放部分を開放部２５０ａＹと称する。
【０３６８】
スイッチ収容部２５０Ｙの底部２５０ｂＹには、基板ボックス２４６Ｙの内外に貫通するスイッチ用開口部２５１Ｙが形成されており、このスイッチ用開口部２５１Ｙを通じて電源スイッチ２４７Ｙ（詳しくは操作片７０１Ｙ）が遊技機後方へ露出している。
【０３６９】
本実施の形態における電源スイッチ２４７Ｙについては、シーソー式ではなく、レバー式となっている。具体的には、操作片７０１Ｙは上下に延びており、開放部２５０ａＹにおける凡そ上側半分を覆う略板状をなしている。操作片７０１Ｙはその上端部が回動基端部、下端部が回動先端部となるようにして保持されており、左右方向に延びる軸線を中心として前後に回動可能となっている。
【０３７０】
操作片７０１Ｙは底部２５０ｂＹに対して隙間を隔てて対峙しており、スイッチ収容部２５０Ｙ内には操作片７０１Ｙの動作領域が確保されている。つまり、操作片７０１Ｙについては、開放部２５０ａＹを通じてスイッチ収容部２５０Ｙから突出する側への回動だけでなく、スイッチ収容部２５０Ｙの奥側へ埋没する側への回動も許容されている。なお、操作片７０１Ｙは、コイルバネ等の付勢部材を用いて待機位置に留まるように付勢されており、待機位置から回動した場合には同付勢力によって待機位置へ復帰することとなる。
【０３７１】
ここで、本実施の形態における電源スイッチ２４７Ｙの切替操作について説明する。上記各実施の形態においては、同一方向（遊技機前方）への押し込み操作によってオン状態及びオフ状態の切り替えが許容されていたのに対して、本実施の形態においてはオン状態への切り替え操作の方向とオフ状態への切り替え操作の方向とが逆になっている。具体的には、操作部７０４Ｙを底部２５０ｂＹ側へ押し込むことにより、オフ状態である場合にはオン状態へ切り替わるとともにオン状態である場合にはオン状態のまま維持される。一方、操作部７０４Ｙを開放部２５０ａＹをスイッチ収容部２５０Ｙから突出する側へ引っ張ることにより、オン状態である場合にはオフ状態に切り替わるとともにオフ状態である場合にはオフ状態のまま維持される。
【０３７２】
図４１（ｂ）に示すように、スイッチ収容部２５０Ｙの外部から操作片７０１Ｙに対して遊技球が衝突する場合を想定すると、当該衝突によって生じる外力については操作片７０１Ｙを底部２５０ｂＹ側へ押すように作用する。故に、遊技球がスイッチ収容部２５０Ｙの外部から衝突したとしても、それによりオフ状態に切り替わることはない。
【０３７３】
また、操作片７０１Ｙの回動先端部と開放部２５０ａＹの縁部との隙間寸法は遊技球の直径寸法よりも大きく設定されており、当該隙間への指等の挿入が容易化されている。一方、操作片７０１Ｙと底部２５０ｂＹとの隙間寸法は遊技球の直径寸法よりも小さく設定されている。このため、開放部２５０ａＹを通じてスイッチ収容部２５０Ｙ内に遊技球が飛び込んだ場合であっても、底部２５０ｂＹ等に反射した遊技球が操作片７０１Ｙに対してスイッチ収容部２５０Ｙの内部から衝突するといった不都合が生じにくくなっている。このようにして各隙間寸法を設定することにより、遊技球の衝突に起因したオフ状態への切り替わりを規制しつつ、それに起因した操作片７０１Ｙの操作性の低下を抑制している。
【０３７４】
なお、上述した各実施の形態の記載内容に限定されず、例えば次のように実施してもよい。因みに、以下の別形態の構成を、上記各実施の形態における構成に対して、個別に適用してもよく、相互に組み合わせて適用してもよい。
【０３７５】
（１）上記各実施の形態では、「支持枠補強部材」としての補強プレート５５０を「支持枠」としての樹脂ベース６０にネジ５９１を用いて固定する構成としたが、補強プレート５５０の固定方法はこれに限定されるものではない。例えば、接着材を用いて固定することも可能であるし、樹脂ベース６０及び補強プレート５５０の少なくとも一方に他方を係止する係止部を設け、同係止部によって固定することも可能である。
【０３７６】
また、樹脂ベース６０に対する補強プレート５５０の位置決めができればよく、必ずしもプレート設置部６９を採用する必要はない。
【０３７７】
（２）上記各実施の形態では、「支持枠補強部材」として板状の補強プレート５５０を採用した。支持枠補強部材は必ずしも板状である必要はなく、例えば棒状とすることも可能であるし、ブロック状とすることも可能である。特にブロック状をなす構成を採用する場合には、支持枠補強部材を中空状に形成し、強度を確保しつつ、重量増を抑えることが好ましい。
【０３７８】
（３）上記各実施の形態では、「位置決め手段」としてのロック装置６００によって遊技盤８０の前後位置を規定する構成としたが、これに限定されるものではない。例えば、位置決め手段によって遊技盤８０の上下位置や左右位置を規定する構成とすることも可能である。以下、図４２（ａ）に基づきその具体例について説明する。図４２（ａ）は位置決め手段の変形例を示す概略図である。
【０３７９】
上記実施の形態では、樹脂ベース６０に位置決め突起７９を形成し、この位置決め突起７９によって遊技盤８０の左右位置を規定した。この位置決め突起を補強プレートに設けることも可能である。詳しくは、補強プレート９００の対向部９０１において、遊技盤８０の貫通孔９１の後方となる位置に貫通孔９０２を形成し、同貫通孔９０２に位置決めピン９１０を挿通させた状態で固定することも可能である。
【０３８０】
既に説明したように遊技球発射機構１１０（詳しくは発射レール１１２）の左右位置は、補強プレートによって規定されている。このため、補強プレート９００の位置決めピン９１０によって遊技盤８０の左右位置を規定することにより、遊技球発射機構１１０と遊技盤８０との相対位置（左右位置）の精度を好適に向上させることができる。
【０３８１】
（４）上記各実施の形態では、「位置決め手段」としてのロック装置６００を補強プレート５５０に設置させた状態で樹脂ベース６０に固定する構成としたが、これを以下のように変更することも可能である。すなわち、ロック装置の固定対象を補強プレートに変更し、同ロック装置が補強プレートに設置されるとともに固定される構成とすることも可能である。以下、図４２（ｂ）に基づきその具体例について説明する。図４２（ｂ）はロック装置の取付構造の変形例を示す概略図である。
【０３８２】
図４２（ｂ）に示すように、補強プレート９２０の対向部９２１には、前後に貫通する貫通孔９２２が設けられている。貫通孔９２２はネジ４１８の挿通を許容する大きさに形成されており、対向部９２１において遊技盤８０とは反対側の板面、すなわち樹脂ベース６０の対向板部６２側の板面には、貫通孔９２２と連通するようにしてナット９２５が固定されている（詳しくは溶着されている）。ロック装置６００は、それらナット９２５に対してネジ４１８がねじ込まれることにより補強プレート９２０に対して固定されている。このようにロック装置６００を補強プレート９２０に固定することにより、更なる位置決め精度の向上に貢献することができる。
【０３８３】
（５）上記各実施の形態では、補強プレート５５０をプレート設置部６９，下側壁部６６，対向板部６２に沿って折り曲げることにより、全体としてクランク状に形成したが、必ずしも補強プレートをクランク状にする必要はない。但し、補強プレートによって樹脂ベース６０を補強する点に着目すれば、同補強プレートの断面（自身の長手方向と直交する断面）がＬ字状やコ字状とすることにより強度向上を図ることが望ましい。このように、強度の向上を図る際には、補強プレートの占有領域の拡がりを抑えることが困難になると想定される。この点、上記実施の形態に示したように樹脂ベース６０の前面に沿って補強プレートを折り曲げる構成とすれば、そのような不都合を好適に払拭し、実用上好ましい構成を実現できる。
【０３８４】
（６）上記各実施の形態では、遊技盤８０を「支持枠」としての樹脂ベース６０に対してパチンコ機１０の前方から取り付ける構成としたが、支持枠に対して遊技盤８０を後方から取り付ける構成とすることも可能である。この場合、遊技盤を補強プレートの背面に当接させることにより、同遊技盤の前後位置を規定し、同補強プレートの前面に遊技球発射機構（詳しくはベースプレート）を当接させることにより、同遊技球発射機構の前後位置を規定することにより、それら遊技盤と遊技球発射機構との相対位置の精度を好適に高めることができる。
【０３８５】
（７）上記各実施の形態では、遊技盤８０がロック装置６００の操作部６４６に対してパチンコ機１０の後方から当接することにより、同遊技盤８０の前後位置を規定する構成としたが、これを変更し、ロック装置によって押された遊技盤が補強プレート５５０の対向部３８１に当接することにより、遊技盤８０の前後方向での位置決めを行う構成としてもよい。言い換えれば、遊技盤８０の前面を対象として同遊技盤８０の位置決めを行うのではなく、遊技盤８０の背面を対象として同遊技盤８０の位置決めを行うことも可能である。しかしながら、このような変更を行った場合には、遊技盤８０の厚みのばらつき等に起因して、遊技球発射機構１１０と遊技盤８０の前面との相対位置の位置精度が低下しやすくなると想定される。故に、望ましくは、遊技盤８０の前面を対象に位置決めを行うとよい。
【０３８６】
（８）上記各実施の形態では、ロック装置６００のベースプレート６１０が樹脂ベース６０に対して固定される構成としたが、これに限定されるものではない。例えば、軸ピン６２０や操作レバー６４０を樹脂ベースに対して固定する構成とすることも可能である。
【０３８７】
なお、ロック装置６００は必ずしもユニット化する必要はく、個々の構成を個別に取り付ける構成とすることも可能である。この場合、少なくとも操作レバーを補強プレート５５０に取り付けることにより、実用上好ましい構成を実現できる。
【０３８８】
（９）上記各実施の形態では、「発射部」としてのソレノイド１１１，「発射レール部」としての発射レール１１２等を「ベース体」としてのベースプレート１１４に固定することにより、発射に関する構成をユニット化した。このベースプレート１１４を補強プレート５５０に設置することにより、同補強プレート５５０に対する発射レール１１２の位置決めを行う構成としたが、これに限定されるものではない。例えば、発射レール１１２をベースプレート１１４を介することなく、補強プレート５５０に対して直接設置する構成とすることも可能である。
【０３８９】
（１０）上記各実施の形態では、補強プレート５５０の長手方向に離れた２箇所、すなわち左右２箇所にて遊技球発射機構１１０（詳しくは発射レール１１２）の位置決めを行ったが、これを変更し、上下２箇所にて位置決めを行うことも可能である。但し、このような変更を行った場合には、補強プレート５５０が上下に拡張されると想定される。補強プレートは、樹脂ベース６０の回動基端部と回動先端部とを繋ぐように形成することにより、その補強効果を好適に発揮させることができる一方、回動中心軸線方向に延びる場合、補強効果によるメリットよりも重量増によるデメリットのほうが大きくなることが懸念される。故に、望ましくは遊技球発射機構１１０の位置決めを、左右の複数箇所にて行うとよい。
【０３９０】
また、ベースプレート１１４と補強プレート５５０のベース部５６１とを面接触させるとともに、その接触範囲が補強プレート５５０の短手方向（上下方向）と比較して長手方向（左右方向）に拡がる構成としたが、これを変更し、上記接触範囲が補強プレート５５０の長手方向と比較して短手方向に拡がる構成とすることも可能である。
【０３９１】
（１１）上記各実施の形態では、補強プレート５５０をプレート部材２８１とともに樹脂ベース６０に対して共締めする構成としたが、両者を別個独立してネジ止めする構成とすることも可能である。
【０３９２】
（１２）上記各実施の形態では、遊技球発射機構１１０のベースプレート１１４の前面（詳しくは発射レール１１２）が設置されている面と、遊技盤８０の前面とが面一となる構成としたが、これに限定されるものではない。少なくとも、発射レール１１２から発射される遊技球の通過軌道と遊技盤の下端縁との干渉が回避されていればよい。例えば、発射レール１１２が遊技盤の前面よりも前側に位置する構成とするとよい。
【０３９３】
（１３）上記各実施の形態では、ロック装置６００の操作部６４６を回動させることでロック状態とアンロック状態とを切り替える構成としたが、これを変更し、操作部を特定方向にスライド移動させることでロック状態とアンロック状態とを切り替える構成としてもよい。
【０３９４】
（１４）ロック装置６００の配置は任意である。例えば遊技盤８０の回動基端に寄せて配置することも可能である。但し、前扉枠１４の回動基端側に寄せて配置している場合には、ロック装置６００を回動させるための作業スペースの確保が難しくなり得る。故に、好ましくは前扉枠１４の回動先端側、すなわち遊技盤８０の回動先端側に寄せて配置するとよい。
【０３９５】
（１５）上記各実施の形態では、操作部６４６の操作量が所定量に達すると、遊技盤８０を押すプッシャ６３０が一気に突出する構成としたが、これを以下のように変更することも可能である。すなわち、操作部６４６の操作量の増加に応じてプッシャ６３０の突出量が徐々に増加する構成としてもよい。
【０３９６】
（１６）上記各実施の形態では、操作部６４６がアンロック位置から遊技盤８０の前面に対して当接する位置まで回動した場合に、プッシャ６３０が遊技盤８０を押す構成としたが、これを以下のように変更してもよい。すなわち、操作部６４６がアンロック位置から遊技盤８０の前面に対して当接する位置まで回動する前の時点で、プッシャ６３０が遊技盤８０を押す構成とすることも可能である。但し、このような変更を行った場合には、操作部６４６の操作がプッシャ６３０に押された遊技盤８０によって妨げられやすくなると想定される。これは、ロック装置６００の切替操作をやりにくくする要因となり得る。この点、上記実施の形態に示すように、操作部６４６が遊技盤８０によって邪魔されない位置まで回動した後、プッシャ６３０が遊技盤８０を押す構成とすれば、確かに操作部６４６と遊技盤８０との間に摩擦は生じるものの、操作部６４６が遊技盤８０（詳しくは挿通部９２の内面）につかえるといった不都合を回避することができる。
【０３９７】
（１７）上記各実施の形態では、ロック装置６００がアンロック状態である場合に、操作部６４６の長手方向と、遊技盤８０の回動中心軸線に直交する方向とが一致する構成としたが、これに限定されるものではない。例えば、操作部６４６の長手方向と、遊技盤８０の回動中心軸線に直交する方向とが相違する構成としてもよい。但しこの場合、遊技盤８０が回動する構成であるが故に、挿通部９２における操作部６４６の通過隙を大きく設定する必要が生じる。これは、操作部６４６において遊技盤８０に当接する部位を操作レバー６４０の基部６４１から遠ざける要因となる。すなわち、遊技盤８０との掛かり代を減少させるとともに操作レバー６４０に加わる応力を増大させる要因となり得る。故に、望ましくは、アンロック状態においては操作部６４６の長手方向を遊技盤８０の回動中心軸線に直交する方向に揃えるとよい。
【０３９８】
（１８）上記各実施の形態では、操作レバー６４０の操作部６４６が基部６４１の中心軸線を中心として対称形状をなす構成としたが、必ずしもそのように対称形状を成す必要はなく、中心軸線を挟んだ両側で形状が異なっていてもよい。
【０３９９】
また、操作部６４６が基部６４１を挟んだ上下両側にて遊技盤８０の前面と当接する構成としたが、これを変更し、基部６４１の上下両側のうち一方で遊技盤８０の前面と当接する構成とすることも可能である。例えば操作レバー６４０をＴ字状からＬ字状に変形し、遊技盤８０の前面に対する当接箇所を減らすことも可能である。
【０４００】
（１９）上記各実施の形態では、各操作レバー６４０が同一形状をなす一方で遊技盤８０の挿通部９２はそれぞれ異なる形状をなす構成としたが、これを変更し、各操作レバー６４０と同様に各挿通部９２の形状を統一してもよい。
【０４０１】
（２０）上記各実施の形態では、操作レバー６４０の回動範囲を凡そ９０°に制限し、その範囲内でロック状態とアンロック状態とが切り替えられる構成としたが、操作レバー６４０の回動範囲はこれに限定されるものではない。例えば１８０°としてもよいし３６０°としてもよい。
【０４０２】
また、アンロック状態から時計回りに回動させることでロック状態に切り替えられ、ロック状態から反時計回りに回動させることでアンロック状態に切り替えられる構成としたが、これを以下のように変更してもよい。すなわち、同一方向への回動操作によりロック状態とアンロック状態との切り替えがなされる構成としてもよい。例えば、時計回りに１８０°回動させる毎にロック状態とアンロック状態とが切り替わる構成とすることも可能である。これにより、上記変形例（１７）に示した遊技盤８０と操作部６４６との掛かり代を確保しやすくできる。
【０４０３】
（２１）上記各実施の形態では、対向板部６２が環状（詳しくは矩形枠状）をなす構成としたが、対向板部は遊技盤８０の背面に対向する平板状をなしていればよく、その外形は必ずしも環状でなくてもよい。例えば、対向板部を内枠１３の左側枠部１３ｃ及び右側枠部１３ｄに跨って延びる長板状に形成してもよい。
【０４０４】
また、対向板部６２に補強や部材取付等を目的としたリブや凹み等の凹凸を有する構成としたが、それら凹凸等を有さない構成とすることも可能である。
【０４０５】
（２２）上記各実施の形態では、対向板部６２と周壁部６３とによって遊技盤収容部６１を構成したが、同遊技盤収容部６１は必須ではない。少なくとも対向板部６２に相当する構成を有していればよく、周壁部６３を省略することも可能である。
【０４０６】
（２３）上記各実施の形態では、遊技盤８０を固定する左右のロック装置６００の間に同遊技盤８０の左右位置を規定する位置決め突起７９を配置したが、ロック装置６００及び位置決め突起７９の位置関係は任意であり、２つのロック装置６００の間に位置決め突起７９を配置する必要はない。また、位置決め突起７９を左側のロック装置６００に寄せて配置したが、同位置決め突起を右側のロック装置６００に寄せて配置することも可能である。
【０４０７】
（２４）上記各実施の形態では、遊技盤８０を装着完了位置に配置する過程で、先ずロック装置６００の操作部６４６が遊技盤８０の挿通部９２に入り、その後、位置決め突起７９が遊技盤８０の貫通孔９１に入る構成としたが、これを変更し、位置決め突起７９が貫通孔９１に入った後、操作部６４６が挿通部９２に入る構成とすることも可能である。但し、この場合、遊技盤８０の左右位置が大きくばらついた状態にて位置決め突起７９が貫通孔９１には入ろうとするため、同位置決め突起７９が貫通孔９１に嵌らず遊技盤８０の背面等に衝突することが懸念される。これは、位置決め突起７９を変形させ、位置決め精度の低下を招く要因となり得るため好ましくない。故に、望ましくは、上記実施の形態に示したように、先ず操作部６４６及び挿通部９２によって遊技盤８０の大まかな位置ずれを抑え、ある程度位置決めの目処が立った状態にて位置決め突起７９が貫通孔９１に入る構成とするとよい。
【０４０８】
（２５）上記各実施の形態では、位置決め突起７９が円柱状をなす構成としたが、同位置決め突起を角柱状とすることも可能である。また、位置決め突起７９の先端部分を縮径したが、これを省略することも可能である。
【０４０９】
（２６）上記各実施の形態では、遊技盤８０の左右位置を規定する位置決め突起７９を同遊技盤８０の外レール１０２の背後に配置したが、これを変更し、位置決め突起７９をパチンコ機１０の正面視において外レール１０２よりも内側又は同外レール１０２よりも外側に配置することも可能である。但し、このように位置決め突起７９の配置を変更する場合であっても、特定部位ＳＰになるべく近づけて配置することが好ましい。
【０４１０】
（２７）上記各実施の形態では、誘導レール１００の入口部分１０４を遊技盤８０の下端寄りに配したが、同入口部分１０４を遊技盤８０の上端寄りに配することも可能である。但し、このような変更を行った場合には、入口部分１０４と遊技球発射機構１１０との間隔が拡がることで、遊技球の着地位置のばらつきが大きくなると想定される。この場合、入口部分１０４の近傍にて位置決め突起によって位置ばらつきを抑えたとしても、遊技球の発射ばらつきが支配的となり、位置決め突起による着地位置の安定化機能の恩恵を十分に享受できなくなると懸念される。故に、望ましくは、誘導レール１００の入口部分１０４を遊技盤８０の下端、すなわち遊技球発射機構１１０に近づけて配置するとよい。
【０４１１】
また、誘導レール１００の入口部分１０４を遊技盤８０の中央付近に配したが、例えば入口部分１０４を遊技盤８０の回動基端側の端部に寄せて配することも可能である。この場合、遊技球発射機構１１０についても同一側に寄せて配置するとよい。
【０４１２】
（２８）上記各実施の形態では、遊技球発射機構１１０から発射された遊技球が、遊技盤８０の下端縁すなわち下側壁部６６の前方を斜めに横切る構成とした。言い換えれば、誘導レール１００の入口部分１０４と遊技球発射機構１１０における発射レール１１２の先端部分とが、下側壁部６６を挟んで斜めに対峙する構成とした。これを変更し、誘導レール１００の入口部分１０４と遊技球発射機構１１０における発射レール１１２の先端部分とを下側壁部６６を挟んで上下に配置し、遊技球発射機構１１０から発射された遊技球が、遊技盤８０の下端縁すなわち内枠１３の下側壁部６６を縦に横切る構成としてもよい。但し、この場合には、遊技球が内レール１０１側に逸れる可能性が生じ、遊技球の着地位置を特定するのが困難なものとなり得る。故に、望ましくは、遊技球の飛翔方向をわずかにでも外レール１０２側に傾けるのがよい。
【０４１３】
（２９）上記各実施の形態では、外レール１０２が円弧状をなし、同外レール１０２の特定部位ＳＰにおける接線ＴＬが発射レール１１２のレール方向と同一方向とすることにより、遊技球着地時の衝撃を和らげるとともに、外レール１０２に沿った円滑な誘導を可能とした。これを以下のように変更してもよい。すなわち、外レール全体を円弧状にするのではなく、上記特定部位ＳＰを含んだ一部が発射レール１１２のレール方向と同一方向に延びる構成としてもよい。これにより、上記実施の形態と同様の効果が得られる。
【０４１４】
（３０）上記各実施の形態では、位置決め突起７９が挿通される貫通孔９１に撓み規制部材１０７を取り付けたが、この撓み規制部材１０７を省略することも可能である。また、貫通孔９１以外の孔等を用いて撓み規制部材１０７を取り付けることも可能である。
【０４１５】
（３１）遊技盤８０の厚さ方向に貫通している貫通孔９１に代えて、遊技盤８０の厚さ方向に貫通していない穴部又は凹部を用いることも可能である。更には、貫通孔が上下に拡張された長孔状をなし、位置決め突起７９の上下方向への移動を許容する構成としたが、これに限定されるものではない。例えば貫通孔９１の内形を位置決め突起７９の外形に合わせて形成し、それら貫通孔９１及び位置決め突起７９に上下方向の位置決め機能を付与することも可能である。しかしながら、このような変更を行った場合、位置決め突起７９に生じる負担が大きくなり、同位置決め突起７９の変形等を生じやすくなると想定される。これは、位置決め機能の低下を招く要因となり得るため好ましくない。故に、望ましくは、貫通孔９１を、遊技盤８０の上下の位置ばらつきを許容する隙間が位置決め突起７９との間に生じるように形成するとよい。
【０４１６】
（３２）上記各実施の形態では、誘導レール１００を内レール１０１及び外レール１０２によって構成したが、必ずしもそれら両レールを必須とするものではない。少なくとも外レール１０２に相当するレールを有していればよい。また、内レール１０１及び外レール１０２を別体で設ける必要はなく、両者を一体的に設けること（例えば一体成形すること）も可能である。
【０４１７】
（３３）上記各実施の形態では、遊技球発射ハンドル４５の操作量が第１規定量以上となった場合に、遊技球が外レール１０２の特定部位ＳＰに着地する構成としたが、これを変更し、操作量が第２規定量以上となった場合に、遊技球が外レール１０２の特定部位ＳＰに着地する構成とすることも可能である。遊技球発射ハンドル４５の操作量が増せば、遊技球の発射速度も増加する。遊技球の発射速度が、例えば返しゴムに到達するレベルまで高まると、外レール１０２に着地した際の衝撃も大きくなると想定される。少なくとも、このような高い発射速度で打ち出された遊技球の衝突位置のばらつきを抑制することで、外レール１０２の耐久性向上に貢献しやすくできる。
【０４１８】
（３４）上記各実施の形態では、「カバー部」としてのレールカバー４００により「区画部」としての誘導レール１００（詳しくは外レール１０２）において誘導通路１０３を構成している部分を覆う構成としたが、これに限定されるものではない。例えば、誘導レール１００において誘導通路１０３を構成していない部分をカバー部により覆う構成とすることも可能であり、誘導レール１００全体をカバー部により覆う構成とすることも可能である。
【０４１９】
但し、誘導レール１００の誘導機能の担保を考慮すると、同誘導レール１００において発射された遊技球を遊技領域ＰＥへ誘導する部分、すなわち上記誘導通路１０３を構成している部分は覆う構成とすることが望ましい。また、遊技盤８０を「支持枠」としての樹脂ベース６０に装着する際には同遊技盤８０を挿入部２９０に挿入する構成を採用している。このため、既に説明したように誘導レール１００において挿入部２９０側となる部分が他の部分と比較して干渉の対象となりやすいと想定される。故に、望ましくは挿入部２９０側となる部分を覆う構成とすることが望ましい。
【０４２０】
（３５）上記各実施の形態では、レールカバー４００に湾曲部４２１や対向部４５０等を設け、同レールカバー４００の変形を抑える構成としたが、これに限定されるものではない。上述した湾曲部４２１等の強度向上を担っている構成を省略してレールカバー４００の強度を下げることにより同レールカバー４００の変形を促進させる構成とすることも可能である。このような変更を行う場合には、レールカバー４００と誘導レール１００との隙間を拡げ、レールカバー４００→誘導レール１００への力の伝播を回避するとよい。
【０４２１】
但し、このような隙間の拡大は、遊技盤８０の前面側という限られた領域において、誘導レール１００との共存が難しくなる要因となり得る。故に、望ましくは、上記実施の形態に示したようにレールカバー４００の強度を高めつつ同レールカバー４００の占有領域の拡がりを抑えるとよい。
【０４２２】
（３６）上記各実施の形態では、誘導レール１００において挿入部側に凸となっている部分の上下両側にてレールカバー４００を遊技盤８０に固定する構成としたが、レールカバー４００の固定箇所は任意である。
【０４２３】
例えば、外側ベース部４１２における固定箇所（ネジ孔４１３）を、内側ベース部４１１における固定箇所（ネジ孔４１４）よりも湾曲部４２１寄りとなるように構成したが、これに限定されない。内側ベース部４１１における固定箇所（ネジ孔４１４）を、外側ベース部４１２における固定箇所（ネジ孔４１３）よりも湾曲部４２１寄りとなるように構成してもよい。
【０４２４】
なお、レールカバー４００を固定する固定手段は、ネジ４１６，４１７に限定されるものではない。例えばレールカバー４００に爪部を形成し、同爪部が遊技盤８０の受け部等に係合することによりレールカバー４００が遊技盤８０に固定される構成とすることも可能である。また、レールカバー４００を遊技盤８０に対して機構的に固定するのではなく、接着剤等を用いて固定することも可能である。
【０４２５】
（３７）上記各実施の形態では、レールカバー４００の起立部４２０が誘導レール１００（詳しくは外レール１０２）に沿って湾曲する湾曲部４２１を有する構成としたが、必ずしも湾曲部４２１を有する必要はない。例えば、起立部が遊技盤８０の縁部に沿って真っ直ぐに延びる構成としてもよい。但し、このような変更を行った場合、起立部の強度が低下し、遊技領域ＰＥの外側から起立部が押される等した場合の同起立部の変形量が増大すると想定される。故に、湾曲部を省略する場合には起立部を補強する等して、同起立部の変形量の増大を抑えることが望ましい。
【０４２６】
（３８）上記各実施の形態では、レールカバー４００のベース部４１０において湾曲部４２１が起立している部分では内側ベース部４１１を省略したが、これを変更し、湾曲部４２１が起立している部分に内側ベース部を形成することも可能である。
【０４２７】
但し、このような変更を行った場合、湾曲部４２１と外レール１０２との隙間を拡げ、内側ベース部の設置領域を確保する必要が生じる。これは、遊技領域ＰＥを圧迫する要因となり得るため好ましくない。故に、望ましくは、上記実施の形態に示したように、湾曲部４２１においては内側ベース部４１１を省略し、誘導レール１００とレールカバー４００とを好適に共存させるとよい。
【０４２８】
（３９）上記各実施の形態では、レールカバー４００がベース部４１０を有し、同ベース部４１０を遊技盤８０に対して固定したが、これに限定されるものではない。例えばベース部４１０を省略し、起立部４２０を遊技盤８０に対して直接固定することも可能である。
【０４２９】
更には、カバー部を遊技盤８０に対して必ずしも別体で設ける必要はなく、カバー部を遊技盤８０と一体成形することも可能である。
【０４３０】
（３９）上記各実施の形態では、レールカバー４００によって誘導レール１００（詳しくは外レール１０２）を遊技盤８０の正面側及び遊技領域ＰＥの外側から覆う構成としたが、カバー部は誘導レール１００を少なくとも遊技領域ＰＥの外側から覆っていればよく、必ずしも遊技盤８０の正面側から覆う必要はない。例えば、レールカバー４００における対向部４５０を省略することも可能である。
【０４３１】
なお、上記実施の形態における対向部４５０には誘導レール１００を覆う機能の他に遊技盤８０とガラスユニット３０との隙間の拡がりを規制する機能が付与されている。故に、上記変更を採用する場合には、対向部４５０における後者の機能を満足する構成を別途設けることが望ましい。
【０４３２】
（４０）上記各実施の形態では、内枠１３（詳しくは樹脂ベース６０）において前扉枠１４を軸支している側と同一側に挿入部２９０を配したが、これを変更し、内枠１３において前扉枠１４を軸支している側とは反対側に挿入部２９０を配することも可能である。但し、このような変更を行った場合には、遊技盤８０を着脱する際に前扉枠１４が作業の邪魔になりやすいと想定される。確かに、前扉枠１４の開放量を大きくすることで、作業性の低下を抑えることは可能であるが、このような対応は作業スペースが無駄に拡がる要因となり得るため好ましくない。特に、遊技ホール等の島設備に設置されている状態にて前扉枠１４を大きく開放させる必要があると、隣接する遊技機での遊技を妨げる要因となり得るため好ましくない。この点、上記実施の形態に示したように、前扉枠１４を軸支している側と同一側に挿入部２９０を配すれば、上記不都合を払拭し、実用上好ましい構成を実現できる。
【０４３３】
（４１）上記各実施の形態では、遊技盤８０を回動させることにより装着完了位置へ配置可能な構成としたが、これに限定されるものではない。例えば遊技盤８０を所定の方向にスライド移動させることで装着完了位置へ配置可能な構成とすることも可能である。
【０４３４】
（４２）上記各実施の形態では、樹脂ベース６０に対して遊技盤８０を同樹脂ベース６０の前方から着脱可能な構成としたが、これを変更し、同遊技盤８０を樹脂ベース６０の後方から着脱可能な構成とすることも可能である。
【０４３５】
（４３）上記各実施の形態では、「阻止手段」を構成する突起４３１及び受け部２７５を遊技盤８０の前面側に配したが、これに限定されるものではない。例えば、それら突起４３１及び受け部２７５に相当する構成を遊技盤８０の背面側に配することも可能である。但し、遊技盤８０を樹脂ベース６０の正面側から着脱する構成においては、突起４３１等を遊技盤８０の背面側に配することで、同突起４３１等が遊技盤８０によって遮られ視認性が低下すると想定される。故に、遊技盤８０を樹脂ベース６０の正面側から着脱する構成においては、突起４３１等を遊技盤８０の前面側に配することが望ましい。
【０４３６】
（４４）上記各実施の形態では、「挿入部」を構成しているストッパ部２７１に「阻止手段」を構成している受け部２７５を配設したが、これに限定されるものではない。受け部２７５に相当する構成をストッパ部２７１とは別個独立して設けることも可能である。
【０４３７】
また、「カバー部」としてのレールカバー４００に「阻止手段」を構成する突起４３１を配設したが、これに限定されるものではない。突起４３１に相当する構成をレールカバー４００とは別個独立して設けることも可能である。
【０４３８】
（４５）上記各実施の形態では、レールカバー４００を無色透明な構成としたが、例えば有色半透明であって有色不透明であってもよい。また、レールカバー４００を合成樹脂材料ではなく、アルミニウム等の金属材料によって形成することも可能である。
【０４３９】
なお、このような変更を行う場合であっても、遊技盤着脱時の突起４３１等の視認性を確保しておくことが好ましい。
【０４４０】
（４６）「阻止手段」を構成する突起４３１及び受け部２７５に遊技盤８０の位置決め機能を付与することも可能である。但し、このような変更を行った場合、突起４３１を受け部２７５に引っ掛けることが難しくなり、遊技盤８０を装着する際の作業性が低下すると想定される。故に、突起４３１及び受け部２７５については、上記実施の形態に示したように、遊技盤８０の位置を規定するのではなく、ある程度の位置ばらつきを許容する（仮止め）程度にしておくことが好ましい。
【０４４１】
（４７）上記各実施の形態では、「載置部」としての仮置き部１２５を「規制手段」を構成するストッパ部２７１よりも下方に配置したが、両者の配置を逆転することも可能である。
【０４４２】
（４８）上記各実施の形態では、レールカバー４００のアーム部４３０が起立部４２０から突出する構成としたが、これを変更し、アーム部がベース部４１０から突出する構成としてもよい。但し、このような変更を行った場合には、挿入部２９０に遊技盤８０を挿入する際にアーム部が撓みにくくなると想定される。故に、望ましくは、アーム部は起立部４２０に形成するとよい。
【０４４３】
（４９）上記各実施の形態では、遊技盤８０を仮置き可能な仮置き部１２５を有する構成としたが、この仮置き部を省略することも可能である。このような変更を行う場合には、アーム部４３０，突起４３１及びストッパ部２７１を補強し、遊技盤８０をそれらアーム部４３０等によって支えるすることが可能となるように構成することで、作業負荷の増大を抑えることができる。しかしながら、このような強度確保は、ストッパ部２７１やレールカバー４００の大型化を招来し、遊技領域ＰＥを圧迫する要因となり得る。故に、望ましくは、上記実施の形態に示したように遊技盤８０の前面から外れた位置に仮置き部を設け、アーム部４３０等に負荷が集中することを回避するとよい。
【０４４４】
（５０）上記各実施の形態では、遊技盤８０を挿入部２９０に挿入することにより、同挿入部２９０からの遊技盤８０の取り外しが規制される構成とした。つまり、遊技盤８０の挿入操作に基づいて、「阻止手段」としての突起４３１と受け部２７５とが係合状態（規制状態）に切り替る構成とした。これを以下のように変更することも可能である。すなわち、遊技盤８０を挿入部２９０に挿入する挿入操作とは別の操作により遊技盤８０の取り外し不能にロックするロック機構を設けてもよい。この場合、例えばロック機構が回動操作可能に形成されたロックレバーを有し、同ロックレバーを操作することで遊技盤８０の取り外しが不可となる構成を採用するとよい。
【０４４５】
（５１）上記各実施の形態では、「阻止手段」を構成する受け部２７５を遊技盤収容部６１内に配したが、これを変更し、受け部２７５を遊技盤収容部６１外に配することも可能である。例えば、遊技盤収容部６１の前方に配することも可能である。しかしながら、このような変更は、内枠１３の厚みを嵩みやすくし、パチンコ機１０の薄型化を妨げる要因となり得る。故に、望ましくは、受け部２７５を遊技盤収容部６１内に収容するとよい。
【０４４６】
（５２）上記各実施の形態では、遊技盤８０の突起４３１が樹脂ベース６０の受け部２７５の底部に当接しない構成とし、更には遊技盤８０のアーム部４３０がストッパ部２７１の上面２７２に当接しない構成としたが、これを変更し、突起４３１が受け部２７５の底部に当接する又はアーム部４３０が上面２７２に当接する構成とすることも可能である。
【０４４７】
但し、このような変更を行った場合には、遊技盤８０の重さがアーム部４３０等に伝わりやすくなり、それらアーム部４３０に加わる負荷が大きくなることで、挿入部２９０からの取外規制機能が低下することが懸念される。故に、望ましくは、上記実施の形態に示したように、突起４３１と受け部２７５とが引っ掛かっている状態において、それら突起４３１や受け部２７５に付随する構成が上下に当接することを回避するとよい。
【０４４８】
（５３）上記各実施の形態では、挿入部２９０を「区画部」としての誘導レール１００において同挿入部２９０側に凸となっている部分の上方及び下方にそれぞれ配置したが、これに限定されるものではない。挿入部２９０を上記凸となっている部分に対して横並びとなる位置に配置することも可能である。また、挿入部を複数に分けて設けるのではなく、遊技盤の縁部に沿って、上記凸となっている部分の上方及び下方に延びる一連の挿入部を形成することも可能である。
【０４４９】
但し、このような変更を行った場合には、遊技盤８０の前面側にて誘導レール１００と挿入部とを共存させることによる遊技領域ＰＥの圧迫が顕著になると想定され好ましくない。故に、望ましくは、上記実施の形態に示したように、上記凸となっている部分を避けるようにして挿入部を配置するとよい。
【０４５０】
（５４）上記各実施の形態では、「規制手段」を構成する延出部３７をガラスユニット３０のガラスホルダ３３に配設したが、これを変更し、同延出部３７に相当する構成を前扉枠１４の枠体２０に配設することも可能である。但し、このような変更を行う場合には、延出部３７に相当する構成をガラスパネル３２に近づけて配置することが望ましい。
【０４５１】
（５５）上記各実施の形態では、延出部３７がレールカバー４００に当接する（引っ掛かる）構成としたが、延出部３７が引っ掛かる対象はレールカバー４００に限定されるものではない。例えば、レールカバー４００とは別体で、引っ掛かり用の部材を遊技盤８０に配設してもよいし、同係合部が遊技盤８０に対して直接引っ掛かる構成としてもよい。
【０４５２】
（５６）上記各実施の形態では、「パネル部材」としてのガラスパネルを２枚有する構成としたが、「パネル部材」の枚数は任意である。但し、安全性や防犯性の向上を念頭に置けば、パネル部材を少なくとも２枚採用することが好ましい。
【０４５３】
（５７）上記各実施の形態では、ガラスパネル３１，３２をガラスホルダ３３を介して枠体２０に取り付ける構成としたが、このガラスホルダ３３を省略し、ガラスパネル３１，３２を枠体２０に対して直接取り付ける構成とすることも可能である。この場合、上述したように延出部３７に相当する構成を枠体２０に配設するとよい。
【０４５４】
（５８）上記各実施の形態では、「規制手段」を構成する延出部３７等を前扉枠１４の回動基端側に配したが、これを変更し、前扉枠１４の回動先端側に配することも可能である。但し、このような変更を行った場合には、前扉枠１４の回動によって延出部３７をレールカバー４００に挿通することが難しくなり、前扉枠１４の回動を契機として動作する別の機構が必要となり得る。故に、望ましくは上記実施の形態に示したように前扉枠１４の回動基端側に配するとよい。
【０４５５】
（５９）上記各実施の形態では、「規制手段」を構成する延出部３７及び対向部４５０を前扉枠１４の回動基端部及び内枠１３の境界部位と「入球口」としての作動口８３との間に配したが、これに限定されるものではない。例えば、延出部３７及び対向部４５０を前扉枠１４の回動基端部及び内枠１３の境界部位と「入球口」としての一般入賞口８１や可変入賞装置８２との間に配置することも可能である。
【０４５６】
なお、「規制手段」を「入球口」とは関係のなく、任意に配置することも可能である。但し、防犯性向上の観点から、前扉枠１４の回動基端部及び内枠１３の境界部位と「入球口」との間に配することが望ましい。
【０４５７】
（６０）前扉枠１４の枠体２０に対するガラスユニット３０の取付構造はレバー部材２３に限定されるものではない。以下、図４３（ａ）を参照して具体的な変形例について説明する。
【０４５８】
図４３（ａ）に示すように、ガラスユニット９３０は、ガラスパネル９３１，９３２とパネルホルダ９３３とを有している。前扉枠１４のガラスユニット設置部２２は、パネルホルダ９３３の外形に合わせて形成されており、同ガラスユニット設置部２２内での前後方向へのガラスユニット９３０のスライド移動を許容している。
【０４５９】
前扉枠１４の枠体２０には後方へ延びる軸ピン９４１が固定されており、同軸ピン９４１がパネルホルダ９３３に形成された貫通孔９３５に挿通されている。軸ピン９４１にはパネルホルダ９３３に対して遊技盤８０側から当接する頭部９４２が形成されており、同頭部９４２によってガラスユニット設置部２２からのガラスユニット９３０の脱落が阻止されている。
【０４６０】
また、軸ピン９４１にはコイルバネ９４３が挿通されており、同コイルバネ９４３が頭部９４２とパネルホルダ９３３とによって挟まれた状態となっている。つまり、コイルバネ９４３によってガラスユニット９３０が遊技盤８０から遠ざかる側に付勢された状態となっている。
【０４６１】
このため、前扉枠１４及び遊技盤８０のうち少なくとも一方が他方から遠ざかる側に変位した場合には延出部３７が第２対向部４５２，４５３に当接し、上記変位が増すとコイルバネ９４３が圧縮され、ガラスユニット９３０は上記変位に追従することなくその場に留まるととなる。これにより、ガラスユニット９３０（詳しくは後側のガラスパネル９３２）と遊技盤８０との隙間の拡がりを規制することができるとともに、延出部３７やレールカバー４００に過剰な負荷が加わって変形等が生じることを抑制できる。故に、ガラスユニット９３０と遊技盤８０との離れを規制する機能を好適に維持することが可能となる。
【０４６２】
なお、上記コイルバネ９４３が最も圧縮された状態となっている場合でも、ガラスユニット９３０の一部がガラスユニット設置部２２に対して嵌まった状態となることにより、ガラスユニット９３０と枠体２０との隙間を通じた不正具等の挿入が容易になることを抑制し、防犯性の低下を抑えることができる。
【０４６３】
（６１）上記各実施の形態では、「パネル部材」をガラス製としたが、合成樹脂製とすることも可能である。このようにパネル部材を合成樹脂製とする場合には、併せて以下の変更を行うことも可能である。すなわち、延出部３７に相当する構成を、パネル部材に設けることも可能である。
【０４６４】
更には、パネル部材を変位可能に保持する構成とすることにより、パネル部材と遊技盤８０との隙間の拡がりを一層好適に規制することができる。以下、図４３（ｂ）を参照して具体的な変形例について説明する。図４３（ｂ）は、規制手段の変形例を示す概略図である。
【０４６５】
図４３（ｂ）に示すように、ガラスユニット９５０のパネル部材９５１，９５２のうち少なくとも後側のパネル部材９５２は無色透明な合成樹脂材料により形成されている。パネルホルダ９５３には両パネル部材９５１，９５２に個別に対応する溝部９５４，９５５が形成されている。前側のパネル部材９５１に合わせて形成された溝部９５４の幅寸法は、前側のパネル部材９５１の厚さ寸法と同等となるように設定されており、前側のパネル部材９５１の前後方向への変位を阻止されている。一方、後側のパネル部材９５２に合わせて形成された溝部９５５の幅寸法は、後側のパネル部材９５２の厚さ寸法よりも大きく設定されており、後側のパネル部材９５２の前後方向への変位が許容されている。
【０４６６】
後側の溝部９５５には、パネル部材９５２に対して遊技盤８０側から当接する板バネ９５６が配設されており、同板バネ９５６によってパネル部材９５２が遊技盤８０から遠ざかる側（前方）に付勢されている。
【０４６７】
後側のパネル部材９５２には、遊技盤８０のレールカバー４００（詳しくは第２対向部４５２，４５３）に係合可能な係合部９５７が形成されている。
【０４６８】
前扉枠１４及び遊技盤８０のうち少なくとも一方が他方から遠ざかる側に変位した場合には、係合部９５７が第２対向部４５２，４５３に係合する。この際、上記変位が増すと、上記板バネ９５６が圧縮され、後側のパネル部材９５２は上記変位に追従することなくその場に留まることとなる。これにより、後側のパネル部材９５２と遊技盤８０との隙間の拡がりを規制することができるとともに、係合部９５７やレールカバー４００に過剰な負荷が加わって変形等が生じることを抑制できる。故に、後側のパネル部材９５２と遊技盤８０との離れを規制する機能を好適に維持することが可能となる。
【０４６９】
（６２）上記各実施の形態では、「規制手段」を構成する延出部３７及びレールカバー４００が遊技盤８０の前方にて引っ掛かる構成としたが、これに限定されるものではない。遊技盤８０の後方にて引っ掛かる構成とすることも可能である。例えば、上述したように遊技盤８０の背面に対して延出部３７が引っ掛かる構成にするとよい。
【０４７０】
（６３）上記各実施の形態では、「規制手段」として前扉枠１４の延出部３７と遊技盤８０のレールカバー４００とを有し、延出部３７が前扉枠１４の動きに追従して、レールカバー４００に対する引っ掛かる位置へ移動する構成としたが、これに限定されるものではない。「規制手段」は、少なくとも前扉枠１４を閉じた状態にて遊技盤８０とガラスユニット３０（詳しくは後側のガラスパネル３２）との隙間の拡がりを規制することができるものであればよい。例えば、遊技盤８０及びガラスユニット３０の相対移動が不可となるようにロックするロック状態と、遊技盤８０及びガラスユニット３０の相対移動を許容するロック解除状態とに切替可能なロック装置を設け、同ロック装置を前扉枠１４が開放されている場合にはロック状態に切り替わるとともに前扉枠１４が閉じた場合にロック状態に切り替る構成とすることも可能である。なお、このようなロック装置を採用する場合、同ロック装置が施錠装置と連動してロック状態とロック解除状態とに切り替る構成とすることで、更なる防犯性の向上が期待できる。
【０４７１】
（６４）上記各実施の形態では、挿入部２９０に遊技盤８０のレールカバー４００が嵌まることにより、遊技盤８０の前後方向への移動が規制される構成とした。詳しくは、レールカバー４００のベース部４１０が挿入部２９０を構成するストッパ部２７１の背面２７４に当接し、同レールカバー４００の突出部４４０が対向板部６２のリブに当接することにより前後位置が規定される構成とした。これを以下のように変更することも可能である。例えば、対向板部６２に遊技盤８０をストッパ部２７１側に付勢する付勢部材としての板バネを配設し、同板バネによって遊技盤８０（詳しくはベース部４１０）がストッパ部２７１に押し付けられることにより、同遊技盤８０の前後位置が規定される構成とすることも可能である。
【０４７２】
（６５）上記第１の実施の形態では、突出部２５２によって「操作手段」としての第２操作部７０３に対する遊技球の衝突を回避する構成としたが、これに限定されるものではなく、電源スイッチ２４７のオフ状態への切り替りを回避できるのであれば、衝突規制にかかる構成を以下のように変更することも可能である。例えば、「切替規制部」として少なくとも第２操作部７０３を遊技機後方から覆うスイッチカバーを採用することも可能ある。
【０４７３】
但し、かかるスイッチカバーを採用した場合には同スイッチカバーによって第２操作部７０３を覆ったままでは、同第２操作部７０３の操作が困難となる。このため、スイッチカバーを取り外したり、スイッチカバーを操作の邪魔にならない位置へ移動させたりするといったオフ操作のための準備作業が必要となり得る。これは、作業性の低下を招来する要因となり得るため好ましくない。
【０４７４】
そこで、このような変形例を採用する場合には、合わせて以下の構成を採用することが望ましい。すなわち、スイッチカバーの配設対象を外枠１１とし、遊技機主部１２を閉じることで同スイッチカバーによって第２操作部７０３が覆われた状態になるととともに遊技機主部１２を所定位置まで回動させる（開放する）ことで第２操作部７０３が露出した状態になるようにするとよい。但し、遊技機主部１２を動かしている最中に遊技球が落下してくる可能があるため、遊技機主部１２が所定の作業位置へ到達するまでは、第２操作部７０３がスイッチカバーによって覆われたままとすることが好ましい。
【０４７５】
なお、本変形例においては、スイッチカバーによって覆う対象を第２操作部７０３としたが、スイッチカバーによって覆う対象を第１操作部７０２としたり、両操作部７０２，７０３としたりすることも可能である。
【０４７６】
（６６）上記各実施の形態では、電源・発射制御装置２４３が「切替手段」としての電源スイッチ２４７を有する構成としたが、「操作手段」の配設対象は電源・発射制御装置２４３に限定されるものではない。少なくとも「カバー体」としての裏パック２０１によって覆われていない箇所に設けられていればよく、例えば主制御装置１６２において裏パック２０１により覆われていない部分に配設することも可能である。また、「操作手段」の配設対象については、「背面ユニット」としての裏パックユニット１５を「遊技機本体」としての内枠１３に対して閉じたまま同操作手段へアクセス可能となるのであれば足り、配設対象を各制御装置に代えて例えば内枠１３の樹脂ベース６０や裏パックユニット１５の払出機構部２０２等とすることも可能である。
【０４７７】
（６７）上記各実施の形態においては、電源・発射制御装置２４３の基板ボックス２４６に「規制手段」を構成するスイッチ収容部２５０や仕切り部２５７を設けたが、これに代えて、裏パック２０１に「規制手段」を配設することも可能である。
【０４７８】
例えば、裏パック２０１に「操作手段」としての操作部７０３を覆う覆い部を設け、同覆い部に操作部７０３を遊技機背面側に露出させる開口部を形成してもよい。この場合、開口部を仕切り部によって細分化することにより、切替操作時に裏パック２０１を閉じたまま操作手段へアクセス可能としつつ、当該開口部を通じた操作部７０３への遊技球の衝突を回避すればよい。
【０４７９】
（６８）上記各実施の形態では、電源・発射制御装置２４３の電源スイッチ２４７（詳しくは第２操作部７０３）を保護対象として「規制手段」を配したが、これに限定されるものではない、裏パック２０１の保護カバー部２１２等によって覆われていない箇所に配されている他のスイッチ（例えばＲＡＭ消去スイッチ１６６や状態復帰スイッチ２４５等）を保護対象として「規制手段」を配することも可能である。
【０４８０】
（６９）電源スイッチ２４７の切り替え操作にかかる構成を以下のように変更することも可能である。すなわち、操作片を初期位置から上方へ変位可能とし、上方への変位によって所定の切替位置に到達することで、オン／オフの切替えが行われる構成とするとよい。この場合、切替位置に到達した操作部をバネ等の付勢力を利用して、初期位置へ復帰させるとよい。オン→オフ時、オフ→オン時の両方で、操作部の上方への変位を必須とすることにより、より好適な構成を実現することができる。
【０４８１】
かかる変更を行う場合には、電源がオンであることを検出する状態検出手段（又は電源がオフであることを検出する検出手段）と、スイッチが操作されたことを検出する操作検出手段とを採用し、電源がオンである場合に上記操作が検出されたことで、電源をオフとし、電源がオフである場合に上記操作が検出されたことで電源をオンとする処理を電源・発射制御装置にて実行させるとよい。
【０４８２】
（７０）上記第１の実施の形態及び第２の実施の形態では、電源スイッチ２４７の操作片７０１を回動式とし、その回動中心部の後方に「規制手段」を構成する突出部２５２や仕切り部２５７を配したが、これに限定されるものではなく、第１操作部７０２の後方や第２操作部７０３の後方に突出部２５２等を配することも可能である。
【０４８３】
但し、第２操作部７０３に対する遊技球の衝突を規制しつつ各操作部７０２，７０３の操作が難しくなることを抑制する点を考慮すれば、突出部２５２等は回動中心部の後方に配することが好ましい。
【０４８４】
（７１）上記各実施の形態では、電源スイッチ２４７のオフ状態への切り替わりが常時規制される構成としたが、これに限定されるものではない。少なくとも遊技機主部１２が外枠１１に対して閉じている場合に、オフ状態への切り替わりが規制される構成とすれば足りる。
【０４８５】
（７２）上記第１の実施の形態及び第２の実施の形態に示した、「規制手段」に相当する構成に代えて、操作片７０１（詳しくは第２操作部７０３）を囲むフレーム部を採用することも可能である。各フレーム同士の隙間を遊技球の通過を不可とする程度に設定することで、遊技球の衝突に起因した電源スイッチ２４７の切り替わりを規制することができる。
【０４８６】
（７３）上記第３の実施の形態では、スイッチ収容部２５０Ｙの底部２５０ｂＹと操作片７０１Ｙと隙間が、同操作片７０１Ｙの回動先端部とスイッチ収容部２５０Ｙの開放部２５０ａＹとの隙間寸法よりも小さくなるように設定したが、少なくとも底部２６０ｂＹと操作片７０１Ｙと隙間寸法が遊技球の直径寸法よりも小さく設定されていればよく、操作片７０１Ｙの回動先端部とスイッチ収容部２５０Ｙの開放部２５０ａＹとの隙間寸法については任意である。
【０４８７】
但し、操作片７０１Ｙの回動先端部とスイッチ収容部２５０Ｙの開放部２５０ａＹとの隙間寸法を遊技球の直径寸法よりも小さく設定することは、操作性を低下させる要因となり得る。故に、操作片７０１Ｙの回動先端部とスイッチ収容部２５０Ｙの開放部２５０ａＹとの隙間寸法については、底部２６０ｂＹと操作片７０１Ｙと隙間寸法が遊技球の直径寸法よりも小さく設定されている場合には、遊技球の直径寸法よりも大きく設定することが好ましい。
【０４８８】
（７４）上記第３の実施の形態では、電源スイッチ２４７Ｙを縦向きに配置したが、これを横向きに配置することも可能である。具体的には、操作片７０１Ｙの回動中心軸線が上下に延びるようにして操作片７０１Ｙを配置してもよい。
【０４８９】
遊技機主部１２（内枠１３）が外枠１１によって回動可能に支持されている構成においては、操作片７０１Ｙの回動基端部を遊技機主部１２の回動先端側、操作片７０１Ｙの回動先端部が遊技機主部１２の回動基端側となるようにして配置することにより、切替操作の容易化を実現することができる。
【０４９０】
パチンコ機を製造する工場においては、遊技機主部１２を全開位置まで回動させて電源スイッチの切替操作を行うことが時間効率の低下を招くため、遊技機主部１２を同遊技機主部１２と外枠１１との隙間に腕を挿入できる程度に開放し、遊技機主部１２の背後に腕を回し込んで手探りで電源スイッチの操作が行われることがある。また、パチンコ機が遊技ホールに設置されている場合には、遊技中にエラー等が発生した場合に、電源スイッチが操作されることがあり、この際、周辺の遊技機での遊技を妨げないようにして同操作が行われる。具体的には、上記向上での検査時と同様に、遊技機主部の開放量を最小限として、遊技機主部１２の背後に腕を回し込んで手探りで切替操作が行われることがある。
【０４９１】
そこで、上記変形例に示すように、操作片７０１Ｙの回動基端部を遊技機主部１２の回動先端側、操作片７０１Ｙの回動先端部が遊技機主部１２の回動基端側となるようにして配置することにより、操作片７０１Ｙに対して指を引っ掛けた後に同操作片７０１Ｙを遊技機主部１２の回動先端側への引っ張ることで、オフ状態への切替を行うことができる。これにより、操作片７０１Ｙの配置が左右逆になっている場合と比較して、操作の容易化を実現することができる。
【０４９２】
（７５）上記各実施の形態に示した電源スイッチ２４７を基板ボックス２４６の縁部（例えば上側縁部や下側縁部）に配置することも可能である。これにより、変形例（７４）に示したように、手探りで電源スイッチ２４７の操作が行われる場合に、同電源スイッチ２４７を見つけやすくなる。
【０４９３】
（７６）上記各実施の形態では、「識別部材」として証紙６６１を採用したが、同証紙６６１については、必ずしもシート状をなす必要はない。
【０４９４】
証紙ホルダ６７１（板材）に識別情報を印字する構成とすることも可能である。この場合、証紙ホルダ６７１が「識別部材」に相当することとなる。また、例えば遊技領域区画部材６５０に識別情報を直接印字することも可能である。
【０４９５】
（７７）上記各実施の形態では、証紙６６１（識別ユニット６６０）を遊技領域区画部材６５０を介して遊技盤８０に配設したが、証紙ホルダ６７１については必須の構成ではなく、これを省略することも可能である。この場合、証紙６６１を遊技領域区画部材６５０に対して直接貼り付ける構成とするとよい。
【０４９６】
（７８）上記各実施の形態では、識別ユニット６６０を前扉枠１４の枠体２０に対して後側から対峙する位置に配置したが、これに限定されるものではない。例えば、樹脂ベース６０に形成された窓部２１に対峙する位置に識別ユニット６６０を配置してもよい。
【０４９７】
（７９）上記各実施の形態では、証紙６６１（識別ユニット６６０）を遊技盤８０の下部に配置したが、証紙６６１の配置については任意である。但し、遊技領域ＰＥの圧迫を抑えるには、遊技領域ＰＥ外であって、前扉枠１４の枠体２０と対峙する位置に配置することが好ましい。
【０４９８】
また、証紙６６１については、遊技領域ＰＥ側を向く成分を有するようにして傾けて配置することが好ましい。例えば証紙６６１を遊技領域ＰＥの左方に配置した場合には、証紙６６１を右に傾けた状態（望ましくは遊技領域ＰＥ側を向く成分を有するようにして右側に傾けた状態）とすることが好ましい。
【０４９９】
（８０）上記各実施の形態では、証紙６６１と遊技領域ＰＥとの間に配された報知用の主表示部６９０（詳しくは発光基板６９２）からの光によって証紙６６１を照らす構成としたが、これに限定されるものではない。演出用ランプ部等の発光部からの光によって証紙６６１を照らす構成とすることも可能である。但し、証紙６６１の確認作業については遊技中でないタイミングで実施されることが多い点を考慮すれば、遊技中以外のタイミングにおいても継続して光の供給が可能となる発光部を証紙６６１への光の供給源として利用することが好ましい。
【０５００】
（８１）上記各実施の形態では、パチンコ機１０の電源がオンになっている状況下にて複数の発光体６９１のうち少なくともいずれかが発光する構成（常時点灯する構成）としたが、これに限定されるものではない。例えば発光体６９１が単数である場合には、この発光体が常時点灯する構成とすることにより、上記各実施の形態と同様に証紙６６１の視認性を向上することができる。
【０５０１】
（８２）上記各実施の形態では、複数の発光体６９１を証紙６６１の上端部に沿うようにして並べて配置したが、必ずしもこれに限定されるものではない。少なくとも停止表示される際の発光対象となる発光体が証紙６６１の上端部に沿う位置に配されていればよい。
【０５０２】
（８３）上記各実施の形態では、「発光部」としての主表示部６９０と「識別部材」としての証紙６６１とを前者が遊技領域ＰＥに対して近い側、後者が遊技領域ＰＥに対して遠い側となるように併設したが、少なくとも主表示部６９０からの光が証紙６６１に対して供給可能であれば足り、両者の位置関係については任意である。但し、光の供給経路の煩雑化等を抑える上では、主表示部６９０及び証紙６６１を並設することが好ましい。
【０５０３】
（８４）上記各実施の形態では、遊技盤８０の前面に対する証紙６６１の傾き（前後の傾き）を証紙６６１の向く先に窓部２１（ガラスパネル３１，３２）が位置するように設定したが、これに限定されるものではない。但し、遊技機正面側から窓部２１を通じて証紙６６１を覗き込んだ際の同証紙６６１の視認性を向上する上では、証紙６６１の向く先に窓部２１が位置するように設定することが好ましい。
【０５０４】
また、基板収容部６５７の底部６５８（詳しくは貫通孔６５８ａ）によって光の照射方向を規制し、証紙６６１の向きと光の照射方向とが同一とならないようにしたが、これに限定されるものではない。少なくとも主表示部６９０からの光が遊技機前方及び証紙６６１に照射されるのであれば足り、必ずしも上記同一方向への光の照射を妨げる必要はない。
【０５０５】
（８５）上記各実施の形態では、証紙６６１を前後に傾ける構成としたが、これに限定されるものではなく、左右に傾ける構成としてもよい。この場合、証紙６６１を遊技領域ＰＥの側方とすることが好ましい。このような場合であっても、証紙６６１が遊技領域ＰＥ側を向く成分を有する構成とすることで、当該証紙６６１の視認性を好適に担保することができる。
【０５０６】
また、証紙６６１については必ずしも傾けて配置する必要はなく、全体として遊技領域ＰＥ側を向く成分を有するのであれば当該証紙６６１を湾曲させるようにして配置することも可能である。
【０５０７】
（８６）上記各実施の形態では、証紙６６１の前側の端部が、遊技盤８０の前面に対して誘導レール１００よりも前方に突出しない構成としたが、これに限定されるものではない。但し、遊技盤８０の薄型化を考慮すれば、証紙６６１の傾きについては、同証紙６６１の前側の端部が誘導レール１００よりも前方に突出しない程度に抑えることが好ましい。
【０５０８】
（８７）上記各実施の形態では、遊技盤８０の回動先端側に証紙６６１を配設したが、これを変更し、回動基端側に識別シールを配設することも可能である。
【０５０９】
（８８）上記各実施の形態では、「カバー手段」としてのレールカバー４００によって誘導レール１００（詳しくは外レール１０２）の一部を遊技領域ＰＥ側から覆う構成とした。レールカバー４００については、遊技盤８０を装着する際の回動軸としての機能や外レール１０２を保護する機能等が付与されていたが、少なくともワイヤ等の不正具の侵入を妨げる機能を有していればよく、他の機能を省略することも可能である。
【０５１０】
（８９）上記各実施の形態では、「カバー部」としての延出部４７０をレールカバー４００に対して一体成形したが、延出部４７０に相当する構成をレールカバー４００の本体部分（例えばベース部４１０）とは別に設け、当該構成を別個独立して遊技盤８０に固定することも可能である。
【０５１１】
（９０）上記各実施の形態では、延出部４７０が壁部４７１及び対向部４７２を有する構成としたが、必ずしもこれら両者を有する構成とする必要はなく、それら壁部４７１及び対向部４７２の一方を省略することも可能である。
【０５１２】
（９１）上記各実施の形態では、延出部４７０が遊技盤８０の前面に対して当接する構成としたが、これを変更し、延出部４７０を遊技盤８０に対して浮かせた状態で配置することも可能である。
【０５１３】
（９２）上記各実施の形態では、「規制部」としてのストッパ部２０ａを枠体２０に配設したが、当該ストッパ部２０ａに相当する構成については前扉枠１４に設けられていればよく、その具体的な配設対象については任意である。例えば、ガラスユニット３０のガラスホルダ３３に対して当該ストッパ部２０ａを配設することも可能である。
【０５１４】
（９３）上記各実施の形態では、延出部４７０の固定端を誘導通路１０３の上流側、自由端を誘導通路１０３の下流側としたが、固定端及び自由端を逆にすることも可能である。
【０５１５】
（９４）上記各実施の形態では、遊技機がタンク２２１を有する構成としたが、少なくとも島設備等から供給される遊技球を払出装置等へ案内するための通路を有していればよく、同タンク２２１を省略することも可能である。
【０５１６】
（９５）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０５１７】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０５１８】
更に、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０５１９】
＜上記各実施の形態から抽出される発明群について＞
以下、上述した各実施の形態から抽出される発明群の特徴について、必要に応じて効果等を示しつつ説明する。なお以下においては、理解の容易のため、上記各実施の形態において対応する構成を括弧書き等で適宜示すが、この括弧書き等で示した具体的構成に限定されるものではない。
【０５２０】
特徴Ａ１．遊技盤（遊技盤８０）と、
その遊技盤の前面から前方へ起立して、前記遊技盤の前面に遊技領域（遊技領域ＰＥ）及びその遊技領域へ遊技球を誘導する誘導部（誘導通路１０３）を区画形成する区画部（誘導レール１００）と、
前記遊技盤を着脱可能に支持する支持枠（内枠１３の樹脂ベース６０）と、
少なくとも前記遊技盤を遊技機前方から覆うとともに、前記支持枠に対して開閉可能な扉体（前扉枠１４）と、
前記遊技盤に設けられ、前記区画部の少なくとも一部を前記遊技領域の外側から覆うカバー部（レールカバー４００）と
を備えていることを特徴とする遊技機。
【０５２１】
特徴Ａ１によれば、遊技盤に設けられたカバー部によって区画部の少なくとも一部を遊技領域の外側から覆うことにより、区画部を保護することができる。例えば支持枠に対して遊技盤を取り付ける際に同扉体や支持枠等に対して区画部が衝突することを抑制し、同衝突に起因した区画部の変形等を抑えることができる。
【０５２２】
区画部には、遊技球を遊技領域へ誘導する機能が付与されており、仮に上記変形等が生じた場合にはその誘導機能が低下し得る。特に、支持枠に対して遊技盤を着脱可能とすることによりメンテナンスや機種変更等の容易化を図った場合、上記衝突が発生する機会が増え、誘導機能の低下が生じやすくなると想定される。この点、上述の如くカバー部によって区画部を覆う構成とすれば、同区画部の誘導機能の低下を抑制することができる。
【０５２３】
特徴Ａ２．前記遊技盤は略矩形状をなしているとともに、前記遊技領域は略円形状をなしており、
前記区画部は、前記遊技盤の一辺側に凸となる円弧状をなしており、
前記カバー部は、前記区画部において少なくとも前記一辺側に凸となっている部分を覆っていることを特徴とするＡ１に記載の遊技機。
【０５２４】
特徴Ａ１に示したように区画部によって遊技領域を囲っている構成においては、区画部において遊技盤の外周縁に近い部分が同区画部における他の部分と比べて支持枠等に衝突しやすいと想定される。そこで、本特徴に示すように、区画部において遊技盤の一辺側に凸となっている部分をカバー部によって覆う構成とすれば、区画部の保護機能を好適に向上させることができる。
【０５２５】
特徴Ａ３．前記カバー部は、前記区画部において少なくとも前記誘導部を区画形成している部分を覆っていることを特徴とするＡ１に記載の遊技機。
【０５２６】
特徴Ａ１に示したように区画部に誘導機能が付与されている構成においては、その誘導機能が付与されている部分、特に誘導部を区画形成している部分を覆う構成とすることにより、カバー部の保護効果を好適に享受することが可能となり、誘導機能の維持に貢献することができる。
【０５２７】
特徴Ａ４．前記支持枠には、前記遊技盤の一側部が挿入される遊技盤挿入部（挿入部２９０）が設けられており、
前記遊技盤は、前記遊技盤挿入部に挿入された状態で当該遊技盤挿入部を中心として回動されることにより前記支持枠に対して着脱されるものであり、
前記区画部は、前記誘導部が前記遊技領域よりも前記遊技盤挿入部側となるように構成されており、
前記カバー部は、前記区画部において少なくとも前記誘導部を区画形成している部分を前記遊技盤挿入部側から覆っていることを特徴とするＡ１に記載の遊技機。
【０５２８】
特徴Ａ４によれば、遊技盤の一側部を遊技盤挿入部に挿入した状態で同遊技盤挿入部を中心として同遊技盤を回動させることにより当該遊技盤を着脱することができる。遊技盤挿入部へ遊技盤の一側部を挿入させる場合、区画部における遊技盤挿入部側となる部分が同区画部における他の部分と比べて支持枠等に対して衝突しやすいと想定される。そこで、区画部において遊技盤挿入部側となる部分をカバー部によって覆うことにより、区画部の保護機能を好適に向上させることができる。
【０５２９】
特徴Ａ５．前記遊技領域は略円形状をなしており、
前記区画部は、内外二重に設けられた内レール（内レール１０１）及び外レール（外レール１０２）を有しているとともに、それら内レール及び外レールが遊技球の通過を許容する隙間を隔てて対向している部分によって前記誘導部を区画形成しており、更には前記誘導部が前記遊技領域よりも前記遊技盤の回動基端側となるように構成されており、
それら内レール及び外レールにおいて前記誘導部を区画形成している部分は、前記遊技盤挿入部側に凸となる湾曲状に形成されており、
前記カバー部は、前記外レールにおいて前記遊技盤挿入部側に凸となっている部分を覆っていることを特徴とするＡ４に記載の遊技機。
【０５３０】
区画部の外レールが遊技盤挿入部側に凸となる円弧状をなしている場合、外レールにおいて遊技盤挿入部側となる部分（特に上記凸となっている部分）が同外レールにおける他の部分と比べて遊技盤挿入部の入口部分等に衝突しやすいと想定される。そこで、遊技盤挿入部側に凸となっている部分をカバー部によって覆うことにより、実用上好ましい構成を実現できる。
【０５３１】
また、各レールが遊技領域側を中心として湾曲している構成においては、遊技球が外レールに沿って移動しやすいと想定される。つまり、内レールと外レールとを比較した場合、区画部の誘導機能に対する貢献度は外レールのほうが大きいと想定される。そこで、上述の如くカバー部によって外レールを保護する構成とすれば、同カバー部による保護効果を好適に享受することができる。
【０５３２】
特徴Ａ６．前記カバー部は、前記外レールにおける前記凸となっている部分に対して前記遊技盤挿入部側から対向する対向部（起立部４２０）を有していることを特徴とするＡ５に記載の遊技機。
【０５３３】
特徴Ａ６によれば、遊技盤を挿入する際の挿入方向において外レールよりも先側にカバー部（詳しくは対向部）が位置するため、同対向部によって外レールと支持枠や扉体等との衝突を好適に抑制することができる。
【０５３４】
なお、遊技盤前面からの対向部の起立量を区画部（例えば外レール）の起立量よりも大きく設定するとよい。これにより、区画部の保護機能を好適に向上させることができる。
【０５３５】
特徴Ａ７．前記対向部は、前記外レールにおける前記凸となっている部分に沿うようにして同遊技盤挿入部側に凸となるように湾曲していることを特徴とするＡ６に記載の遊技機。
【０５３６】
近年では遊技領域の拡張に伴って区画部（詳しくは外レール）が遊技盤の縁部に近づけて配設されることが多く、遊技盤における遊技盤挿入部側の縁部と外レールとの間にカバー部の設置領域を広く確保することは遊技領域の拡張を妨げる要因となり得るため好ましくない。しかしながら、特徴Ａ５に示したように対向部を有する構成においては、上述の如く設置領域の確保が難しくなれば対向部の強度を確保することが困難になり、保護機能の向上が難しくなると懸念される。
【０５３７】
この点、本特徴に示すように、外レールの凸となっている部分に沿うようにして対向部を湾曲させることにより、対向部の強度向上に貢献できる。つまり、遊技盤の挿入する際に、対向部が支持枠（例えば遊技盤挿入部の入口部分）や扉体等に衝突した場合であっても、同対向部の変形を抑え、外レールを好適に保護することができる。これにより、上記設置領域の拡がりを抑えつつ保護機能を向上することができ、実用上好ましい構成を実現できる。
【０５３８】
特徴Ａ８．前記カバー部は、前記遊技盤の前面と平行となるように形成されたベース部（ベース部４１０）を有し、
前記ベース部は、前記遊技盤の前記一側部に沿って延びる長板状をなしているとともに、前記外レールにおける前記凸となっている部分を挟んだ両側にて前記遊技盤に固定されており、
前記対向部は、前記ベース部から起立していることを特徴とするＡ６又はＡ７に記載の遊技機。
【０５３９】
特徴Ａ８によれば、ベース部を外レールにおける凸となっている部分（以下便宜上、凸部分と称する）を挟んだ両側にて遊技盤に固定することにより、固定部分の占有領域の確保が容易となり、限られた領域にて区画部とカバー部とを好適に共存させることができる。
【０５４０】
また、特徴Ａ６に示したように対向部によって区画部（詳しくは外レール）を保護する構成においては、対向部を遊技盤に対して固定することも可能である。しかしながら、上述の如く外レールの凸部分から遠い位置にて固定すると、対向部自身の強度によって、同対向部の変形を抑える必要が生じ、保護機能の向上に制限が生じやすいと想定される。
【０５４１】
この点、本特徴によれば、遊技盤に対する固定対象としてのベース部から対向部が起立している。これにより、対向部に対して挿入方向先側から支持枠等が当たった場合であっても、同対向部の変形をベース部によって変形を抑えることができ、カバー部全体の強度を好適に向上できる。故に、遊技盤の縁部と外レールの凸部分との間にてカバー部の省スペース化に貢献でき、実用上好ましい構成を実現できる。
【０５４２】
特徴Ａ９．前記対向部は、
前記ベース部に沿って前記外レールにおける前記凸となっている部分に沿って湾曲する湾曲部（湾曲部４２１）と、
前記湾曲部から前記ベース部の長手方向へ延出する延出部（上側起立部４２２や下側起立部４２３）と
を有し、
前記ベース部は、当該ベース部において前記湾曲部が起立している部分が同湾曲部に対して前記遊技盤挿入部側に延び、同ベース部において前記延出部が起立している部分が前記遊技盤挿入部側及び前記外レール側に延びるように形成されていることを特徴とするＡ８に記載の遊技機。
【０５４３】
特徴Ａ９によれば、ベース部による対向部の補強機能を好適に向上し、カバー部全体としての保護機能の向上に好適に貢献することができる。具体的には、カバー部の設置可能領域は上述したように外レールの凸部分と遊技盤の縁部との間では狭く、同縁部に沿って凸部分から遠ざかるにつれて広くなる。そこで、対向部の湾曲部をベース部における外レール側の縁部から起立させるとともに、対向部の延出部をベース部における幅方向の中間部位から起立させることにより、記挿入方向及び同挿入方向とは反対方向への対向部の変形を好適に抑えることができる。例えば、対向部が外レール側へ押された場合であっても、ベース部において外レール側に延びている部分が踏ん張ることで、カバー部全体が区画部側へ傾倒することを抑制できる。これにより、区画部（詳しくは外レール）とカバー部とを好適に共存させることが可能となる。
【０５４４】
特徴Ａ１０．前記ベース部の固定部は、前記対向部よりも前記遊技盤挿入部側となる位置、及び当該対向部よりも前記外レール側となる位置に配されていることを特徴とするＡ９に記載の遊技機。
【０５４５】
特徴Ａ９に示した構成においては対向部を挟んだ両側にてベース部を固定することで、上記効果を一層好適なものとすることができる。
【０５４６】
なお、各固定部のうち遊技盤挿入部側の固定部を外レール側の固定部よりも上記凸部分寄りに配するとよい。これにより、固定部の占有スペースの確保を容易化しつつ、遊技盤挿入時にカバー部が支持枠等に衝突した場合のカバー部の変形を好適に抑制できる。
【０５４７】
また、固定部を外レールの凸部分を挟んだ両側に配置することにより実用上好ましい構成を実現できる。
【０５４８】
特徴Ａ１１．前記カバー部は、前記ベース部から前記遊技盤側に突出する突出部（突出部４４０）を有し、
前記遊技盤は、前記突出部が嵌合する嵌合部（嵌合孔８９）を有していることを特徴とするＡ８乃至Ａ１０のいずれか１つに記載の遊技機。
【０５４９】
特徴Ａ１１によれば、ベース部に対向部とは反対側（遊技盤側に）突出する突出部を形成し、同突出部が遊技盤に形成された嵌合部に対して嵌合することで、対向部に対して負荷が加わった場合、同負荷を突出部及び嵌合部を通じて遊技盤に対して好適に分散させることができる。
【０５５０】
このような分散構造を採用する際に、遊技盤前面側での占有領域を必要としないため、カバー部材の設置領域が拡がって遊技領域が圧迫されることを好適に回避できる。
【０５５１】
特徴Ａ１２．前記対向部は第１対向部であり、
前記カバー部には、前記第１対向部から前記遊技領域側に延び、前記外レールの前記凸となっている部分を挟んで前記遊技盤の前面と対向する第２対向部（対向部４５０）が形成されていることを特徴とするＡ６乃至Ａ１１のいずれか１つに記載の遊技機。
【０５５２】
第１対向部及び第２対向部によって外レールを囲むことにより、同外レールの保護機能を好適に向上させることができる。
【０５５３】
特徴Ａ７以降に示したようにカバー部（詳しくは対向部）の強度向上を図る様々な工夫を施した場合であっても、強度向上には改善の余地がある。特に、カバー部の固定部分が外レールの凸部分から遠ざけて配置されている場合には、その凸部分付近での強度の向上が難しくなる。この点、本特徴に示すように第２対向部を形成することにより、凸部分付近での強度を好適に向上させることができ、例えば第１対向部が外レール側へ押された場合であっても、同第１対向部の変形を第２対向部によって抑えることができる。
【０５５４】
なお、特徴Ａ９（湾曲部を有する構成）との組み合わせにおいては特に、湾曲部に第２対向部を形成するとよい。
【０５５５】
特徴Ａ１３．前記扉体は、
前記遊技領域を隔てて前記遊技盤に対向し、同遊技領域を遊技機前方から視認可能とするパネル部材（例えばガラスパネル３２）と、
同扉体が前記遊技機本体に対して閉じた位置へ移動することにより、前記遊技盤と前記第２対向部との間に挿入される挿入片（延出部３７）と
を有していることを特徴とするＡ１２に記載の遊技機。
【０５５６】
遊技盤とパネル部材との間に遊技領域が設けられ、その遊技領域を遊技球が流下する構成においては、それら遊技盤及びパネル部材の相対位置の変化は遊技領域における遊技球の挙動に影響を及ぼす要因となり得る。遊技盤を有する遊技機においては遊技領域における遊技球の挙動によって有利不利が決定されるため、上述したような遊技盤とパネル部材との相対位置の変化は好ましくない。
【０５５７】
この点、本特徴によれば、遊技盤側の第２対向部に対して扉体の挿入片が後方から当接することにより、遊技盤とパネル部材との隙間の拡がりを抑えることができ、上記不都合の発生を好適に抑えることができる。
【０５５８】
また、カバー部は、上述の如く強度が確保されており、取付部としてのベース部から起立するようにして第１対向部が形成されている。このため、第２対向部が挿入片によって遊技機前方へ押された場合であっても、カバー部が遊技盤の前方へ撓む等することを好適に抑制することができる。このように、カバー部に対して遊技盤とパネル部材との隙間の拡がりを抑える機能を付与することにより、強度の要求される構成が独立して存在することを回避できる。故に、遊技領域の圧迫を好適に抑制することが可能となる。
【０５５９】
特徴Ａ１４．前記扉体は、前記支持枠によって回動可能に支持されており、
前記遊技盤挿入部は、前記支持枠において前記扉体を支持している側と同一側に配されているとともに、同扉体を支持している側とは反対側に開放されており、
前記挿入片は、前記扉体の回動基端側に配されていることを特徴とするＡ１３に記載の遊技機。
【０５６０】
特徴Ａ１３に示したように、扉体を支持枠に対して閉じることにより同扉体に設けられた挿入片が第２対向部と遊技盤との間（隙間）に挿入するには、扉体の回動基端側となる位置にカバー部（詳しくは第２対向部）を配置するとともに扉体の回動基端側に挿入片を配置するとよい。これにより、上記隙間に挿入片が挿入される際の同挿入片の移動方向を遊技盤の前面と略平行とすることが可能となる。故に、例えば第２対向部と挿入片との隙間を小さくしたり、それら第２対向部及び挿入片の掛かり代（すなわち前後方向における重なり代）を大きくしたりすることができ、上記規制機能を一層好適なものとすることができる。
【０５６１】
支持枠に対して遊技盤が遊技機前方から取り付ける構成において遊技盤挿入部を扉体の回動基端側に配した場合には、以下の不都合が生じやすくなると想定される。すなわち、扉体の開放度合いによっては、遊技盤を遊技盤挿入部に挿入する際に同遊技盤の一側部（カバー部が取り付けられている側の端部）が扉体と衝突しやすくなると懸念される。この点、カバー部によって区画部（詳しくは外レール）を保護することにより、同区画部が扉体に衝突することを好適に抑制できる。
【０５６２】
特徴Ａ１５．前記扉体は、
扉枠（枠体２０）と、
前記パネル部材及び同パネル部材を保持するパネルホルダ（ガラスホルダ３３）を有してなり、前記扉枠に搭載されているパネルユニット（ガラスユニット３０）と
を備え、
前記挿入片は、前記パネルホルダに配設されていることを特徴とするＡ１３又はＡ１４に記載の遊技機。
【０５６３】
例えば扉枠にパネル部材を直接取り付ける構成においては、挿入片を扉枠に形成することも可能である。しかしながらこの場合、扉体の支持枠からの浮き上がりに起因して第２対向部や挿入片に加わった外力が、それら第２対向部や挿入片の強度を上回ると、それら第２対向部や挿入片が変形等し、規制機能が損なわれる低下すると想定される。この点、パネルユニットを扉枠によって保持する構成とした場合、第２対向部や挿入片の強度よりもパネルユニットの保持強度を低く設定しておくことが可能となり、それら第２対向部や挿入片の変形等を回避することができる。つまり、第２対向部や挿入片が変形する前にパネルユニットを変位又は変形させることで、隙間の拡がりを規制している状態を維持することが可能となる。これにより、上記隙間の変化を好適に抑制することができる。例えば、パネルユニットが扉枠に対して変位可能な状態で同扉枠により保持される構成を採用するとよい。
【０５６４】
特徴Ａ１６．前記カバー部は、前記遊技盤とともに前記遊技盤挿入部に挿入され、同遊技盤挿入部の内壁面に対して前記扉体とは反対側から対向していることを特徴とするＡ１３乃至Ａ１５のいずれか１つに記載の遊技機。
【０５６５】
特徴Ａ１３等に示したように、カバー部（詳しくは第２対向部）と挿入片とによってパネル部材と遊技盤との隙間の拡がりを抑える構成においては、カバー部が遊技盤から浮き上がる等することにより、上記規制機能が発揮されなくなると想定される。そこで、カバー部が遊技盤挿入部の内壁面に対して扉体とは反対側から対向る構成とすれば、内壁面に対してカバー部が当接することにより同カバー部の浮き上がりが遊技盤挿入部によって抑えることができる。これにより、上記不都合の発生を好適に抑制し、実用上好ましい構成を実現できる。
【０５６６】
特徴Ａ１７．前記支持枠の前面に対して前記遊技盤が遊技機前方から取り付けられているとを特徴とするＡ１乃至Ａ１６のいずれか１つに記載の遊技機。
【０５６７】
特徴Ａ１７によれば、遊技盤が支持枠に対して遊技機前方から取り付けられている。このように、支持枠前方からの取り付けを可能とすることで、遊技盤を支持枠に対して遊技機後方から取り付けられている構成と比較して、遊技盤取付作業の容易化に貢献できる。
【０５６８】
しかしながら、遊技盤を遊技機前方から取り付ける構成においては、遊技盤と扉体とが衝突し得る。このような構成に特徴Ａ１等に示した構成を適用することにより、区画部の保護効果が一層顕著なものとなる。
【０５６９】
特徴Ａ１８．前記カバー部は、前記区画部に対して隙間を隔てて対峙するようにして形成されていることを特徴とするＡ１乃至Ａ１７のいずれか１つに記載の遊技機。
【０５７０】
特徴Ａ１８によれば、カバー部が衝突した際に、同カバー部に加わる力が当該カバー部を通じて区画部に伝播することを抑制することができる。これにより、カバー部の保護機能を一層好適なものとすることができる。
【０５７１】
上記特徴Ａ群は以下の課題に対して適用すると効果的である。
【０５７２】
パチンコ機等の遊技機には、遊技盤を枠体に搭載してなる遊技機本体を備えているものがある。遊技盤には同遊技盤の前面から起立するレール部材が取り付けられており、当該遊技盤の前面のうち同レール部材によって囲まれた領域が遊技領域となっている。遊技機本体の前面側には当該遊技機本体を覆う扉体が設けられており、同扉体に配設された透明パネルを介して遊技領域が視認可能となっている。遊技者により遊技球発射ハンドルが操作されると遊技球発射装置から遊技球が発射され、それら遊技球は上記レール部材に沿って移動することにより遊技領域に導かれることとなる。
【０５７３】
このような遊技機においては、一般的に遊技盤が枠体に対して着脱可能に取り付けられており、遊技盤を着脱可能とすることで遊技盤等のメンテナンス作業の容易化や機種変更時における同遊技盤の入替作業の容易化が図られている（例えば特開２００８−１０４４６８号公報参照）。
【０５７４】
上述の如く遊技盤を着脱可能なタイプの遊技機においては、例えば遊技盤の取付作業時に同遊技盤が枠体や扉体等に対して衝突する可能性がある。特に遊技盤の前面から起立している上記レール部材については、遊技領域を囲っているため遊技領域に配設された各種構成と比較して枠体等に対する衝突の対象になりやすいと想定される。レール部材は遊技領域へ遊技球を誘導する機能を有しており、仮に上述した衝突等に起因して変形等が生じた場合には遊技球の誘導機能が低下し、遊技球の円滑な誘導が難しくなると懸念される。
【０５７５】
特徴Ｂ１．遊技球が流下する遊技領域（遊技領域ＰＥ）が前面側に形成された遊技盤（遊技盤８０）を、枠体（樹脂ベース６０）に搭載してなる遊技機本体（内枠１３）と、
前記遊技機本体を遊技機前方から覆うとともに、同遊技機本体に対して開閉可能な扉体（前扉枠１４）と、
前記扉体に設けられ、前記遊技盤の前面に対して前記遊技領域を隔てて対向しているとともに、前記遊技領域が視認可能となるように形成されたパネル部材（例えばガラスパネル３２）と、
前記扉体及び前記遊技盤に設けられ、前記扉体が前記遊技機本体に対して閉じている場合に前記遊技盤と前記パネル部材との隙間の変化を規制する規制手段（ガラスユニット３０の延出部３７及びレールカバー４００の対向部４５０）と
を備えていることを特徴とする遊技機。
【０５７６】
遊技機本体を扉体で覆うタイプの遊技機においては枠体と扉体との位置関係に配慮した構成が採用されているものがある。このような構成では、枠体と扉体との位置関係を好適に維持することはできるものの、枠体とは別体で設けられた遊技盤と扉体に設けられたパネル部材との位置関係を好適に維持することは困難であると想定される。つまり、遊技盤及びパネル部材の相対位置（前後位置）の変化やばらつきを抑えることは難しいと想定される。
【０５７７】
遊技盤とパネル部材との間に遊技領域が設けられ、その遊技領域を遊技球が流下する構成においては、上述した遊技盤及びパネル部材の相対位置の変化は遊技領域における遊技球の挙動に影響を及ぼす要因となり得る。遊技盤を有する遊技機においては遊技領域における遊技球の挙動によって有利不利が決定されるため、上述したような遊技盤とパネル部材との相対位置の変化は好ましくない。
【０５７８】
この点、本特徴によれば、扉体及び遊技盤に設けた規制手段によって同遊技盤とパネル部材との隙間の変化（例えば遊技盤とパネル部材との間隔の変化）を規制する構成とすることにより上記不都合の発生を好適に抑え、遊技領域を流下する遊技球の挙動を好適なものとすることができる。
【０５７９】
なお、本特徴に示す遊技盤とパネル部材とは必ずしも平行である必要はない。つまり、例えば遊技盤の前面が平面である場合にパネル部材の後面を曲面とすることも可能であり、上記隙間が全て箇所で一定となる構成に限定されるものではない。
【０５８０】
特徴Ｂ２．前記遊技盤は、前記枠体に対して着脱可能に取り付けられていることを特徴とするＢ１に記載の遊技機。
【０５８１】
遊技盤を枠体に対して着脱可能とする構成を採用した場合には、メンテナンス作業の容易化等が期待できる反面、枠体に対する遊技盤の位置ばらつきが生じやすくなると想定される。仮に扉体と枠体との位置関係を好適に維持することができたとしても、上記遊技盤と枠体との位置ばらつきは、遊技盤とパネル部材との位置関係に影響を及ぼすと想定される。この点、遊技盤を着脱可能な構成に対して特徴Ｂ１に示した構成を適用すれば、上記不都合を抑制し、メンテンナンス作業の容易化と遊技盤及びパネル部材の位置関係の維持とを好適に両立させることができる。
【０５８２】
特徴Ｂ３．前記規制手段は、前記遊技盤と前記パネル部材との隙間の拡がりを規制するように構成されていることを特徴とするＢ１又はＢ２に記載の遊技機。
【０５８３】
遊技領域には各種遊技部品（例えば釘８７や一般入賞口８１）が配されているのが一般的であり、仮に遊技盤とパネル部材との隙間が狭くなった場合には、それら遊技部品がパネル部材に当たることで、それ以上の隙間の変化が抑制される。一方、遊技盤とパネル部材との隙間が拡がった場合には、それら各種遊技部品とパネル部材との隙間が拡がることとなる。そこで、本特徴に示すように、規制手段によって遊技盤とパネル部材との隙間の拡がりを規制すれば、実用上好ましい構成を実現できる。これにより、例えば遊技領域での球詰まり等の発生を好適に抑制できる。
【０５８４】
特徴Ｂ４．前記扉体は、前記枠体によって回動可能に支持されており、
前記規制手段は、前記扉体の回動基端側に配されていることを特徴とするＢ１乃至Ｂ３のいずか１つに記載の遊技機。
【０５８５】
特徴Ｂ１等に示した隙間の変化は、遊技機組立時等に扉体の組み付けばらつきが生じるといった偶発的な要因によってのみ発生するのではなく、故意に扉体の位置をずらすといった意図的な要因によっても同様に発生する。例えば、扉体と遊技機本体との境界部位にバール等の不正具を挿入し、扉体を遊技機本体から浮かせることで遊技盤とパネル部材との隙間を拡げ、遊技領域における任意の位置（例えば作動口８３等の傍）にて球詰まりを発生させるといった行為が行われると想定される。この場合、本来上記作動口等に到達するはずのない遊技球が、先行して詰っている遊技球に沿って同所定位置へと案内され、不正に利益が取得されるといった不都合が生じ得る。
【０５８６】
扉体を回動可能に支持する構成においては、上記不正行為の足がかりとして遊技機本体と扉体との回動基端側の境界部位が狙われやすいと想定される。そこで、本特徴に示すように、規制手段を扉体の回動基端側に配することで、上記不正行為を困難なものとし、防犯機能を好適に高めることができる。
【０５８７】
特徴Ｂ５．前記枠体は、前記扉体を回動可能に支持する複数の支持部（支持金具７１，７２）を有し、
前記規制手段は、それら支持部の間に配置されていることを特徴とするＢ４に記載の遊技機。
【０５８８】
複数の支持部によって扉体を回動可能に支持する場合、支持部近辺と比較してそれら支持部の間となる位置での扉体の浮き上がり等が発生しやすいと想定される。そこで、本特徴に示すように、支持部と支持部との間に規制手段を配置すれば、特徴Ｂ４に示した防犯効果を好適に享受することができる。
【０５８９】
特徴Ｂ６．前記規制手段は、
前記遊技盤側に設けられ、前記遊技盤の前面に隙間を隔てて対向する遊技盤側規制部（対向部４５０）と、
前記扉体側に設けられ、同扉体が前記遊技機本体に対して閉じた位置へ移動することにより、前記遊技盤と前記遊技盤側規制部との間に挿入される扉体側規制部（延出部３７）と
を有していることを特徴とするＢ１乃至Ｂ５のいずれか１つに記載の遊技機。
【０５９０】
特徴Ｂ６によれば、扉体を遊技機本体に対して閉じると、扉体側規制部が遊技盤側規制部と遊技盤との間に挿入される。扉体が閉じた状態にて、例えば遊技盤及び扉体（詳しくはパネル部材）の一方が他方から遠ざかる側に押される等した場合、扉体側規制部と遊技盤側規制部とが当接することで、遊技盤とパネル部材との隙間の拡がりが規制されることとなる。これにより、特徴Ｂ１等に示した構成を好適に実現することができる。
【０５９１】
特徴Ｂ７．前記扉体は、前記枠体によって回動可能に支持されており、
前記遊技盤側規制部は、前記遊技盤において前記扉体の回動基端部寄りとなる位置に配置されており、
前記扉体側規制部は、前記扉体の回動基端部に配置されていることを特徴とするＢ６に記載の遊技機。
【０５９２】
特徴Ｂ６に示したように、扉体を遊技機本体に対して閉じることにより同扉体に設けられた扉体側規制部を遊技盤側規制部と遊技盤との間（隙間）に挿入するには、本特徴に示すように遊技盤において扉体の回動基端部寄りとなる位置に遊技盤側規制部を配置するととともに扉体の回動基端部に扉体側規制部を配置するとよい。これにより、上記隙間に扉体側規制部が挿入される際の同扉体側規制部の移動方向を遊技盤の前面と略平行とすることが可能となる。故に、例えば遊技盤側規制部と扉体側規制部との隙間を小さくしたり、それら両規制部の掛かり代（すなわち前後方向における重なり代）を大きくしたりすることができ、規制手段の規制機能を一層好適なものとすることができる。
【０５９３】
特徴Ｂ８．前記遊技盤には、その遊技盤の前面から前方へ起立して、前記遊技盤の前面に前記遊技領域及びその遊技領域へ遊技球を誘導する誘導部（誘導通路１０３）を区画形成する区画部（誘導レール１００）が設けられており、
前記区画部は、前記誘導部が前記遊技領域よりも前記扉体の回動基端部寄りとなるように構成されており、
前記遊技盤側規制部は、前記区画部における前記誘導部を区画形成している部分の前方に配されていることを特徴とするＢ７に記載の遊技機。
【０５９４】
特徴Ｂ１等に示したように、規制手段によって遊技盤とパネル部材との隙間の変化を規制する場合、同規制手段をなるべく遊技領域に近づけて配置することが好ましい。しかしながら、遊技領域に規制手段を配置すると、遊技とは関連のない構成によって遊技領域が圧迫されるため好ましくない。また、特徴Ｂ７に示したように、規制機能の向上を図った場合には、扉体側規制部が遊技盤と遊技盤側規制部との間に挿入される際に、遊技盤の前面と略平行に移動することとなる。扉体側規制部の移動経路との干渉を回避すべく区画部を小さくすることは、遊技領域の拡張等を妨げる要因となり得るため好ましくない。
【０５９５】
この点、本特徴によれば、扉体側規制部が区画部における誘導部を区画形成している部分の前方にて上記隙間に挿入されるため遊技領域の圧迫を抑制することができる。つまり、遊技盤の前面側にて区画部と遊技盤側規制手段とを好適に共存させつつ、規制機能を好適なものとすることができる。
【０５９６】
特徴Ｂ９．前記扉体側規制部は、前記遊技盤と対向する板状をなしているとともに、当該扉体側規制部において前記遊技盤側を向いた板面が前記パネル部材において同遊技盤側を向いている板面と略同一平面上に位置するように形成されており、
前記誘導部は、前記パネル部材及び前記扉体側規制部によって覆われていることを特徴とするＢ８に記載の遊技機。
【０５９７】
特徴Ｂ９によれば、誘導部と遊技盤側規制部との間に扉体側規制部を介在させるとともに、その扉体側規制部とパネル部材とを面一とすることで誘導部を通過する遊技球の挙動の安定化に貢献できる。
【０５９８】
例えば、誘導部をパネル部材と遊技盤側規制部とによって前方から覆う構成とすることも可能ではあるが、パネル部材が扉体側に設けられているとともに遊技盤側規制部が遊技機本体側に設けられているため、それらパネル部材と遊技盤側規制部との間には隙間や段差が生じやすくなると想定される。このため、誘導部によって誘導されている遊技球の挙動がこれら隙間や段差等を通過する際に乱れて、安定した遊技球の誘導が困難となり得る。この点、上述の如く、面一となるように設けられた扉体側規制部とパネル部材とによって誘導部を覆う構成とすれば、そのような不都合を払拭し、実用上好ましい構成を実現できる。
【０５９９】
特徴Ｂ１０．前記遊技盤は、
その遊技盤の前面から前方へ起立して、前記遊技盤の前面に前記遊技領域及びその遊技領域へ遊技球を誘導する誘導部（誘導通路１０３）を区画形成する区画部（誘導レール１００）と、
前記区画部において前記誘導部を区画形成している部分を遊技機前方から覆うカバー部（レールカバー４００）と
を有し、
前記規制手段は、
前記カバー部において前記遊技盤と対向している部分に設けられた遊技盤側規制部（対向部４５０）と、
前記扉体側に設けられ、同扉体が前記遊技機本体に対して閉じた位置へ移動することにより、前記遊技盤側規制部と前記遊技盤との間に挿入される扉体側規制部（延出部３７）と
を有しており、
前記扉体側規制部は、前記遊技盤と対向する板状をなし、その遊技盤側を向いた板面が前記パネル部材において同遊技盤側を向いている板面と略同一平面上に位置するように形成されており、
前記誘導部は、前記パネル部材及び前記扉体側規制部によって覆われていることを特徴とするＢ１乃至Ｂ５のいずれか１つに記載の遊技機。
【０６００】
特徴Ｂ１０によれば、区画部には遊技領域へ遊技球を誘導する機能が付与されている。このように遊技球の動きに影響を与える部分をカバー部によって遊技機前方から覆うことにより、区画部を保護し、誘導機能を担保することができる。すなわち、遊技盤装着時等に区画部が扉体や枠体等に衝突し誘導機能が低下することを抑制できる。
【０６０１】
このようにカバー部が保護機能を有する構成においては、同カバー部にある程度の強度を付与することが望ましく、このように強度が確保されている構成に遊技盤側規制部を設けることで実用上好ましい構成を実現できる。特に、扉体側規制部が区画部における誘導部を区画形成している部分の前方にて遊技盤側規制部と遊技盤との間に挿入されるため遊技領域の圧迫を抑制することができる。つまり、遊技盤の前面側にて区画部と遊技盤側規制部とを好適に共存させつつ、規制機能を好適なものとすることができる。
【０６０２】
また、本特徴によれば、誘導部と遊技盤側規制部との間に扉体側規制部を介在させるとともに、その扉体側規制部とパネル部材とを面一とすることで誘導部を通過する遊技球の挙動の安定化に貢献できる。例えば、誘導部をパネル部材と遊技盤側規制部とによって前方から覆う構成とすることも可能ではあるが、パネル部材が扉体側に設けられているとともに遊技盤側規制部が遊技機本体側に設けられているため、それらパネル部材と遊技盤側規制部との間には隙間や段差が生じやすいと想定される。このため、誘導部によって誘導されている遊技球の挙動がこれら隙間や段差等を通過する際に乱れて安定した遊技球の誘導が困難となり得る。この点、上述の如く、面一となるように設けられた扉体側規制部とパネル部材とによって誘導部を覆う構成とすれば、そのような不都合を払拭し、実用上好ましい構成を実現できる。
【０６０３】
特徴Ｂ１１．前記扉体は、前記枠体によって回動可能に支持されており、
前記枠体は、前記扉体を支持している側と同一側に設けられ、前記遊技盤の一側部が挿入される挿入部（挿入部２９０）を備え、
前記遊技盤は、前記挿入部に挿入された状態で当該挿入部を中心として回動されることにより前記枠体に対して着脱されるものであり、
前記カバー部は、
前記遊技盤の前面に平行となるように形成され、同遊技盤に固定されているベース部（ベース部４１０）と、
前記ベース部から起立するとともに、前記区画部を前記挿入部側から覆う起立部（起立部４２０）と
を有し、
前記遊技盤側規制部は、前記ベース部の先端部から前記区画部側に延びていることを特徴とするＢ１０に記載の遊技機。
【０６０４】
特徴Ｂ１１に示すように、遊技盤を挿入部に対して挿入する構成においては、同挿入部に挿入される遊技盤の一側部にて区画部と枠体や扉体との衝突が発生しやすいと想定される。そこで、カバー部により区画部において挿入部側となる部位を同挿入部側から覆う起立部を設け、ベース部，起立部，遊技盤側規制部によって区画部を囲むことにより、カバー部による区画部の保護機能を好適に向上できる、上記不都合を好適に払拭することができる。
【０６０５】
特徴Ｂ１２．前記区画部は、内外二重に設けられた内レール（内レール１０１）及び外レール（外レール１０２）を有しているとともに、それら内レール及び外レールが遊技球の通過を許容する隙間を隔てて対向している部分によって前記誘導部を区画形成しており、更には前記誘導部が前記遊技領域よりも前記遊技盤の回動基端側となるように構成されており、
それら内レール及び外レールは、前記遊技領域の外方に凸となる湾曲状に形成されており、
前記起立部は、前記外レールに沿って湾曲する湾曲部（湾曲部４２１）を有しており、
前記遊技盤側規制部は、前記湾曲部に形成されていることを特徴とするＢ１１に記載の遊技機。
【０６０６】
特徴Ｂ１２によれば、起立部において外レールの外壁と対抗している部分（湾曲部）は、扉体の遊技領域とは反対側へ凸となるように湾曲しているため、遊技領域とは反対側から枠体等が当たった場合であってもカバー部の変形を好適に抑えることができる。また、湾曲部はベース部及び遊技盤側規制部と一体的に形成されており、湾曲部の変形をそれらベース部や遊技盤側規制部等によって抑えることができ、カバー部全体としての強度を向上できる。
【０６０７】
また、湾曲部に遊技側規制部を形成することにより、単なる平板に遊技盤側規制部を形成する場合と比べて同遊技盤側規制部の変形を好適に抑制することができる。これにより、規制機能を向上し、遊技盤とパネル部材との隙間の変化を好適に抑えることができる。
【０６０８】
特徴Ｂ１３．前記カバー部は、前記遊技盤と共に前記挿入部に挿入され、同挿入部の内壁面に対して前記扉体とは反対側から対向するように形成されていることを特徴とするＢ１０乃至Ｂ１２のいずれか１つに記載の遊技機。
【０６０９】
例えば遊技盤側規制部と扉体側規制部とが当接した状態にて扉体が遊技機本体から浮き上がった場合には、遊技盤側規制部が扉体側規制部によって遊技機前方に押されることとなる。この際、仮にカバー部が扉体側規制部に追従して遊技盤から浮き上がる（例えば変形すると）と、遊技盤とパネル部材との隙間の変化を規制することが難しくなる。この点、本特徴によれば、カバー部の一部が挿入部の内壁面に対して扉体とは反対側から当接するため、同カバー部の浮き上がりを挿入部（枠体）によって抑えることができる。これにより、規制手段の機能担保に貢献できる。
【０６１０】
特徴Ｂ１１又はＢ１２の組み合わせにおいては特に、ベース部が挿入部の内壁面に対して扉体とは反対側から対向するように形成するとよい。
【０６１１】
特徴Ｂ１４．前記扉体は、
扉枠（枠体２０）と、
前記パネル部材及び同パネル部材を保持するパネルホルダ（ガラスホルダ３３）を有してなり、前記扉枠に搭載されているパネルユニット（ガラスユニット３０）と
を備え、
前記扉体側規制部は、前記パネルホルダに配設されていることを特徴とするＢ６乃至Ｂ１３のいずれか１つに記載の遊技機。
【０６１２】
例えば扉枠にパネル部材を直接取り付ける構成においては、扉体側規制部を扉枠に形成することも可能である。しかしながらこの場合、扉体の遊技機本体からの浮き上がりに起因して両規制部に加わった外力が、扉体側規制部や遊技盤側規制部の強度を上回ると、それら規制部が変形等し、規制機能が損なわれる低下すると想定される。この点、パネルユニットを扉枠によって保持する構成とした場合、各規制部の強度よりもパネルユニットの保持強度を低く設定しておくことが可能となり、各規制部の変形等を回避することができる。つまり、各規制部が変形する前にパネルユニットを変位又は変形させることで、隙間の拡がりを規制している状態を維持することが可能となる。これにより、上記隙間の変化を好適に抑制することができる。
【０６１３】
例えば、パネルユニットが扉枠に対して変位可能な状態で同扉枠により保持される構成を採用するとよい。
【０６１４】
特徴Ｂ１５．前記遊技盤は、前記枠体に対して遊技機前方から着脱可能となっており、
前記規制手段による規制は、前記扉体を開放することにより解除されることを特徴とするＢ１乃至Ｂ１４のいずれか１つに記載の遊技機。
【０６１５】
特徴Ｂ１５によれば、遊技盤を取り外す際には、必ず扉体を開放する必要が生じ、扉体を開放することで、上記規制が解除される。これにより、作業手順を明確化し、規制が解除されていない状態で遊技盤が無理やり取り外されるといった不都合を回避することができる。
【０６１６】
上記特徴Ｂ群は以下の課題に対して適用すると効果的である。
【０６１７】
パチンコ機等の遊技機には、遊技盤を枠体に搭載してなる遊技機本体と、その遊技機本体に取り付けられているとともに同遊技機本体を前面側から覆う扉体とを備えているものがある。扉体には遊技盤の前面と対向するパネル部材が配設されており、それら遊技盤とパネル部材との間に形成された遊技領域が同パネル部材を通して視認可能となっている。パネル部材は、例えば遊技球の直径寸法よりも若干大きな隙間を隔てて遊技盤の前面と対向しており、上記遊技領域での遊技球の流下が担保されている。
【０６１８】
遊技領域には入賞口や入賞装置等の各種構成が設けられている。遊技者により遊技球発射ハンドルが操作されると遊技球が遊技領域に向けて発射され、それら遊技球が入賞口や入賞装置等に入賞した場合には予め設定された個数の遊技球が払い出される。
【０６１９】
上述の如く遊技盤とパネル部材との間に遊技領域が形成されているタイプの遊技機においては、遊技領域内での遊技球の挙動によって有利不利が決定されるため、それら遊技盤とパネル部材との位置関係がばらついたり変化したりすることは好ましくない。
【０６２０】
特徴Ｃ１．遊技盤（遊技盤８０）と、
前記遊技盤を着脱可能に支持する支持枠（内枠１３の樹脂ベース６０）と、
前記支持枠に設けられ、前記遊技盤の一側部が挿入される挿入部（挿入部２９０）と
を備え、
前記遊技盤が前記挿入部に挿入された状態にて当該挿入部を中心として回動されることにより前記支持枠に対して遊技機前方から装着される遊技機であって、
前記遊技盤の回動を許容するとともに、少なくとも前記遊技盤が装着完了位置に向けて回動されている場合に前記挿入部からの前記遊技盤の離脱を阻止する阻止手段（樹脂ベース６０の受け部２７５及び遊技盤８０の突起４３１）を備えていることを特徴とする遊技機。
【０６２１】
特徴Ｃ１によれば、支持枠の挿入部に遊技盤の一側部を挿入し、同遊技盤をその挿入部を中心として回動させることにより、支持枠に対する装着完了位置に遊技盤を配置することができる。このように遊技盤を装着する場合には、詳しくは少なくとも遊技盤を装着完了位置に向けて回動させている場合には、挿入部からの同遊技盤の離脱が阻止されることとなる。故に、遊技盤を回動させる過程にて同遊技盤が挿入部から外れることを抑制し、遊技盤の装着作業の容易化に貢献することができる。
【０６２２】
特徴Ｃ２．前記阻止手段は、
前記遊技盤の回動基端部に設けられた遊技盤側係合部（突起４３１）と、
前記支持枠に設けられ、前記遊技盤が前記挿入部に挿入されることで前記遊技盤側係合部に係合する支持枠側係合部（受け部２７５）と
を備えていることを特徴とするＣ１に記載の遊技機。
【０６２３】
特徴Ｃ２によれば、遊技盤の回動基端部に遊技盤側係合部を設け、同遊技盤側係合部と支持枠側係合部とが係合する構成とすることにより、遊技盤の回動を許容しつつ同遊技盤の挿入部からの離脱を阻止することができ、特徴Ｃ１に示した構成を好適に実現することができる。
【０６２４】
また、例えば阻止手段として軸ピン及び軸受けを採用し、軸ピンの軸線方向にて遊技盤をスライド移動させることにより、軸ピン及び軸受けを係合させることも可能であるが、このような構成を採用した場合、遊技盤を挿入部へ挿入する操作と、軸ピンを軸受けに挿通させる操作とを個別に行う必要が生じるため、遊技盤の装着作業が煩雑なものとなり得る。特に、挿通時には、遊技盤を抱えたまま軸ピンと軸受けとの位置を合わせる必要が生じるため作業負担が大きくなると想定される。この点、本特徴に示すように、遊技盤を挿入部に挿入することで遊技盤側係合部と支持枠側係合部とが係合する構成とすれば、阻止手段を有する構成を採用することで特徴Ｃ１に示した効果を享受しつつ、それに起因した作業負担の増加を抑制することができる。
【０６２５】
例えば、遊技盤側係合部が支持枠側係合部に対して挿入部への挿入方向先側から引っ掛かる構成を採用すればよい。これにより、挿入方向手前側への遊技盤の変位を抑えることができる。
【０６２６】
特徴Ｃ３．前記挿入部は、前記支持枠の左右両端部のうち一方側に配されているとともに、他方側に向けて開放されており、
前記支持枠において前記挿入部が配されている側と同一側の端部に設けられ、少なくとも前記遊技盤の前記挿入部からの離脱が阻止されている場合に、前記遊技盤の回動基端部が載置される載置部（仮置き部１２５）を備えていることを特徴とするＣ２に記載の遊技機。
【０６２７】
特徴Ｃ３によれば、遊技盤を載置部によって支えることにより、阻止手段（詳しくは遊技盤側係合部や支持枠側係合部）に生じる負荷を低減することができる。つまり、阻止手段によって遊技盤の全重量を受ける必要がなく、阻止手段の簡素化に貢献できる。
【０６２８】
例えば、遊技盤の前面側に阻止手段を配する場合、周辺部品等との共存を考慮すると阻止手段の占有領域が制限されやすくなると想定される。この点、阻止手段の強度向上を抑える同阻止手段を簡素化可能となれば、上記占有領域を減縮し、実用上好ましい構成の実現に貢献することができる。
【０６２９】
特徴Ｃ４．前記載置部は、前記挿入部が開放されている側に延び、当該載置部に載置されている状態での前記挿入部の奥側へ向けての前記遊技盤の移動を許容しているとともに、前記遊技盤において前記支持枠側係合部よりも当該遊技盤の回動先端寄りとなる部位を支えるように形成されていることを特徴とするＣ３に記載の遊技機。
【０６３０】
特徴Ｃ４によれば、載置部によって支持枠側係合部よりも回動先端寄りとなる部位を支える構成とすることにより、阻止手段（詳しくは遊技盤側係合部や支持枠側係合部）に生じる負荷を好適に低減することが可能となり、特徴Ｃ３に示した阻止手段の保護機能を一層好適なものとすることができる。
【０６３１】
また、載置部は挿入部が開放されている側に延びていることにより、遊技盤を挿入部に挿入する前の段階にて同遊技盤を載置部に載せることができる。つまり、遊技盤を載置部に沿って移動させることにより挿入部へ挿入させることができ、遊技盤を抱えたまま挿入部へ挿入する必要がなくなる。これにより、挿入操作の容易化に貢献することができる。
【０６３２】
特徴Ｃ５．前記載置部は前記遊技盤の下端寄りに配されているとともに、前記阻止手段は前記遊技盤の上端寄りに配されていることを特徴とするＣ３又はＣ４に記載の遊技機。
【０６３３】
特徴Ｃ３等に示したように遊技盤を載置部に載せることで阻止手段に生じる負荷を低減する構成においては、遊技盤が載置部から脱落等することにより、阻止手段に生じる負担が増大すると想定される。この点、本特徴においては、載置部を阻止手段（例えば支持枠側係合部）よりも下側に配している。これにより、仮に遊技盤の回動先端部分が下方に変位するようにして同遊技盤が傾倒した場合であっても、遊技盤において載置部に載っている部分が同載置部から遠ざかる側に変位することを抑制することができる。故に、遊技盤が載置部から脱落することを抑制し、阻止手段を好適に保護することができる。
【０６３４】
また、載置部を遊技盤の下端寄り、阻止手段を遊技盤の上端寄りに配することにより、遊技盤の保持バランスを向上させ、遊技盤を回動させる際の作業の円滑化を促進できる。
【０６３５】
特徴Ｃ６．前記載置部と前記阻止手段との間に前記挿入部が配されていることを特徴とするＣ５に記載の遊技機。
【０６３６】
特徴Ｃ６によれば、特徴Ｃ５に示した保持バランスを一層好適なものとすることができ、回動操作時の遊技盤の安定性を向上させることができる。
【０６３７】
特徴Ｃ７．前記遊技盤側係合部と前記支持枠側係合部とは、前記遊技盤が前記載置部に載置され、それら遊技盤側係合部及び支持枠側係合部が係合している状態において、前記遊技盤側係合部が前記挿入部への挿入方向先側から前記支持枠側係合部に対して対向するとともに、同遊技盤側係合部が前記支持枠に対して上方から当接しないように形成されていることを特徴とするＣ５又はＣ６に記載の遊技機。
【０６３８】
特徴Ｃ７によれば、遊技盤側係合部が支持枠側係合部に対して挿入方向先側から当接することにより上述した遊技盤の離脱が阻止されることとなる。遊技盤側係合部は支持枠に対して上方から当接しないように形成されているため、阻止手段（遊技盤側係合部及び支持枠側係合部）に対して遊技盤の自重負荷が加わることを抑制することができる。これにより、阻止手段を保護し、同阻止手段の機能保全に貢献することができる。
【０６３９】
特徴Ｃ８．前記遊技盤側係合部は前記支持枠側係合部よりも上側に配されており、
前記遊技盤側係合部及び前記支持枠側係合部は、前記遊技盤が前記載置部から離間するようにして上方へ移動することにより、両者の係合が解除されるように構成されていることを特徴とするＣ５乃至Ｃ７のいずれか１つに記載の遊技機。
【０６４０】
特徴Ｃ８によれば、遊技盤を支持枠から取り外す際には、同遊技盤を上方に持ち上げることにより遊技盤側係合部が支持枠側係合部から遠ざかる側に変位し、両係合部の係合が解除される。
【０６４１】
このように、遊技盤を載置部に載せている場合には両係合部の係合状態が維持され、遊技盤を載置部から持ち上げることにより同係合状態が解除される構成とすることにより、遊技盤の着脱作業の容易化に貢献することができる。
【０６４２】
特徴Ｃ９．前記遊技盤側係合部は、前記遊技盤の前面側に配されていることを特徴とするＣ２乃至Ｃ７のいずれか１つに記載の遊技機。
【０６４３】
遊技盤側係合と支持枠側係合部とを有する構成においては、両者に若干の遊びを設定することにより、遊技盤の挿入方向のばらつき（作業ばらつき）を好適に許容することができ、遊技盤の挿入操作が係合部によって妨げられることを抑制することができる。しかしながら、このような遊びが過度に大きくなった場合には、上記効果を享受できる反面、遊技盤の回動安定性が低下する要因となり得るため好ましくない。
【０６４４】
この点、本特徴によれば、遊技盤側係合部を遊技盤の前面側に配することにより、遊技盤を回動させる際の遊技盤側係合部の変位量を、同遊技盤側係合部を遊技盤の背面側に配する構成と比較して小さくすることが可能となる。つまり、上述した遊びが過度に大きくなることを抑制でき、実用上好ましい構成を実現できる。
【０６４５】
また、遊技盤を支持枠に対して遊技機前方から取り付ける構成においては、遊技盤側係合部を遊技盤の前面側に配することにより、遊技盤を挿入する際の遊技盤側係合部の移動先（例えば支持枠側係合部に向かっているか否か）を目視によって確認しやすくし、遊技盤装着作業の確実性向上に貢献することができる。
【０６４６】
特徴Ｃ１０．前記挿入部は、前記支持枠の左右両端部のうち一方側に配されているとともに、他方側に向けて開放されており、
前記遊技盤の前面から前方へ起立しているとともに、前記挿入部側に凸となる円弧状をなしており、前記遊技盤の前面に遊技領域（遊技領域ＰＥ）及びその遊技領域へ遊技球を誘導する誘導部（誘導通路１０３）を区画形成する区画部（誘導レール１００）と、
前記支持枠に設けられているとともに、前記区画部の凸となっている部分よりも下側に配され、前記遊技盤が前記挿入部に挿入されている状態にて、同遊技盤を載置可能な載置部（仮置き部１２５）と
を備え、
前記遊技盤側係合部は、前記遊技盤の前面側において前記区画部の前記凸となっている部分を挟んで前記載置部とは反対側となる位置に配されていることを特徴とするＣ９に記載の遊技機。
【０６４７】
特徴Ｃ１０によれば、遊技盤の前面側には区画部によって遊技領域や誘導部が区画形成されている。つまり、遊技盤の前面側には上記遊技盤側係合部のみならず遊技領域や誘導部が配設されている。近年では遊技領域の拡張に伴い区画部が遊技盤の縁部に近づけて配設されることが多く、遊技盤における挿入部側の縁部と区画部との間に遊技盤の装着に関する構成（例えば阻止手段や載置部）の設置領域を広く確保することは遊技領域の拡張を妨げる要因となり得るため好ましくない。
【０６４８】
この点、本特徴においては、区画部の凸となっている部分よりも下側に載置部を配するとともに、その凸となっている部分を挟んで載置部とは反対側に遊技盤側係合部を配することにより、区画部（すなわち遊技領域や通路部）と遊技盤側係合部及び載置部とを好適に共存させることが可能となり、上述した遊技領域の拡張を促進しつつ、遊技盤の装着作業の容易化に貢献することができる。
【０６４９】
なお、上記特徴Ｃ３等との組み合わせにおいては特に、それら特徴Ｃ３等に示した「載置部」と、本特徴に示す「載置部」とを同一のものとすることも可能である。
【０６５０】
特徴Ｃ１１．前記支持枠を遊技機前方から覆うとともに、同遊技機本体に対して開閉可能な扉体（前扉枠１４）を備え、
前記挿入部は、前記支持枠において前記扉体が支持されている側と同じ側に設けられていることを特徴とするＣ２乃至Ｃ１０のいずれか１つに記載の遊技機。
【０６５１】
特徴Ｃ１１によれば、扉体の回動基端側に挿入部を配することにより、遊技盤を装着する際の扉体の開放量を小さくすることができる。これにより、例えば遊技機を遊技ホール等に設置している状態にてメンテンナンスを行う際に、隣接して配置されている遊技機での遊技を妨げにくくすることができる。
【０６５２】
特徴Ｃ１に示したように、挿入部からの遊技盤の脱落を阻止するには、阻止手段として、例えば軸ピン及び軸受け孔を採用し、軸ピンの軸線方向へ遊技盤を移動させることにより当該軸ピンを軸受け孔に挿通させ、挿入部からの遊技盤の離脱を阻止する構成とするこも可能である。このような構成においては、遊技盤において阻止手段が設けられている部分の周辺を把持することにより上述した挿通作業の容易化を図ることができる。
【０６５３】
しかしながら、上述の如く扉体の回動基端側に挿入部を配している場合には、上述の如く把持位置を工夫し挿通作業を容易に行おうとすれば、遊技盤を把持している手が扉体に干渉しやすくなると想定される。このような干渉を回避すべく扉体を大きく開放することは周辺の遊技機での遊技を妨げる要因となり得るため、必然的に遊技盤において把持できる箇所は、挿入部側の端部とは反対側（すなわち回動先端側）に制限されやすいと考えられる。つまり、軸ピンから遠い位置にて遊技盤を把持する必要が生じ得る。これは上記挿通作業を困難にするとともに作業負担を増大させる要因となり得るため好ましくない。
【０６５４】
この点、特徴Ｃ２等に示した構成、すなわち挿入部へ遊技盤を挿入することにより、両係合部が係合される構成との組み合わせにおいては、それら各種不都合を好適に払拭することができる。つまり、隣接する遊技機との関係を考慮して扉体の開放量を小さく抑えつつ、遊技盤における挿入部とは反対側を把持した状態での作業（すなわち両係合部を係合状態に移行する作業）を容易に行うことができ、実用上好ましい構成を実現できる。
【０６５５】
特徴Ｃ１２．前記遊技盤の前面から前方へ起立しているとともに、前記挿入部側に凸となる円弧状をなしており、前記遊技盤の前面に遊技領域（遊技領域ＰＥ）及びその遊技領域へ遊技球を誘導する誘導部（誘導通路１０３）を区画形成する区画部（誘導レール１００）と、
前記遊技盤に設けられ、少なくとも前記区画部の前記凸となっている部分を前記挿入部側から覆うカバー部（レールカバー４００）と
を備え、
前記遊技盤側係合部は、前記カバー部に配設されていることを特徴とするＣ２乃至Ｃ１１のいずれか１つに記載の遊技機。
【０６５６】
特徴Ｃ１２によれば、区画部において挿入部側に凸となっている部分がカバー部によって挿入部側から覆われている。挿入部を有する構成においては、同挿入部へと挿入される遊技盤の一側部が、遊技盤装着作業時に支持枠等に対して衝突しやすいと想定される。特に、区画部は遊技盤の前面から起立しており、遊技領域を区画しているため、遊技領域に配された他の構成（例えば釘８７）と比較して衝突の対象になりやすいと想定される。区画部は、遊技球を遊技領域へと誘導する機能を有しているため、上記衝突によって変形等することは好ましくない。そこで、この区画部をカバー部によって覆うことにより、そのような不都合の発生を抑えることができる。
【０６５７】
カバー部は、区画部を保護する機能を有しており、支持枠等との衝突に耐え得る程度の強度を付与することが望ましい。このように強度が要求される構成に対して遊技盤側係合部を配設することにより、遊技盤前面側での限られたスペースにて遊技領域及び通路部と阻止手段（遊技盤側係合部）及びカバー部とを好適に共存させることができる。
【０６５８】
なお、特徴Ｃ１０との組み合わせにおいては特に、同特徴Ｃ１０に示した「区画部」と本特徴に示す「区画部」とを同一のものとすることも可能である。
【０６５９】
特徴Ｃ１３．前記カバー部は、
前記遊技盤の前面に平行となるように形成され、同遊技盤に固定されているベース部（ベース部４１０）と、
前記ベース部から起立するとともに、前記区画部に前記挿入部側から対向する対向部（起立部４２０）と
を有し、
前記遊技盤側係合部は、前記対向部から前記挿入部側に起立しているとともに、その付け根部分を基端として撓み変形することにより、前記支持枠側係合部との係合状態へと移行されることを特徴とするＣ１２に記載の遊技機。
【０６６０】
特徴Ｃ１３によれば、遊技盤の一側部を挿入部へ挿入すると、遊技盤側係合部が対向部側の付け根部分を基端として撓み変形性、支持枠側係合部との係合状態へと移行される。特に、遊技盤側係合部は遊技盤に固定されているベース部から起立しているのではなく、対向部から挿入部側に起立している。これにより、遊技盤係合部の撓み変形を円滑なものとし、係合状態への移行時にカバー部に加わる負荷を低減している。また、遊技盤係合部からの伝わる負荷を対向部を経由してベース部に伝えることで、カバー部における負荷の分散効率を高めている。故に、阻止手段（遊技盤側係合部）の占有領域の拡大を抑え、限られた領域において阻止手段とカバー部とを好適に共存させることができる。
【０６６１】
特徴Ｃ１４．前記カバー部は透明性を有しており、当該カバー部を通じて前記挿入部及び前記阻止手段が視認可能となるように形成されていることを特徴とするＣ１２又はＣ１３に記載の遊技機。
【０６６２】
特徴Ｃ１４によれば、カバー部によって挿入部や阻止手段が遮蔽されることがない。故に、カバー部を採用したために挿入部への遊技盤の挿入が難しくなったり、阻止手段の状態把握が難しくなったりすることを好適に抑制できる。
【０６６３】
上記特徴Ｃ群は以下の課題に対して適用すると効果的である。
【０６６４】
パチンコ機等の遊技機には、遊技領域が形成された遊技盤を枠体に搭載してなる遊技機本体と、遊技機本体の前面側に取り付けられた扉体とを備えているものがあり、同扉体に配設された透明パネルを介して遊技領域が視認可能となっている。遊技領域には入賞口や入賞装置等の各種構成が設けられている。遊技者により遊技球発射ハンドルが操作されると遊技球が遊技領域に向けて発射され、それら遊技球が入賞口や入賞装置等に入賞した場合には予め設定された個数の遊技球が払い出される。
【０６６５】
一般的に、このような遊技機においては遊技盤が枠体に対して着脱可能に取り付けられており、遊技盤の着脱を可能とすることで遊技盤等のメンテナンス作業の容易化や機種変更時における同遊技盤の入替作業の容易化が図られている。特に、近年では遊技盤を枠体の前方から着脱可能とする遊技機が提案されており、上述した遊技盤着脱作業の更なる容易化が図られている。
【０６６６】
しかしながら、遊技盤を枠体の前方から取り付けるタイプの遊技機においては、遊技盤の取付容易性や取付安定性等、未だ改善の余地がある。
【０６６７】
特徴Ｄ１．前面側に遊技領域（遊技領域ＰＥ）が形成されている遊技盤（遊技盤８０）と、
前記遊技盤の前面から起立する壁状をなし、遊技球がその壁面に沿って移動することにより同遊技球を前記遊技領域に誘導する誘導手段（誘導レール１００）と、
前記遊技盤を着脱可能に支持する支持枠（内枠１３の樹脂ベース６０）と、
前記支持枠に固定されているとともに、前記遊技盤の下端に沿って配置されている支持枠補強部材（補強プレート５５０）と、
前記支持枠補強部材に設けられ、前記支持枠に対しての前記遊技盤の取付位置を規定する位置決め手段（例えばロック装置６００）と、
前記支持枠補強部材に設けられ、遊技球発射部（ソレノイド１１１）によって発射された遊技球を前記誘導手段に導く発射レール部（発射レール１１２）と
を備えていることを特徴とする遊技機。
【０６６８】
特徴Ｄ１によれば、遊技盤を支持枠に対して着脱可能な構成とすることにより、同遊技盤のメンテナンス作業の容易化等に貢献することができる。遊技球発射部によって発射された遊技球は、発射レール部→誘導手段の順に移動し遊技領域に到達する。
【０６６９】
発射レール部は支持枠補強部材に設けられているとともに、遊技盤（詳しくは誘導手段）は支持枠補強部材に設けられた位置決め手段によって位置決めされている。これにより、発射レール部及び遊技盤（詳しくは誘導手段）の相対位置の精度を高めることができ、発射レール部から発射された遊技球の誘導手段に対する着地位置の精度向上に貢献できる。故に、誘導手段による遊技球の誘導の円滑化が期待できる。
【０６７０】
特徴Ｄ２．前記支持枠には、前記遊技盤の通過を許容する開口部位を有し、同遊技盤を収容する収容部（遊技盤収容部６１）が形成されており、
前記支持枠補強部材は、前記支持枠における前記開口部位を挟んで設けられた１組の枠部（左側枠部１３ｃ及び右側枠部１３ｄ）に跨るようにして形成されていることを特徴とする特徴Ｄ１に記載の遊技機。
【０６７１】
遊技盤を収容部に収容する構成においては、その収容部の開口部位周辺にて強度が低下すると想定される。そこで、上述した支持枠補強部材を開口部位を挟んで設けられた１組の枠部に跨るようにして形成することにより、上述した補強効果を好適に発揮させることができる。
【０６７２】
例えば、支持枠補強部材を、支持枠の前面と、収容部の周壁面において遊技盤の下端部に相対向している部位と、収容部の奥壁とに沿って前後に折れ曲がるように形成するとよい。これにより、開口部位周辺での補強効果を一層好適なものとすることができる。
【０６７３】
特徴Ｄ３．前記支持枠は、前記遊技盤が前記支持枠に対して遊技機前方から着脱可能となるように構成されており、
前記支持枠補強部材は、前記遊技盤の背面に対向する対向部（対向部５８１）と前記遊技盤の前面に対して略同一平面上に位置する平面部（ベース部５６１）とを有し、それら対向部及び平面部が段差部（延出部５７１）を介して連なるようにして一体成形されており、
前記位置決め手段は前記対向部に配されているとともに、前記発射レール部は前記平面部に配されていることを特徴とする特徴Ｄ１又は特徴Ｄ２に記載の遊技機。
【０６７４】
特徴Ｄ３によれば、支持枠補強部材の強度向上を図りつつ、遊技盤の前面（詳しくは誘導手段）と発射レール部との前後位置を好適に揃えることができ、上記精度向上効果を一層顕著なものとすることができる。
【０６７５】
特徴Ｄ４．前記発射レール部は、前記支持枠補強部材とは別体で形成されているとともに、少なくとも前記遊技盤側の端部が前記支持枠補強部材に設置されていることを特徴とする特徴Ｄ１乃至特徴Ｄ３のいずれか１つに記載の遊技機。
【０６７６】
特徴Ｄ１等に示した構成を実現する場合、発射レール部における遊技盤側の端部を支持枠補強部材に設置するとよい。このように少なくとも遊技盤側の端部を設置しておくことで、上述した着地位置のばらつきを好適に抑えることができる。
【０６７７】
特徴Ｄ５．前記発射レール部と、前記遊技球発射部と、それら発射レール部及び遊技球発射部が搭載されているベース体（ベースプレート１１４）とを有する発射ユニット（遊技球発射機構１１０）を備え、
前記発射レール部は、前記ベース体が前記支持枠補強部材に取り付けられることにより、前記支持枠に対して一体化されていることを特徴とする特徴Ｄ１乃至特徴Ｄ４のいずれか１つに記載の遊技機。
【０６７８】
特徴Ｄ５によれば、発射に関する構成をユニット化した上で、その発射ユニットと支持枠と一体化することにより、メンテナンス作業の容易化と位置精度の向上とに貢献できる。
【０６７９】
特徴Ｄ６．前記発射レール部は、前記誘導手段側の端部が上位となるように傾けて配置されており、
前記遊技球発射部は、前記発射レール部の上流側に配されており、
前記ベース体は、当該ベース体において前記遊技盤側となる部位であって前記発射レール部の上流側端部寄りとなる部位と前記遊技球発射部寄りとなる部位にて前記支持枠補強部材に対して位置決めされていることを特徴とする特徴Ｄ５に記載の遊技機。
【０６８０】
特徴Ｄ６によれば、発射レール部において誘導手段側となる部位の位置精度を向上することができる。特に支持枠補強部材は遊技盤の下端に沿って延びており、この支持枠補強部材の長手方向にて、詳しくは発射レール部の上流側端部寄りとなる部位と遊技球発射部寄りとなる部位にて位置決めを行うことにより、発射レール部の位置精度を好適に高めることができる。確かに、支持枠補強部材を上下に幅広となるように形成し、ベース体の上端寄り及び下端寄りとなる両部位にて位置決めを行うことも可能である。しかしながら、このような対応を行った場合、支持枠補強部材が無駄に大型化し、補強機能の向上よるメリットりも重量増によるデメリットのほうが大きくなると想定される。この点、上述の如く、ベース体の位置決めを工夫することにより、支持枠補強部材の大型化を抑えつつ、位置決め精度を向上でき、実用上好ましい構成を実現できる。
【０６８１】
特徴Ｄ７．前記支持枠は、合成樹脂により形成され、
前記支持枠補強部材は、前記支持枠よりも高強度の金属板により形成されていることを特徴とする特徴Ｄ１乃至特徴Ｄ６のいずれか１つに記載の遊技機。
【０６８２】
支持枠を合成樹脂によって形成している場合、遊技機の軽量化及び製造容易化が期待できる反面、同支持枠の撓みや捩れが生じやすいと想定される。そこで、高強度の金属板からなる支持枠補強部材によって支持枠を補強することにより、上述した撓みや捩れを好適に抑えることができる。このように、強度が確保されている部材に対して発射レール部及び位置決め手段を配設することで、実用上好ましい構成が実現できる。
【０６８３】
特徴Ｄ８．前記位置決め手段は、前記遊技盤の下端寄りに配置されていることを特徴とする特徴Ｄ１乃至特徴Ｄ７のいずれか１つに記載の遊技機。
【０６８４】
特徴Ｄ８によれば、少なくとも発射レール側の端部近傍における遊技盤の位置精度を向上することができる。これにより、例えば遊技球の着地位置のばらつきを抑えやすくできる。例えば、遊技盤の下端縁に沿って複数の位置決め手段を配列するとよい。
【０６８５】
特徴Ｄ９．前記支持枠は、前記遊技盤を遊技機前方から着脱可能となるように構成されており、
前記位置決め手段は、前記誘導手段において前記遊技球発射装置から発射された遊技球が入る入口部（入口部分１０４）の近傍に配されていることを特徴とする特徴Ｄ１乃至特徴Ｄ８のいずれか１つに記載の遊技機。
【０６８６】
特徴Ｄ９によれば、遊技盤を遊技機前方（支持枠の前面側）から着脱可能とすることにより、遊技盤を遊技機後方（支持枠の背面側）から着脱する構成と比較して、位置決め手段の配置自由度を高め、特定の位置における位置精度を担保しやすくしている。具体的には、遊技盤を支持枠の背面側から着脱する構成においては、例えば遊技領域に対して前後に重なる位置や、遊技盤に装着されている各種遊技部品等に対して前後に重なる位置には位置決め手段を配置することが困難であるが、遊技盤を支持枠の前面側から着脱する構成においては、位置決め手段の配置に上述したような制限が生じることを抑制できる。このように位置決め手段の配置自由度を向上し、特に誘導手段の入口部の近傍に位置決め手段を設けることにより、入口部の位置精度を向上し、遊技球の着地位置のばらつきを抑制することが可能となる。これにより、誘導手段による遊技球の誘導の円滑化に貢献できる。また、遊技球着地時の衝撃が想定以上に大きくなることを抑制し、誘導手段や同誘導手段の取り付け構造の強化を回避しつつ、誘導手段の耐久性を向上できる。故に、構造の煩雑化を抑制しつつ誘導手段の耐久性を向上することが可能となる。
【０６８７】
特徴Ｄ１０．前記位置決め手段は、前記誘導手段の入口部を挟んだ左右両側にそれぞれ配置されていることを特徴とする特徴Ｄ９に記載の遊技機。
【０６８８】
特徴Ｄ１０によれば、遊技盤の位置精度を誘導手段の入口部にて更に向上させることができ、特徴Ｄ９に示した効果を更に顕著なものとすることができる。
【０６８９】
特徴Ｄ１１．前記支持枠によって回動可能に支持され、前記遊技盤を前方から覆う扉体（前扉枠１４）と、
前記支持枠において前記扉体が支持されている側と同一側に設けられているとともに、前記扉体が支持されている側とは反対側に開放されており、同扉体が支持されている側とは反対側から前記遊技盤が挿入される挿入部（挿入部２９０）と
を備え、
前記遊技盤は、前記挿入部に挿入された状態で当該挿入部を中心として回動されることにより前記支持枠に対して着脱されるものであり、
前記扉体に設けられ、遊技球を貯留する貯留皿（上皿２８ａや下皿２９ａ）と、
前記遊技盤において前記入口部の回動基端側となる部位に形成され、当該遊技盤の回動基端側に開放された開放部（切欠き部８８）と、
前記開放部を通じて前記支持枠及び前記扉体に跨って設けられているとともに、前記貯留皿よりも上位に配置され、遊技球を前記貯留皿に導く誘導通路部（通路形成部材１２１等）と
を備え、
前記挿通部は、前記開放部に連なるとともに前記遊技盤の回動基端側に開放されていることを特徴とする特徴Ｄ１０に記載の遊技機。
【０６９０】
特徴Ｄ１０に示したように位置決め手段が入口部を挟んだ両側に配置されている場合には、両位置決め手段のうち入口部よりも回動基端側に位置する一方によって挿入部への遊技盤の挿入が妨げられやすくなることが懸念される。特に、入口部を遊技盤の幅方向における中央に配置している場合には、そのような不都合が顕著になると想定される。
【０６９１】
また、誘導通路が貯留皿よりも上位に位置することにより遊技球を同貯留皿へ誘導する際にそれら遊技球の自重を利用して同遊技球を移動させることが可能となる。しかしながら、近年においては遊技領域が拡張される傾向にあり、これによって誘導通路の配置が制限されやすくなっている。つまり、誘導通路が遊技領域（遊技盤）の拡張によって下方へと押しやられることが懸念される。これは、貯留皿への遊技球の誘導を難しくする要因となり得る。
【０６９２】
この点、本特徴においては、遊技盤に開放部を設けることで、上記誘導通路と遊技盤との共存が可能となっている。つまり、遊技領域を拡張しつつ誘導通路の位置を貯留皿よりも上位に配置することが可能となっている。更に、この開放部に連なるようにして回動基端側の位置決め手段用の挿通部を形成し、その挿通部を回動基端側に開放させることで、遊技盤を挿入する際の同位置決め手段と同挿通部との干渉を回避することができる。これにより、誘導通路の配置と遊技領域の拡張とを好適に実現し、更には位置決め精度の向上と遊技盤の挿入作業の容易化とを好適に両立することができる。
【０６９３】
例えば、遊技盤における回動基端側の下隅部にて回動基端側及び下側に開放された切欠きによって前記開放部を構成するとよい。
【０６９４】
特徴Ｄ１２．前記遊技盤を前記支持枠に対して遊技機前方から取付可能な遊技機であって、
前記遊技盤には、前記遊技盤の厚さ方向に貫通する挿通部（挿通部９２）が形成されており、
前記位置決め手段は、
前記挿通部を通って前記遊技盤の前面側に突出して設けられているとともに前記支持枠補強部材に取り付けられ、前記遊技盤の前面に対向し当該遊技盤の前面と当接することで同遊技盤の遊技機前方への移動を不可とする位置決め状態、及び前記遊技盤の遊技機前方への移動を許容する位置決め解除状態の両状態に切替可能に設けられた操作部（操作レバー６４０の操作部６４６）と、
前記遊技盤の後方に設けられ、前記操作部が前記位置決め解除状態から前記位置決め状態に切り替えられた場合に同遊技盤の背面を前記操作部側に向けて押える押え部（プッシャ６３０）と
を備えていることを特徴とする特徴Ｄ１乃至特徴Ｄ１１のいずれか１つに記載の遊技機。
【０６９５】
特徴Ｄ１２によれば、位置決め手段の操作部を位置決め状態に切り替えることにより、操作部が遊技盤の前面に対向する位置に配置され、且つ遊技盤が押え部によって遊技機前方に向けて押されることとなる。遊技盤の前方には操作部が位置しているため、同遊技盤は操作部に押えつけられることとなる。操作部は支持枠補強部材に取り付けられているため、同操作部に対して遊技盤が当接することにより同遊技盤の前後位置が規定される。
【０６９６】
このように、遊技盤を前方から取り付ける構成において同遊技盤の前面基準で位置決めを行う構成とすれば、遊技盤の背面基準で位置決めを行う構成と比較して、同遊技盤の前面（すなわち上記遊技領域）の位置精度を向上できる。詳しくは、遊技盤の背面基準で位置決めをした場合、遊技盤における厚み等の製造ばらつきの影響により、遊技盤の前面の位置精度が低下しやすくなる。この点、本特徴においては、このような不都合を好適に払拭し、位置精度の向上に貢献できる。
【０６９７】
特徴Ｄ１３．前記支持枠によって回動可能に支持され、前記遊技盤を前方から覆う扉体（前扉枠１４）と、
前記支持枠において前記扉体が支持されている側と同一側に設けられているとともに、前記扉体が支持されている側とは反対側に開放されており、同扉体が支持されている側とは反対側から前記遊技盤が挿入される挿入部（挿入部２９０）と
を備え、
前記遊技盤は、前記挿入部に挿入された状態で当該挿入部を中心として回動されることにより前記支持枠に対して着脱されるものであり、
前記位置決め手段は、前記支持枠補強部材において前記挿入部が設けられている側とは反対に配置され、
前記挿通部は、前記遊技盤を取付完了位置へ回動させる過程において前記操作部の通過を許容するものであることを特徴とする特徴Ｄ１２に記載の遊技機。
【０６９８】
特徴Ｄ１２によれば、支持枠側（詳しくは支持枠補強部材）に位置決め手段を設けたことで、例えば遊技盤を交換することにより機種変更を行うタイプの遊技機においては、位置決め手段の機種間での使いまわしが可能となり、リユース率の向上に貢献できる。更には、位置決め手段を支持枠補強部材に設けることにより、遊技盤ごとに位置決め精度がばらつくことを抑制可能となっている。
【０６９９】
また、支持枠に扉体が設けられている場合には、扉体を開放した状態で遊技盤を遊技機前方から真っ直ぐ押し込んで取り付けるのは難しくなり得る。特に、遊技機が遊技ホールの島設備に設置されている場合には、扉体の回動基端側において遊技盤を取り付ける際の作業スペースの確保や取付軌道の確保が困難になりやすいと想定される。この点、本特徴によれば、遊技盤を挿入部に挿入した後で、支持枠に対して回動させることにより取付完了位置に配置することができるため、上述した不都合を好適に払拭することができる。
【０７００】
しかしながら、仮に上記位置決め手段を扉体の回動基端側（すなわち挿入部側）に配置すると、遊技盤を挿入する際に位置決め手段が引っ掛かりやすくなったり、上記操作部を操作しにくくなったりし得る。そこで、本特徴においては、位置決め手段を挿入部が設けられている側とは反対に配置した。これにより、位置決め手段が遊技盤の取付作業の妨げとなることを抑制している。
【０７０１】
特徴Ｄ１４．前記位置決め手段には、前記支持枠補強部材から前記遊技盤に向けて起立し、前記挿通部に沿って延びる軸部（軸ピン６２０）が設けられ、
前記操作部は、前記軸部において前記挿通部から突出している先端部分から当該軸部と交差する方向に延出するようにして形成されているとともに、前記位置決め解除状態では当該操作部の長手方向が遊技盤の回動基端側から回動先端側に向き、前記位置決め解除状態ではそれとは異なる方向を向くように前記軸部の中心軸線を中心とした回動が許容されており、
前記挿通部は、当該遊技盤の回動基端側から回動先端側に延び、前記位置決め解除状態での前記操作部の通過を許容するように形成されていることを特徴とする特徴Ｄ１３又は特徴Ｄ１４に記載の遊技機。
【０７０２】
特徴Ｄ１３及び特徴Ｄ１４に示した構成においては、遊技盤回動時の同遊技盤と位置決め手段との干渉を回避すべく挿通部の開放部位を大きくすると、操作部と遊技盤との掛かり代を確保しにくくなる。特に位置決め手段を回動式とした場合には、回動中心から掛かり部分までの距離が大きくなると、遊技盤の押えが難しくなり、上記押え部の押え力によってかえって遊技盤の位置決め精度が低下し得る。
【０７０３】
この点、本特徴によれば、挿通部の開放部位の大きさを操作部に対して無駄に大きくしなくてもよくなり、操作部と遊技盤との掛かり代を確保しやすくできる。更には、操作部の回動中心から掛かり部分までの距離を小さくすることができる。これにより、操作部（詳しくは位置決め手段）の変形を抑え、位置決め精度の向上に貢献できる。
【０７０４】
特徴Ｄ１５．前記操作部と前記押え部とが前記遊技盤を挟んで対峙していることを特徴とする特徴Ｄ１２乃至特徴Ｄ１４のいずれか１つに記載の遊技機。
【０７０５】
特徴Ｄ１５によれば、遊技盤を操作部と押え部とで挟み込むことで遊技盤の位置決め精度の向上に貢献できる。
【０７０６】
特徴Ｄ１６．前記押え部は、前記操作部が前記位置決め解除状態から前記位置決め状態に切り替えられた場合に、前記遊技盤を当該遊技盤の背面側から押す状態から、同遊技盤を押さない状態に切り替えられるものであることを特徴とする特徴Ｄ１２乃至特徴Ｄ１５のいずれか１つに記載の遊技機。
【０７０７】
特徴Ｄ１６によれば、操作部を位置決め解除状態に切り替えることにより、遊技盤の取り外しが可能となる。この際、操作部を操作することで、押え部による遊技盤の押えが回避されるため、位置決め解除後に遊技盤が押え部に押されて移動することを抑制できる。これにより、例えば操作部を操作している手等が遊技盤に干渉するといった不都合を生じにくくすることができる。
【０７０８】
特徴Ｄ１７．前記押え部は、前記操作部が前記遊技盤の前面と対向している状態において、前記遊技盤を当該遊技盤の背面側から押す状態と、同遊技盤を押さない状態との切り替えがなされるものであることを特徴とする特徴Ｄ１２乃至特徴Ｄ１６のいずれか１つに記載の遊技機。
【０７０９】
特徴Ｄ１７によれば、操作部が遊技盤と対向している状態にて、同遊技盤を押す状態と押さない状態との切り替えがなされる。これにより、遊技盤を装着する際の抵抗を抑えることができ、更には遊技盤を取り外す際に同遊技盤が押え部に押されて不意に移動して手等に干渉するといった不都合を生じにくくできる。
【０７１０】
特徴Ｄ１８．前記位置決め手段は、前記操作部と前記押え部とがユニット化された状態で前記支持枠補強部材に設置されていることを特徴とする特徴Ｄ１２乃至特徴Ｄ１８のいずれか１つに記載の遊技機。
【０７１１】
特徴Ｄ１２に示した位置決め手段を採用する場合、本特徴に示すように操作部と押え部とをユニット化しておくことにより、メンテナンス作業の容易化等に貢献することができる。また、押え部と操作部との位置関係のばらつきを抑制し、操作部に加わる負荷の増大を抑えることができる。
【０７１２】
特徴Ｄ１９．前記位置決め手段は、前記発射レール部の略延長上に配されていることを特徴とする特徴Ｄ９に記載の遊技機。
【０７１３】
特徴Ｄ１９によれば、遊技球発射部によって発射された遊技球は、発射レール部に沿って移動し、同発射レール部の延長先に向けて移動する。この場合、同遊技球は、位置決め手段において発射レール部の延長上に位置する部分（特定部位ＳＰ）に着地しやすくなると想定される。本特徴においては特に、位置決め手段を発射レール部の略延長上に配することにより、遊技球の着地想定位置の近くにて位置決めを行うことが可能となる。これにより、特徴Ｄ５に示した各種効果を更に高めることができる。
【０７１４】
特徴Ｄ２０．前記誘導手段は、遊技球が通過可能な隙間を隔てて内外二重に設けられた内レール（内レール１０１）及び外レール（外レール１０２）によって構成されており、
それら内レール及び外レールは、前記遊技領域の外方に凸となる湾曲状に形成されており、
前記位置決め手段は、遊技機の正面視において前記外レールと前後に重なる位置に配置されていることを特徴とする特徴Ｄ９又は特徴Ｄ１９に記載の遊技機。
【０７１５】
特徴Ｄ２０によれば、位置決め手段を、遊技機の正面視において外レールと前後に重なる位置に配置することにより、発射レール部に対する誘導手段の位置精度を一層好適に向上でき、特徴Ｄ９等に示した効果を更に高めることができる。
【０７１６】
特徴Ｄ２１．前記位置決め手段は、前記遊技盤に形成された挿通部（貫通孔９１）に挿通されることにより前記遊技盤の前記支持枠に対しての取付位置を規定する突起（位置決め突起７９）を有していることを特徴とする特徴Ｄ２０に記載の遊技機。
【０７１７】
特徴Ｄ２１に示すように支持枠補強部材の突起が遊技盤の挿通部に挿通される構成とすることで、外レールの背後に位置決め手段を配置でき、特徴Ｄ２０に示した構成を好適に実現することができる。
【０７１８】
特徴Ｄ２２．前記挿通部は、前記遊技盤の厚さ方向に貫通する孔状をなし、
前記挿通部において前記突起が挿入される側とは反対には、前記外レールに対して前記内レールと対向している側とは反対から当接することにより、同外レールの変形を規制する規制部材（撓み規制部材１０７）が取り付けられていることを特徴とする特徴Ｄ２１に記載の遊技機。
【０７１９】
特徴Ｄ２２によれば、規制部材によって外レールの変形を規制する構成とすることにより、外レールに遊技球が着地した際の衝撃を分散することが可能となる。特に、この規制部材を位置決め用の貫通孔に取り付けることにより、規制部材を例えば遊技球の着地位置に対応して配置しやすくできる。つまり、位置決め用の貫通孔を利用して規制部材を取り付けることで、より的確な位置にて外レールの変形を抑えることが可能となる。
【０７２０】
なお、貫通孔を規制手段の取付孔として活用することにより、構成の煩雑化を最小限に留めることができる。
【０７２１】
特徴Ｄ２３．前記外レールに沿って配置され、当該外レールを前記遊技盤に固定する複数の固定部（固定ピン１０２ａ）を備え、
前記規制部材は、前記複数の固定部の間にて前記外レールに対して当接していることを特徴とする特徴Ｄ２２に記載の遊技機。
【０７２２】
特徴Ｄ２３によれば、外レールの撓み変形を許容しつつ、過度な変形（例えば塑性変形）を規制部材によって規制することができる。これにより、遊技球が着地（衝突）した際の接触時間を長くすることができ、同遊技球の着地によって発生する衝撃力を低減することができる。
【０７２３】
なお、外レールの撓み変形を許容する構成とした場合には、外レールが復元した際に振動が残留しやすくなると想定される。そこで、規制部材を外レールとは異なる固有振動値を有するように形成するとよい。これにより、誘導手段の緩衝機能と制振機能とを強化でき、実用上好ましい構成を実現可能となる。
【０７２４】
特徴Ｄ２４．前記支持枠補強部材には前記遊技盤の背面に対向する対向部（対向部３８１）が設けられているとともに、前記突起は当該対向部に配されており、
前記支持枠補強部材に設けられ、前記遊技盤の前面に当接する当接部（ロック装置６００の操作部６４６）と、
前記支持枠補強部材に設けられ、前記遊技盤を前記当接部側に押す押し部（ベースプレート６１０の付勢部６１５やプッシャ６３０）と
を備え、
前記遊技盤が前記押し部に押され前記当接部に当接している状態では、前記対向部と前記挿通部との間に隙間が形成されることを特徴とする特徴Ｄ２１乃至特徴Ｄ２３のいずれか１つに記載の遊技機。
【０７２５】
突起による位置決め精度を向上させようとすれば、挿通部と突起とのクリアランスを小さくし、突起を挿通部内に完全に埋没させるとよい。しかしながら、このような構成を採用した場合、遊技盤の位置をずらすような負荷が僅かにでも加わると、その負荷が突起の根元部分に集中しやすくなると想定される。この負荷は例えば突起をせん断させるように作用するため、突起の耐久性の確保に課題が生じると想定される。
【０７２６】
この点、本特徴においては対向部と挿通部との間に隙間を形成し、突起の根元部分を挿通させない構成とすることで、突起の撓み（弾性変形）を利用して上述した負荷による同突起のせん断や折れ等の発生を抑制できる。これにより、位置決め手段による位置精度の向上を図りつつ同位置決め手段の耐久性を好適に向上させることができ、繰り返しの使用に耐え得る構成の実現に貢献できる。
【０７２７】
例えば、当接部及び押し部によって遊技盤の前後位置を規定するとよい。
【０７２８】
特徴Ｄ２５．前記挿通部は、前記突起が挿通された状態にて、同突起との間にそれら突起及び挿通部の上下方向での相対移動を許容する隙間が形成されるように形成されていることを特徴とする特徴Ｄ２１乃至特徴Ｄ２４のいずれか１つに記載の遊技機。
【０７２９】
特徴Ｄ２５によれば、仮に遊技盤の上下位置がばらついた場合であっても、そのばらつきによる影響が突起に及ぶことを抑制できる。つまり、上下位置のばらつきに伴って左右位置もばらつきやすくなるといった不都合を生じにくくすることができる。これにより、上述した遊技盤（詳しくは誘導手段）の位置精度の低下を極力抑えることができる。
【０７３０】
特に特徴Ｄ２２や特徴Ｄ２３（規制部材を有する構成）との組み合わせにおいては、例えば挿通部が上下に拡がる長孔状とし、同挿通部に規制部材の取付部分が嵌合する構成とすることで、以下の効果を享受できる。すなわち、規制部材の位置ずれ等を好適に抑制し、例えば、外レールから規制部材に負荷が伝播した場合に同規制部材が挿通部を中心に回動して誘導手段（詳しくは外レール）に対する規制位置がずれることを抑制できる。このように簡素な構成によって、規制部材の位置ずれを抑えることで実用上好ましい構成を実現できる。
【０７３１】
上記特徴Ｄ群は以下の課題に対して適用すると効果的である。
【０７３２】
パチンコ機等の遊技機には、遊技盤を枠体に搭載してなる遊技機本体を備えているものがある。遊技盤の前面にはレール部材が設けられており、同遊技盤の前面のうちこのレール部材によって囲まれた領域が遊技領域となっている。遊技機本体の前面側には当該遊技機本体を覆う扉体が設けられており、同扉体において遊技盤の前方となる位置に配設された透明パネルを介して遊技領域が視認可能となっている。遊技者により遊技球発射ハンドルが操作されると遊技球発射装置から遊技球が発射される。遊技球発射装置は遊技球の発射方向を規定する発射レールを有している。この発射レールから発射された遊技球は、上記レール部材に沿って移動することにより遊技領域に導かれることとなる。
【０７３３】
一般的に、このような遊技機においては遊技盤が枠体に対して着脱可能に取り付けられており、遊技盤の着脱を可能とすることで遊技盤等のメンテナンス作業の容易化や機種変更時における同遊技盤の入替作業の容易化が図られている（例えば特開平６−４７１５７号公報参照）。
【０７３４】
しかしながら、遊技盤を枠体に対して着脱可能なタイプの遊技機においては、遊技盤の取付位置精度や取付安定性等、未だ改善の余地がある。
【０７３５】
特徴Ｅ１．各種遊技機器（図柄表示装置９４や音声ランプ制御装置１４３等）が搭載されてなる遊技機本体（内枠１３）と、
前記遊技機本体をその背面側から覆うカバー体（裏パック２０１の保護カバー部２１２）及び当該カバー体に併設された球通路（タンク２２１）を有してなる背面ユニット（裏パックユニット１５）と、
前記球通路よりも下側となる領域であって前記カバー体よって覆われていない領域に遊技機背面側へ露出するようにして設けられた操作手段（例えば操作片７０１）を有し、前記操作手段の変位に基づいて遊技機の状態を電気的に切り替える切替手段（電源・発射制御装置２４３）と、
少なくとも上方からの前記操作手段への遊技球の衝突に起因する切り替えを規制しつつ、遊技機背面側からの前記操作手段の操作を許容する規制手段（基板ボックス２４６の突出部２５２や仕切り部２５７Ｙ等）と
を備えていることを特徴とする遊技機。
【０７３６】
特徴Ｅ１に示すようにカバー体によって覆われていない領域に操作手段を配することにより、背面ユニット（カバー体）を取り外したり変位させたりすることなく切替操作を行うことができる。これにより、切替操作を行う際の作業の容易化に貢献している。
【０７３７】
島設備の遊技球供給部や上記球通路等から遊技球が溢れる等した場合に、それら溢れた遊技球が球通路等から零れ落ちることとなる。この際、カバー体によって覆われている部位に同遊技球が当たることはないが、上述の如く作業の容易化を目的として操作手段をカバー体によって覆われていない領域に配している構成においては当該操作手段に対して遊技球が上方から衝突し得る。このような遊技球の衝突によって遊技機の状態が切り替わることは、正常な遊技進行を妨げて遊技機に対する信頼性を低下させる要因となるため好ましくない。この点、本特徴に示すように、少なくとも上方からの操作手段への遊技球の衝突に起因する切り替えを規制する構成とすることにより、上述した不都合の発生を好適に抑制することができる。
【０７３８】
例えば箱状のカバー等を採用して操作手段を完全に囲う構成（操作手段の露出を回避する構成）を採用すれば、操作手段への遊技球の衝突を回避できると考えられる。しかしながら、そのような構成を採用した場合には、操作手段を操作する際にカバーを取り外したり取付位置から移動させたりする必要が生じ、切替作業時の手間が増えることとなる。この点、本特徴に示すように遊技機背面側からの操作手段の操作を許容すれば、規制手段の取り外し等が不要となる。故に、遊技機の信頼性を担保しつつそれに起因して作業の手間が増えることを抑制できる。
【０７３９】
なお、本特徴に対して以下に示す技術的思想「前記操作手段は、遊技機の電源をオフ状態にする場合に押圧操作される操作部を有し、前記規制手段は、前記操作部の上方に位置し、当該操作部に対する上方からの遊技球の衝突を規制するものである」を適用することにより、球通路から零れた遊技球の衝突によって遊技機の電源がオフになるといった不都合を好適に抑制することができる。
【０７４０】
特徴Ｅ２．前記球通路は、前記カバー体の上方に配されていることを特徴とする特徴Ｅ１に記載の遊技機。
【０７４１】
特徴Ｅ２に示すように、カバー体の上方に球通路が配されている場合には、当該球通路からの遊技球が操作部へ向けて落下する可能性が高くなる。そこで、このように構成に対して特徴Ｅ１に示した技術的思想を適用することで実用上好ましい構成を実現できる。
【０７４２】
特徴Ｅ３．各種遊技機器（図柄表示装置９４や音声ランプ制御装置１４３等）が搭載されてなる遊技機本体（内枠１３）と、
前記遊技機本体をその背面側から覆うカバー体（裏パック２０１の保護カバー部２１２）及び当該カバー体の上方に設けられた球通路（タンク２２１）を有してなる背面ユニット（裏パックユニット１５）と、
前記球通路よりも下側となる領域であって前記カバー体よって覆われていない領域に遊技機背面側へ露出するようにして設けられた操作手段（例えば操作片７０１）を有し、前記操作手段の変位に基づいて遊技機の状態を電気的に切り替える切替手段（電源・発射制御装置２４３）と、
前記操作手段への遊技球の到達を回避することで遊技球の衝突に起因した前記切替手段による切り替えを規制しつつ、遊技機背面側からの前記操作手段の操作を許容する規制手段（基板ボックス２４６の突出部２５２や仕切り部２５７Ｙ等）と
を備えていることを特徴とする遊技機。
【０７４３】
特徴Ｅ３に示すようにカバー体によって覆われていない領域に操作手段を配することにより、背面ユニット（カバー体）を取り外したり変位させたりすることなく切替操作を行うことができる。これにより、切替操作を行う際の作業の容易化に貢献している。
【０７４４】
球通路から遊技球が溢れる等した場合に、それら溢れた遊技球が球通路から零れ落ちることとなる。この際、カバー体によって覆われている部位に同遊技球が当たることはないが、上述の如く作業の容易化を目的として操作手段をカバー体によって覆われていない領域に配している構成においては当該操作手段に対して遊技球が衝突し得る。このような遊技球の衝突によって遊技機の状態が切り替わることは、正常な遊技進行を妨げて遊技機に対する信頼性を低下させる要因となるため好ましくない。この点、本特徴に示すように、規制手段によって操作手段への遊技球の衝突を回避する構成とすることにより、上述した不都合の発生を好適に抑制することができる。
【０７４５】
例えば箱状のカバー等を採用して操作手段を完全に囲うことにより、操作手段への遊技球の衝突を回避できる。しかしながら、このような構成を採用した場合には、操作手段を操作する際にカバーを取り外したり移動させたりする必要が生じ作業の手間が増えることとなる。この点、本特徴に示すように遊技機背面側からの操作手段の操作を許容すれば、規制手段の取り外し等が不要となる。故に、遊技機の信頼性を担保しつつそれに起因して作業の手間が増えることを抑制できる。
【０７４６】
特徴Ｅ４．前記規制手段は、
遊技機後方に開放された開放部（開放部２５０ａＸ）を有し、当該開放部から前記操作手段が突出しないようにして同操作手段を収容する収容部（スイッチ収容部２５０Ｘ）と、
前記開放部の遊技球の通過が規制されるとともに当該開放部を通じた前記操作手段の操作が許容されるように同開放部を細分化する仕切り部（仕切り部２５７Ｘ）と
を有していることを特徴とする特徴Ｅ３に記載の遊技機。
【０７４７】
特徴Ｅ４によれば、開放部を完全に閉じてしまうのではなく、仕切り部によって細分化するに留めることで操作手段に対する遊技球の衝突が回避されるとともに開放部を通じた切替操作が許容される。これにより、規制手段を取り外したり移動させたりすることなく、切替操作を行うことができ、手間の増加を抑えつつ上記信頼性の向上を実現できる。
【０７４８】
特徴Ｅ５．前記操作手段を回動可能に支持する支持部（電源スイッチ２４７における操作片７０１用の台座）を備え、
前記操作手段は、当該操作手段の回動中心部を挟んだ一方側が第１操作部（第１操作部７０２）、他方側が第２操作部（第２操作部７０３）となっているとともに、前記第１操作部及び前記第２操作部の一方が前記開放部側に近づくことで他方が前記開放部側から遠ざかるようにして構成されており、
前記第１操作部と前記第２操作部との前後位置が逆転することで前記切り替えがなされ、
前記第１操作部と前記第２操作部との位置関係が逆転した場合に前記開放部から遠い側の一方が同開放部から更に遠ざかる側へ変位するようにして前記操作手段を付勢する付勢手段を有していることを特徴とする特徴Ｅ４に記載の遊技機。
【０７４９】
特徴Ｅ４に示したように開放部を遊技球の通過が規制されるようにして細分化した構成においては、切替操作を行う際に仕切り部等が邪魔になって指等を収容部の奥側まで挿入することが難しくなり得る。
【０７５０】
そこで、本特徴に示すように、第１操作部及び第２操作部を開放部側に近づくようにして変位させる構成を採用すれば、指等を奥側まで挿入することなく操作部へアクセスすることができる。
【０７５１】
また、両操作部の位置関係が逆転する位置まで押し込むことで、その後は付勢手段の付勢力によって操作対象となった操作部が最奥位置へ変位させることができる。つまり、最奥位置まで各操作部を押し込む必要がなくなり、指等の挿入量を小さくしつつ切替操作を完遂可能となる。故に、開放部を細分化する構成を採用したとしても、それに起因して切替操作がやりにくくくなることを好適に抑制することができる。
【０７５２】
特徴Ｅ６．前記仕切り部は、前記回動中心部に対して遊技機後方から対峙する位置に配されており、
当該仕切り部によって、前記開放部が前記第１操作部側の開放部分（上側開放領域ＵＥ）と前記第２操作部側の開放部分（下側開放領域ＬＥ）とに仕切られていることを特徴とする特徴Ｅ５に記載の遊技機。
【０７５３】
特徴Ｅ６によれば、第１操作部側の開放部分を通じて第１操作部へアクセスできるとともに、第２操作部側の開放部分を通じて第２操作部へアクセスできる。かかる構成を採用することで、第１操作部及び第２操作部のうち何れか一方が操作しづらくなるといった不都合を生じにくくし、特徴Ｅ４に示した効果を好適に発揮させることができる。
【０７５４】
なお、本特徴に示す技術的思想を上記特徴Ｅ１に適用することも可能である。すなわち「前記操作手段を回動可能に支持する支持部（電源スイッチ２４７における操作片７０１用の台座）を備え、前記操作手段は、当該操作手段の回動中心部を挟んだ一方側が第１操作部（第１操作部７０２）、他方側が第２操作部（第２操作部７０３）となっているとともに、前記第１操作部及び前記第２操作部の一方が前記開放部側に近づくことで他方が前記開放部側から遠ざかるようにして構成されており、前記第１操作部と前記第２操作部との前後位置が逆転することで前記切り替えがなされ、前記規制手段は、前記操作手段の前記回動中心部の後方に配されていることを特徴とする特徴Ｅ１に記載の遊技機」とすることも可能である。かかる構成によれば、規制手段によって切り替え操作が妨げられることを好適に抑制することができる。
【０７５５】
特徴Ｅ７．前記仕切り部には、当該仕切り部に衝突した遊技球を前記操作手段側とは反対へ誘導する誘導傾斜面（連結部２５５の上面）が形成されていることを特徴とする特徴Ｅ５又は特徴Ｅ６に記載の遊技機。
【０７５６】
特徴Ｅ７によれば、衝突した遊技球を受け止めるのではなく逸らす構成とすることにより、仕切り部の強度を無駄に高める必要がなく、当該仕切り部の占有領域の拡がりを抑制可能となっている。つまり、仕切り部の強度確保を目的として開放部から操作手段が遠ざけて配置されるといった不都合を生じにくくすることができる。
【０７５７】
このように衝突した遊技球を操作手段とは反対側へ逸らす構成においては、仕切り部が操作手段側へ撓む可能性が生じる。仕切り部によって操作手段が押されることを回避しようとすれば、操作手段を開放部に近づけて配置することが困難になる。これは、切替操作を行う際の操作手段に対するアクセスを難しくする要因となり得る。
【０７５８】
この点、特徴Ｅ６（仕切り部が回動中心部に対して遊技機後方から対峙する位置に配されている構成）との組み合わせによれば、上記不都合を払拭し、操作手段を開放部に対してなるべく近づけて配置することが可能となる。つまり、仮に仕切り部が撓んで操作手段に当たったとしても仕切り部によって回動中心部が押されるため、操作手段が回動することを回避することができる。これにより、仕切り部（開放部）と操作手段とを近づけることができ、切替操作の容易化に貢献することができる。
【０７５９】
特徴Ｅ８．前記遊技機本体は支持対象（外枠１１）によって開閉可能に支持され、
前記規制手段は、前記支持対象に設けられた支持対象側規制部を有し、
前記支持対象側規制部は、前記遊技機本体が前記支持対象に対して閉じている状態においては前記操作手段を覆うとともに、前記遊技機本体が開放されている状態では前記操作手段を覆わないように構成されていることを特徴とする特徴Ｅ１乃至特徴Ｅ７のいずれか１つに記載の遊技機。
【０７６０】
特徴Ｅ８によれば、支持対象側規制部によって操作手段を覆うことにより、当該操作手段に対して遊技球が衝突することを回避できる。
【０７６１】
また、管理者等が切替操作を行う場合には、遊技機本体の背面側へのアクセスが可能となるように当該遊技機本体を開放すると想定されるが、かかる開放操作によって操作手段が露出した状態となり、上記切替操作を容易に行うことができる。これにより、実用上好ましい構成が実現できる。
【０７６２】
なお、本特徴に示す技術的思想、すなわち「各種遊技機器（図柄表示装置９４や音声ランプ制御装置１４３等）が搭載されてなる遊技機本体（内枠１３）と、前記遊技機本体をその背面側から覆うカバー体（裏パック２０１の保護カバー部２１２）及び当該カバー体の上方に設けられた球通路（タンク２２１）を有してなる背面ユニット（裏パックユニット１５）と、前記球通路よりも下側であって前記カバー体よって覆われていない領域に遊技機背面側へ露出するようにして設けられた操作手段（操作片７０１）を有し、前記操作手段の変位に基づいて遊技機の状態を電気的に切り替える切替手段（電源・発射制御装置２４３）とを備え、前記遊技機本体が支持対象（外枠１１）によって開閉可能に支持されている遊技機であって、遊技球が前記操作手段へ衝突することを阻止することにより前記切替手段による切り替えを規制する規制手段（基板ボックス２４６の突出部２５２や仕切り部２５７Ｙ等）を備え、前記規制手段は、前記支持対象に設けられ、前記遊技機本体が前記支持対象に対して閉じている状態においては前記操作手段を覆うとともに、前記遊技機本体が開放されている状態では前記操作手段を覆わないように構成されている」構成を単独で採用してもよい。
【０７６３】
特徴Ｅ９．各種遊技機器（図柄表示装置９４や音声ランプ制御装置１４３等）が搭載されてなる遊技機本体（内枠１３）と、
前記遊技機本体をその背面側から覆うカバー体（裏パック２０１の保護カバー部２１２）及び当該カバー体の上方に設けられた球通路（タンク２２１）を有してなる背面ユニット（裏パックユニット１５）と、
前記球通路よりも下側であって前記カバー体よって覆われていない領域に遊技機背面側へ露出するようにして設けられた操作手段（操作片７０１）を有し、前記操作手段の変位に基づいて遊技機を稼動させるオン状態と遊技機を停止させるオフ状態とに切り替える切替手段（電源・発射制御装置２４３）と
を備え、
前記操作手段は、遊技球が前記操作手段に対して上側又は遊技機背面側から衝突した場合に、当該衝突に起因した前記オン状態から前記オフ状態への切り替えが回避されるように構成されていることを特徴とする遊技機。
【０７６４】
特徴Ｅ９によれば、カバー体によって覆われていない領域に操作手段を配することにより、背面ユニット（カバー体）を取り外したり、変位させたりすることなく切替操作を行うことができる。これにより、切替操作を行う際の作業の容易化に貢献できる。
【０７６５】
球通路から遊技球が溢れる等した場合に、それら溢れた遊技球が球通路から零れ落ちることとなる。この際、カバー体によって覆われている部位に同遊技球が当たることはないが、上述の如く操作性の向上等を目的として操作手段をカバー体によって覆われていない領域に配している構成においては当該操作手段に対して遊技球が衝突し得る。このような遊技球の衝突によってオフ状態に切り替わることは、正常な遊技進行の妨げとなるため好ましくない。この点、本特徴に示すように、球通路から落下した遊技球が操作手段に対して上側又は遊技機背面側から衝突した場合に、当該衝突に起因したオン状態からオフ状態への切り替えが回避される構成とすれば、上述した不都合の発生を好適に抑制することができる。また、操作手段を遊技機背面側へ露出させておくことにより、切り替え操作を行う際の操作手段に対するアクセスを容易なものとすることができる。故に、上記効果を享受しつつ、それに起因した作業性の低下を抑制することができる。
【０７６６】
特徴Ｅ１０．前記操作手段は、指掛け操作部（操作片７０１Ｙ）を有し、
遊技機背面側に開放された開放部（開放部２５０ａＹ）を有し、前記操作手段を前記指掛け操作部が前記開放部を通じて遊技機背面側へ露出するようにして収容する収容部（スイッチ収容部２５０Ｙ）を備え、
前記切替手段は、前記オフ状態となっている状況下での前記指掛け操作部の遊技機正面側への変位に基づいて前記オン状態への切り替えを行い、前記オン状態となっている状況下での前記指掛け操作部の遊技機背面側への変位に基づいて前記オフ状態への切り替えを行うものであり、
前記指掛け操作部の外周部は、当該操作手段に対して前記収容部の外側から遊技球が衝突した場合に、同指掛け操作部が変位しない又は遊技機正面側へ変位するようにして形成されていることを特徴とする特徴Ｅ９に記載の遊技機。
【０７６７】
特徴Ｅ１０によれば、電源の切替を行う場合には、指掛け操作部を遊技機背面側へ引っ張ることでオフ状態となり、指掛け操作部を遊技機正面側へ押し込むことでオン状態となる。遊技球が収容部の外側から指掛け操作部に対して衝突した場合には、指掛け操作部は変位しない又は遊技機正面側へ変位する（遊技機背面側へ変位することはない）。このため、遊技球の衝突によってオフ状態に切り替ることを抑制することができる。故に、遊技機背面側へ指掛け操作部を露出させる構成を採用したとしてもそれに起因した信頼性の低下を抑えることができる。
【０７６８】
特徴Ｅ１１．前記指掛け操作部は、前記開放部に隣接して設けられ、当該開放部を跨いで前記収容部の内外に変位するように構成されていることを特徴とする特徴Ｅ１０に記載の遊技機。
【０７６９】
操作手段を収容部に収容する構成においては、操作手段（指掛け操作部）が収容部の奥側へ配されることで、誤作動回避機能を向上し得る。しかしながら、このような配置を採用した場合には、指掛け操作部へのアクセスが難しくなり、切り替え作業が行いにくくなると想定される。
【０７７０】
そこで、本特徴に示すように、指掛け操作部を開放部に隣接して設け、開放部を跨いで収容部の内外に変位するように構成することで、指掛け操作部へのアクセス及び切替操作の容易化も貢献できる。
【０７７１】
特徴Ｅ１２．前記指掛け操作部は、前記開放部の一部を覆う板状をなすとともに、前記収容部の奥部に対して隙間を隔てて対峙しており、
さらに、前記指掛け操作部はその一端部が前記開放部の縁部に対して隙間を隔てて対峙しており、
それら両隙間が一連となっていることを特徴とする特徴Ｅ１０又は特徴Ｅ１１に記載の遊技機。
【０７７２】
特徴Ｅ１２によれば、指掛け操作部と開放部の縁部との隙間を通じて指掛け操作部と奥部との隙間に指を挿入し、当該指を指掛け操作部に遊技機正面側から引っ掛けた状態で引っ張ることにより、オフ状態への切り替えを行うことができる。かかる構成によれば、遊技球が仮に指掛け操作部と開放部の縁部との隙間から収容部内に侵入したとしても、収容部の内壁面にて反射することで減勢され同指掛け操作部をオフ状態となる側へ変位させることは困難になる。これにより、遊技球の衝突によってオフ状態に切り替るといった不都合を好適に回避することができる。
【０７７３】
特徴Ｅ１３．前記指掛け操作部と前記収容部の奥部との隙間寸法は、遊技球の直径寸法よりも小さく設定されており、
前記指掛け操作部の前記一端部と前記開放部の縁部との隙間寸法は、遊技球の直径寸法よりも大きく設定されていることを特徴とする特徴Ｅ１２に記載の遊技機。
【０７７４】
特徴Ｅ１３によれば、指掛け操作部の一端部と開放部の縁部との隙間寸法を遊技球の直径寸法よりも大きく設定することで、指掛け操作部に対して指を引っ掛ける作業が難しくなることを抑制することができる。この場合、当該隙間を通じて収容部内に遊技球が侵入し得るが、指掛け操作部と収容部の奥部との隙間寸法を遊技球の直径寸法よりも小さく設定することで、奥部で跳ね返った遊技球が指掛け操作部を遊技機背面側へ押すといった不都合を生じにくくすることができる。これにより、遊技球の衝突に起因した切り替わりを抑制しつつ、それに起因した操作性の低下を抑えることができる。
【０７７５】
特徴Ｅ１４．前記オン状態又は前記オフ状態への切替操作が行われた場合に、前記指掛け操作部を変位前の位置へと復帰させる復帰手段（電源スイッチ２４７Ｙのバネ）を有していることを特徴とする特徴Ｅ１０乃至特徴Ｅ１３のいずれか１つに記載の遊技機。
【０７７６】
特徴Ｅ１０等に示したように、オン状態とオフ状態との変位方向が逆となる構成を採用することで、誤切替の回避と作業性の向上とを実現している。この際、変位位置で待機すると作業がやりにくくなったり、遊技球との無駄な衝突が発生しやすくなったりする。故に、好ましくは、本特徴に示す復帰手段を採用し、切替操作が行われた後は、指掛け操作部が変位前の位置（初期位置）に復帰する構成とするとよい。
【０７７７】
特徴Ｅ１５．前記遊技機本体は支持対象（外枠１１）によって回動可能に支持され、
前記指掛け操作部は、前記遊技機本体の回動中心軸線と同じ方向を向く中心軸線を中心として回動可能となるように支持されており、
さらに、前記指掛け操作部は、当該操作手段の回動基端部が前記遊技機本体の回動先端側、同操作手段の回動先端部が前記遊技機本体の回動基端側となるようにして配されており、同指掛け操作部の回動先端部が遊技機正面側へ変位することでオン状態となり、遊技機背面側へ変位することでオフ状態となるように構成されていることを特徴とする特徴Ｅ１０乃至特徴Ｅ１４のいずれか1つに記載の遊技機。
【０７７８】
遊技機本体が支持対象に対して回動可能に支持されている構成においては、本特徴に示すように、指掛け操作部を回動可能とするとともに、当該操作手段の回動基端部が遊技機本体の回動先端側、同操作手段の回動先端部が遊技機本体の回動基端側となるようにして配することで、以下の効果が期待できる。すなわち、遊技機本体を大きく開放するのではなく、同遊技機本体を小さく開放した場合であっても、切替操作を容易に行うことができる。具体的には、遊技機本体と支持対象との隙間から手を差し込んで切替操作を行う際に、指掛け操作部に対して指を引っ掛けた後、そのまま指掛け操作部を遊技機本体の回動先端側へ引き寄せることで、同指掛け操作部が遊技機背面側へ変位する。このため、オフ状態への切替を容易に行うことができる。
【０７７９】
特徴Ｅ１６．各種遊技機器（図柄表示装置９４や音声ランプ制御装置１４３等）が搭載されてなる遊技機本体（内枠１３）と、
前記遊技機本体をその背面側から覆うカバー体（裏パック２０１の保護カバー部２１２）及び当該カバー体の上方に設けられた球通路（タンク２２１）を有してなる背面ユニット（裏パックユニット１５）と、
前記球通路よりも下側であって前記カバー体よって覆われていない領域に遊技機背面側へ露出するようにして設けられた操作手段（操作片７０１）を有し、前記操作手段の変位に基づいて遊技機を稼動させるオン状態と遊技機を停止させるオフ状態とに切り替える切替手段（電源・発射制御装置２４３）と、
遊技機背面側に開放された凹状をなし、前記操作手段を収容する収容部（スイッチ収容部２５０Ｙ）と
を備え、
前記切替手段は、前記操作手段の遊技機背面側への変位により前記オフ状態に切り替えるものであることを特徴とする遊技機。
【０７８０】
特徴Ｅ１６によれば、カバー体によって覆われていない領域に操作手段を配することにより、背面ユニット（カバー体）を取り外したり、変位させたりすることなく切替操作を行うことができる。これにより、切替操作を行う際の作業の容易化に貢献できる。
【０７８１】
球通路から遊技球が溢れる等した場合に、それら溢れた遊技球が球通路から零れ落ちることとなる。この際、カバー体によって覆われている部位に同遊技球が当たることはないが、上述の如く操作性の向上等を目的として操作手段をカバー体によって覆われていない領域に配している構成においては当該操作手段に対して遊技球が衝突し得る。このような遊技球の衝突によってオフ状態に切り替わることは、正常な遊技進行の妨げとなるため好ましくない。この点、本特徴に示すように、球通路から落下した遊技球が操作手段に対して上側又は遊技機背面側から衝突した場合に、当該衝突に起因したオン状態からオフ状態への切り替えが回避される構成とすれば、上述した不都合の発生を好適に抑制することができる。また、操作手段を遊技機背面側へ露出させておくことにより、切り替え操作を行う際の操作手段に対するアクセスを容易なものとすることができる。故に、上記効果を享受しつつ、それに起因した作業性の低下を抑制することができる。
【０７８２】
上記特徴Ｅ群は以下の課題に対して適用すると効果的である。
【０７８３】
パチンコ機等の遊技機には、島設備から供給された遊技球を貯留するタンクと、そのタンクに貯留されている遊技球を払い出す払出装置とを備えているものがある。例えば遊技領域に設けられた入賞口や入賞装置等への入球が発生した場合には予め設定された個数の遊技球が球受け皿等に払い出される。
【０７８４】
タンクは、遊技機の背面側の上部等に配設されており、島設備からの遊技球の供給を許容すべく上方に開放されている。例えば、タンクの下方には、絵柄表示装置や制御装置等の各種遊技機器が配されており、これら遊技機器を背面側から覆うようにしてカバーが設けられている。これにより、島設備における遊技球供給部やタンク等の球通路から遊技球が零れ落ちた場合等にそれら遊技球が上記遊技機器に衝突することを回避し、同遊技機器の保護を図っている（例えば特開２００１−１０４６０３号公報参照）。
【０７８５】
また、上述したタイプの遊技機においては、遊技に関する各種設定を行うための操作部や、電源投入用の操作部等が同遊技機の背面側に設けられているのが一般的である。このように、遊技機の背面側に操作部を配することにより、同操作部に対する不正なアクセスを抑制することができる。特に、操作部を上記カバーによって覆われていない領域に遊技機後方へ露出するうようにして配することにより、ホール管理者等によって上記操作部の操作が行われる場合に作業が煩雑になることを回避することができる。
【０７８６】
しかしながら、上述の如く操作部を遊技機後方に露出させた場合には、作業性の向上に貢献できる反面、上記球通路等から溢れた遊技球が落下した際に、上記操作部に対して衝突する可能性が生じる。このような衝突に起因して操作部が切り替ることは、遊技進行を妨げる要因となったり、遊技者や遊技ホールに不測の不利益を与える要因となったりするため好ましくない。
【０７８７】
特徴Ｆ１．前面に遊技球が流下する遊技領域（遊技領域ＰＥ）が形成された遊技盤（遊技盤８０）と、
少なくとも前記遊技領域を遊技機前方から覆う扉体（前扉枠１４）と、
固有の識別情報が付与された表示面（印字面６６１ａ）を有し、前記遊技盤の前面において前記遊技領域外となっている部位に配設されたシート状の識別部材（証紙６６１）とを備え、
前記扉体に設けられたパネル部（ガラスパネル３１，３２）を通じて遊技機正面側から前記表示面が視認可能な遊技機であって、
前記識別部材は、前記表示面が前記遊技盤の前面に対して傾いた状態で配置されていることを特徴とする遊技機。
【０７８８】
特徴Ｆ１によれば、表示面が遊技盤の前面に対して平行となるように識別部材を配設する場合と比較して、遊技盤の前面における識別部材の占有領域の拡がりを抑えることができる。これにより、遊技盤の前面にて遊技領域と識別部材とを共存させつつ、遊技領域の拡張等を実現することができる。
【０７８９】
特徴Ｆ２．前記識別部材は、前記遊技盤の前面において前記遊技領域を囲む領域に配設されているとともに、前記表示面が遊技機正面側を向く成分及び前記遊技領域側を向く成分の両成分を有するようにして傾けた状態で配置されていることを特徴とする特徴Ｆ１に記載の遊技機。
【０７９０】
特徴Ｆ２に示すように遊技盤の前面において遊技領域を囲む領域に識別部材が配設されている構成においては、同識別部材を表示面が遊技領域側を向く成分を有するようにして傾けた状態で配置することにより、識別部材の占有領域の低減結果を遊技領域の拡張に好適に反映することができる。
【０７９１】
また、識別情報を確認する際には、遊技領域中央側から外側へと視線を移すことで識別部材を視認可能となる。この際、識別部材の表示面が作業者側を向くため、上記確認作業の容易化に貢献することができる。
【０７９２】
特に、前後に貫通する開口部（窓部２１）が形成された枠体（枠体２０）と、前記開口部を覆うようにして前記枠体に搭載されたパネル部（ガラスパネル３１，３２）とを有する遊技機においては、開口部を通じて識別部材を見た場合に表示面の視認が枠体によって妨げられることを抑制することが可能となる。
【０７９３】
特徴Ｆ３．前記扉体は、前後に貫通する開口部（窓部２１）が形成された枠体（枠体２０）を有し、
前記パネル部は、前記開口部を覆うようにして前記枠体に搭載されており、
前記遊技盤は、当該遊技盤の端部が前記枠体に遊技機後方から隙間を隔てて対向するように構成されており、
前記識別部材は、前記遊技盤における前記枠体と対向している部分に配されており、前記表示面が遊技機正面側を向く成分及び前記開口部側を向く成分を有するようにして傾けた状態で配置されていることを特徴とする特徴Ｆ１又は特徴Ｆ２に記載の遊技機。
【０７９４】
特徴Ｆ３によれば、遊技盤の端部（外周部）が枠体に対して遊技機正面視にて重なる。かかる構成によれば、同遊技盤の端部の露出が回避され、遊技機の見栄えの向上が期待できる。
【０７９５】
識別部材に関してはホール管理者によって視認可能であれば足り、遊技者から視認可能とする必要がない。そこで、遊技盤において枠体と対向している部分に識別部材を配することで、パネル部を通じて視認可能となる遊技領域を一層好適に拡張することができる。
【０７９６】
かかる構成を採用した場合であっても、確認作業を行う際に顔を遊技盤に近づけることで上記枠体を回避して識別部材を視認可能となる。特に、識別部材が開口部側を向く成分を有するようにして傾けた状態で配置されていることにより、当該識別部材の視認性を好適に向上することができる。
【０７９７】
特徴Ｆ４．前記識別部材は、前記開口部寄りとなる位置に配置されていることを特徴とする特徴Ｆ３に記載の遊技機。
【０７９８】
特徴Ｆ３に示したように、遊技盤と枠体とで挟まれた位置に識別部材を配置した場合、同識別部材に対して光が届きにくくなることで当該識別部材の視認性が低下すると懸念される。そこで、本特徴に示すように開口部寄りに識別部材を配設すれば、遊技盤と枠体との隙間を通じて外部光等が識別部材に届きやすくなり、識別部材の視認性の担保に貢献できる。
【０７９９】
例えば、識別部材を開口部の下側に配するとよい。これにより、ホールの天井等に配設されたライト等からの光を識別部材用の照明として活用しやすくなる。
【０８００】
特徴Ｆ５．前記識別部材の傾きは、当該識別部材の前記表示面が向く先に前記開口部の少なくとも一部が位置するように設定されていることを特徴とする特徴Ｆ３又は特徴Ｆ４に記載の遊技機。
【０８０１】
特徴Ｆ５によれば、表示面の向く先に開口部の少なくとも一部が位置することにより、同開口部（パネル部）を通じて識別部材を視認する際の当該表示面の視認性を好適に向上することができる。
【０８０２】
特徴Ｆ６．前記枠体において前記パネル部の下側となる部位には、遊技球を貯留可能な皿部（上皿２８ａ）が遊技機前方に膨出するようにして設けられており、
前記識別部材は、前記皿部の後方に配置されていることを特徴とする特徴Ｆ３乃至特徴Ｆ５のいずれか１つに記載の遊技機。
【０８０３】
特徴Ｆ１に示したように識別部材が遊技盤において前記枠体と対向している部位に設けられている構成においては、枠体を避けるようにして開口部から遊技機内部を覗き込むことにより、識別部材を視認可能となる。しかしながら、このような姿勢をとるとすれば、作業者にかかる負担が大きくなると想定される。そこで、遊技機前方に膨出する皿部の背後に識別部材を配すれば、当該識別部材を覗き込む際に、皿部に手をかけて体重の一部を遊技機に預けることが可能となり、作業者の負担の軽減に貢献することができる。
【０８０４】
本特徴に示すように皿部の背後に識別部材を配設している場合、例えば皿部に識別部材用の視認窓部等を形成することで当該識別部材の視認性を担保することが可能である。しかしながら、かかる構成においては皿部の前後の厚さを考慮すれば、必然的に前後方向における透視窓部の長さが嵩み、目視による確認が許容される方向が限定されやすくなる。皿部が遊技機の中央よりも下側に配置されることを考慮すれば、確認作業を中腰で行う必要が生じ、作業者への負担が大きくなると想定される。この点、本特徴に示す構成に特徴Ｆ３等に示した技術的思想を適用し、開口部を通じた覗き込みを許容すれば、確認作業が困難になることを抑制できる。
【０８０５】
なお、特徴Ｆ３等に示した技術的思想によって識別部材の視認性を担保することにより、皿部に対して上記視認窓部に相当する構成を設ける必要がなくなる。これにより、皿部の大型化による容量増大に好適に実現することができる。
【０８０６】
特徴Ｆ７．前記遊技盤の前面から前方へ起立して設けられ、当該遊技盤の前面に遊技領域（遊技領域ＰＥ）及びその遊技領域へ遊技球を誘導する誘導部（誘導通路１０３）を区画形成する区画部（誘導レール１００）を備え、
前記遊技盤の前面に対する前記識別部材の傾きは、当該識別部材における前側の端部が前記区画部における前側の端部よりも後方となるように設定されていることを特徴とする特徴Ｆ１乃至特徴Ｆ６のいずれか１つに記載の遊技機。
【０８０７】
特徴Ｆ１等に示したように、識別部材を傾ける際に同識別部材の前側の端部が遊技盤に設けられた区画部よりも前方へ突出しない構成とすることで、識別部材を傾けることに起因して遊技盤全体の厚さが嵩むことを回避することができる。これにより、遊技機の薄型化を好適に促進することができる。
【０８０８】
特徴Ｆ８．前記パネル部の後方に位置し、遊技演出又は遊技に関する情報の報知を行う発光部（主表示部６９０）を備え、
前記パネル部を通じて前記発光部を遊技機前方から視認可能な遊技機であって、
前記発光部は、当該発光部が前記識別部材よりも前記遊技領域寄りとなるようにして同識別部材に並設され、
前記発光部からの光の一部が前記表示面に照射されることを特徴とする特徴Ｆ３乃至特徴Ｆ７のいずれか１つに記載の遊技機。
【０８０９】
特徴Ｆ３等に示したように遊技盤と枠体とによって挟まれた領域に識別部材を配設する場合には、開口部と対向する位置に識別部材を配設する場合と比較して表示面に届く光量が少なくなる。これにより、表示面の視認性が低下すると懸念される。
【０８１０】
ここで、本特徴に示すように遊技演出や情報の報知を担っている発光部から表示面へ光が供給される構成を採用すれば、例えば識別部材用の発光手段を別途設ける構成と比較して、構成の複雑化を抑えることができる。
【０８１１】
例えば、遊技機に電源が投入されている状況下においては、上記発光部の発光が継続され、表示面への光の供給が担保される構成とすればよい。
【０８１２】
特徴Ｆ９．前記発光部は、複数の発光体（発光体６９１）を有してなり、
遊技機に電源が投入されている状況下においては、前記発光体の何れかによって前記識別部材に光が供給されることを特徴とする特徴Ｆ８に記載の遊技機。
【０８１３】
識別部材の確認作業は営業時間外に実施されやすい。仮に特定のタイミング（報知や演出が実行されるタイミング：例えば遊技中）でないと識別部材に光が照射されない構成が採用されていると、確認作業時に発光部の照明機能を活用しづらくなると想定される。また、仮にこのような不都合を回避すべく発光部を常時点灯させる構成とした場合には、発光部の演出機能や報知機能の向上の妨げとなり得る。
【０８１４】
そこで、本特徴に示すように複数の発光体の何れかによって光が供給される構成とすれば、上記各種不都合の発生を抑えることができ、確認作業の容易化を図りつつ、それに起因した演出・報知機能の低下を抑制することができる。
【０８１５】
特徴Ｆ１０．前記発光体は、前記識別部材における遊技領域側の端部に沿うようにして配列されていることを特徴とする特徴Ｆ９に記載の遊技機。
【０８１６】
特徴Ｆ１０に示すように発光体を識別部材における遊技領域側の端部に沿うようにして配列することにより、発光対象によって識別部材の視認性が低下しやすくなることを抑制できる。故に、識別部材の視認性を好適に担保することができる。
【０８１７】
特に、複数の発光体によって遊技に関する抽選結果を所定の絵柄で表示する構成においては、その抽選の結果に応じてどの発光体が発光するかが変化し得る。このような構成に対して本特徴に示す構成を適用すれば、発光部の発光態様に依存した視認性の低下を好適に抑制することができる。
【０８１８】
特徴Ｆ１１．前記発光部は、光を発する発光体（発光体６９１）を有してなり、
前記発光体は、前記識別部材の表示面（印字面６６１ａ）が向く先から外れた位置に配置されていることを特徴とする特徴Ｆ８乃至特徴Ｆ１０のいずれか１つに記載の遊技機。
【０８１９】
特徴Ｆ１１によれば、発光部（発光体）自身によって識別部材の視認が妨げられることを抑制し、確認作業の容易化に貢献することができる。
【０８２０】
特徴Ｆ１２．前記発光部は、光を発する発光体（発光体６９１）を有してなり、
前記発光体と前記パネル部との間に位置し、同発光体からの光が遊技機前方に照射されるように規制する光規制部（底部６５８の貫通孔６５８ａ）を備え、
前記識別部材における前記表示面の向きは、前記光規制部によって規制された光の照射方向と異なる方向となるように設定されていることを特徴とする特徴Ｆ８乃至特徴Ｆ１１のいずれか１つに記載の遊技機。
【０８２１】
特徴Ｆ８等に示したように、発光部によって遊技演出や情報の報知を行う構成においては、当該発光部からの光が強くなりやすいと想定される。このため、仮に発光部からの光が、直接目に入ると表示面が見づらくなると懸念される。そこで、本特徴に示すように、表示面の向きを光規制部によって規制された光の照射方向と異なる方向となるように設定すれば、表示面の確認作業の際に発光体からの光が直接目に入ることを抑制することができる。故に、眩しさ等によって表示面の確認作業が困難になるといった不都合を生じにくくすることができる。
【０８２２】
特徴Ｆ１３．前記発光部及び前記識別部材が搭載されるベース部（遊技領域区画部材６５０）を備え、
前記ベース部は、
前記発光部の前方に当該発光部に対して隙間を隔てて設けられ、前記発光部からの光を規制する光規制部（底部６５８の貫通孔６５８ａ）と、
前記発光部を収容する収容領域と前記識別部材を収容する収容領域とを仕切壁部（周壁部６５５）と
を有しており、
前記光規制部によって規制された光が、前記パネル部を通じて遊技機前方に射出され、
前記仕切壁部には、前記両収容領域を連通させる連通口（開放部６５９）が形成されており、
前記識別部材は、前記連通口に対して対峙するとともに前記発光部からの光が前記連通口を通じて当該識別部材の表示面（印字面６６１ａ）に照射されるように配置されていることを特徴とする特徴Ｆ８乃至特徴Ｆ１２のいずれか１つに記載の遊技機。
【０８２３】
特徴Ｆ１３によれば、発光部の前方に位置する光規制部によって規制された光が遊技機前方へ射出される構成とすることにより、発光部と光規制部との間に隙間を設ける構成を採用したことに起因して発光演出や報知が不明瞭になることを抑制可能となっている。発光部と光規制部との間に隙間を設けることで、同発光部からの光が発光部用の収容領域内にて拡がりやすくし、同光が連通口を通じて識別部材側の収容領域の広域へ達しやすくしている。
【０８２４】
ここで、識別部材を連通口に対して対峙するようにして配置することにより、発光部からの光が連通口を通じて識別部材（表示面）に照射される。故に、発光部自身の演出／報知機能を担保しつつ同発光部からの光を利用した識別部材の視認性の向上を好適に実現することができる。
【０８２５】
特徴Ｆ１４．前記遊技領域に設けられ、遊技球が入球可能な入球部（作動口８３）と、
前記入球部への入球に基づいて、遊技者に特典を付与するか否かの抽選を行う抽選手段（主制御装置１６２において抽選処理を実行する機能）と、
前記発光部を可変表示させるとともに、同発光部にて前記抽選手段による抽選の結果を表示させる発光制御手段（主制御装置１６２において発光制御処理を実行する機能）と
を備え、
前記発光制御手段は、前記発光部の可変表示の開始から終了までを１遊技回として各遊技回の可変表示が行われるように前記発光部を表示制御するものであり、少なくとも次回の遊技回が開始されるまで前回の抽選結果の点灯表示を継続させる又は予め定められた態様で点灯表示させるものであることを特徴とする特徴Ｆ８乃至特徴Ｆ１３のいずれか１つに記載の遊技機。
【０８２６】
既に説明したように識別部材の確認作業は、開店中（例えば遊技中）以外のタイミングで実施される。この際、仮に特定のタイミング（報知や演出が実行されるタイミング）でないと識別部材に光が照射されない構成が採用されていると、光の照射機能を活用しづらくなると想定される。また、仮にこのような不都合を回避すべく発光部を常時点灯させる構成とした場合には、発光部の演出機能や報知機能の向上の妨げとなり得る。
【０８２７】
そこで、本特徴に示すように遊技回中でない場合に発光部が点灯表示のままとなる構成（発光部が常時点灯となる構成）を採用すれば、確認作業が行われ得るタイミングにおいては識別部材に対する発光部からの光の供給が継続されることとなる。これにより、上記各種不都合の発生を抑えることができ、確認作業の容易化を図りつつ、それに起因した演出・報知機能の低下を抑制することができる。
【０８２８】
上記特徴Ｆ群は以下の課題に対して適用すると効果的である。
【０８２９】
パチンコ機等の遊技機には、前面に遊技領域が形成された遊技盤を備えているものがある。遊技盤には、証紙、遊技機製造者が遊技機の製造期日を確認するためのシール、遊技機管理者が遊技機内容を確認するための印字部材等の識別部材が設けられており、遊技機の検査等を行う場合には、遊技機管理者によって識別部材（識別情報）の目視による確認が行われる（例えば、特開２００３−１０４９９号公報参照）。
【０８３０】
識別部材は遊技盤の隅角部等に配されることが多く、遊技領域の圧迫が抑制されている。特に、同識別部材を遊技機前方から前扉を通じて視認可能とすることにより、前扉の開放を必須とする場合と比較して上記確認作業の効率を向上している。
【０８３１】
近年では遊技機の興趣向上等を目的として遊技領域が拡張される傾向にあり、上述した識別部材と遊技領域とを遊技盤の前面にて共存させることが難しくなっている。
【０８３２】
本発明は、上記例示した事情等に鑑みてなされたものであり、識別情報の視認性を担保しつつ、遊技盤の前面にて遊技領域と識別部材とを好適に共存させることができる遊技機を提供することを目的とするものである。
【０８３３】
特徴Ｇ１．前面に遊技球が流下する遊技領域（遊技領域ＰＥ）が形成された遊技盤（遊技盤８０）と、
少なくとも前記遊技領域を遊技機前方から覆う扉体（前扉枠１４）と、
固有の識別情報が付与された表示面（印字面６６１ａ）を有し、前記遊技盤の前面において前記遊技領域外となっている部位に配設された識別部材（証紙６６１）と
を備え、
前記扉体は、
前後に貫通する開口部（窓部２１）が形成された枠体（枠体２０）と、
前記開口部を覆うようにして前記枠体に搭載されたパネル部（ガラスパネル３１，３２）と
を有し、
前記パネル部を通じて前記遊技領域を視認可能となっている遊技機であって、
前記識別部材は、前記遊技盤において前記枠体と対向している部位に設けられているとともに遊技機正面側から視認可能となるように配置されており、
前記遊技盤において前記パネル部に対向している箇所に設けられており、遊技演出又は遊技に関する情報の報知を行う発光部（主表示部６９０）を備え、
前記発光部は、前記識別部材に並設されているとともに、当該識別部材よりも前記遊技領域側となる位置に配され、前記パネル部を通じて遊技機正面側から視認可能となっており、
前記発光部からの光の一部が前記識別部材に照射されることを特徴とする遊技機。
【０８３４】
識別部材（表示面）に関してはホール管理者によって視認可能であれば足り、必ずしも遊技者から視認可能とする必要がない。そこで、識別部材を遊技領域外であって枠体の開口部から外れた位置に配することにより、パネル部を通じて視認可能となる遊技領域の拡張を好適に実現することができる。
【０８３５】
しかしながら、遊技盤と枠体とによって挟まれた領域に識別部材を配設する場合には、開口部と対向する位置に識別部材を配設する場合と比較して表示面に届く光量が少なくなる。これにより、識別部材の視認性が低下すると懸念される。
【０８３６】
ここで、本特徴に示すように遊技演出や情報の報知を担っている発光部からの光の一部を識別部材に照射させる構成を採用すれば、例えば識別部材用の発光手段を別途設ける構成と比較して、構成の複雑化を抑えることができる。故に、識別部材の視認性を向上しつつそれに起因した構成の複雑化を抑えることができ、実用上好ましい構成を実現できる。
【０８３７】
例えば、遊技機に電源が投入されている状況下においては、上記発光部の発光が継続され、表示面への光の供給が担保される構成とすればよい。
【０８３８】
特徴Ｇ２．前記発光部は、複数の発光体（発光体６９１）を有してなり、
遊技機に電源が投入されている状況下においては、前記発光体の何れかによって前記識別部材に光が供給されることを特徴とする特徴Ｇ１に記載の遊技機。
【０８３９】
識別部材の確認作業は、開店前や閉店後等の開店中（例えば遊技中）以外の期間にて実施されやすい。仮に特定のタイミング（報知や演出が実行されるタイミング）でないと識別部材に光が照射されない構成が採用されていると、確認作業時に発光部の照明機能を活用しづらくなると想定される。また、仮にこのような不都合を回避すべく発光部を常時点灯させる構成とした場合には、発光部の演出機能や報知機能の向上の妨げとなり得る。
【０８４０】
そこで、本特徴に示すように複数の発光体の何れかによって光が供給される構成とすれば、上記各種不都合の発生を抑えることができ、確認作業の容易化を図りつつ、それに起因した演出・報知機能の低下を抑制することができる。
【０８４１】
特徴Ｇ３．前記発光体は、前記識別部材における遊技領域側の端部に沿うようにして配列されていることを特徴とする特徴Ｇ２に記載の遊技機。
【０８４２】
特徴Ｇ３に示すように発光体を識別部材における遊技領域側の端部に沿うようにして配列することにより、発光対象によって識別部材の視認性が低下しやすくなることを抑制できる。故に、識別部材の視認性を好適に担保することができる。
【０８４３】
特に、複数の発光体によって遊技に関する抽選結果を所定の絵柄で表示する構成においては、その抽選の結果に応じてどの発光体が発光するかが変化し得る。このような構成に対して本特徴に示す構成を適用すれば、発光部の発光態様に依存した視認性の低下を好適に抑制することができる。
【０８４４】
特徴Ｇ４．前記発光部は、光を発する発光体（発光体６９１）を有してなり、
前記発光体は、前記識別部材の表示面（印字面６６１ａ）が向く先から外れた位置に配置されていることを特徴とする特徴Ｇ１乃至特徴Ｇ３のいずれか１つに記載の遊技機。
【０８４５】
特徴Ｇ４によれば、発光部（発光体）によって識別部材の視認が妨げられることを抑制することができ、確認作業の容易化に貢献することができる。
【０８４６】
特徴Ｇ５．前記発光部は、光を発する発光体（発光体６９１）を有してなり、
前記発光体と前記パネル部との間に位置し、同発光体からの光が遊技機前方に照射されるように規制する光規制部（底部６５８の貫通孔６５８ａ）を備え、
前記識別部材における前記表示面の向きは、前記光規制部によって規制された光の照射方向と異なる方向となるように設定されていることを特徴とする特徴Ｇ１乃至特徴Ｇ４のいずれか１つに記載の遊技機。
【０８４７】
特徴Ｇ１に示したように、発光部によって遊技演出や情報の報知を行う構成においては、当該発光部からの光が強くなりやすいと想定される。このため、発光部からの光が、直接目に入ると表示面が見づらくなると懸念される。そこで、本特徴に示すように、表示面の向きを光規制部によって規制された光の照射方向と異なる方向となるように設定すれば、表示面の確認作業の際に発光体からの光が直接目に入ることを抑制することができる。故に、眩しさ等によって表示面の確認作業が困難になるといった不都合を生じにくくすることができる。
【０８４８】
特徴Ｇ６．前記発光部及び前記識別部材が搭載されるベース部（遊技領域区画部材６５０）を備え、
前記ベース部は、
前記発光部の前方に当該発光部に対して隙間を隔てて設けられ、前記発光部からの光を規制する光規制部（底部６５８の貫通孔６５８ａ）と、
前記発光部を収容する収容領域と前記識別部材を収容する収容領域とを仕切壁部（周壁部６５５）と
を有しており、
前記光規制部によって規制された光が、前記パネル部を通じて遊技機前方に射出され、
前記仕切壁部には、前記両収容領域を繋ぐ開口部（開放部６５９）が形成されており、
前記識別部材は、前記開口部に対して対峙するとともに前記発光部からの光が前記開口部を通じて当該識別部材の表示面（印字面６６１ａ）に照射されるように配置されていることを特徴とする特徴Ｇ１乃至特徴Ｇ５のいずれか１つに記載の遊技機。
【０８４９】
特徴Ｇ６によれば、発光部の前方に位置する光規制部によって規制された光が遊技機前方へ射出される構成とすることにより、発光部と光規制部との間に隙間を設ける構成を採用したことに起因して発光が不明瞭になることを抑制可能となっている。発光部と光規制部との間に隙間を設けることで、同発光部からの光が発光部用の収容領域内にて拡がりやすくし、同光が開口部を通じて識別部材側の収容領域の広域へ達しやすくしている。
【０８５０】
ここで、識別部材を開口部に対して対峙するようにして配置することにより、発光部からの光が開口部を通じて識別部材（表示面）に照射される。故に、発光部自身の演出／報知機能を担保しつつ同発光部からの光を利用した識別部材の視認性の向上を好適に実現することができる。
【０８５１】
特徴Ｇ７．前記遊技領域に設けられ、遊技球が入球可能な入球部（作動口８３）と、
前記入球部への入球に基づいて、遊技者に特典を付与するか否かの抽選を行う抽選手段（主制御装置１６２において抽選処理を実行する機能）と、
前記発光部を可変表示させるとともに、同発光部にて前記抽選手段による抽選の結果を表示させる発光制御手段（主制御装置１６２において発光制御処理を実行する機能）と
を備え、
前記発光制御手段は、前記発光部の可変表示の開始から終了までを１遊技回として各遊技回の可変表示が行われるように前記発光部を表示制御するものであり、少なくとも次回の遊技回が開始されるまで前回の抽選結果の点灯表示を継続させる又は予め定められた態様で点灯表示させるものであることを特徴とする特徴Ｇ１乃至特徴Ｇ６のいずれか１つに記載の遊技機。
【０８５２】
既に説明したように識別部材の確認作業は、開店中（例えば遊技中）以外のタイミングで実施される。この際、仮に特定のタイミング（報知や演出が実行されるタイミング）でないと識別部材に光が照射されない構成が採用されていると、光の照射機能を活用しづらくなると想定される。また、仮にこのような不都合を回避すべく発光部を常時点灯させる構成とした場合には、発光部の演出機能や報知機能の向上の妨げとなり得る。
【０８５３】
そこで、本特徴に示すように遊技回中でない場合に発光部が点灯表示のままとなる構成（発光部が常時点灯となる構成）を採用すれば、確認作業が行われ得るタイミングにおいては識別部材に対する発光部からの光の供給が継続されることとなる。これにより、上記各種不都合の発生を抑えることができ、確認作業の容易化を図りつつ、それに起因した演出・報知機能の低下を抑制することができる。
【０８５４】
上記特徴Ｇ群は以下の課題に対して適用すると効果的である。
【０８５５】
パチンコ機等の遊技機には、前面に遊技領域が形成された遊技盤と当該遊技盤（遊技領域）を遊技機前方から覆う扉体とを備えているものがある。扉体には前後に開放された開口部が形成されており、当該開口部を通じて遊技領域を視認可能となっている。
【０８５６】
遊技盤には、証紙、遊技機製造者が遊技機の製造期日を確認するためのシール、遊技機管理者が遊技機内容を確認するための印字部材等の識別部材が設けられており、遊技機の検査等を行う場合には、遊技機管理者によって識別部材（識別情報）の目視による確認が行われる（例えば、特開２００３−１０４９９号公報参照）。
【０８５７】
識別部材は遊技盤の隅角部等に配されることが多く、遊技領域の圧迫が抑制されている。特に、同識別部材を遊技機前方から上記開口部（パネル部）を通じて視認可能とすることにより、前扉の開放を必須とする場合と比較して上記確認作業の効率を向上している。
【０８５８】
近年では遊技機の興趣向上等を目的として遊技領域が拡張される傾向にあり、これに合わせて扉体の開口部についても大型化されている。しかしながら、遊技機の大きさには限りがあり、遊技領域や開口部の大型化には限度ある。このように、限られた領域を利用して遊技機の興趣向上を図る上では、開口部と遊技領域及び識別部材との関係に未だ改善の余地がある。
【０８５９】
特徴Ｈ１．遊技盤（遊技盤８０）と、
前記遊技盤の前面から遊技機前方へ起立して、当該遊技盤の前面に遊技領域（遊技領域ＰＥ）及びその遊技領域へ遊技球を誘導する誘導部（誘導通路１０３）を区画形成する区画部（誘導レール１００）と、
前記遊技盤を着脱可能に支持する支持枠（内枠１３）と、
少なくとも前記遊技領域を遊技機前方から覆う扉体（前扉枠１４）と
を備え、
前記支持枠に対して前記遊技盤が遊技機前方から取り付けられ、前記扉体に設けられたパネル部（ガラスパネル３１，３２）を通じて前記遊技領域を視認可能となっており、
前記遊技領域に設けられた入球部（例えば一般入賞口８１）への入球に基づいて、遊技者に特典が付与される遊技機において、
前記遊技盤に設けられ、前記区画部の少なくとも一部を前記遊技領域の外側から覆うカバー部（レールカバー４００）を備え、
前記カバー部における前側の端部は、前記区画部における前側の端部よりも前記パネル部側へ突出するようにして形成されていることを特徴とする遊技機。
【０８６０】
特徴Ｈ１によれば、区画部の少なくとも一部を遊技領域の外側から覆うカバー部を採用することにより、以下の効果が期待できる。すなわち、仮に支持枠と扉体との境界部位を介してワイヤ等の不正具が挿入された場合には、同不正具の遊技領域（例えば入球部）へ向けた移動を同カバー部によって妨げることができる。特に、カバー部における前側の端部が区画部における前側の端部よりもパネル部側へ突出しているため、当該カバー部を越えて遊技領域へ到達することを困難にすることができる。故に、例えば入球部への入球頻度を不正に高める（特典を不正に取得する）といった行為を難しくして防犯機能の向上に貢献することができる。
【０８６１】
特徴Ｈ２．前記カバー部は、前記区画部に対向する壁状をなしており、
前記カバー部における前記遊技盤側の端部は、同遊技盤の前面に対して当接していることを特徴とする特徴Ｈ１に記載の遊技機。
【０８６２】
支持枠と扉体との境界部位を介してワイヤ等の不正具が挿入された場合には、同不正具が遊技盤の前面に沿うようにして移動し得る。ここで、カバーにおける遊技盤側の端部を同遊技盤の前面に対して当接させておくことにより、以下の効果が期待できる。すなわち、遊技盤に沿って移動する不正具がカバー部と遊技盤との間をすり抜けて区画部へ到達することを抑制し、カバー部による防犯機能を好適に発揮させることができる。
【０８６３】
特徴Ｈ３．前記扉体は、前記支持枠に対して回動可能に取り付けられており、
前記カバー部は、前記区画部において前記扉体の回動基端部寄りとなる部分を覆うようにして配設されていることを特徴とする特徴Ｈ１又は特徴Ｈ２に記載の遊技機。
【０８６４】
遊技盤を支持枠に対して遊技機後方から取り付ける構成を想定した場合、カバー部に相当する構成を支持枠に設けることが可能である。一方、特徴Ｈ１等に示したように遊技盤を支持枠に対して遊技機前方から取り付ける構成においては、上述の如く遊技機後方から取り付ける構成と比較して遊技盤の着脱作業の容易化を実現することができるものの、カバー部に相当する構成を支持枠に設けることが困難になる。また、カバー部によって区画部における扉体の回動基端部寄りとなる部分を覆う構成においては、扉体側にカバー部に相当する構成を適用することが可能であるものの、かかる構成を採用することで以下の不都合を招来し得る。すなわち、遊技領域の外側から区画部を覆うことで扉体を開閉する際にカバー部が通過する経路と区画部との干渉を回避する必要が生じ、それらカバー部や区画部の起立量等に制約が生じやすくなる。これは、遊技球の誘導機能の担保や防犯機能の向上の妨げとなるため好ましくない。
【０８６５】
この点、本特徴に示す構成に対して特徴Ｈ１等に示した構成（遊技盤にカバー部を配設する構成）を適用すれば、それら各種不都合を回避しつつ、防犯機能を向上することが可能となり、実用上好ましい構成を実現できる。
【０８６６】
特徴Ｈ４．前記カバー部は、前記区画部において少なくとも前記誘導部の入口部分（入口部分１０４）を構成している箇所を前記遊技領域の外側から覆うようにして配置されていることを特徴とする特徴Ｈ１乃至特徴Ｈ３のいずれか１つに記載の遊技機。
【０８６７】
遊技領域への不正具の侵入を抑制する上では、例えば区画部における前側の端部をパネル部等に近づけることにより、区画部自体に防壁としての機能を付与することも可能である。しかしながら、区画部によって遊技球を誘導する構成においては、遊技球の誘導機能を好適に発揮させることを目的として誘導部への入口部分にて区画部の傾きや曲り具合等の調整が行われることがあり、このような調整が行われた場合には区画部とパネル部等との隙間が大きくなり得る。このため、入口部分においては他の部分と比較して不正具の侵入が容易になりやすいと懸念される。そこで、本特徴に示すようにカバー部によって少なくとも上記入口部分を覆う構成とすれば、遊技機における防犯機能を好適に向上させることができる。
【０８６８】
特徴Ｈ５．遊技球を発射する遊技球発射装置（遊技球発射機構１１０）を備え、
前記遊技球発射装置は、遊技球の発射方向を規定する発射レール（発射レール１１２）を有し、
前記誘導部は、当該誘導部の前記入口部分が前記発射レールの延長上に位置するようにして形成されており、
前記カバー部は、前記区画部に対向する壁状をなしており、
前記カバー部において少なくとも前記区画部における前記入口部分を構成している箇所の外側に位置している部分は、前記区画部との間隔が拡がる側への変形又は変位が許容されていることを特徴とする特徴Ｈ１乃至特徴Ｈ４のいずれか１つに記載の遊技機。
【０８６９】
特徴Ｈ１等に示したように区画部によって遊技球を誘導する構成においては、遊技球発射装置から発射された遊技球を円滑に誘導すること（遊技球の飛びを安定させること）等を目的として、誘導部への入口部分（遊技球の着地位置付近）にて区画部の傾きや曲り具合等の調整が行われやすい。仮に、カバー部を変形／変位不能に固定した場合には、許容される調整代が小さくなるだけでなく、調整作業を困難にする要因となり得る。
【０８７０】
この点、本特徴によれば、カバー部を区画部との間隔が拡がる側へ変形又は変位可能とすることにより、上記調整代の担保を図ることができる。更には、上記調整作業を行う際に、指等でカバー部を区画部から引き離すことが可能となり、作業スペースを容易に確保できる。故に、カバー部を採用して防犯機能の向上を図りつつ、それに起因した区画部の調整機能の低下及び調整作業の煩雑化を好適に抑制することができる。
【０８７１】
特徴Ｈ６．前記カバー部は、前記区画部に沿って延びているとともに、撓み変形可能な弾性体によって構成されており、
さらに、前記カバー部は前記遊技盤の前面に沿った撓み変形と比較して同遊技盤の厚さ方向への撓み変形が困難となるように構成されていることを特徴とする特徴Ｈ５に記載の遊技機。
【０８７２】
特徴Ｈ５に示したようにカバー部の撓み変形を許容する構成においては、当該カバー部に対して不正具を引っ掛ける等してカバー部を撓ませるといった行為が行われる可能性がある。このような行為によってカバー部とパネル部との間隔が拡がったり、カバー部と遊技盤との間隔が拡がったりすることは、当該カバー部の回避が容易になる要因となるため好ましくない。そこで、本特徴に示すように、遊技盤の前面に沿った撓み変形と比較して同遊技盤の厚さ方向への撓み変形が困難となるように構成すれば、上述した調整作業の容易化を図りつつ、上記不正行為を困難なものとし、実用上好ましい構成を実現できる。
【０８７３】
特徴Ｈ７．前記カバー部は、前記区画部に沿って延びているとともに、撓み変形可能な弾性体によって構成されており、
さらに、前記カバー部は、前記入口部分に対して当該カバー部の長手方向にてずれた位置で前記遊技盤に固定されているとともに、少なくとも前記入口部分側の端部が自由端となっていることを特徴とする特徴Ｈ５又は特徴Ｈ６に記載の遊技機。
【０８７４】
特徴Ｈ７によれば、カバー部を撓み変形させることにより、当該カバー部を入口部分から遠ざけることができる。このため、カバー部を取り外すことなく上記調整作業を行うことが可能となる。特に、固定箇所を入口部分に対して当該カバー部の長手方向にてずれた位置に配しているため、作業スペースを一層容易に確保することができる。
【０８７５】
特徴Ｈ８．前記固定箇所は、前記入口部分に対して遊技球の発射方向における先側となる位置に配されていることを特徴とする特徴Ｈ５乃至特徴Ｈ７のいずれか１つに記載の遊技機。
【０８７６】
区画部の調整作業をする際には、着地箇所をピンポイントで変形させるのではなく、その周辺部位を含んだ所定の範囲を滑らかに変形させることが好ましい。上述したように入口部分にて遊技球が着地する構成においては、入口部分側の端部から撓ませることにより上述した滑らかな変形を実現できる。そこで、固定箇所を入口部分に対して遊技球の発射方向における先側に配し、カバー部における入口部側の端部を自由端とすることにより、調整を好適に行うことが可能となり、球飛びの安定化等に貢献することができる。
【０８７７】
特徴Ｈ９．前記カバー部は、当該カバー部の先端部の少なくとも一部が前記区画部と前記パネル部との間に介在するようにして形成されていることを特徴とする特徴Ｈ５乃至特徴Ｈ８のいずれか１つに記載の遊技機。
【０８７８】
特徴Ｈ５等に示したように、カバー部の撓み変形を許容する構成においては、不正具によってカバー部をパネル部から遠ざかる側へ撓ませることで同カバー部とパネル部との隙間を拡げることにより、不正具の侵入ルートを確保するといった試みがなされると想定される。
【０８７９】
ここで、本特徴に示すように、パネル部と区画部との間にカバー部の先端部を介在させる構成（カバー部がパネル部と区画部とによって挟まれる構成）とすれば、上述したような隙間の拡がりを好適に抑えることができる。これにより、更なる防犯機能の向上が期待できる。
【０８８０】
特徴Ｈ１０．前記カバー部における前側の端部には、前記遊技領域側に凸となる突部（対向部４７２）が形成されており、
前記扉体が閉じている場合に前記突部が前記パネル部と前記区画部との間に留まるようにして前記カバー部の変形又は変位を規制する規制部（枠体２０のストッパ部２０ａ）を有し、
前記扉体が開放されている状況下においては、前記規制部による規制が解除されることにより、遊技機正面視にて前記区画部と前記突部との重なりが回避される位置への前記カバー部の変形又は変位が許容されることを特徴とする特徴Ｈ５乃至特徴Ｈ９に記載の遊技機。
【０８８１】
特徴Ｈ５等に示したように、カバー部の撓み変形を許容する構成においては、不正具によってカバー部をパネル部から遠ざかる側へ撓ませることで同カバー部とパネル部との隙間を拡げることにより、不正具の侵入ルートを確保するといった試みがなされると想定される。
【０８８２】
ここで、本特徴に示すように、パネル部と区画部との間にカバー部の先端部を介在させる構成（カバー部がパネル部と区画部とによって挟まれる構成）とすれば、上述したような隙間の拡がりを好適に抑えることができる。これにより、更なる防犯機能の向上が期待できる。
【０８８３】
また、扉体を開放した場合には、区画部と突部との重なりを回避可能となることにより、突部によって上述した調整作業が妨げられるといった不都合を生じにくくすることができる。これにより、防犯機能の向上を図りつつそれに起因した作業性の低下を好適に抑制することができる。
【０８８４】
特徴Ｈ１１．前記扉体は、前記支持枠に対して回動可能に取り付けられており、
前記カバー部は、前記区画部において前記扉体の回動基端部寄りとなる部分を覆うようにして配設されており、
前記扉体には、当該扉体が前記遊技機本体に対して閉じている場合に前記カバー部に対して前記区画部とは反対側に位置し、前記カバー部に対して当接することで当該カバー部の変形又は変位を規制する規制部（枠体２０のストッパ部２０ａ）が形成されており、
前記扉体が開放されることにより、前記規制部による前記規制が解除されることを特徴とする特徴Ｈ５乃至特徴Ｈ１０のいずれか１つに記載の遊技機。
【０８８５】
特徴Ｈ１１によれば、特徴Ｈ３に示した効果に加え、以下の効果が期待できる。すなわち、扉体が回動可能な構成において上述したように扉体にカバー部に相当する構成を設けることは、区画部による誘導機能の向上やカバー部による防犯機能の向上の妨げとなるため好ましくない。そこで、遊技盤にカバー部を設けるととともに扉体にカバー部の変位を規制する規制部（区画部を覆う機能を有さない単なるストッパとしての規制部）を設ける構成とすれば、当該規制部によってカバー部の不要な変形／変位を規制することができ、更なる防犯機能の向上に貢献することができる。
【０８８６】
なお、作業ミス等によってカバー部が正規の位置に復帰していない場合には、カバー部と規制部とが干渉することにより扉体の閉位置への変位を妨げる構成とすることが好ましい。これにより、上記調整作業を行った後にカバー部を復帰させるのを忘れる等して、同カバー部による防犯機能が上手く発揮されなくなるといった不都合を生じにくくすることができる。
【０８８７】
特徴Ｈ１２．前記支持枠には、前記遊技盤の一側部が挿入される遊技盤挿入部（挿入部２９０）が設けられており、
前記遊技盤は、前記遊技盤挿入部に挿入された状態で当該遊技盤挿入部により支持される被支持部を有し、前記被支持部を中心として回動されることにより前記支持枠に対して着脱されるものであり、
前記区画部は、前記誘導部が前記遊技領域よりも前記遊技盤挿入部側となるように構成されており、
前記カバー部は、前記被支持部に一体的に設けられており、前記区画部において少なくとも前記誘導部を区画形成している部分を前記遊技盤挿入部側から覆っていることを特徴とする特徴Ｈ１乃至特徴Ｈ１１のいずれか１つに記載の遊技機。
【０８８８】
特徴Ｈ１２によれば、遊技盤の一側部を遊技盤挿入部に挿入した状態で同遊技盤挿入部を中心として同遊技盤を回動させることにより当該遊技盤を着脱することができる。遊技盤挿入部へ遊技盤の一側部を挿入させる場合、区画部における遊技盤挿入部側となる部分が同区画部における他の部分と比べて支持枠等に対して衝突しやすいと想定される。そこで、区画部において遊技盤挿入部側となる部分をカバー部によって覆うことにより、区画部の保護機能を好適に向上させることができる。
【０８８９】
また、遊技盤を支えることができるように、ある程度の強度を確保されている部分（被支持部）に対してカバー部を一体的に設けることにより、被支持部を遊技盤に対して固定するための構成をカバー部を固定するための手段として活用することができる。これにより、遊技盤の前面にてカバー部の固定にかかる占有領域が無駄に拡がることを抑え、遊技領域とカバー部とを好適に共存させることができる。
【０８９０】
特徴Ｈ１３．前記被支持部は、前記遊技盤に対する取付部（例えばベース部４１０）を有し、
前記カバー部は、前記取付部から延設されていることを特徴とする特徴Ｈ１２に記載の遊技機。
【０８９１】
特徴Ｈ１３に示すように、カバー部を取付部から延設することにより、カバー部の取り外しを規制しつつ、同カバー部の変形を好適に実現することができる。このように、カバー部及び被支持部の取り付け構造を共用とすることにより、遊技盤の前面領域における取り付けにかかる構成の占有領域の拡がりを好適に抑えることができる。
【０８９２】
特徴Ｈ１４．遊技盤（遊技盤８０）と、
前記遊技盤の前面から遊技機前方へ起立して、当該遊技盤の前面に遊技領域（遊技領域ＰＥ）及びその遊技領域へ遊技球を誘導する誘導部（誘導通路１０３）を区画形成する区画部（誘導レール１００）と、
前記遊技盤を着脱可能に支持する支持枠（内枠１３）と、
少なくとも前記遊技領域を遊技機前方から覆う扉体（前扉枠１４）と
を備え、
前記支持枠に対して前記遊技盤が遊技機前方から取り付けられ、前記扉体に設けられたパネル部（ガラスパネル３１，３２）を通じて前記遊技領域を視認可能となっており、
前記遊技領域に設けられた入球部（例えば一般入賞口８１）への入球に基づいて、遊技者に特典が付与される遊技機において、
前記遊技盤に設けられた遊技部品（レールカバー４００）を備え、
前記遊技部品は、少なくともその一部（例えば延出部４７０の対向部４７２）が前記区画部と前記パネル部との間に介在するようにして形成されていることを特徴とする遊技機。
【０８９３】
特徴Ｈ１４に示すように区画部によって誘導部が区画形成されている場合には、遊技球の誘導機能を安定して発揮させること等を目的として、遊技機の出荷時や遊技ホールでのメンテナンス時等に遊技盤の前面に対する傾きが調整されることがある。このため、区画部とパネル部との隙間は多様になりやすい。このため、区画部とパネル部との隙間については、ワイヤ等の不正具を遊技領域に到達させるといった不正行為が行われる際の足掛かりとして狙われやすい。
【０８９４】
この点、本特徴に示すように、遊技盤に設けられた遊技部品の少なくとも一部を区画部とパネル部との間に介在させることにより、当該隙間を通じた遊技領域への侵入を妨げることができる。これにより、故に、例えば入球部への入球頻度を不正に高める（特典を不正に取得する）といった行為を難しくして防犯機能の向上に貢献することができる。
【０８９５】
また、遊技盤及び扉体が支持枠に対して取り付けられている場合には、それら遊技盤と扉体（詳しくはパネル部）との位置関係がばらつきやすい。そこで、防犯機能が付与された遊技部品を扉体側ではなく遊技盤側（区画部の配設対象と同一対象）に設けることで、遊技盤と扉体との位置ばらつきに起因した同遊技部品の防犯機能の低下を抑えることができる。
【０８９６】
特徴Ｈ１５．前記遊技部品は、前記遊技盤の前面から遊技機前方に起立し、その先端部が前記区画部と前記パネル部との間に介在しており、
前記先端部は、前記パネル部に対して当接又は近接していることを特徴としていることを特徴とする特徴Ｈ１４に記載の遊技機。
【０８９７】
特徴Ｈ１５によれば、遊技部品と区画部との隙間を通じて不正具が挿入されるといった不都合を好適に抑制することができる。
【０８９８】
例えば、遊技盤から起立している部分を遊技領域外側から区画部を覆う壁状に形成することにより、区画部と遊技部品（詳しくは上記先端部）との隙間を狙って不正具を挿入するといった行為を難しくすることができる。これにより、更なる防犯機能の向上が期待できる。
【０８９９】
なお、特徴Ｈ１４及び特徴Ｈ１５に対して特徴Ｈ１〜特徴Ｈ１３に示した各技術的思想を適用することも可能である。
【０９００】
上記特徴Ｈ群は以下の課題に対して適用すると効果的である。
【０９０１】
パチンコ機等の遊技機には遊技盤が枠体に搭載されてなる遊技機本体を備えているものがある。遊技盤には遊技領域を区画する区画部として誘導レール等が設けられており、同遊技領域には遊技球が入球可能な入球部が配設されている。遊技者等により特定の操作が行われた場合には、遊技球発射装置から遊技球が発射され、同遊技球が上記誘導レールによって遊技領域へと導かれる。遊技領域へ到達した遊技球が入球部へ入った場合には、当該入球に基づいて当否抽選や遊技球の払い出し等の特典が遊技者に付与されることとなる。
【０９０２】
遊技機本体には遊技領域を正面側から覆うようにして扉体が取り付けられており、同扉体によって遊技領域（詳しくは入球部）の露出が抑えられている。扉体はガラス等のパネル部を有しており、このパネル部を通じて遊技領域の視認性が担保されている（例えば、特開２００８−１０４４６８号公報参照）。
【０９０３】
この種の遊技機においては、遊技機本体と扉体との境界部位や扉体に設けられた遊技球払出用の開口部等を通じて挿入したワイヤ等の不正具を遊技領域に到達させることにより、当該不正具を上記入球部へのガイドとしたり、当該不正具によって通常は遊技球が入球しないように閉鎖している入球部を開放させたりするといった行為がなされる可能性がある。
【０９０４】
以下に、以上の各特徴を適用し得る遊技機の基本構成を示す。
【０９０５】
パチンコ遊技機：遊技者が操作する操作手段（遊技球発射ハンドル４５）と、その操作手段の操作に基づいて遊技球を発射する遊技球発射手段（遊技球発射機構１１０）と、その発射された遊技球を所定の遊技領域に導く球通路（誘導レール１００）と、遊技領域内に配置された各遊技部品（釘８７等）とを備え、それら各遊技部品のうち所定の通過部（一般入賞口８１等）を遊技球が通過した場合に遊技者に特典を付与する遊技機。
【０９０６】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０９０７】
１０…遊技機としてのパチンコ機、１１…支持対象としての外枠、１３…遊技機本体としての内枠、１４…扉体としての前扉枠、１５…背面ユニットとしての裏パックユニット、２０…扉枠又は枠体としての枠体、２０ａ…規制部としてのストッパ部、２１…開口部としての窓部、３０…パネルユニットとしてのガラスユニット、２８ａ…皿部としての上皿、３２…パネル部材又はパネル部としてのガラスパネル、３３…パネルホルダとしてのガラスホルダ、３９…規制手段を構成する延出部、７０…支持枠としての樹脂ベース、７１，７２…支持部としての支持金具、７３…遊技盤収容部、８０…遊技盤、８１…一般入賞口、８３…入球部としての作動口、９４…各種遊技機器を構成する図柄表示装置、１００…区画部としての誘導レール、１０１…内レール、１０２…外レール、１０２ａ…頂部、１０３…誘導部としての誘導通路、１１０…発射装置としての遊技球発射機構、１１２…発射レール、１４３…各種遊技機器を構成する音声ランプ制御装置、１６２…主制御装置、２０１…裏パック、２１２…カバー体としての保護カバー部、２２１…球通路としてのタンク、２４３…切替手段を構成する電源・発射制御装置、２４６…基板ボックス、２５０ａＹ，２５０ｂＹ…開放部、遊技機本体としての内枠、２５２…規制手段としての突出部、２５１…対向板部、２７１…ストッパ部、２７５…阻止手段を構成する受け部、２９０…挿入部、４００…カバー部としてのレールカバー、４１０…ベース部、４２０…起立部、４２１…湾曲部、４３０…アーム部、４３１…阻止手段を構成する突起４３１、４５０…規制手段を構成する対向部、４５１…第１対向部、４５２，４５３…第２対向部、４７２…突部としての対向部、６５０…遊技領域区画部材、６５５…仕切壁部としての周壁部、６５８…光規制部を構成する底部、６５８ａ…光規制部を構成する貫通孔、６５９…連通口としての開放部、６６０…識別ユニット、６６１…識別部材としての証紙、６６１ａ…表示面としての印字面、６７１…証紙ホルダ、６９０…発光部としての主表示部、６９１…発光体、７０１…操作手段としての操作片、７０１Ｙ…指掛け操作部としての操作片、７０２…第１操作部、７０３…第２操作部、ＬＥ…下側開放領域、ＰＥ…遊技領域、ＵＥ…上側開放領域。
【図１】
2014076306.tif 000003
【図２】
2014076306.tif 000004
【図３】
2014076306.tif 000005
【図４】
2014076306.tif 000006
【図５】
2014076306.tif 000007
【図６】
2014076306.tif 000008
【図７】
2014076306.tif 000009
【図８】
2014076306.tif 000010
【図９】
2014076306.tif 000011
【図１０】
2014076306.tif 000012
【図１１】
2014076306.tif 000013
【図１２】
2014076306.tif 000014
【図１３】
2014076306.tif 000015
【図１４】
2014076306.tif 000016
【図１５】
2014076306.tif 000017
【図１６】
2014076306.tif 000018
【図１７】
2014076306.tif 000019
【図１８】
2014076306.tif 000020
【図１９】
2014076306.tif 000021
【図２０】
2014076306.tif 000022
【図２１】
2014076306.tif 000023
【図２２】
2014076306.tif 000024
【図２３】
2014076306.tif 000025
【図２４】
2014076306.tif 000026
【図２５】
2014076306.tif 000027
【図２６】
2014076306.tif 000028
【図２７】
2014076306.tif 000029
【図２８】
2014076306.tif 000030
【図２９】
2014076306.tif 000031
【図３０】
2014076306.tif 000032
【図３１】
2014076306.tif 000033
【図３２】
2014076306.tif 000034
【図３３】
2014076306.tif 000035
【図３４】
2014076306.tif 000036
【図３５】
2014076306.tif 000037
【図３６】
2014076306.tif 000038
【図３７】
2014076306.tif 000039
【図３８】
2014076306.tif 000040
【図３９】
2014076306.tif 000041
【図４０】
2014076306.tif 000042
【図４１】
2014076306.tif 000043
【図４２】
2014076306.tif 000044
【図４３】
2014076306.tif 000045